(57)【要約】【課題】既存発電所の海水温度上昇に換えて水道水温熱を需要家に供給、燃焼ガス質量の排気温度を−２７３℃に近付けてＣＯ２排気０の内燃機関で水道水冷熱を需要家に供給。【解決手段】竪型全動翼蒸気ガスタービン合体機関の燃焼器兼熱交換器で限りなく高圧燃焼熱交換して燃焼ガス熱量＋燃焼ガス質量に分離し、燃焼ガス熱量を過熱蒸気に変換して過熱蒸気爆発力と燃焼ガス爆発力により水を噴射加速して水の重力仕事率＋重力加速度で回転出力を発生し、燃焼ガス排気温度を−２７３℃に近付けて燃焼ガス質量全部を５℃前後水道水冷熱に変換して需要家に供給して燃焼ガス熱量発電量＋燃焼ガス質量発電量＝既存ガスタービンの３００〜６００倍仮説発電量に増大し、加えた熱量全部を１００℃以下の水道水温熱として需要家に供給して１／１０電気料金を狙い、ＣＯ２等の燃焼ガス排気を水に溶解して０に近付け、既存海水温度の上昇を冷却に逆転して地球温暖化防止する。【選択図】図２
2005002984.tif 000002
【特許請求の範囲】
【請求項１】
過熱蒸気（５ｃ）爆発力で水（５ａ）を混合噴射加速して大気圧重力仕事率を既存技術の１７００倍に近付けることが特徴の竪型全動翼蒸気ガスタービン合体機関。
【請求項２】
過熱蒸気（５ｃ）爆発力で水（５ａ）を混合噴射加速して大気圧重力仕事率を既存技術の１７００倍に近付けて出力を発生させることが特徴の竪型全動翼蒸気ガスタービン合体機関。
【請求項３】
過熱蒸気（５ｃ）爆発力で水（５ａ）を混合噴射加速して大気圧重力仕事率を既存技術の１７００倍に近付けて竪型全動翼蒸気タービン（５Ａ）で出力を発生させることが特徴の竪型全動翼蒸気ガスタービン合体機関。
【請求項４】
過熱蒸気（５ｃ）爆発力で水（５ａ）を混合噴射加速して大気圧重力仕事率を既存技術の１７００倍に近付けて発電量を発生させることが特徴の竪型全動翼蒸気ガスタービン合体機関。
【請求項５】
過熱蒸気（５ｃ）爆発力で水（５ａ）を混合噴射加速して大気圧重力仕事率を既存技術の１７００倍に近付けて竪型全動翼蒸気タービン（５Ａ）で発電量を発生させることが特徴の竪型全動翼蒸気ガスタービン合体機関。
【請求項６】
過熱蒸気（５ｃ）爆発力で水（５ａ）を混合噴射加速して大気圧重力仕事率を既存技術の１７００倍に近付けて竪型全動翼蒸気タービン（５Ａ）で出力を１７００倍に近付けることが特徴の竪型全動翼蒸気ガスタービン合体機関。
【請求項７】
過熱蒸気（５ｃ）爆発力で水（５ａ）を混合噴射加速して大気圧重力仕事率を既存技術の１７００倍に近付けて竪型全動翼蒸気タービン（５Ａ）で発電量を１７００倍に近付けることが特徴の竪型全動翼蒸気ガスタービン合体機関。
【請求項８】
過熱蒸気（５ｃ）爆発力で水（５ａ）を混合噴射加速して重力加速度を加えた大気圧重力仕事率を既存技術の１７００倍に近付けることが特徴の竪型全動翼蒸気ガスタービン合体機関。
【請求項９】
過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で出力を発生させることが特徴の竪型全動翼蒸気ガスタービン合体機関。
【請求項１０】
過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で発電量を発生させることが特徴の竪型全動翼蒸気ガスタービン合体機関。
【請求項１１】
過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で出力を１７００倍に近付けることが特徴の竪型全動翼蒸気ガスタービン合体機関。
【請求項１２】
過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で発電量を１７００倍に近付けることが特徴の竪型全動翼蒸気ガスタービン合体機関。
【請求項１３】
過熱蒸気（５ｃ）爆発力で水（５ａ）を混合噴射加速して大気圧重力仕事率を既存技術の１７００倍に近付ける竪型全動翼蒸気タービン（５Ａ）としたことが特徴の竪型全動翼蒸気ガスタービン合体機関。
【請求項１４】
過熱蒸気（５ｃ）爆発力で水（５ａ）を混合噴射加速して大気圧重力仕事率を既存技術の１７００倍に近付けて出力を発生させる竪型全動翼蒸気タービン（５Ａ）としたことが特徴の竪型全動翼蒸気ガスタービン合体機関。
【請求項１５】
過熱蒸気（５ｃ）爆発力で水（５ａ）を混合噴射加速して大気圧重力仕事率を既存技術の１７００倍に近付けて発電量を発生させる竪型全動翼蒸気タービン（５Ａ）としたことが特徴の竪型全動翼蒸気ガスタービン合体機関。
【請求項１６】
過熱蒸気（５ｃ）爆発力で水（５ａ）を混合噴射加速して大気圧重力仕事率を既存技術の１７００倍に近付けて出力を１７００倍に近付ける竪型全動翼蒸気タービン（５Ａ）としたことが特徴の竪型全動翼蒸気ガスタービン合体機関。
【請求項１７】
過熱蒸気（５ｃ）爆発力で水（５ａ）を混合噴射加速して大気圧重力仕事率を既存技術の１７００倍に近付けて発電量を１７００倍に近付ける竪型全動翼蒸気タービン（５Ａ）としたことが特徴の竪型全動翼蒸気ガスタービン合体機関。
【請求項１８】
過熱蒸気（５ｃ）爆発力で水（５ａ）を混合噴射加速して重力加速度を加えた大気圧重力仕事率を既存技術の１７００倍に近付ける竪型全動翼蒸気タービン（５Ａ）としたことが特徴の竪型全動翼蒸気ガスタービン合体機関。
【請求項１９】
過熱蒸気（５ｃ）爆発力で水（５ａ）を混合噴射加速して重力加速度を加えた大気圧重力仕事率を既存技術の１７００倍に近付けて出力を発生させる竪型全動翼蒸気タービン（５Ａ）としたことが特徴の竪型全動翼蒸気ガスタービン合体機関。
【請求項２０】
過熱蒸気（５ｃ）爆発力で水（５ａ）を混合噴射加速して重力加速度を加えた大気圧重力仕事率を既存技術の１７００倍に近付けて発電量を発生させる竪型全動翼蒸気タービン（５Ａ）としたことが特徴の竪型全動翼蒸気ガスタービン合体機関。
【請求項２１】
過熱蒸気（５ｃ）爆発力で水（５ａ）を混合噴射加速して重力加速度を加えた大気圧重力仕事率を既存技術の１７００倍に近付けて出力を１７００倍に近付ける竪型全動翼蒸気タービン（５Ａ）としたことが特徴の竪型全動翼蒸気ガスタービン合体機関。
【請求項２２】
過熱蒸気（５ｃ）爆発力で水（５ａ）を混合噴射加速して重力加速度を加えた大気圧重力仕事率を既存技術の１７００倍に近付けて発電量を１７００倍に近付ける竪型全動翼蒸気タービン（５Ａ）としたことが特徴の竪型全動翼蒸気ガスタービン合体機関。
【請求項２３】
過熱蒸気（５ｃ）爆発力で水（５ａ）を混合噴射加速して大気圧重力仕事率を既存技術の１７００倍に近付ける竪型全動翼蒸気タービン（５Ａ）を含めたことが特徴の竪型全動翼蒸気ガスタービン合体機関。
【請求項２４】
過熱蒸気（５ｃ）爆発力で水（５ａ）を混合噴射加速して大気圧重力仕事率を既存技術の１７００倍に近付けて出力を発生させる竪型全動翼蒸気タービン（５Ａ）を含めたことが特徴の竪型全動翼蒸気ガスタービン合体機関。
【請求項２５】
過熱蒸気（５ｃ）爆発力で水（５ａ）を混合噴射加速して大気圧重力仕事率を既存技術の１７００倍に近付けて発電量を発生させる竪型全動翼蒸気タービン（５Ａ）を含めたことが特徴の竪型全動翼蒸気ガスタービン合体機関。
【請求項２６】
過熱蒸気（５ｃ）爆発力で水（５ａ）を混合噴射加速して大気圧重力仕事率を既存技術の１７００倍に近付けて出力を１７００倍に近付ける竪型全動翼蒸気タービン（５Ａ）を含めたことが特徴の竪型全動翼蒸気ガスタービン合体機関。
【請求項２７】
過熱蒸気（５ｃ）爆発力で水（５ａ）を混合噴射加速して大気圧重力仕事率を既存技術の１７００倍に近付けて発電量を１７００倍に近付ける竪型全動翼蒸気タービン（５Ａ）を含めたことが特徴の竪型全動翼蒸気ガスタービン合体機関。
【請求項２８】
過熱蒸気（５ｃ）爆発力で水（５ａ）を混合噴射加速して重力加速度を加えた大気圧重力仕事率を既存技術の１７００倍に近付ける竪型全動翼蒸気タービン（５Ａ）を含めたことが特徴の竪型全動翼蒸気ガスタービン合体機関。
【請求項２９】
過熱蒸気（５ｃ）爆発力で水（５ａ）を混合噴射加速して重力加速度を加えた大気圧重力仕事率を既存技術の１７００倍に近付けて出力を発生させる竪型全動翼蒸気タービン（５Ａ）を含めたことが特徴の竪型全動翼蒸気ガスタービン合体機関。
【請求項３０】
過熱蒸気（５ｃ）爆発力で水（５ａ）を混合噴射加速して重力加速度を加えた大気圧重力仕事率を既存技術の１７００倍に近付けて発電量を発生させる竪型全動翼蒸気タービン（５Ａ）を含めたことが特徴の竪型全動翼蒸気ガスタービン合体機関。
【請求項３１】
過熱蒸気（５ｃ）爆発力で水（５ａ）を混合噴射加速して重力加速度を加えた大気圧重力仕事率を既存技術の１７００倍に近付けて出力を１７００倍に近付ける竪型全動翼蒸気タービン（５Ａ）を含めたことが特徴の竪型全動翼蒸気ガスタービン合体機関。
【請求項３２】
過熱蒸気（５ｃ）爆発力で水（５ａ）を混合噴射加速して重力加速度を加えた大気圧重力仕事率を既存技術の１７００倍に近付けて発電量を１７００倍に近付ける竪型全動翼蒸気タービン（５Ａ）を含めたことが特徴の竪型全動翼蒸気ガスタービン合体機関。
【請求項３３】
過熱蒸気（５ｃ）爆発力で水（５ａ）を混合噴射加速して大気圧重力仕事率を既存技術の１７００倍に近付けて構造を１／１７００の小型簡単に近付ける竪型全動翼蒸気タービン（５Ａ）としたことが特徴の竪型全動翼蒸気ガスタービン合体機関。
【請求項３４】
過熱蒸気（５ｃ）爆発力で水（５ａ）を混合噴射加速して大気圧重力仕事率を既存技術の１７００倍に近付けて出力を発生させて構造を１／１７００の小型簡単に近付ける竪型全動翼蒸気タービン（５Ａ）としたことが特徴の竪型全動翼蒸気ガスタービン合体機関。
【請求項３５】
過熱蒸気（５ｃ）爆発力で水（５ａ）を混合噴射加速して大気圧重力仕事率を既存技術の１７００倍に近付けて発電量を発生させて構造を１／１７００の小型簡単に近付ける竪型全動翼蒸気タービン（５Ａ）としたことが特徴の竪型全動翼蒸気ガスタービン合体機関。
【請求項３６】
過熱蒸気（５ｃ）爆発力で水（５ａ）を混合噴射加速して大気圧重力仕事率を既存技術の１７００倍に近付けて出力を１７００倍に近付けて構造を１／１７００の小型簡単に近付ける竪型全動翼蒸気タービン（５Ａ）としたことが特徴の竪型全動翼蒸気ガスタービン合体機関。
【請求項３７】
過熱蒸気（５ｃ）爆発力で水（５ａ）を混合噴射加速して大気圧重力仕事率を既存技術の１７００倍に近付けて発電量を１７００倍に近付けて構造を１／１７００の小型簡単に近付ける竪型全動翼蒸気タービン（５Ａ）としたことが特徴の竪型全動翼蒸気ガスタービン合体機関。
【請求項３８】
過熱蒸気（５ｃ）爆発力で水（５ａ）を混合噴射加速して重力加速度を加えた大気圧重力仕事率を既存技術の１７００倍に近付けて構造を１／１７００の小型簡単に近付ける竪型全動翼蒸気タービン（５Ａ）としたことが特徴の竪型全動翼蒸気ガスタービン合体機関。
【請求項３９】
過熱蒸気（５ｃ）爆発力で水（５ａ）を混合噴射加速して重力加速度を加えた大気圧重力仕事率を既存技術の１７００倍に近付けて出力を発生させて構造を１／１７００の小型簡単に近付ける竪型全動翼蒸気タービン（５Ａ）としたことが特徴の竪型全動翼蒸気ガスタービン合体機関。
【請求項４０】
過熱蒸気（５ｃ）爆発力で水（５ａ）を混合噴射加速して重力加速度を加えた大気圧重力仕事率を既存技術の１７００倍に近付けて発電量を発生させて構造を１／１７００の小型簡単に近付ける竪型全動翼蒸気タービン（５Ａ）としたことが特徴の竪型全動翼蒸気ガスタービン合体機関。
【請求項４１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／１７００の小型簡単に近付ける竪型全動翼蒸気タービン（５Ａ）としたことが特徴の竪型全動翼蒸気ガスタービン合体機関。
【請求項４２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１７００の小型簡単に近付ける竪型全動翼蒸気タービン（５Ａ）としたことが特徴の竪型全動翼蒸気ガスタービン合体機関。
【請求項４３】
過熱蒸気（５ｃ）爆発力で水（５ａ）を混合噴射加速して大気圧重力仕事率を既存技術の１７００倍に近付けて構造を１／１７００の小型簡単に近付ける竪型全動翼蒸気タービン（５Ａ）を含めたことが特徴の竪型全動翼蒸気ガスタービン合体機関。
【請求項４４】
過熱蒸気（５ｃ）爆発力で水（５ａ）を混合噴射加速して大気圧重力仕事率を既存技術の１７００倍に近付けて出力を発生させて構造を１／１７００の小型簡単に近付ける竪型全動翼蒸気タービン（５Ａ）を含めたことが特徴の竪型全動翼蒸気ガスタービン合体機関。
【請求項４５】
過熱蒸気（５ｃ）爆発力で水（５ａ）を混合噴射加速して大気圧重力仕事率を既存技術の１７００倍に近付けて発電量を発生させて構造を１／１７００の小型簡単に近付ける竪型全動翼蒸気タービン（５Ａ）を含めたことが特徴の竪型全動翼蒸気ガスタービン合体機関。
【請求項４６】
過熱蒸気（５ｃ）爆発力で水（５ａ）を混合噴射加速して大気圧重力仕事率を既存技術の１７００倍に近付けて出力を１７００倍に近付けて構造を１／１７００の小型簡単に近付ける竪型全動翼蒸気タービン（５Ａ）を含めたことが特徴の竪型全動翼蒸気ガスタービン合体機関。
【請求項４７】
過熱蒸気（５ｃ）爆発力で水（５ａ）を混合噴射加速して大気圧重力仕事率を既存技術の１７００倍に近付けて発電量を１７００倍に近付けて構造を１／１７００の小型簡単に近付ける竪型全動翼蒸気タービン（５Ａ）を含めたことが特徴の竪型全動翼蒸気ガスタービン合体機関。
【請求項４８】
過熱蒸気（５ｃ）爆発力で水（５ａ）を混合噴射加速して重力加速度を加えた大気圧重力仕事率を既存技術の１７００倍に近付けて構造を１／１７００の小型簡単に近付ける竪型全動翼蒸気タービン（５Ａ）を含めたことが特徴の竪型全動翼蒸気ガスタービン合体機関。
【請求項４９】
過熱蒸気（５ｃ）爆発力で水（５ａ）を混合噴射加速して重力加速度を加えた大気圧重力仕事率を既存技術の１７００倍に近付けて出力を発生させて構造を１／１７００の小型簡単に近付ける竪型全動翼蒸気タービン（５Ａ）を含めたことが特徴の竪型全動翼蒸気ガスタービン合体機関。
【請求項５０】
過熱蒸気（５ｃ）爆発力で水（５ａ）を混合噴射加速して重力加速度を加えた大気圧重力仕事率を既存技術の１７００倍に近付けて発電量を発生させて構造を１／１７００の小型簡単に近付ける竪型全動翼蒸気タービン（５Ａ）を含めたことが特徴の竪型全動翼蒸気ガスタービン合体機関。
【請求項５１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／１７００の小型簡単に近付ける竪型全動翼蒸気タービン（５Ａ）を含めたことが特徴の竪型全動翼蒸気ガスタービン合体機関。
【請求項５２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１７００の小型簡単に近付ける竪型全動翼蒸気タービン（５Ａ）を含めたことが特徴の竪型全動翼蒸気ガスタービン合体機関。
【請求項５３】
過熱蒸気（５ｃ）爆発力で水（５ａ）を混合噴射加速して大気圧重力仕事率を既存技術の１７００倍に近付けて構造を１／１００の小型簡単に近付ける竪型全動翼蒸気タービン（５Ａ）としたことが特徴の竪型全動翼蒸気ガスタービン合体機関。
【請求項５４】
過熱蒸気（５ｃ）爆発力で水（５ａ）を混合噴射加速して大気圧重力仕事率を既存技術の１７００倍に近付けて出力を発生させて構造を１／１００の小型簡単に近付ける竪型全動翼蒸気タービン（５Ａ）としたことが特徴の竪型全動翼蒸気ガスタービン合体機関。
【請求項５５】
過熱蒸気（５ｃ）爆発力で水（５ａ）を混合噴射加速して大気圧重力仕事率を既存技術の１７００倍に近付けて発電量を発生させて構造を１／１００の小型簡単に近付ける竪型全動翼蒸気タービン（５Ａ）としたことが特徴の竪型全動翼蒸気ガスタービン合体機関。
【請求項５６】
過熱蒸気（５ｃ）爆発力で水（５ａ）を混合噴射加速して大気圧重力仕事率を既存技術の１７００倍に近付けて出力を１７００倍に近付けて構造を１／１００の小型簡単に近付ける竪型全動翼蒸気タービン（５Ａ）としたことが特徴の竪型全動翼蒸気ガスタービン合体機関。
【請求項５７】
過熱蒸気（５ｃ）爆発力で水（５ａ）を混合噴射加速して大気圧重力仕事率を既存技術の１７００倍に近付けて発電量を１７００倍に近付けて構造を１／１００の小型簡単に近付ける竪型全動翼蒸気タービン（５Ａ）としたことが特徴の竪型全動翼蒸気ガスタービン合体機関。
【請求項５８】
過熱蒸気（５ｃ）爆発力で水（５ａ）を混合噴射加速して重力加速度を加えた大気圧重力仕事率を既存技術の１７００倍に近付けて構造を１／１００の小型簡単に近付ける竪型全動翼蒸気タービン（５Ａ）としたことが特徴の竪型全動翼蒸気ガスタービン合体機関。
【請求項５９】
過熱蒸気（５ｃ）爆発力で水（５ａ）を混合噴射加速して重力加速度を加えた大気圧重力仕事率を既存技術の１７００倍に近付けて出力を発生させて構造を１／１００の小型簡単に近付ける竪型全動翼蒸気タービン（５Ａ）としたことが特徴の竪型全動翼蒸気ガスタービン合体機関。
【請求項６０】
過熱蒸気（５ｃ）爆発力で水（５ａ）を混合噴射加速して重力加速度を加えた大気圧重力仕事率を既存技術の１７００倍に近付けて発電量を発生させて構造を１／１００の小型簡単に近付ける竪型全動翼蒸気タービン（５Ａ）としたことが特徴の竪型全動翼蒸気ガスタービン合体機関。
【請求項６１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／１００の小型簡単に近付ける竪型全動翼蒸気タービン（５Ａ）としたことが特徴の竪型全動翼蒸気ガスタービン合体機関。
【請求項６２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１００の小型簡単に近付ける竪型全動翼蒸気タービン（５Ａ）としたことが特徴の竪型全動翼蒸気ガスタービン合体機関。
【請求項６３】
過熱蒸気（５ｃ）爆発力で水（５ａ）を混合噴射加速して大気圧重力仕事率を既存技術の１７００倍に近付けて構造を１／１００の小型簡単に近付ける竪型全動翼蒸気タービン（５Ａ）を含めたことが特徴の竪型全動翼蒸気ガスタービン合体機関。
【請求項６４】
過熱蒸気（５ｃ）爆発力で水（５ａ）を混合噴射加速して大気圧重力仕事率を既存技術の１７００倍に近付けて出力を発生させて構造を１／１００の小型簡単に近付ける竪型全動翼蒸気タービン（５Ａ）を含めたことが特徴の竪型全動翼蒸気ガスタービン合体機関。
【請求項６５】
過熱蒸気（５ｃ）爆発力で水（５ａ）を混合噴射加速して大気圧重力仕事率を既存技術の１７００倍に近付けて発電量を発生させて構造を１／１００の小型簡単に近付ける竪型全動翼蒸気タービン（５Ａ）を含めたことが特徴の竪型全動翼蒸気ガスタービン合体機関。
【請求項６６】
過熱蒸気（５ｃ）爆発力で水（５ａ）を混合噴射加速して大気圧重力仕事率を既存技術の１７００倍に近付けて出力を１７００倍に近付けて構造を１／１００の小型簡単に近付ける竪型全動翼蒸気タービン（５Ａ）を含めたことが特徴の竪型全動翼蒸気ガスタービン合体機関。
【請求項６７】
過熱蒸気（５ｃ）爆発力で水（５ａ）を混合噴射加速して大気圧重力仕事率を既存技術の１７００倍に近付けて発電量を１７００倍に近付けて構造を１／１００の小型簡単に近付ける竪型全動翼蒸気タービン（５Ａ）を含めたことが特徴の竪型全動翼蒸気ガスタービン合体機関。
【請求項６８】
過熱蒸気（５ｃ）爆発力で水（５ａ）を混合噴射加速して重力加速度を加えた大気圧重力仕事率を既存技術の１７００倍に近付けて構造を１／１００の小型簡単に近付ける竪型全動翼蒸気タービン（５Ａ）を含めたことが特徴の竪型全動翼蒸気ガスタービン合体機関。
【請求項６９】
過熱蒸気（５ｃ）爆発力で水（５ａ）を混合噴射加速して重力加速度を加えた大気圧重力仕事率を既存技術の１７００倍に近付けて出力を発生させて構造を１／１００の小型簡単に近付ける竪型全動翼蒸気タービン（５Ａ）を含めたことが特徴の竪型全動翼蒸気ガスタービン合体機関。
【請求項７０】
過熱蒸気（５ｃ）爆発力で水（５ａ）を混合噴射加速して重力加速度を加えた大気圧重力仕事率を既存技術の１７００倍に近付けて発電量を発生させて構造を１／１００の小型簡単に近付ける竪型全動翼蒸気タービン（５Ａ）を含めたことが特徴の竪型全動翼蒸気ガスタービン合体機関。
【請求項７１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／１００の小型簡単に近付ける竪型全動翼蒸気タービン（５Ａ）を含めたことが特徴の竪型全動翼蒸気ガスタービン合体機関。
【請求項７２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１００の小型簡単に近付ける竪型全動翼蒸気タービン（５Ａ）を含めたことが特徴の竪型全動翼蒸気ガスタービン合体機関。
【請求項７３】
過熱蒸気（５ｃ）爆発力で水（５ａ）を混合噴射加速して大気圧重力仕事率を既存技術の１７００倍に近付けて構造を１／５０の小型簡単に近付ける竪型全動翼蒸気タービン（５Ａ）としたことが特徴の竪型全動翼蒸気ガスタービン合体機関。
【請求項７４】
過熱蒸気（５ｃ）爆発力で水（５ａ）を混合噴射加速して大気圧重力仕事率を既存技術の１７００倍に近付けて出力を発生させて構造を１／５０の小型簡単に近付ける竪型全動翼蒸気タービン（５Ａ）としたことが特徴の竪型全動翼蒸気ガスタービン合体機関。
【請求項７５】
過熱蒸気（５ｃ）爆発力で水（５ａ）を混合噴射加速して大気圧重力仕事率を既存技術の１７００倍に近付けて発電量を発生させて構造を１／５０の小型簡単に近付ける竪型全動翼蒸気タービン（５Ａ）としたことが特徴の竪型全動翼蒸気ガスタービン合体機関。
【請求項７６】
過熱蒸気（５ｃ）爆発力で水（５ａ）を混合噴射加速して大気圧重力仕事率を既存技術の１７００倍に近付けて出力を１７００倍に近付けて構造を１／５０の小型簡単に近付ける竪型全動翼蒸気タービン（５Ａ）としたことが特徴の竪型全動翼蒸気ガスタービン合体機関。
【請求項７７】
過熱蒸気（５ｃ）爆発力で水（５ａ）を混合噴射加速して大気圧重力仕事率を既存技術の１７００倍に近付けて発電量を１７００倍に近付けて構造を１／５０の小型簡単に近付ける竪型全動翼蒸気タービン（５Ａ）としたことが特徴の竪型全動翼蒸気ガスタービン合体機関。
【請求項７８】
過熱蒸気（５ｃ）爆発力で水（５ａ）を混合噴射加速して重力加速度を加えた大気圧重力仕事率を既存技術の１７００倍に近付けて構造を１／５０の小型簡単に近付ける竪型全動翼蒸気タービン（５Ａ）としたことが特徴の竪型全動翼蒸気ガスタービン合体機関。
【請求項７９】
過熱蒸気（５ｃ）爆発力で水（５ａ）を混合噴射加速して重力加速度を加えた大気圧重力仕事率を既存技術の１７００倍に近付けて出力を発生させて構造を１／５０の小型簡単に近付ける竪型全動翼蒸気タービン（５Ａ）としたことが特徴の竪型全動翼蒸気ガスタービン合体機関。
【請求項８０】
過熱蒸気（５ｃ）爆発力で水（５ａ）を混合噴射加速して重力加速度を加えた大気圧重力仕事率を既存技術の１７００倍に近付けて発電量を発生させて構造を１／５０の小型簡単に近付ける竪型全動翼蒸気タービン（５Ａ）としたことが特徴の竪型全動翼蒸気ガスタービン合体機関。
【請求項８１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／５０の小型簡単に近付ける竪型全動翼蒸気タービン（５Ａ）としたことが特徴の竪型全動翼蒸気ガスタービン合体機関。
【請求項８２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／５０の小型簡単に近付ける竪型全動翼蒸気タービン（５Ａ）としたことが特徴の竪型全動翼蒸気ガスタービン合体機関。
【請求項８３】
過熱蒸気（５ｃ）爆発力で水（５ａ）を混合噴射加速して大気圧重力仕事率を既存技術の１７００倍に近付けて構造を１／５０の小型簡単に近付ける竪型全動翼蒸気タービン（５Ａ）を含めたことが特徴の竪型全動翼蒸気ガスタービン合体機関。
【請求項８４】
過熱蒸気（５ｃ）爆発力で水（５ａ）を混合噴射加速して大気圧重力仕事率を既存技術の１７００倍に近付けて出力を発生させて構造を１／５０の小型簡単に近付ける竪型全動翼蒸気タービン（５Ａ）を含めたことが特徴の竪型全動翼蒸気ガスタービン合体機関。
【請求項８５】
過熱蒸気（５ｃ）爆発力で水（５ａ）を混合噴射加速して大気圧重力仕事率を既存技術の１７００倍に近付けて発電量を発生させて構造を１／５０の小型簡単に近付ける竪型全動翼蒸気タービン（５Ａ）を含めたことが特徴の竪型全動翼蒸気ガスタービン合体機関。
【請求項８６】
過熱蒸気（５ｃ）爆発力で水（５ａ）を混合噴射加速して大気圧重力仕事率を既存技術の１７００倍に近付けて出力を１７００倍に近付けて構造を１／５０の小型簡単に近付ける竪型全動翼蒸気タービン（５Ａ）を含めたことが特徴の竪型全動翼蒸気ガスタービン合体機関。
【請求項８７】
過熱蒸気（５ｃ）爆発力で水（５ａ）を混合噴射加速して大気圧重力仕事率を既存技術の１７００倍に近付けて発電量を１７００倍に近付けて構造を１／５０の小型簡単に近付ける竪型全動翼蒸気タービン（５Ａ）を含めたことが特徴の竪型全動翼蒸気ガスタービン合体機関。
【請求項８８】
過熱蒸気（５ｃ）爆発力で水（５ａ）を混合噴射加速して重力加速度を加えた大気圧重力仕事率を既存技術の１７００倍に近付けて構造を１／５０の小型簡単に近付ける竪型全動翼蒸気タービン（５Ａ）を含めたことが特徴の竪型全動翼蒸気ガスタービン合体機関。
【請求項８９】
過熱蒸気（５ｃ）爆発力で水（５ａ）を混合噴射加速して重力加速度を加えた大気圧重力仕事率を既存技術の１７００倍に近付けて出力を発生させて構造を１／５０の小型簡単に近付ける竪型全動翼蒸気タービン（５Ａ）を含めたことが特徴の竪型全動翼蒸気ガスタービン合体機関。
【請求項９０】
過熱蒸気（５ｃ）爆発力で水（５ａ）を混合噴射加速して重力加速度を加えた大気圧重力仕事率を既存技術の１７００倍に近付けて発電量を発生させて構造を１／５０の小型簡単に近付ける竪型全動翼蒸気タービン（５Ａ）を含めたことが特徴の竪型全動翼蒸気ガスタービン合体機関。
【請求項９１】
過熱蒸気（５ｃ）爆発力で水（５ａ）を混合噴射加速して重力加速度を加えた大気圧重力仕事率を既存技術の１７００倍に近付けて出力を１７００倍に近付けて構造を１／５０の小型簡単に近付ける竪型全動翼蒸気タービン（５Ａ）を含めたことが特徴の竪型全動翼蒸気ガスタービン合体機関。
【請求項９２】
過熱蒸気（５ｃ）爆発力で水（５ａ）を混合噴射加速して重力加速度を加えた大気圧重力仕事率を既存技術の１７００倍に近付けて発電量を１７００倍に近付けて構造を１／５０の小型簡単に近付ける竪型全動翼蒸気タービン（５Ａ）を含めたことが特徴の竪型全動翼蒸気ガスタービン合体機関。
【請求項９３】
超臨界圧力過熱蒸気（５ｃ）爆発力で水（５ａ）を混合噴射加速して大気圧重力仕事率を既存技術の１７００倍に近付けることが特徴の竪型全動翼蒸気ガスタービン合体機関。
【請求項９４】
超臨界圧力過熱蒸気（５ｃ）爆発力で水（５ａ）を混合噴射加速して大気圧重力仕事率を既存技術の１７００倍に近付けて竪型全動翼蒸気タービン（５Ａ）で出力を発生させることが特徴の竪型全動翼蒸気ガスタービン合体機関。
【請求項９５】
超臨界圧力過熱蒸気（５ｃ）爆発力で水（５ａ）を混合噴射加速して大気圧重力仕事率を既存技術の１７００倍に近付けて竪型全動翼蒸気タービン（５Ａ）で発電量を発生させることが特徴の竪型全動翼蒸気ガスタービン合体機関。
【請求項９６】
超臨界圧力過熱蒸気（５ｃ）爆発力で水（５ａ）を混合噴射加速して大気圧重力仕事率を既存技術の１７００倍に近付けて出力を１７００倍に近付けることが特徴の竪型全動翼蒸気ガスタービン合体機関。
【請求項９７】
超臨界圧力過熱蒸気（５ｃ）爆発力で水（５ａ）を混合噴射加速して大気圧重力仕事率を既存技術の１７００倍に近付けて発電量を１７００倍に近付けることが特徴の竪型全動翼蒸気ガスタービン合体機関。
【請求項９８】
超臨界圧力過熱蒸気（５ｃ）爆発力で水（５ａ）を混合噴射加速して重力加速度を加えた大気圧重力仕事率を既存技術の１７００倍に近付けることが特徴の竪型全動翼蒸気ガスタービン合体機関。
【請求項９９】
超臨界圧力過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で出力を発生させることが特徴の竪型全動翼蒸気ガスタービン合体機関。
【請求項１００】
超臨界圧力過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で発電量を発生させることが特徴の竪型全動翼蒸気ガスタービン合体機関。
【請求項１０１】
超臨界圧力過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で出力を１７００倍に近付けることが特徴の竪型全動翼蒸気ガスタービン合体機関。
【請求項１０２】
超臨界圧力過熱蒸気（５ｃ）爆発力で水（５ａ）を混合噴射加速して重力加速度を加えた大気圧重力仕事率を既存技術の１７００倍に近付けて竪型全動翼蒸気タービン（５Ａ）で発電量を１７００倍に近付けることが特徴の竪型全動翼蒸気ガスタービン合体機関。
【請求項１０３】
超臨界圧力過熱蒸気（５ｃ）爆発力で水（５ａ）を混合噴射加速して大気圧重力仕事率を既存技術の１７００倍に近付ける竪型全動翼蒸気タービン（５Ａ）としたことが特徴の竪型全動翼蒸気ガスタービン合体機関。
【請求項１０４】
超臨界圧力過熱蒸気（５ｃ）爆発力で水（５ａ）を混合噴射加速して大気圧重力仕事率を既存技術の１７００倍に近付けて出力を発生させる竪型全動翼蒸気タービン（５Ａ）としたことが特徴の竪型全動翼蒸気ガスタービン合体機関。
【請求項１０５】
超臨界圧力過熱蒸気（５ｃ）爆発力で水（５ａ）を混合噴射加速して大気圧重力仕事率を既存技術の１７００倍に近付けて発電量を発生させる竪型全動翼蒸気タービン（５Ａ）としたことが特徴の竪型全動翼蒸気ガスタービン合体機関。
【請求項１０６】
超臨界圧力過熱蒸気（５ｃ）爆発力で水（５ａ）を混合噴射加速して大気圧重力仕事率を既存技術の１７００倍に近付けて出力を１７００倍に近付ける竪型全動翼蒸気タービン（５Ａ）としたことが特徴の竪型全動翼蒸気ガスタービン合体機関。
【請求項１０７】
超臨界圧力過熱蒸気（５ｃ）爆発力で水（５ａ）を混合噴射加速して大気圧重力仕事率を既存技術の１７００倍に近付けて発電量を１７００倍に近付ける竪型全動翼蒸気タービン（５Ａ）としたことが特徴の竪型全動翼蒸気ガスタービン合体機関。
【請求項１０８】
超臨界圧力過熱蒸気（５ｃ）爆発力で水（５ａ）を混合噴射加速して重力加速度を加えた大気圧重力仕事率を既存技術の１７００倍に近付ける竪型全動翼蒸気タービン（５Ａ）としたことが特徴の竪型全動翼蒸気ガスタービン合体機関。
【請求項１０９】
超臨界圧力過熱蒸気（５ｃ）爆発力で水（５ａ）を混合噴射加速して重力加速度を加えた大気圧重力仕事率を既存技術の１７００倍に近付けて出力を発生させる竪型全動翼蒸気タービン（５Ａ）としたことが特徴の竪型全動翼蒸気ガスタービン合体機関。
【請求項１１０】
超臨界圧力過熱蒸気（５ｃ）爆発力で水（５ａ）を混合噴射加速して重力加速度を加えた大気圧重力仕事率を既存技術の１７００倍に近付けて発電量を発生させる竪型全動翼蒸気タービン（５Ａ）としたことが特徴の竪型全動翼蒸気ガスタービン合体機関。
【請求項１１１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付ける竪型全動翼蒸気タービン（５Ａ）としたことが特徴の竪型全動翼蒸気ガスタービン合体機関。
【請求項１１２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付ける竪型全動翼蒸気タービン（５Ａ）としたことが特徴の竪型全動翼蒸気ガスタービン合体機関。
【請求項１１３】
超臨界圧力過熱蒸気（５ｃ）爆発力で水（５ａ）を混合噴射加速して大気圧重力仕事率を既存技術の１７００倍に近付ける竪型全動翼蒸気タービン（５Ａ）を含めたことが特徴の竪型全動翼蒸気ガスタービン合体機関。
【請求項１１４】
超臨界圧力過熱蒸気（５ｃ）爆発力で水（５ａ）を混合噴射加速して大気圧重力仕事率を既存技術の１７００倍に近付けて出力を発生させる竪型全動翼蒸気タービン（５Ａ）を含めたことが特徴の竪型全動翼蒸気ガスタービン合体機関。
【請求項１１５】
超臨界圧力過熱蒸気（５ｃ）爆発力で水（５ａ）を混合噴射加速して大気圧重力仕事率を既存技術の１７００倍に近付けて発電量を発生させる竪型全動翼蒸気タービン（５Ａ）を含めたことが特徴の竪型全動翼蒸気ガスタービン合体機関。
【請求項１１６】
超臨界圧力過熱蒸気（５ｃ）爆発力で水（５ａ）を混合噴射加速して大気圧重力仕事率を既存技術の１７００倍に近付けて出力を１７００倍に近付ける竪型全動翼蒸気タービン（５Ａ）を含めたことが特徴の竪型全動翼蒸気ガスタービン合体機関。
【請求項１１７】
超臨界圧力過熱蒸気（５ｃ）爆発力で水（５ａ）を混合噴射加速して大気圧重力仕事率を既存技術の１７００倍に近付けて発電量を１７００倍に近付ける竪型全動翼蒸気タービン（５Ａ）を含めたことが特徴の竪型全動翼蒸気ガスタービン合体機関。
【請求項１１８】
超臨界圧力過熱蒸気（５ｃ）爆発力で水（５ａ）を混合噴射加速して重力加速度を加えた大気圧重力仕事率を既存技術の１７００倍に近付ける竪型全動翼蒸気タービン（５Ａ）を含めたことが特徴の竪型全動翼蒸気ガスタービン合体機関。
【請求項１１９】
超臨界圧力過熱蒸気（５ｃ）爆発力で水（５ａ）を混合噴射加速して重力加速度を加えた大気圧重力仕事率を既存技術の１７００倍に近付けて出力を発生させる竪型全動翼蒸気タービン（５Ａ）を含めたことが特徴の竪型全動翼蒸気ガスタービン合体機関。
【請求項１２０】
超臨界圧力過熱蒸気（５ｃ）爆発力で水（５ａ）を混合噴射加速して重力加速度を加えた大気圧重力仕事率を既存技術の１７００倍に近付けて発電量を発生させる竪型全動翼蒸気タービン（５Ａ）を含めたことが特徴の竪型全動翼蒸気ガスタービン合体機関。
【請求項１２１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付ける竪型全動翼蒸気タービン（５Ａ）を含めたことが特徴の竪型全動翼蒸気ガスタービン合体機関。
【請求項１２２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付ける竪型全動翼蒸気タービン（５Ａ）を含めたことが特徴の竪型全動翼蒸気ガスタービン合体機関。
【請求項１２３】
超臨界圧力過熱蒸気（５ｃ）爆発力で水（５ａ）を混合噴射加速して大気圧重力仕事率を既存技術の１７００倍に近付けて構造を１／１７００の小型簡単に近付ける竪型全動翼蒸気タービン（５Ａ）としたことが特徴の竪型全動翼蒸気ガスタービン合体機関。
【請求項１２４】
超臨界圧力過熱蒸気（５ｃ）爆発力で水（５ａ）を混合噴射加速して大気圧重力仕事率を既存技術の１７００倍に近付けて出力を発生させて構造を１／１７００の小型簡単に近付ける竪型全動翼蒸気タービン（５Ａ）としたことが特徴の竪型全動翼蒸気ガスタービン合体機関。
【請求項１２５】
超臨界圧力過熱蒸気（５ｃ）爆発力で水（５ａ）を混合噴射加速して大気圧重力仕事率を既存技術の１７００倍に近付けて発電量を発生させて構造を１／１７００の小型簡単に近付ける竪型全動翼蒸気タービン（５Ａ）としたことが特徴の竪型全動翼蒸気ガスタービン合体機関。
【請求項１２６】
超臨界圧力過熱蒸気（５ｃ）爆発力で水（５ａ）を混合噴射加速して大気圧重力仕事率を既存技術の１７００倍に近付けて出力を１７００倍に近付けて構造を１／１７００の小型簡単に近付ける竪型全動翼蒸気タービン（５Ａ）としたことが特徴の竪型全動翼蒸気ガスタービン合体機関。
【請求項１２７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／１７００の小型簡単に近付ける竪型全動翼蒸気タービン（５Ａ）としたことが特徴の竪型全動翼蒸気ガスタービン合体機関。
【請求項１２８】
超臨界圧力過熱蒸気（５ｃ）爆発力で水（５ａ）を混合噴射加速して重力加速度を加えた大気圧重力仕事率を既存技術の１７００倍に近付けて構造を１／１７００の小型簡単に近付ける竪型全動翼蒸気タービン（５Ａ）としたことが特徴の竪型全動翼蒸気ガスタービン合体機関。
【請求項１２９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／１７００の小型簡単に近付ける竪型全動翼蒸気タービン（５Ａ）としたことが特徴の竪型全動翼蒸気ガスタービン合体機関。
【請求項１３０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／１７００の小型簡単に近付ける竪型全動翼蒸気タービン（５Ａ）としたことが特徴の竪型全動翼蒸気ガスタービン合体機関。
【請求項１３１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／１７００の小型簡単に近付ける竪型全動翼蒸気タービン（５Ａ）としたことが特徴の竪型全動翼蒸気ガスタービン合体機関。
【請求項１３２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１７００の小型簡単に近付ける竪型全動翼蒸気タービン（５Ａ）としたことが特徴の竪型全動翼蒸気ガスタービン合体機関。
【請求項１３３】
超臨界圧力過熱蒸気（５ｃ）爆発力で水（５ａ）を混合噴射加速して大気圧重力仕事率を既存技術の１７００倍に近付けて構造を１／１７００の小型簡単に近付ける竪型全動翼蒸気タービン（５Ａ）を含めたことが特徴の竪型全動翼蒸気ガスタービン合体機関。
【請求項１３４】
超臨界圧力過熱蒸気（５ｃ）爆発力で水（５ａ）を混合噴射加速して大気圧重力仕事率を既存技術の１７００倍に近付けて出力を発生させて構造を１／１７００の小型簡単に近付ける竪型全動翼蒸気タービン（５Ａ）を含めたことが特徴の竪型全動翼蒸気ガスタービン合体機関。
【請求項１３５】
超臨界圧力過熱蒸気（５ｃ）爆発力で水（５ａ）を混合噴射加速して大気圧重力仕事率を既存技術の１７００倍に近付けて発電量を発生させて構造を１／１７００の小型簡単に近付ける竪型全動翼蒸気タービン（５Ａ）を含めたことが特徴の竪型全動翼蒸気ガスタービン合体機関。
【請求項１３６】
超臨界圧力過熱蒸気（５ｃ）爆発力で水（５ａ）を混合噴射加速して大気圧重力仕事率を既存技術の１７００倍に近付けて出力を１７００倍に近付けて構造を１／１７００の小型簡単に近付ける竪型全動翼蒸気タービン（５Ａ）を含めたことが特徴の竪型全動翼蒸気ガスタービン合体機関。
【請求項１３７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／１７００の小型簡単に近付ける竪型全動翼蒸気タービン（５Ａ）を含めたことが特徴の竪型全動翼蒸気ガスタービン合体機関。
【請求項１３８】
超臨界圧力過熱蒸気（５ｃ）爆発力で水（５ａ）を混合噴射加速して重力加速度を加えた大気圧重力仕事率を既存技術の１７００倍に近付けて構造を１／１７００の小型簡単に近付ける竪型全動翼蒸気タービン（５Ａ）を含めたことが特徴の竪型全動翼蒸気ガスタービン合体機関。
【請求項１３９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／１７００の小型簡単に近付ける竪型全動翼蒸気タービン（５Ａ）を含めたことが特徴の竪型全動翼蒸気ガスタービン合体機関。
【請求項１４０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／１７００の小型簡単に近付ける竪型全動翼蒸気タービン（５Ａ）を含めたことが特徴の竪型全動翼蒸気ガスタービン合体機関。
【請求項１４１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／１７００の小型簡単に近付ける竪型全動翼蒸気タービン（５Ａ）を含めたことが特徴の竪型全動翼蒸気ガスタービン合体機関。
【請求項１４２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１７００の小型簡単に近付ける竪型全動翼蒸気タービン（５Ａ）を含めたことが特徴の竪型全動翼蒸気ガスタービン合体機関。
【請求項１４３】
超臨界圧力過熱蒸気（５ｃ）爆発力で水（５ａ）を混合噴射加速して大気圧重力仕事率を既存技術の１７００倍に近付けて構造を１／１００の小型簡単に近付ける竪型全動翼蒸気タービン（５Ａ）としたことが特徴の竪型全動翼蒸気ガスタービン合体機関。
【請求項１４４】
超臨界圧力過熱蒸気（５ｃ）爆発力で水（５ａ）を混合噴射加速して大気圧重力仕事率を既存技術の１７００倍に近付けて出力を発生させて構造を１／１００の小型簡単に近付ける竪型全動翼蒸気タービン（５Ａ）としたことが特徴の竪型全動翼蒸気ガスタービン合体機関。
【請求項１４５】
超臨界圧力過熱蒸気（５ｃ）爆発力で水（５ａ）を混合噴射加速して大気圧重力仕事率を既存技術の１７００倍に近付けて発電量を発生させて構造を１／１００の小型簡単に近付ける竪型全動翼蒸気タービン（５Ａ）としたことが特徴の竪型全動翼蒸気ガスタービン合体機関。
【請求項１４６】
超臨界圧力過熱蒸気（５ｃ）爆発力で水（５ａ）を混合噴射加速して大気圧重力仕事率を既存技術の１７００倍に近付けて出力を１７００倍に近付けて構造を１／１００の小型簡単に近付ける竪型全動翼蒸気タービン（５Ａ）としたことが特徴の竪型全動翼蒸気ガスタービン合体機関。
【請求項１４７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／１００の小型簡単に近付ける竪型全動翼蒸気タービン（５Ａ）としたことが特徴の竪型全動翼蒸気ガスタービン合体機関。
【請求項１４８】
超臨界圧力過熱蒸気（５ｃ）爆発力で水（５ａ）を混合噴射加速して重力加速度を加えた大気圧重力仕事率を既存技術の１７００倍に近付けて構造を１／１００の小型簡単に近付ける竪型全動翼蒸気タービン（５Ａ）としたことが特徴の竪型全動翼蒸気ガスタービン合体機関。
【請求項１４９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／１００の小型簡単に近付ける竪型全動翼蒸気タービン（５Ａ）としたことが特徴の竪型全動翼蒸気ガスタービン合体機関。
【請求項１５０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／１００の小型簡単に近付ける竪型全動翼蒸気タービン（５Ａ）としたことが特徴の竪型全動翼蒸気ガスタービン合体機関。
【請求項１５１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／１００の小型簡単に近付ける竪型全動翼蒸気タービン（５Ａ）としたことが特徴の竪型全動翼蒸気ガスタービン合体機関。
【請求項１５２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１００の小型簡単に近付ける竪型全動翼蒸気タービン（５Ａ）としたことが特徴の竪型全動翼蒸気ガスタービン合体機関。
【請求項１５３】
超臨界圧力過熱蒸気（５ｃ）爆発力で水（５ａ）を混合噴射加速して大気圧重力仕事率を既存技術の１７００倍に近付けて構造を１／１００の小型簡単に近付ける竪型全動翼蒸気タービン（５Ａ）を含めたことが特徴の竪型全動翼蒸気ガスタービン合体機関。
【請求項１５４】
超臨界圧力過熱蒸気（５ｃ）爆発力で水（５ａ）を混合噴射加速して大気圧重力仕事率を既存技術の１７００倍に近付けて出力を発生させて構造を１／１００の小型簡単に近付ける竪型全動翼蒸気タービン（５Ａ）を含めたことが特徴の竪型全動翼蒸気ガスタービン合体機関。
【請求項１５５】
超臨界圧力過熱蒸気（５ｃ）爆発力で水（５ａ）を混合噴射加速して大気圧重力仕事率を既存技術の１７００倍に近付けて発電量を発生させて構造を１／１００の小型簡単に近付ける竪型全動翼蒸気タービン（５Ａ）を含めたことが特徴の竪型全動翼蒸気ガスタービン合体機関。
【請求項１５６】
超臨界圧力過熱蒸気（５ｃ）爆発力で水（５ａ）を混合噴射加速して大気圧重力仕事率を既存技術の１７００倍に近付けて出力を１７００倍に近付けて構造を１／１００の小型簡単に近付ける竪型全動翼蒸気タービン（５Ａ）を含めたことが特徴の竪型全動翼蒸気ガスタービン合体機関。
【請求項１５７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／１００の小型簡単に近付ける竪型全動翼蒸気タービン（５Ａ）を含めたことが特徴の竪型全動翼蒸気ガスタービン合体機関。
【請求項１５８】
超臨界圧力過熱蒸気（５ｃ）爆発力で水（５ａ）を混合噴射加速して重力加速度を加えた大気圧重力仕事率を既存技術の１７００倍に近付けて構造を１／１００の小型簡単に近付ける竪型全動翼蒸気タービン（５Ａ）を含めたことが特徴の竪型全動翼蒸気ガスタービン合体機関。
【請求項１５９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／１００の小型簡単に近付ける竪型全動翼蒸気タービン（５Ａ）を含めたことが特徴の竪型全動翼蒸気ガスタービン合体機関。
【請求項１６０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／１００の小型簡単に近付ける竪型全動翼蒸気タービン（５Ａ）を含めたことが特徴の竪型全動翼蒸気ガスタービン合体機関。
【請求項１６１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／１００の小型簡単に近付ける竪型全動翼蒸気タービン（５Ａ）を含めたことが特徴の竪型全動翼蒸気ガスタービン合体機関。
【請求項１６２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／１００の小型簡単に近付ける竪型全動翼蒸気タービン（５Ａ）を含めたことが特徴の竪型全動翼蒸気ガスタービン合体機関。
【請求項１６３】
超臨界圧力過熱蒸気（５ｃ）爆発力で水（５ａ）を混合噴射加速して大気圧重力仕事率を既存技術の１７００倍に近付けて構造を１／５０の小型簡単に近付ける竪型全動翼蒸気タービン（５Ａ）としたことが特徴の竪型全動翼蒸気ガスタービン合体機関。
【請求項１６４】
超臨界圧力過熱蒸気（５ｃ）爆発力で水（５ａ）を混合噴射加速して大気圧重力仕事率を既存技術の１７００倍に近付けて出力を発生させて構造を１／５０の小型簡単に近付ける竪型全動翼蒸気タービン（５Ａ）としたことが特徴の竪型全動翼蒸気ガスタービン合体機関。
【請求項１６５】
超臨界圧力過熱蒸気（５ｃ）爆発力で水（５ａ）を混合噴射加速して大気圧重力仕事率を既存技術の１７００倍に近付けて発電量を発生させて構造を１／５０の小型簡単に近付ける竪型全動翼蒸気タービン（５Ａ）としたことが特徴の竪型全動翼蒸気ガスタービン合体機関。
【請求項１６６】
超臨界圧力過熱蒸気（５ｃ）爆発力で水（５ａ）を混合噴射加速して大気圧重力仕事率を既存技術の１７００倍に近付けて出力を１７００倍に近付けて構造を１／５０の小型簡単に近付ける竪型全動翼蒸気タービン（５Ａ）としたことが特徴の竪型全動翼蒸気ガスタービン合体機関。
【請求項１６７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／５０の小型簡単に近付ける竪型全動翼蒸気タービン（５Ａ）としたことが特徴の竪型全動翼蒸気ガスタービン合体機関。
【請求項１６８】
超臨界圧力過熱蒸気（５ｃ）爆発力で水（５ａ）を混合噴射加速して重力加速度を加えた大気圧重力仕事率を既存技術の１７００倍に近付けて構造を１／５０の小型簡単に近付ける竪型全動翼蒸気タービン（５Ａ）としたことが特徴の竪型全動翼蒸気ガスタービン合体機関。
【請求項１６９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／５０の小型簡単に近付ける竪型全動翼蒸気タービン（５Ａ）としたことが特徴の竪型全動翼蒸気ガスタービン合体機関。
【請求項１７０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／５０の小型簡単に近付ける竪型全動翼蒸気タービン（５Ａ）としたことが特徴の竪型全動翼蒸気ガスタービン合体機関。
【請求項１７１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／５０の小型簡単に近付ける竪型全動翼蒸気タービン（５Ａ）としたことが特徴の竪型全動翼蒸気ガスタービン合体機関。
【請求項１７２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／５０の小型簡単に近付ける竪型全動翼蒸気タービン（５Ａ）としたことが特徴の竪型全動翼蒸気ガスタービン合体機関。
【請求項１７３】
超臨界圧力過熱蒸気（５ｃ）爆発力で水（５ａ）を混合噴射加速して大気圧重力仕事率を既存技術の１７００倍に近付けて構造を１／５０の小型簡単に近付ける竪型全動翼蒸気タービン（５Ａ）を含めたことが特徴の竪型全動翼蒸気ガスタービン合体機関。
【請求項１７４】
超臨界圧力過熱蒸気（５ｃ）爆発力で水（５ａ）を混合噴射加速して大気圧重力仕事率を既存技術の１７００倍に近付けて出力を発生させて構造を１／５０の小型簡単に近付ける竪型全動翼蒸気タービン（５Ａ）を含めたことが特徴の竪型全動翼蒸気ガスタービン合体機関。
【請求項１７５】
超臨界圧力過熱蒸気（５ｃ）爆発力で水（５ａ）を混合噴射加速して大気圧重力仕事率を既存技術の１７００倍に近付けて発電量を発生させて構造を１／５０の小型簡単に近付ける竪型全動翼蒸気タービン（５Ａ）を含めたことが特徴の竪型全動翼蒸気ガスタービン合体機関。
【請求項１７６】
超臨界圧力過熱蒸気（５ｃ）爆発力で水（５ａ）を混合噴射加速して大気圧重力仕事率を既存技術の１７００倍に近付けて出力を１７００倍に近付けて構造を１／５０の小型簡単に近付ける竪型全動翼蒸気タービン（５Ａ）を含めたことが特徴の竪型全動翼蒸気ガスタービン合体機関。
【請求項１７７】
超臨界圧力過熱蒸気（５ｃ）爆発力で水（５ａ）を混合噴射加速して大気圧重力仕事率を既存技術の１７００倍に近付けて発電量を１７００倍に近付けて構造を１／５０の小型簡単に近付ける竪型全動翼蒸気タービン（５Ａ）を含めたことが特徴の竪型全動翼蒸気ガスタービン合体機関。
【請求項１７８】
超臨界圧力過熱蒸気（５ｃ）爆発力で水（５ａ）を混合噴射加速して重力加速度を加えた大気圧重力仕事率を既存技術の１７００倍に近付けて構造を１／５０の小型簡単に近付ける竪型全動翼蒸気タービン（５Ａ）を含めたことが特徴の竪型全動翼蒸気ガスタービン合体機関。
【請求項１７９】
超臨界圧力過熱蒸気（５ｃ）爆発力で水（５ａ）を混合噴射加速して重力加速度を加えた大気圧重力仕事率を既存技術の１７００倍に近付けて出力を発生させて構造を１／５０の小型簡単に近付ける竪型全動翼蒸気タービン（５Ａ）を含めたことが特徴の竪型全動翼蒸気ガスタービン合体機関。
【請求項１８０】
超臨界圧力過熱蒸気（５ｃ）爆発力で水（５ａ）を混合噴射加速して重力加速度を加えた大気圧重力仕事率を既存技術の１７００倍に近付けて発電量を発生させて構造を１／５０の小型簡単に近付ける竪型全動翼蒸気タービン（５Ａ）を含めたことが特徴の竪型全動翼蒸気ガスタービン合体機関。
【請求項１８１】
超臨界圧力過熱蒸気（５ｃ）爆発力で水（５ａ）を混合噴射加速して重力加速度を加えた大気圧重力仕事率を既存技術の１７００倍に近付けて出力を１７００倍に近付けて構造を１／５０の小型簡単に近付ける竪型全動翼蒸気タービン（５Ａ）を含めたことが特徴の竪型全動翼蒸気ガスタービン合体機関。
【請求項１８２】
超臨界圧力過熱蒸気（５ｃ）爆発力で水（５ａ）を混合噴射加速して重力加速度を加えた大気圧重力仕事率を既存技術の１７００倍に近付けて発電量を１７００倍に近付けて構造を１／５０の小型簡単に近付ける竪型全動翼蒸気タービン（５Ａ）を含めたことが特徴の竪型全動翼蒸気ガスタービン合体機関。
【請求項１８３】
燃焼ガス（１０）爆発力で水（５ａ）を加速して大気圧重力仕事率を既存技術の１０００倍に近付けることが特徴の竪型全動翼蒸気ガスタービン合体機関。
【請求項１８４】
燃焼ガス（１０）爆発力で水（５ａ）を加速して大気圧重力仕事率を既存技術の１０００倍に近付けて出力を発生させることが特徴の竪型全動翼蒸気ガスタービン合体機関。
【請求項１８５】
燃焼ガス（１０）爆発力で水（５ａ）を加速して大気圧重力仕事率を既存技術の１０００倍に近付けて発電量を発生させることが特徴の竪型全動翼蒸気ガスタービン合体機関。
【請求項１８６】
燃焼ガス（１０）爆発力で水（５ａ）を加速して大気圧重力仕事率を既存技術の１０００倍に近付けて出力を１００倍に近付けることが特徴の竪型全動翼蒸気ガスタービン合体機関。
【請求項１８７】
燃焼ガス（１０）爆発力で水（５ａ）を加速して大気圧重力仕事率を既存技術の１０００倍に近付けて発電量を１００倍に近付けることが特徴の竪型全動翼蒸気ガスタービン合体機関。
【請求項１８８】
燃焼ガス（１０）爆発力で水（５ａ）を加速して重力加速度を加えた大気圧重力仕事率を既存技術の１０００倍に近付けることが特徴の竪型全動翼蒸気ガスタービン合体機関。
【請求項１８９】
燃焼ガス（１０）爆発力で水（５ａ）を加速して重力加速度を加えた大気圧重力仕事率を既存技術の１０００倍に近付けて出力を発生させることが特徴の竪型全動翼蒸気ガスタービン合体機関。
【請求項１９０】
燃焼ガス（１０）爆発力で水（５ａ）を加速して重力加速度を加えた大気圧重力仕事率を既存技術の１０００倍に近付けて発電量を発生させることが特徴の竪型全動翼蒸気ガスタービン合体機関。
【請求項１９１】
燃焼ガス（１０）爆発力で水（５ａ）を加速して重力加速度を加えた大気圧重力仕事率を既存技術の１０００倍に近付けて出力を１００倍に近付けることが特徴の竪型全動翼蒸気ガスタービン合体機関。
【請求項１９２】
燃焼ガス（１０）爆発力で水（５ａ）を加速して重力加速度を加えた大気圧重力仕事率を既存技術の１０００倍に近付けて発電量を１００倍に近付けることが特徴の竪型全動翼蒸気ガスタービン合体機関。
【請求項１９３】
燃焼ガス（１０）爆発力で水（５ａ）を加速して大気圧重力仕事率を既存技術の１０００倍に近付ける竪型全動翼ガスタービン（１０Ａ）としたことが特徴の竪型全動翼蒸気ガスタービン合体機関。
【請求項１９４】
燃焼ガス（１０）爆発力で水（５ａ）を加速して大気圧重力仕事率を既存技術の１０００倍に近付けて出力を発生させる竪型全動翼ガスタービン（１０Ａ）としたことが特徴の竪型全動翼蒸気ガスタービン合体機関。
【請求項１９５】
燃焼ガス（１０）爆発力で水（５ａ）を加速して大気圧重力仕事率を既存技術の１０００倍に近付けて発電量を発生させる竪型全動翼ガスタービン（１０Ａ）としたことが特徴の竪型全動翼蒸気ガスタービン合体機関。
【請求項１９６】
燃焼ガス（１０）爆発力で水（５ａ）を加速して大気圧重力仕事率を既存技術の１０００倍に近付けて出力を１００倍に近付ける竪型全動翼ガスタービン（１０Ａ）としたことが特徴の竪型全動翼蒸気ガスタービン合体機関。
【請求項１９７】
燃焼ガス（１０）爆発力で水（５ａ）を加速して大気圧重力仕事率を既存技術の１０００倍に近付けて発電量を１００倍に近付ける竪型全動翼ガスタービン（１０Ａ）としたことが特徴の竪型全動翼蒸気ガスタービン合体機関。
【請求項１９８】
燃焼ガス（１０）爆発力で水（５ａ）を加速して重力加速度を加えた大気圧重力仕事率を既存技術の１０００倍に近付ける竪型全動翼ガスタービン（１０Ａ）としたことが特徴の竪型全動翼蒸気ガスタービン合体機関。
【請求項１９９】
燃焼ガス（１０）爆発力で水（５ａ）を加速して重力加速度を加えた大気圧重力仕事率を既存技術の１０００倍に近付けて出力を発生させる竪型全動翼ガスタービン（１０Ａ）としたことが特徴の竪型全動翼蒸気ガスタービン合体機関。
【請求項２００】
燃焼ガス（１０）爆発力で水（５ａ）を加速して重力加速度を加えた大気圧重力仕事率を既存技術の１０００倍に近付けて発電量を発生させる竪型全動翼ガスタービン（１０Ａ）としたことが特徴の竪型全動翼蒸気ガスタービン合体機関。
【請求項２０１】
燃焼ガス（１０）爆発力で水（５ａ）を加速して重力加速度を加えた大気圧重力仕事率を既存技術の１０００倍に近付けて出力を１００倍に近付ける竪型全動翼ガスタービン（１０Ａ）としたことが特徴の竪型全動翼蒸気ガスタービン合体機関。
【請求項２０２】
燃焼ガス（１０）爆発力で水（５ａ）を加速して重力加速度を加えた大気圧重力仕事率を既存技術の１０００倍に近付けて発電量を１００倍に近付ける竪型全動翼ガスタービン（１０Ａ）としたことが特徴の竪型全動翼蒸気ガスタービン合体機関。
【請求項２０３】
燃焼ガス（１０）爆発力で水（５ａ）を加速して大気圧重力仕事率を既存技術の１０００倍に近付ける竪型全動翼ガスタービン（１０Ａ）を含めたことが特徴の竪型全動翼蒸気ガスタービン合体機関。
【請求項２０４】
燃焼ガス（１０）爆発力で水（５ａ）を加速して大気圧重力仕事率を既存技術の１０００倍に近付けて出力を発生させる竪型全動翼ガスタービン（１０Ａ）を含めたことが特徴の竪型全動翼蒸気ガスタービン合体機関。
【請求項２０５】
燃焼ガス（１０）爆発力で水（５ａ）を加速して大気圧重力仕事率を既存技術の１０００倍に近付けて発電量を発生させる竪型全動翼ガスタービン（１０Ａ）を含めたことが特徴の竪型全動翼蒸気ガスタービン合体機関。
【請求項２０６】
燃焼ガス（１０）爆発力で水（５ａ）を加速して大気圧重力仕事率を既存技術の１０００倍に近付けて出力を１００倍に近付ける竪型全動翼ガスタービン（１０Ａ）を含めたことが特徴の竪型全動翼蒸気ガスタービン合体機関。
【請求項２０７】
燃焼ガス（１０）爆発力で水（５ａ）を加速して大気圧重力仕事率を既存技術の１０００倍に近付けて発電量を１００倍に近付ける竪型全動翼ガスタービン（１０Ａ）を含めたことが特徴の竪型全動翼蒸気ガスタービン合体機関。
【請求項２０８】
燃焼ガス（１０）爆発力で水（５ａ）を加速して重力加速度を加えた大気圧重力仕事率を既存技術の１０００倍に近付ける竪型全動翼ガスタービン（１０Ａ）を含めたことが特徴の竪型全動翼蒸気ガスタービン合体機関。
【請求項２０９】
燃焼ガス（１０）爆発力で水（５ａ）を加速して重力加速度を加えた大気圧重力仕事率を既存技術の１０００倍に近付けて出力を発生させる竪型全動翼ガスタービン（１０Ａ）を含めたことが特徴の竪型全動翼蒸気ガスタービン合体機関。
【請求項２１０】
燃焼ガス（１０）爆発力で水（５ａ）を加速して重力加速度を加えた大気圧重力仕事率を既存技術の１０００倍に近付けて発電量を発生させる竪型全動翼ガスタービン（１０Ａ）を含めたことが特徴の竪型全動翼蒸気ガスタービン合体機関。
【請求項２１１】
燃焼ガス（１０）爆発力で水（５ａ）を加速して重力加速度を加えた大気圧重力仕事率を既存技術の１０００倍に近付けて出力を１００倍に近付ける竪型全動翼ガスタービン（１０Ａ）を含めたことが特徴の竪型全動翼蒸気ガスタービン合体機関。
【請求項２１２】
燃焼ガス（１０）爆発力で水（５ａ）を加速して重力加速度を加えた大気圧重力仕事率を既存技術の１０００倍に近付けて発電量を１００倍に近付ける竪型全動翼ガスタービン（１０Ａ）を含めたことが特徴の竪型全動翼蒸気ガスタービン合体機関。
【請求項２１３】
燃焼ガス（１０）爆発力で水（５ａ）を加速して大気圧重力仕事率を既存技術の１０００倍に近付けて構造を１／１０の小型簡単に近付けることが特徴の竪型全動翼蒸気ガスタービン合体機関。
【請求項２１４】
燃焼ガス（１０）爆発力で水（５ａ）を加速して大気圧重力仕事率を既存技術の１０００倍に近付けて出力を発生させて構造を１／１０の小型簡単に近付けることが特徴の竪型全動翼蒸気ガスタービン合体機関。
【請求項２１５】
燃焼ガス（１０）爆発力で水（５ａ）を加速して大気圧重力仕事率を既存技術の１０００倍に近付けて発電量を発生させて構造を１／１０の小型簡単に近付けることが特徴の竪型全動翼蒸気ガスタービン合体機関。
【請求項２１６】
燃焼ガス（１０）爆発力で水（５ａ）を加速して大気圧重力仕事率を既存技術の１０００倍に近付けて出力を１００倍に近付けて構造を１／１０の小型簡単に近付けることが特徴の竪型全動翼蒸気ガスタービン合体機関。
【請求項２１７】
燃焼ガス（１０）爆発力で水（５ａ）を加速して大気圧重力仕事率を既存技術の１０００倍に近付けて発電量を１００倍に近付けて構造を１／１０の小型簡単に近付けることが特徴の竪型全動翼蒸気ガスタービン合体機関。
【請求項２１８】
燃焼ガス（１０）爆発力で水（５ａ）を加速して重力加速度を加えた大気圧重力仕事率を既存技術の１０００倍に近付けて構造を１／１０の小型簡単に近付けることが特徴の竪型全動翼蒸気ガスタービン合体機関。
【請求項２１９】
燃焼ガス（１０）爆発力で水（５ａ）を加速して重力加速度を加えた大気圧重力仕事率を既存技術の１０００倍に近付けて出力を発生させて構造を１／１０の小型簡単に近付けることが特徴の竪型全動翼蒸気ガスタービン合体機関。
【請求項２２０】
燃焼ガス（１０）爆発力で水（５ａ）を加速して重力加速度を加えた大気圧重力仕事率を既存技術の１０００倍に近付けて発電量を発生させて構造を１／１０の小型簡単に近付けることが特徴の竪型全動翼蒸気ガスタービン合体機関。
【請求項２２１】
燃焼ガス（１０）爆発力で水（５ａ）を加速して重力加速度を加えた大気圧重力仕事率を既存技術の１０００倍に近付けて出力を１００倍に近付けて構造を１／１０の小型簡単に近付けることが特徴の竪型全動翼蒸気ガスタービン合体機関。
【請求項２２２】
燃焼ガス（１０）爆発力で水（５ａ）を加速して重力加速度を加えた大気圧重力仕事率を既存技術の１０００倍に近付けて発電量を１００倍に近付けて構造を１／１０の小型簡単に近付けることが特徴の竪型全動翼蒸気ガスタービン合体機関。
【請求項２２３】
燃焼ガス（１０）爆発力で水（５ａ）を加速して大気圧重力仕事率を既存技術の１０００倍に近付けて構造を１／１０の小型簡単に近付ける竪型全動翼ガスタービン（１０Ａ）としたことが特徴の竪型全動翼蒸気ガスタービン合体機関。
【請求項２２４】
燃焼ガス（１０）爆発力で水（５ａ）を加速して大気圧重力仕事率を既存技術の１０００倍に近付けて出力を発生させて構造を１／１０の小型簡単に近付ける竪型全動翼ガスタービン（１０Ａ）としたことが特徴の竪型全動翼蒸気ガスタービン合体機関。
【請求項２２５】
燃焼ガス（１０）爆発力で水（５ａ）を加速して大気圧重力仕事率を既存技術の１０００倍に近付けて発電量を発生させて構造を１／１０の小型簡単に近付ける竪型全動翼ガスタービン（１０Ａ）としたことが特徴の竪型全動翼蒸気ガスタービン合体機関。
【請求項２２６】
燃焼ガス（１０）爆発力で水（５ａ）を加速して大気圧重力仕事率を既存技術の１０００倍に近付けて出力を１００倍に近付けて構造を１／１０の小型簡単に近付ける竪型全動翼ガスタービン（１０Ａ）としたことが特徴の竪型全動翼蒸気ガスタービン合体機関。
【請求項２２７】
燃焼ガス（１０）爆発力で水（５ａ）を加速して大気圧重力仕事率を既存技術の１０００倍に近付けて発電量を１００倍に近付けて構造を１／１０の小型簡単に近付ける竪型全動翼ガスタービン（１０Ａ）としたことが特徴の竪型全動翼蒸気ガスタービン合体機関。
【請求項２２８】
燃焼ガス（１０）爆発力で水（５ａ）を加速して重力加速度を加えた大気圧重力仕事率を既存技術の１０００倍に近付けて構造を１／１０の小型簡単に近付ける竪型全動翼ガスタービン（１０Ａ）としたことが特徴の竪型全動翼蒸気ガスタービン合体機関。
【請求項２２９】
燃焼ガス（１０）爆発力で水（５ａ）を加速して重力加速度を加えた大気圧重力仕事率を既存技術の１０００倍に近付けて出力を発生させて構造を１／１０の小型簡単に近付ける竪型全動翼ガスタービン（１０Ａ）としたことが特徴の竪型全動翼蒸気ガスタービン合体機関。
【請求項２３０】
燃焼ガス（１０）爆発力で水（５ａ）を加速して重力加速度を加えた大気圧重力仕事率を既存技術の１０００倍に近付けて発電量を発生させて構造を１／１０の小型簡単に近付ける竪型全動翼ガスタービン（１０Ａ）としたことが特徴の竪型全動翼蒸気ガスタービン合体機関。
【請求項２３１】
燃焼ガス（１０）爆発力で水（５ａ）を加速して重力加速度を加えた大気圧重力仕事率を既存技術の１０００倍に近付けて出力を１００倍に近付けて構造を１／１０の小型簡単に近付ける竪型全動翼ガスタービン（１０Ａ）としたことが特徴の竪型全動翼蒸気ガスタービン合体機関。
【請求項２３２】
燃焼ガス（１０）爆発力で水（５ａ）を加速して重力加速度を加えた大気圧重力仕事率を既存技術の１０００倍に近付けて発電量を１００倍に近付けて構造を１／１０の小型簡単に近付ける竪型全動翼ガスタービン（１０Ａ）としたことが特徴の竪型全動翼蒸気ガスタービン合体機関。
【請求項２３３】
燃焼ガス（１０）爆発力で水（５ａ）を加速して大気圧重力仕事率を既存技術の１０００倍に近付けて構造を１／１０の小型簡単に近付ける竪型全動翼ガスタービン（１０Ａ）を含めたことが特徴の竪型全動翼蒸気ガスタービン合体機関。
【請求項２３４】
燃焼ガス（１０）爆発力で水（５ａ）を加速して大気圧重力仕事率を既存技術の１０００倍に近付けて出力を発生させて構造を１／１０の小型簡単に近付ける竪型全動翼ガスタービン（１０Ａ）を含めたことが特徴の竪型全動翼蒸気ガスタービン合体機関。
【請求項２３５】
燃焼ガス（１０）爆発力で水（５ａ）を加速して大気圧重力仕事率を既存技術の１０００倍に近付けて発電量を発生させて構造を１／１０の小型簡単に近付ける竪型全動翼ガスタービン（１０Ａ）を含めたことが特徴の竪型全動翼蒸気ガスタービン合体機関。
【請求項２３６】
燃焼ガス（１０）爆発力で水（５ａ）を加速して大気圧重力仕事率を既存技術の１０００倍に近付けて出力を１００倍に近付けて構造を１／１０の小型簡単に近付ける竪型全動翼ガスタービン（１０Ａ）を含めたことが特徴の竪型全動翼蒸気ガスタービン合体機関。
【請求項２３７】
燃焼ガス（１０）爆発力で水（５ａ）を加速して大気圧重力仕事率を既存技術の１０００倍に近付けて発電量を１００倍に近付けて構造を１／１０の小型簡単に近付ける竪型全動翼ガスタービン（１０Ａ）を含めたことが特徴の竪型全動翼蒸気ガスタービン合体機関。
【請求項２３８】
燃焼ガス（１０）爆発力で水（５ａ）を加速して重力加速度を加えた大気圧重力仕事率を既存技術の１０００倍に近付けて構造を１／１０の小型簡単に近付ける竪型全動翼ガスタービン（１０Ａ）を含めたことが特徴の竪型全動翼蒸気ガスタービン合体機関。
【請求項２３９】
燃焼ガス（１０）爆発力で水（５ａ）を加速して重力加速度を加えた大気圧重力仕事率を既存技術の１０００倍に近付けて出力を発生させて構造を１／１０の小型簡単に近付ける竪型全動翼ガスタービン（１０Ａ）を含めたことが特徴の竪型全動翼蒸気ガスタービン合体機関。
【請求項２４０】
燃焼ガス（１０）爆発力で水（５ａ）を加速して重力加速度を加えた大気圧重力仕事率を既存技術の１０００倍に近付けて発電量を発生させて構造を１／１０の小型簡単に近付ける竪型全動翼ガスタービン（１０Ａ）を含めたことが特徴の竪型全動翼蒸気ガスタービン合体機関。
【請求項２４１】
燃焼ガス（１０）爆発力で水（５ａ）を加速して重力加速度を加えた大気圧重力仕事率を既存技術の１０００倍に近付けて出力を１００倍に近付けて構造を１／１０の小型簡単に近付ける竪型全動翼ガスタービン（１０Ａ）を含めたことが特徴の竪型全動翼蒸気ガスタービン合体機関。
【請求項２４２】
燃焼ガス（１０）爆発力で水（５ａ）を加速して重力加速度を加えた大気圧重力仕事率を既存技術の１０００倍に近付けて発電量を１００倍に近付けて構造を１／１０の小型簡単に近付ける竪型全動翼ガスタービン（１０Ａ）を含めたことが特徴の竪型全動翼蒸気ガスタービン合体機関。
【請求項２４３】
燃焼ガス（１０）爆発力で水（５ａ）を加速して大気圧重力仕事率を既存技術の１０００倍に近付けて構造を１／５の小型簡単に近付けることが特徴の竪型全動翼蒸気ガスタービン合体機関。
【請求項２４４】
燃焼ガス（１０）爆発力で水（５ａ）を加速して大気圧重力仕事率を既存技術の１０００倍に近付けて出力を発生させて構造を１／５の小型簡単に近付けることが特徴の竪型全動翼蒸気ガスタービン合体機関。
【請求項２４５】
燃焼ガス（１０）爆発力で水（５ａ）を加速して大気圧重力仕事率を既存技術の１０００倍に近付けて発電量を発生させて構造を１／５の小型簡単に近付けることが特徴の竪型全動翼蒸気ガスタービン合体機関。
【請求項２４６】
燃焼ガス（１０）爆発力で水（５ａ）を加速して大気圧重力仕事率を既存技術の１０００倍に近付けて出力を１００倍に近付けて構造を１／５の小型簡単に近付けることが特徴の竪型全動翼蒸気ガスタービン合体機関。
【請求項２４７】
燃焼ガス（１０）爆発力で水（５ａ）を加速して大気圧重力仕事率を既存技術の１０００倍に近付けて発電量を１００倍に近付けて構造を１／５の小型簡単に近付けることが特徴の竪型全動翼蒸気ガスタービン合体機関。
【請求項２４８】
燃焼ガス（１０）爆発力で水（５ａ）を加速して重力加速度を加えた大気圧重力仕事率を既存技術の１０００倍に近付けて構造を１／５の小型簡単に近付けることが特徴の竪型全動翼蒸気ガスタービン合体機関。
【請求項２４９】
燃焼ガス（１０）爆発力で水（５ａ）を加速して重力加速度を加えた大気圧重力仕事率を既存技術の１０００倍に近付けて出力を発生させて構造を１／５の小型簡単に近付けることが特徴の竪型全動翼蒸気ガスタービン合体機関。
【請求項２５０】
燃焼ガス（１０）爆発力で水（５ａ）を加速して重力加速度を加えた大気圧重力仕事率を既存技術の１０００倍に近付けて発電量を発生させて構造を１／５の小型簡単に近付けることが特徴の竪型全動翼蒸気ガスタービン合体機関。
【請求項２５１】
燃焼ガス（１０）爆発力で水（５ａ）を加速して重力加速度を加えた大気圧重力仕事率を既存技術の１０００倍に近付けて出力を１００倍に近付けて構造を１／５の小型簡単に近付けることが特徴の竪型全動翼蒸気ガスタービン合体機関。
【請求項２５２】
燃焼ガス（１０）爆発力で水（５ａ）を加速して重力加速度を加えた大気圧重力仕事率を既存技術の１０００倍に近付けて発電量を１００倍に近付けて構造を１／５の小型簡単に近付けることが特徴の竪型全動翼蒸気ガスタービン合体機関。
【請求項２５３】
燃焼ガス（１０）爆発力で水（５ａ）を加速して大気圧重力仕事率を既存技術の１０００倍に近付けて構造を１／５の小型簡単に近付ける竪型全動翼ガスタービン（１０Ａ）としたことが特徴の竪型全動翼蒸気ガスタービン合体機関。
【請求項２５４】
燃焼ガス（１０）爆発力で水（５ａ）を加速して大気圧重力仕事率を既存技術の１０００倍に近付けて出力を発生させて構造を１／５の小型簡単に近付ける竪型全動翼ガスタービン（１０Ａ）としたことが特徴の竪型全動翼蒸気ガスタービン合体機関。
【請求項２５５】
燃焼ガス（１０）爆発力で水（５ａ）を加速して大気圧重力仕事率を既存技術の１０００倍に近付けて発電量を発生させて構造を１／５の小型簡単に近付ける竪型全動翼ガスタービン（１０Ａ）としたことが特徴の竪型全動翼蒸気ガスタービン合体機関。
【請求項２５６】
燃焼ガス（１０）爆発力で水（５ａ）を加速して大気圧重力仕事率を既存技術の１０００倍に近付けて出力を１００倍に近付けて構造を１／５の小型簡単に近付ける竪型全動翼ガスタービン（１０Ａ）としたことが特徴の竪型全動翼蒸気ガスタービン合体機関。
【請求項２５７】
燃焼ガス（１０）爆発力で水（５ａ）を加速して大気圧重力仕事率を既存技術の１０００倍に近付けて発電量を１００倍に近付けて構造を１／５の小型簡単に近付ける竪型全動翼ガスタービン（１０Ａ）としたことが特徴の竪型全動翼蒸気ガスタービン合体機関。
【請求項２５８】
燃焼ガス（１０）爆発力で水（５ａ）を加速して重力加速度を加えた大気圧重力仕事率を既存技術の１０００倍に近付けて構造を１／５の小型簡単に近付ける竪型全動翼ガスタービン（１０Ａ）としたことが特徴の竪型全動翼蒸気ガスタービン合体機関。
【請求項２５９】
燃焼ガス（１０）爆発力で水（５ａ）を加速して重力加速度を加えた大気圧重力仕事率を既存技術の１０００倍に近付けて出力を発生させて構造を１／５の小型簡単に近付ける竪型全動翼ガスタービン（１０Ａ）としたことが特徴の竪型全動翼蒸気ガスタービン合体機関。
【請求項２６０】
燃焼ガス（１０）爆発力で水（５ａ）を加速して重力加速度を加えた大気圧重力仕事率を既存技術の１０００倍に近付けて発電量を発生させて構造を１／５の小型簡単に近付ける竪型全動翼ガスタービン（１０Ａ）としたことが特徴の竪型全動翼蒸気ガスタービン合体機関。
【請求項２６１】
燃焼ガス（１０）爆発力で水（５ａ）を加速して重力加速度を加えた大気圧重力仕事率を既存技術の１０００倍に近付けて出力を１００倍に近付けて構造を１／５の小型簡単に近付ける竪型全動翼ガスタービン（１０Ａ）としたことが特徴の竪型全動翼蒸気ガスタービン合体機関。
【請求項２６２】
燃焼ガス（１０）爆発力で水（５ａ）を加速して重力加速度を加えた大気圧重力仕事率を既存技術の１０００倍に近付けて発電量を１００倍に近付けて構造を１／５の小型簡単に近付ける竪型全動翼ガスタービン（１０Ａ）としたことが特徴の竪型全動翼蒸気ガスタービン合体機関。
【請求項２６３】
燃焼ガス（１０）爆発力で水（５ａ）を加速して大気圧重力仕事率を既存技術の１０００倍に近付けて構造を１／５の小型簡単に近付ける竪型全動翼ガスタービン（１０Ａ）を含めたことが特徴の竪型全動翼蒸気ガスタービン合体機関。
【請求項２６４】
燃焼ガス（１０）爆発力で水（５ａ）を加速して大気圧重力仕事率を既存技術の１０００倍に近付けて出力を発生させて構造を１／５の小型簡単に近付ける竪型全動翼ガスタービン（１０Ａ）を含めたことが特徴の竪型全動翼蒸気ガスタービン合体機関。
【請求項２６５】
燃焼ガス（１０）爆発力で水（５ａ）を加速して大気圧重力仕事率を既存技術の１０００倍に近付けて発電量を発生させて構造を１／５の小型簡単に近付ける竪型全動翼ガスタービン（１０Ａ）を含めたことが特徴の竪型全動翼蒸気ガスタービン合体機関。
【請求項２６６】
燃焼ガス（１０）爆発力で水（５ａ）を加速して大気圧重力仕事率を既存技術の１０００倍に近付けて出力を１００倍に近付けて構造を１／５の小型簡単に近付ける竪型全動翼ガスタービン（１０Ａ）を含めたことが特徴の竪型全動翼蒸気ガスタービン合体機関。
【請求項２６７】
燃焼ガス（１０）爆発力で水（５ａ）を加速して大気圧重力仕事率を既存技術の１０００倍に近付けて発電量を１００倍に近付けて構造を１／５の小型簡単に近付ける竪型全動翼ガスタービン（１０Ａ）を含めたことが特徴の竪型全動翼蒸気ガスタービン合体機関。
【請求項２６８】
燃焼ガス（１０）爆発力で水（５ａ）を加速して重力加速度を加えた大気圧重力仕事率を既存技術の１０００倍に近付けて構造を１／５の小型簡単に近付ける竪型全動翼ガスタービン（１０Ａ）を含めたことが特徴の竪型全動翼蒸気ガスタービン合体機関。
【請求項２６９】
燃焼ガス（１０）爆発力で水（５ａ）を加速して重力加速度を加えた大気圧重力仕事率を既存技術の１０００倍に近付けて出力を発生させて構造を１／５の小型簡単に近付ける竪型全動翼ガスタービン（１０Ａ）を含めたことが特徴の竪型全動翼蒸気ガスタービン合体機関。
【請求項２７０】
燃焼ガス（１０）爆発力で水（５ａ）を加速して重力加速度を加えた大気圧重力仕事率を既存技術の１０００倍に近付けて発電量を発生させて構造を１／５の小型簡単に近付ける竪型全動翼ガスタービン（１０Ａ）を含めたことが特徴の竪型全動翼蒸気ガスタービン合体機関。
【請求項２７１】
燃焼ガス（１０）爆発力で水（５ａ）を加速して重力加速度を加えた大気圧重力仕事率を既存技術の１０００倍に近付けて出力を１００倍に近付けて構造を１／５の小型簡単に近付ける竪型全動翼ガスタービン（１０Ａ）を含めたことが特徴の竪型全動翼蒸気ガスタービン合体機関。
【請求項２７２】
燃焼ガス（１０）爆発力で水（５ａ）を加速して重力加速度を加えた大気圧重力仕事率を既存技術の１０００倍に近付けて発電量を１００倍に近付けて構造を１／５の小型簡単に近付ける竪型全動翼ガスタービン（１０Ａ）を含めたことが特徴の竪型全動翼蒸気ガスタービン合体機関。
【請求項２７３】
燃焼ガス（１０）爆発力で不用冷却液化燃焼ガス（１０ｂ）を加速して大気圧重力仕事率を既存技術の１０００倍に近付けることが特徴の竪型全動翼蒸気ガスタービン合体機関。
【請求項２７４】
燃焼ガス（１０）爆発力で不用冷却液化燃焼ガス（１０ｂ）を加速して大気圧重力仕事率を既存技術の１０００倍に近付けて出力を発生させることが特徴の竪型全動翼蒸気ガスタービン合体機関。
【請求項２７５】
燃焼ガス（１０）爆発力で不用冷却液化燃焼ガス（１０ｂ）を加速して大気圧重力仕事率を既存技術の１０００倍に近付けて発電量を発生させることが特徴の竪型全動翼蒸気ガスタービン合体機関。
【請求項２７６】
燃焼ガス（１０）爆発力で不用冷却液化燃焼ガス（１０ｂ）を加速して大気圧重力仕事率を既存技術の１０００倍に近付けて出力を１００倍に近付けることが特徴の竪型全動翼蒸気ガスタービン合体機関。
【請求項２７７】
燃焼ガス（１０）爆発力で不用冷却液化燃焼ガス（１０ｂ）を加速して大気圧重力仕事率を既存技術の１０００倍に近付けて発電量を１００倍に近付けることが特徴の竪型全動翼蒸気ガスタービン合体機関。
【請求項２７８】
燃焼ガス（１０）爆発力で不用冷却液化燃焼ガス（１０ｂ）を加速して重力加速度を加えた大気圧重力仕事率を既存技術の１０００倍に近付けることが特徴の竪型全動翼蒸気ガスタービン合体機関。
【請求項２７９】
燃焼ガス（１０）爆発力で不用冷却液化燃焼ガス（１０ｂ）を加速して重力加速度を加えた大気圧重力仕事率を既存技術の１０００倍に近付けて出力を発生させることが特徴の竪型全動翼蒸気ガスタービン合体機関。
【請求項２８０】
燃焼ガス（１０）爆発力で不用冷却液化燃焼ガス（１０ｂ）を加速して重力加速度を加えた大気圧重力仕事率を既存技術の１０００倍に近付けて発電量を発生させることが特徴の竪型全動翼蒸気ガスタービン合体機関。
【請求項２８１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けることが特徴の竪型全動翼蒸気ガスタービン合体機関。
【請求項２８２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けることが特徴の竪型全動翼蒸気ガスタービン合体機関。
【請求項２８３】
燃焼ガス（１０）爆発力で不用冷却液化燃焼ガス（１０ｂ）を加速して大気圧重力仕事率を既存技術の１０００倍に近付ける竪型全動翼ガスタービン（１０Ａ）としたことが特徴の竪型全動翼蒸気ガスタービン合体機関。
【請求項２８４】
燃焼ガス（１０）爆発力で不用冷却液化燃焼ガス（１０ｂ）を加速して大気圧重力仕事率を既存技術の１０００倍に近付けて出力を発生させる竪型全動翼ガスタービン（１０Ａ）としたことが特徴の竪型全動翼蒸気ガスタービン合体機関。
【請求項２８５】
燃焼ガス（１０）爆発力で不用冷却液化燃焼ガス（１０ｂ）を加速して大気圧重力仕事率を既存技術の１０００倍に近付けて発電量を発生させる竪型全動翼ガスタービン（１０Ａ）としたことが特徴の竪型全動翼蒸気ガスタービン合体機関。
【請求項２８６】
燃焼ガス（１０）爆発力で不用冷却液化燃焼ガス（１０ｂ）を加速して大気圧重力仕事率を既存技術の１０００倍に近付けて出力を１００倍に近付ける竪型全動翼ガスタービン（１０Ａ）としたことが特徴の竪型全動翼蒸気ガスタービン合体機関。
【請求項２８７】
燃焼ガス（１０）爆発力で不用冷却液化燃焼ガス（１０ｂ）を加速して大気圧重力仕事率を既存技術の１０００倍に近付けて発電量を１００倍に近付ける竪型全動翼ガスタービン（１０Ａ）としたことが特徴の竪型全動翼蒸気ガスタービン合体機関。
【請求項２８８】
燃焼ガス（１０）爆発力で不用冷却液化燃焼ガス（１０ｂ）を加速して重力加速度を加えた大気圧重力仕事率を既存技術の１０００倍に近付ける竪型全動翼ガスタービン（１０Ａ）としたことが特徴の竪型全動翼蒸気ガスタービン合体機関。
【請求項２８９】
燃焼ガス（１０）爆発力で不用冷却液化燃焼ガス（１０ｂ）を加速して重力加速度を加えた大気圧重力仕事率を既存技術の１０００倍に近付けて出力を発生させる竪型全動翼ガスタービン（１０Ａ）としたことが特徴の竪型全動翼蒸気ガスタービン合体機関。
【請求項２９０】
燃焼ガス（１０）爆発力で不用冷却液化燃焼ガス（１０ｂ）を加速して重力加速度を加えた大気圧重力仕事率を既存技術の１０００倍に近付けて発電量を発生させる竪型全動翼ガスタービン（１０Ａ）としたことが特徴の竪型全動翼蒸気ガスタービン合体機関。
【請求項２９１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付ける竪型全動翼ガスタービン（１０Ａ）としたことが特徴の竪型全動翼蒸気ガスタービン合体機関。
【請求項２９２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付ける竪型全動翼ガスタービン（１０Ａ）としたことが特徴の竪型全動翼蒸気ガスタービン合体機関。
【請求項２９３】
燃焼ガス（１０）爆発力で不用冷却液化燃焼ガス（１０ｂ）を加速して大気圧重力仕事率を既存技術の１０００倍に近付ける竪型全動翼ガスタービン（１０Ａ）を含めたことが特徴の竪型全動翼蒸気ガスタービン合体機関。
【請求項２９４】
燃焼ガス（１０）爆発力で不用冷却液化燃焼ガス（１０ｂ）を加速して大気圧重力仕事率を既存技術の１０００倍に近付けて出力を発生させる竪型全動翼ガスタービン（１０Ａ）を含めたことが特徴の竪型全動翼蒸気ガスタービン合体機関。
【請求項２９５】
燃焼ガス（１０）爆発力で不用冷却液化燃焼ガス（１０ｂ）を加速して大気圧重力仕事率を既存技術の１０００倍に近付けて発電量を発生させる竪型全動翼ガスタービン（１０Ａ）を含めたことが特徴の竪型全動翼蒸気ガスタービン合体機関。
【請求項２９６】
燃焼ガス（１０）爆発力で不用冷却液化燃焼ガス（１０ｂ）を加速して大気圧重力仕事率を既存技術の１０００倍に近付けて出力を１００倍に近付ける竪型全動翼ガスタービン（１０Ａ）を含めたことが特徴の竪型全動翼蒸気ガスタービン合体機関。
【請求項２９７】
燃焼ガス（１０）爆発力で不用冷却液化燃焼ガス（１０ｂ）を加速して大気圧重力仕事率を既存技術の１０００倍に近付けて発電量を１００倍に近付ける竪型全動翼ガスタービン（１０Ａ）を含めたことが特徴の竪型全動翼蒸気ガスタービン合体機関。
【請求項２９８】
燃焼ガス（１０）爆発力で不用冷却液化燃焼ガス（１０ｂ）を加速して重力加速度を加えた大気圧重力仕事率を既存技術の１０００倍に近付ける竪型全動翼ガスタービン（１０Ａ）を含めたことが特徴の竪型全動翼蒸気ガスタービン合体機関。
【請求項２９９】
燃焼ガス（１０）爆発力で不用冷却液化燃焼ガス（１０ｂ）を加速して重力加速度を加えた大気圧重力仕事率を既存技術の１０００倍に近付けて出力を発生させる竪型全動翼ガスタービン（１０Ａ）を含めたことが特徴の竪型全動翼蒸気ガスタービン合体機関。
【請求項３００】
燃焼ガス（１０）爆発力で不用冷却液化燃焼ガス（１０ｂ）を加速して重力加速度を加えた大気圧重力仕事率を既存技術の１０００倍に近付けて発電量を発生させる竪型全動翼ガスタービン（１０Ａ）を含めたことが特徴の竪型全動翼蒸気ガスタービン合体機関。
【請求項３０１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付ける竪型全動翼ガスタービン（１０Ａ）を含めたことが特徴の竪型全動翼蒸気ガスタービン合体機関。
【請求項３０２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付ける竪型全動翼ガスタービン（１０Ａ）を含めたことが特徴の竪型全動翼蒸気ガスタービン合体機関。
【請求項３０３】
燃焼ガス（１０）爆発力で不用冷却液化燃焼ガス（１０ｂ）を加速して大気圧重力仕事率を既存技術の１０００倍に近付けて構造を１／１０の小型簡単に近付けることが特徴の竪型全動翼蒸気ガスタービン合体機関。
【請求項３０４】
燃焼ガス（１０）爆発力で不用冷却液化燃焼ガス（１０ｂ）を加速して大気圧重力仕事率を既存技術の１０００倍に近付けて出力を発生させて構造を１／１０の小型簡単に近付けることが特徴の竪型全動翼蒸気ガスタービン合体機関。
【請求項３０５】
燃焼ガス（１０）爆発力で不用冷却液化燃焼ガス（１０ｂ）を加速して大気圧重力仕事率を既存技術の１０００倍に近付けて発電量を発生させて構造を１／１０の小型簡単に近付けることが特徴の竪型全動翼蒸気ガスタービン合体機関。
【請求項３０６】
燃焼ガス（１０）爆発力で不用冷却液化燃焼ガス（１０ｂ）を加速して大気圧重力仕事率を既存技術の１０００倍に近付けて出力を１００倍に近付けて構造を１／１０の小型簡単に近付けることが特徴の竪型全動翼蒸気ガスタービン合体機関。
【請求項３０７】
燃焼ガス（１０）爆発力で不用冷却液化燃焼ガス（１０ｂ）を加速して大気圧重力仕事率を既存技術の１０００倍に近付けて発電量を１００倍に近付けて構造を１／１０の小型簡単に近付けることが特徴の竪型全動翼蒸気ガスタービン合体機関。
【請求項３０８】
燃焼ガス（１０）爆発力で不用冷却液化燃焼ガス（１０ｂ）を加速して重力加速度を加えた大気圧重力仕事率を既存技術の１０００倍に近付けて構造を１／１０の小型簡単に近付けることが特徴の竪型全動翼蒸気ガスタービン合体機関。
【請求項３０９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／１０の小型簡単に近付けることが特徴の竪型全動翼蒸気ガスタービン合体機関。
【請求項３１０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／１０の小型簡単に近付けることが特徴の竪型全動翼蒸気ガスタービン合体機関。
【請求項３１１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／１０の小型簡単に近付けることが特徴の竪型全動翼蒸気ガスタービン合体機関。
【請求項３１２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／１０の小型簡単に近付けることが特徴の竪型全動翼蒸気ガスタービン合体機関。
【請求項３１３】
燃焼ガス（１０）爆発力で不用冷却液化燃焼ガス（１０ｂ）を加速して大気圧重力仕事率を既存技術の１０００倍に近付けて構造を１／１０の小型簡単に近付ける竪型全動翼ガスタービン（１０Ａ）としたことが特徴の竪型全動翼蒸気ガスタービン合体機関。
【請求項３１４】
燃焼ガス（１０）爆発力で不用冷却液化燃焼ガス（１０ｂ）を加速して大気圧重力仕事率を既存技術の１０００倍に近付けて出力を発生させて構造を１／１０の小型簡単に近付ける竪型全動翼ガスタービン（１０Ａ）としたことが特徴の竪型全動翼蒸気ガスタービン合体機関。
【請求項３１５】
燃焼ガス（１０）爆発力で不用冷却液化燃焼ガス（１０ｂ）を加速して大気圧重力仕事率を既存技術の１０００倍に近付けて発電量を発生させて構造を１／１０の小型簡単に近付ける竪型全動翼ガスタービン（１０Ａ）としたことが特徴の竪型全動翼蒸気ガスタービン合体機関。
【請求項３１６】
燃焼ガス（１０）爆発力で不用冷却液化燃焼ガス（１０ｂ）を加速して大気圧重力仕事率を既存技術の１０００倍に近付けて出力を１００倍に近付けて構造を１／１０の小型簡単に近付ける竪型全動翼ガスタービン（１０Ａ）としたことが特徴の竪型全動翼蒸気ガスタービン合体機関。
【請求項３１７】
燃焼ガス（１０）爆発力で不用冷却液化燃焼ガス（１０ｂ）を加速して大気圧重力仕事率を既存技術の１０００倍に近付けて発電量を１００倍に近付けて構造を１／１０の小型簡単に近付ける竪型全動翼ガスタービン（１０Ａ）としたことが特徴の竪型全動翼蒸気ガスタービン合体機関。
【請求項３１８】
燃焼ガス（１０）爆発力で不用冷却液化燃焼ガス（１０ｂ）を加速して重力加速度を加えた大気圧重力仕事率を既存技術の１０００倍に近付けて構造を１／１０の小型簡単に近付ける竪型全動翼ガスタービン（１０Ａ）としたことが特徴の竪型全動翼蒸気ガスタービン合体機関。
【請求項３１９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／１０の小型簡単に近付ける竪型全動翼ガスタービン（１０Ａ）としたことが特徴の竪型全動翼蒸気ガスタービン合体機関。
【請求項３２０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／１０の小型簡単に近付ける竪型全動翼ガスタービン（１０Ａ）としたことが特徴の竪型全動翼蒸気ガスタービン合体機関。
【請求項３２１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／１０の小型簡単に近付ける竪型全動翼ガスタービン（１０Ａ）としたことが特徴の竪型全動翼蒸気ガスタービン合体機関。
【請求項３２２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／１０の小型簡単に近付ける竪型全動翼ガスタービン（１０Ａ）としたことが特徴の竪型全動翼蒸気ガスタービン合体機関。
【請求項３２３】
燃焼ガス（１０）爆発力で液化燃焼ガス水を加速して大気圧重力仕事率を既存技術の１０００倍に近付けて構造を１／１０の小型簡単に近付ける竪型全動翼ガスタービン（１０Ａ）を含めたことが特徴の竪型全動翼蒸気ガスタービン合体機関。
【請求項３２４】
燃焼ガス（１０）爆発力で不用冷却液化燃焼ガス（１０ｂ）を加速して大気圧重力仕事率を既存技術の１０００倍に近付けて出力を発生させて構造を１／１０の小型簡単に近付ける竪型全動翼ガスタービン（１０Ａ）を含めたことが特徴の竪型全動翼蒸気ガスタービン合体機関。
【請求項３２５】
燃焼ガス（１０）爆発力で不用冷却液化燃焼ガス（１０ｂ）を加速して大気圧重力仕事率を既存技術の１０００倍に近付けて発電量を発生させて構造を１／１０の小型簡単に近付ける竪型全動翼ガスタービン（１０Ａ）を含めたことが特徴の竪型全動翼蒸気ガスタービン合体機関。
【請求項３２６】
燃焼ガス（１０）爆発力で不用冷却液化燃焼ガス（１０ｂ）を加速して大気圧重力仕事率を既存技術の１０００倍に近付けて出力を１００倍に近付けて構造を１／１０の小型簡単に近付ける竪型全動翼ガスタービン（１０Ａ）を含めたことが特徴の竪型全動翼蒸気ガスタービン合体機関。
【請求項３２７】
燃焼ガス（１０）爆発力で不用冷却液化燃焼ガス（１０ｂ）を加速して大気圧重力仕事率を既存技術の１０００倍に近付けて発電量を１００倍に近付けて構造を１／１０の小型簡単に近付ける竪型全動翼ガスタービン（１０Ａ）を含めたことが特徴の竪型全動翼蒸気ガスタービン合体機関。
【請求項３２８】
燃焼ガス（１０）爆発力で不用冷却液化燃焼ガス（１０ｂ）を加速して重力加速度を加えた大気圧重力仕事率を既存技術の１０００倍に近付けて構造を１／１０の小型簡単に近付ける竪型全動翼ガスタービン（１０Ａ）を含めたことが特徴の竪型全動翼蒸気ガスタービン合体機関。
【請求項３２９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／１０の小型簡単に近付ける竪型全動翼ガスタービン（１０Ａ）を含めたことが特徴の竪型全動翼蒸気ガスタービン合体機関。
【請求項３３０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／１０の小型簡単に近付ける竪型全動翼ガスタービン（１０Ａ）を含めたことが特徴の竪型全動翼蒸気ガスタービン合体機関。
【請求項３３１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／１０の小型簡単に近付ける竪型全動翼ガスタービン（１０Ａ）を含めたことが特徴の竪型全動翼蒸気ガスタービン合体機関。
【請求項３３２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／１０の小型簡単に近付ける竪型全動翼ガスタービン（１０Ａ）を含めたことが特徴の竪型全動翼蒸気ガスタービン合体機関。
【請求項３３３】
燃焼ガス（１０）爆発力で不用冷却液化燃焼ガス（１０ｂ）を加速して大気圧重力仕事率を既存技術の１０００倍に近付けて構造を１／５の小型簡単に近付けることが特徴の竪型全動翼蒸気ガスタービン合体機関。
【請求項３３４】
燃焼ガス（１０）爆発力で不用冷却液化燃焼ガス（１０ｂ）を加速して大気圧重力仕事率を既存技術の１０００倍に近付けて出力を発生させて構造を１／５の小型簡単に近付けることが特徴の竪型全動翼蒸気ガスタービン合体機関。
【請求項３３５】
燃焼ガス（１０）爆発力で不用冷却液化燃焼ガス（１０ｂ）を加速して大気圧重力仕事率を既存技術の１０００倍に近付けて発電量を発生させて構造を１／５の小型簡単に近付けることが特徴の竪型全動翼蒸気ガスタービン合体機関。
【請求項３３６】
燃焼ガス（１０）爆発力で不用冷却液化燃焼ガス（１０ｂ）を加速して大気圧重力仕事率を既存技術の１０００倍に近付けて出力を１００倍に近付けて構造を１／５の小型簡単に近付けることが特徴の竪型全動翼蒸気ガスタービン合体機関。
【請求項３３７】
燃焼ガス（１０）爆発力で不用冷却液化燃焼ガス（１０ｂ）を加速して大気圧重力仕事率を既存技術の１０００倍に近付けて発電量を１００倍に近付けて構造を１／５の小型簡単に近付けることが特徴の竪型全動翼蒸気ガスタービン合体機関。
【請求項３３８】
燃焼ガス（１０）爆発力で不用冷却液化燃焼ガス（１０ｂ）を加速して重力加速度を加えた大気圧重力仕事率を既存技術の１０００倍に近付けて構造を１／５の小型簡単に近付けることが特徴の竪型全動翼蒸気ガスタービン合体機関。
【請求項３３９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／５の小型簡単に近付けることが特徴の竪型全動翼蒸気ガスタービン合体機関。
【請求項３４０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／５の小型簡単に近付けることが特徴の竪型全動翼蒸気ガスタービン合体機関。
【請求項３４１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／５の小型簡単に近付けることが特徴の竪型全動翼蒸気ガスタービン合体機関。
【請求項３４２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／５の小型簡単に近付けることが特徴の竪型全動翼蒸気ガスタービン合体機関。
【請求項３４３】
燃焼ガス（１０）爆発力で不用冷却液化燃焼ガス（１０ｂ）を加速して大気圧重力仕事率を既存技術の１０００倍に近付けて構造を１／５の小型簡単に近付ける竪型全動翼ガスタービン（１０Ａ）としたことが特徴の竪型全動翼蒸気ガスタービン合体機関。
【請求項３４４】
燃焼ガス（１０）爆発力で不用冷却液化燃焼ガス（１０ｂ）を加速して大気圧重力仕事率を既存技術の１０００倍に近付けて出力を発生させて構造を１／５の小型簡単に近付ける竪型全動翼ガスタービン（１０Ａ）としたことが特徴の竪型全動翼蒸気ガスタービン合体機関。
【請求項３４５】
燃焼ガス（１０）爆発力で不用冷却液化燃焼ガス（１０ｂ）を加速して大気圧重力仕事率を既存技術の１０００倍に近付けて発電量を発生させて構造を１／５の小型簡単に近付ける竪型全動翼ガスタービン（１０Ａ）としたことが特徴の竪型全動翼蒸気ガスタービン合体機関。
【請求項３４６】
燃焼ガス（１０）爆発力で不用冷却液化燃焼ガス（１０ｂ）を加速して大気圧重力仕事率を既存技術の１０００倍に近付けて出力を１００倍に近付けて構造を１／５の小型簡単に近付ける竪型全動翼ガスタービン（１０Ａ）としたことが特徴の竪型全動翼蒸気ガスタービン合体機関。
【請求項３４７】
燃焼ガス（１０）爆発力で不用冷却液化燃焼ガス（１０ｂ）を加速して大気圧重力仕事率を既存技術の１０００倍に近付けて発電量を１００倍に近付けて構造を１／５の小型簡単に近付ける竪型全動翼ガスタービン（１０Ａ）としたことが特徴の竪型全動翼蒸気ガスタービン合体機関。
【請求項３４８】
燃焼ガス（１０）爆発力で不用冷却液化燃焼ガス（１０ｂ）を加速して重力加速度を加えた大気圧重力仕事率を既存技術の１０００倍に近付けて構造を１／５の小型簡単に近付ける竪型全動翼ガスタービン（１０Ａ）としたことが特徴の竪型全動翼蒸気ガスタービン合体機関。
【請求項３４９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／５の小型簡単に近付ける竪型全動翼ガスタービン（１０Ａ）としたことが特徴の竪型全動翼蒸気ガスタービン合体機関。
【請求項３５０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／５の小型簡単に近付ける竪型全動翼ガスタービン（１０Ａ）としたことが特徴の竪型全動翼蒸気ガスタービン合体機関。
【請求項３５１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／５の小型簡単に近付ける竪型全動翼ガスタービン（１０Ａ）としたことが特徴の竪型全動翼蒸気ガスタービン合体機関。
【請求項３５２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／５の小型簡単に近付ける竪型全動翼ガスタービン（１０Ａ）としたことが特徴の竪型全動翼蒸気ガスタービン合体機関。
【請求項３５３】
燃焼ガス（１０）爆発力で液化燃焼ガス水を加速して大気圧重力仕事率を既存技術の１０００倍に近付けて構造を１／５の小型簡単に近付ける竪型全動翼ガスタービン（１０Ａ）を含めたことが特徴の竪型全動翼蒸気ガスタービン合体機関。
【請求項３５４】
燃焼ガス（１０）爆発力で不用冷却液化燃焼ガス（１０ｂ）を加速して大気圧重力仕事率を既存技術の１０００倍に近付けて出力を発生させて構造を１／５の小型簡単に近付ける竪型全動翼ガスタービン（１０Ａ）を含めたことが特徴の竪型全動翼蒸気ガスタービン合体機関。
【請求項３５５】
燃焼ガス（１０）爆発力で不用冷却液化燃焼ガス（１０ｂ）を加速して大気圧重力仕事率を既存技術の１０００倍に近付けて発電量を発生させて構造を１／５の小型簡単に近付ける竪型全動翼ガスタービン（１０Ａ）を含めたことが特徴の竪型全動翼蒸気ガスタービン合体機関。
【請求項３５６】
燃焼ガス（１０）爆発力で不用冷却液化燃焼ガス（１０ｂ）を加速して大気圧重力仕事率を既存技術の１０００倍に近付けて出力を１００倍に近付けて構造を１／５の小型簡単に近付ける竪型全動翼ガスタービン（１０Ａ）を含めたことが特徴の竪型全動翼蒸気ガスタービン合体機関。
【請求項３５７】
燃焼ガス（１０）爆発力で不用冷却液化燃焼ガス（１０ｂ）を加速して大気圧重力仕事率を既存技術の１０００倍に近付けて発電量を１００倍に近付けて構造を１／５の小型簡単に近付ける竪型全動翼ガスタービン（１０Ａ）を含めたことが特徴の竪型全動翼蒸気ガスタービン合体機関。
【請求項３５８】
燃焼ガス（１０）爆発力で不用冷却液化燃焼ガス（１０ｂ）を加速して重力加速度を加えた大気圧重力仕事率を既存技術の１０００倍に近付けて構造を１／５の小型簡単に近付ける竪型全動翼ガスタービン（１０Ａ）を含めたことが特徴の竪型全動翼蒸気ガスタービン合体機関。
【請求項３５９】
燃焼ガス（１０）爆発力で不用冷却液化燃焼ガス（１０ｂ）を加速して重力加速度を加えた大気圧重力仕事率を既存技術の１０００倍に近付けて出力を発生させて構造を１／５の小型簡単に近付ける竪型全動翼ガスタービン（１０Ａ）を含めたことが特徴の竪型全動翼蒸気ガスタービン合体機関。
【請求項３６０】
燃焼ガス（１０）爆発力で不用冷却液化燃焼ガス（１０ｂ）を加速して重力加速度を加えた大気圧重力仕事率を既存技術の１０００倍に近付けて発電量を発生させて構造を１／５の小型簡単に近付ける竪型全動翼ガスタービン（１０Ａ）を含めたことが特徴の竪型全動翼蒸気ガスタービン合体機関。
【請求項３６１】
燃焼ガス（１０）爆発力で不用冷却液化燃焼ガス（１０ｂ）を加速して重力加速度を加えた大気圧重力仕事率を既存技術の１０００倍に近付けて出力を１００倍に近付けて構造を１／５の小型簡単に近付ける竪型全動翼ガスタービン（１０Ａ）を含めたことが特徴の竪型全動翼蒸気ガスタービン合体機関。
【請求項３６２】
燃焼ガス（１０）爆発力で不用冷却液化燃焼ガス（１０ｂ）を加速して重力加速度を加えた大気圧重力仕事率を既存技術の１０００倍に近付けて発電量を１００倍に近付けて構造を１／５の小型簡単に近付ける竪型全動翼ガスタービン（１０Ａ）を含めたことが特徴の竪型全動翼蒸気ガスタービン合体機関。
【請求項３６３】
撥水鍍金水冷却翼（８７）と水（５ａ）の重力加速度で空気圧縮して燃焼器兼熱交換器（４）により燃焼ガス熱量＋燃焼ガス質量に分離することが特徴の竪型全動翼蒸気ガスタービン合体機関。
【請求項３６４】
撥水鍍金水冷却翼（８７）と水（５ａ）の重力加速度で空気圧縮して燃焼器兼熱交換器（４）により燃焼ガス熱量＋燃焼ガス質量に分離して燃焼ガス熱量により竪型全動翼蒸気タービン（５Ａ）出力を発生することが特徴の竪型全動翼蒸気ガスタービン合体機関。
【請求項３６５】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量により竪型全動翼ガスタービン（１０Ａ）出力を発生することが特徴の竪型全動翼蒸気ガスタービン合体機関。
【請求項３６６】
撥水鍍金水冷却翼（８７）と水（５ａ）の重力加速度で空気圧縮して燃焼器兼熱交換器（４）により燃焼ガス熱量＋燃焼ガス質量に分離して海水温度の上昇を皆無にすることが特徴の竪型全動翼蒸気ガスタービン合体機関。
【請求項３６７】
撥水鍍金水冷却翼（８７）と水（５ａ）の重力加速度で空気圧縮して燃焼器兼熱交換器（４）により燃焼ガス熱量＋燃焼ガス質量に分離して竪型全動翼蒸気タービン（５Ａ）出力発生で海水温度の上昇を皆無にすることが特徴の竪型全動翼蒸気ガスタービン合体機関。
【請求項３６８】
撥水鍍金水冷却翼（８７）と水（５ａ）の重力加速度で空気圧縮して燃焼器兼熱交換器（４）により燃焼ガス熱量＋燃焼ガス質量に分離して竪型全動翼ガスタービン（１０Ａ）出力発生で海水温度を低下させることが特徴の竪型全動翼蒸気ガスタービン合体機関。
【請求項３６９】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量の排気を０に近付けることが特徴の竪型全動翼蒸気ガスタービン合体機関。
【請求項３７０】
撥水鍍金水冷却翼（８７）と水（５ａ）の重力加速度で空気圧縮して燃焼器兼熱交換器（４）により燃焼ガス熱量＋燃焼ガス質量に分離して竪型全動翼ガスタービン（１０Ａ）出力発生で燃焼ガス質量の排気を０に近付けることが特徴の竪型全動翼蒸気ガスタービン合体機関。
【請求項３７１】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により水（５ａ）を加速して出力を発生することが特徴の竪型全動翼蒸気ガスタービン合体機関。
【請求項３７２】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により水（５ａ）を加速して＋重力加速度で出力を発生することが特徴の竪型全動翼蒸気ガスタービン合体機関。
【請求項３７３】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気噴射ノズル（５９ｇ）と過熱蒸気（５ｃ）により水（５ａ）を混合噴射加速して＋重力加速度で出力を発生することが特徴の竪型全動翼蒸気ガスタービン合体機関。
【請求項３７４】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気噴射ノズル（５９ｇ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３７５】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、撥水鍍金過熱蒸気噴射ノズル（５９ｆ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３７６】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、電磁加熱過熱蒸気噴射ノズル（５９ｇ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３７７】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、複数の過熱蒸気噴射ノズル（５９ｇ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３７８】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、複数の撥水鍍金過熱蒸気噴射ノズル（５９ｆ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３７９】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、複数の電磁加熱過熱蒸気噴射ノズル（５９ｇ）と過熱蒸気（５ｃ）により水（５ａ）を混合噴射加速して＋重力加速度で竪型全動翼蒸気タービン（５Ａ）出力を発生することが特徴の竪型全動翼蒸気ガスタービン合体機関。
【請求項３８０】
撥水鍍金水冷却翼（８７）と水（５ａ）の重力加速度で空気圧縮して燃焼器兼熱交換器（４）により燃焼ガス熱量＋燃焼ガス質量に分離して、＋重力加速度の燃焼ガス質量と水（５ａ）で出力を発生することが特徴の竪型全動翼蒸気ガスタービン合体機関。
【請求項３８１】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス噴射ノズル（５９ｄ）の燃焼ガス（１０）爆発力で水（５ａ）を加速して＋重力加速度の竪型全動翼ガスタービン（１０Ａ）で出力を発生することが特徴の竪型全動翼蒸気ガスタービン合体機関。
【請求項３８２】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス噴射ノズル（５９ｄ）の燃焼ガス（１０）爆発力で水（５ａ）を加速して＋重力加速度の燃焼ガス質量と水で竪型全動翼ガスタービン（１０Ａ）の出力を発生することが特徴の竪型全動翼蒸気ガスタービン合体機関。
【請求項３８３】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス噴射ノズル（５９ｄ）の燃焼ガス（１０）爆発力で水（５ａ）を加速して＋重力加速度の燃焼ガス質量と水で竪型全動翼ガスタービン（１０Ａ）の出力を発生し、その排気で水道水（７０）を冷却することが特徴の竪型全動翼蒸気ガスタービン合体機関。
【請求項３８４】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス噴射ノズル（５９ｄ）の燃焼ガス（１０）爆発力で水（５ａ）を加速して燃焼ガス質量と水に重力加速度を加えて竪型全動翼ガスタービン（１０Ａ）の出力を発生し、その排気で水道水（７０）を冷却する冷熱回収器（１０２）を具備したことが特徴の竪型全動翼蒸気ガスタービン合体機関。
【請求項３８５】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス質量で出力を発生することが特徴の竪型全動翼蒸気ガスタービン合体機関。
【請求項３８６】
撥水鍍金水冷却翼（８７）と水（５ａ）の重力加速度で空気圧縮して燃焼器兼熱交換器（４）により燃焼ガス熱量＋燃焼ガス質量に分離して、水道水冷熱で冷却した燃焼ガス質量で出力を発生することが特徴の竪型全動翼蒸気ガスタービン合体機関。
【請求項３８７】
撥水鍍金水冷却翼（８７）と水（５ａ）の重力加速度で空気圧縮して燃焼器兼熱交換器（４）により燃焼ガス熱量＋燃焼ガス質量に分離して水道水冷熱により冷却後、燃焼ガス液化分離装置（１０６）で液化した燃焼ガス質量で出力を発生することが特徴の竪型全動翼蒸気ガスタービン合体機関。
【請求項３８８】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量で出力を発生し、その排気で燃焼ガス質量を冷却することが特徴の竪型全動翼蒸気ガスタービン合体機関。
【請求項３８９】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量で出力を発生し、その排気で燃焼ガス質量を冷却する燃焼ガス液化分離装置（１０６）を具備したことが特徴の竪型全動翼蒸気ガスタービン合体機関。
【請求項３９０】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量で出力を発生し、その排気で燃焼ガス質量を冷却する燃焼ガス液化分離装置（１０６）を具備してその後流に冷熱回収器（１０２）を具備したことが特徴の竪型全動翼蒸気ガスタービン合体機関。
【請求項３９１】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量で竪型全動翼ガスタービン（１０Ａ）の出力を発生し、その排気で燃焼ガス質量を冷却する燃焼ガス液化分離装置（１０６）を具備したことが特徴の竪型全動翼蒸気ガスタービン合体機関。
【請求項３９２】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量の不用冷却液化燃焼ガス（１０ｂ）等で竪型全動翼ガスタービン（１０Ａ）の出力を発生し、その排気で燃焼ガス質量を冷却する燃焼ガス液化分離装置（１０６）を具備したことが特徴の竪型全動翼蒸気ガスタービン合体機関。
【請求項３９３】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量の不用冷却液化燃焼ガス（１０ｂ）等で竪型全動翼ガスタービン（１０Ａ）の出力を発生し、その排気で燃焼ガス質量を冷却する燃焼ガス液化分離装置（１０６）を具備して燃焼ガスを液化分離することが特徴の竪型全動翼蒸気ガスタービン合体機関。
【請求項３９４】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量の不用冷却液化燃焼ガス（１０ｂ）等で竪型全動翼ガスタービン（１０Ａ）の出力を発生し、その排気で燃焼ガス質量を冷却する燃焼ガス液化分離装置（１０６）を具備して燃焼ガスを液化分離回収することが特徴の竪型全動翼蒸気ガスタービン合体機関。
【請求項３９５】
撥水鍍金水冷却翼（８７）と水（５ａ）の重力加速度で空気圧縮して燃焼器兼熱交換器（４）により燃焼ガス熱量＋燃焼ガス質量に分離して燃焼ガス質量の不用冷却液化燃焼ガス（１０ｂ）等で竪型全動翼ガスタービン（１０Ａ）の出力を発生し、その排気で燃焼ガス質量を冷却する燃焼ガス液化分離装置（１０６）を具備して燃焼ガスを液化分離回収し、その後流に冷熱回収器（１０２）を具備することが特徴の竪型全動翼蒸気ガスタービン合体機関。
【請求項３９６】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収することが特徴の竪型全動翼蒸気ガスタービン合体機関。
【請求項３９７】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵することが特徴の竪型全動翼蒸気ガスタービン合体機関。
【請求項３９８】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給することが特徴の竪型全動翼蒸気ガスタービン合体機関。
【請求項３９９】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給することが特徴の竪型全動翼蒸気ガスタービン合体機関。
【請求項４００】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷凍設備機器を製造販売することが特徴の竪型全動翼蒸気ガスタービン合体機関。
【請求項４０１】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷凍設備機器を製造販売することが特徴の竪型全動翼蒸気ガスタービン合体機関。
【請求項４０２】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷蔵設備機器を製造販売することが特徴の竪型全動翼蒸気ガスタービン合体機関。
【請求項４０３】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷蔵設備機器を製造販売することが特徴の竪型全動翼蒸気ガスタービン合体機関。
【請求項４０４】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷房設備機器を製造販売することが特徴の竪型全動翼蒸気ガスタービン合体機関。
【請求項４０５】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷房設備機器を製造販売することが特徴の竪型全動翼蒸気ガスタービン合体機関。
【請求項４０６】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４０７】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４０８】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４０９】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４１０】
燃焼ガス質量爆発力と水（５ａ）で竪型全動翼ガスタービン（１０Ａ）の出力を発生し、その排気で水道水（７０）を冷却する冷熱回収器（１０２）を具備して水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４１１】
燃焼ガス質量爆発力と水（５ａ）で竪型全動翼ガスタービン（１０Ａ）の出力を発生し、その排気で水道水（７０）を冷却する冷熱回収器（１０２）を具備して５℃前後の水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４１２】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液体窒素以外を燃焼ガス噴射ノズル（５９ｅ）より噴射することが特徴の竪型全動翼蒸気ガスタービン合体機関。
【請求項４１３】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液化二酸化炭素以外を燃焼ガス噴射ノズル（５９ｅ）より噴射することが特徴の竪型全動翼蒸気ガスタービン合体機関。
【請求項４１４】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、特定液化燃焼ガス以外を燃焼ガス噴射ノズル（５９ｅ）より噴射することが特徴の竪型全動翼蒸気ガスタービン合体機関。
【請求項４１５】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液体窒素以外を複数の燃焼ガス噴射ノズル（５９ｅ）より噴射して出力を発生することが特徴の竪型全動翼蒸気ガスタービン合体機関。
【請求項４１６】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液化二酸化炭素以外を複数の燃焼ガス噴射ノズル（５９ｅ）より噴射して出力を発生することが特徴の竪型全動翼蒸気ガスタービン合体機関。
【請求項４１７】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、特定液化燃焼ガス以外を複数の燃焼ガス噴射ノズル（５９ｅ）より噴射して出力を発生することが特徴の竪型全動翼蒸気ガスタービン合体機関。
【請求項４１８】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液体窒素以外を複数の燃焼ガス噴射ノズル（５９ｅ）より噴射して出力を発生した排気で海水を冷却することが特徴の竪型全動翼蒸気ガスタービン合体機関。
【請求項４１９】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、液化二酸化炭素以外を複数の燃焼ガス噴射ノズル（５９ｅ）より噴射して出力を発生した排気で海水を冷却することが特徴の竪型全動翼蒸気ガスタービン合体機関。
【請求項４２０】
燃焼ガス質量爆発力で竪型全動翼ガスタービン（１０Ａ）の出力を発生し、その排気で燃焼ガス質量を冷却する燃焼ガス液化分離装置（１０６）を具備して燃焼ガスを液化分離回収し、特定液化燃焼ガス以外を複数の燃焼ガス噴射ノズル（５９ｅ）より噴射して出力を発生した排気で海水を冷却することが特徴の竪型全動翼蒸気ガスタービン合体機関。
【請求項４２１】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収することが特徴の竪型全動翼蒸気ガスタービン合体機関。
【請求項４２２】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収することが特徴の竪型全動翼蒸気ガスタービン合体機関。
【請求項４２３】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵することが特徴の竪型全動翼蒸気ガスタービン合体機関。
【請求項４２４】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵することが特徴の竪型全動翼蒸気ガスタービン合体機関。
【請求項４２５】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給することが特徴の竪型全動翼蒸気ガスタービン合体機関。
【請求項４２６】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給することが特徴の竪型全動翼蒸気ガスタービン合体機関。
【請求項４２７】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷凍設備機器を製造販売することが特徴の竪型全動翼蒸気ガスタービン合体機関。
【請求項４２８】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷凍設備機器を製造販売することが特徴の竪型全動翼蒸気ガスタービン合体機関。
【請求項４２９】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷蔵設備機器を製造販売することが特徴の竪型全動翼蒸気ガスタービン合体機関。
【請求項４３０】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷蔵設備機器を製造販売することが特徴の竪型全動翼蒸気ガスタービン合体機関。
【請求項４３１】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷房設備機器を製造販売することが特徴の竪型全動翼蒸気ガスタービン合体機関。
【請求項４３２】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷房設備機器を製造販売することが特徴の竪型全動翼蒸気ガスタービン合体機関。
【請求項４３３】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４３４】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４３５】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４３６】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４３７】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４３８】
燃焼ガス質量爆発力で竪型全動翼ガスタービン（１０Ａ）の出力を発生し、その排気で燃焼ガス質量を冷却する燃焼ガス液化分離装置（１０６）を具備してその後流に冷熱回収器（１０２）を具備し、５℃前後の水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４３９】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収することが特徴の竪型全動翼蒸気ガスタービン合体機関。
【請求項４４０】
燃焼ガス（１０）爆発力で水（５ａ）を混合噴射加速して竪型全動翼ガスタービン（１０Ａ）の出力を発生し、その排気で冷熱回収器（１０２）を駆動して５℃前後の水道水冷熱を回収することが特徴の竪型全動翼蒸気ガスタービン合体機関。
【請求項４４１】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵することが特徴の竪型全動翼蒸気ガスタービン合体機関。
【請求項４４２】
燃焼ガス（１０）爆発力で水（５ａ）を混合噴射加速して竪型全動翼ガスタービン（１０Ａ）の出力を発生し、その排気で冷熱回収器（１０２）を駆動して５℃前後の水道水冷熱を回収貯蔵することが特徴の竪型全動翼蒸気ガスタービン合体機関。
【請求項４４３】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給することが特徴の竪型全動翼蒸気ガスタービン合体機関。
【請求項４４４】
燃焼ガス（１０）爆発力で水（５ａ）を混合噴射加速して竪型全動翼ガスタービン（１０Ａ）の出力を発生し、その排気で冷熱回収器（１０２）を駆動して５℃前後の水道水冷熱を回収貯蔵して需要家に供給することが特徴の竪型全動翼蒸気ガスタービン合体機関。
【請求項４４５】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷凍設備機器を製造販売することが特徴の竪型全動翼蒸気ガスタービン合体機関。
【請求項４４６】
燃焼ガス（１０）爆発力で水（５ａ）を混合噴射加速して竪型全動翼ガスタービン（１０Ａ）の出力を発生し、その排気で冷熱回収器（１０２）を駆動して５℃前後の水道水冷熱を回収貯蔵して需要家に供給すると共に、水道水冷熱利用の冷凍設備機器を製造販売することが特徴の竪型全動翼蒸気ガスタービン合体機関。
【請求項４４７】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷蔵設備機器を製造販売することが特徴の竪型全動翼蒸気ガスタービン合体機関。
【請求項４４８】
燃焼ガス（１０）爆発力で水（５ａ）を混合噴射加速して竪型全動翼ガスタービン（１０Ａ）の出力を発生し、その排気で冷熱回収器（１０２）を駆動し５℃前後の水道水冷熱を回収貯蔵して需要家に供給すると共に、水道水冷熱利用の冷蔵設備機器を製造販売することが特徴の竪型全動翼蒸気ガスタービン合体機関。
【請求項４４９】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷房設備機器を製造販売することが特徴の竪型全動翼蒸気ガスタービン合体機関。
【請求項４５０】
燃焼ガス（１０）爆発力で水（５ａ）を混合噴射加速して竪型全動翼ガスタービン（１０Ａ）の出力を発生し、その排気で冷熱回収器（１０２）を駆動し５℃前後の水道水冷熱を回収貯蔵して需要家に供給すると共に、水道水冷熱利用の冷房設備機器を製造販売することが特徴の竪型全動翼蒸気ガスタービン合体機関。
【請求項４５１】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４５２】
燃焼ガス（１０）爆発力で水（５ａ）を混合噴射加速して竪型全動翼ガスタービン（１０Ａ）の出力を発生し、その排気で冷熱回収器（１０２）を駆動して５℃前後の水道水冷熱を回収貯蔵して需要家に供給すると共に、水道水冷熱利用の冷凍設備機器を製造販売して脱フロンにより地球温暖化防止することが特徴の竪型全動翼蒸気ガスタービン合体機関。
【請求項４５３】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４５４】
燃焼ガス（１０）爆発力で水（５ａ）を混合噴射加速して竪型全動翼ガスタービン（１０Ａ）の出力を発生し、その排気で冷熱回収器（１０２）を駆動し５℃前後の水道水冷熱を回収貯蔵して需要家に供給すると共に、水道水冷熱利用の冷蔵設備機器を製造販売して脱フロンにより地球温暖化防止することが特徴の竪型全動翼蒸気ガスタービン合体機関。
【請求項４５５】
燃焼ガス（１０）爆発力で水（５ａ）を混合噴射加速して竪型全動翼ガスタービン（１０Ａ）の出力を発生し、その排気で冷熱回収器（１０２）を駆動して水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４５６】
燃焼ガス（１０）爆発力で水（５ａ）を混合噴射加速して竪型全動翼ガスタービン（１０Ａ）の出力を発生し、その排気で冷熱回収器（１０２）を駆動し５℃前後の水道水冷熱を回収貯蔵して需要家に供給すると共に、水道水冷熱利用の冷房設備機器を製造販売して脱フロンにより地球温暖化防止することが特徴の竪型全動翼蒸気ガスタービン合体機関。
【請求項４５７】
燃焼ガス（１０）爆発力で水（５ａ）を混合噴射加速して竪型全動翼ガスタービン（１０Ａ）の出力を発生し、その排気で冷熱回収器（１０２）を駆動して熱交換して得た燃焼ガス（１０）を水（５ａ）に溶解することが特徴の竪型全動翼蒸気ガスタービン合体機関。
【請求項４５８】
燃焼ガス（１０）爆発力で水（５ａ）を混合噴射加速して竪型全動翼ガスタービン（１０Ａ）の出力を発生し、その排気で冷熱回収器（１０２）を駆動して熱交換して得た燃焼ガス（１０）を水（５ａ）に溶解して燃焼ガス（１０）排気を０に近付けることが特徴の竪型全動翼蒸気ガスタービン合体機関。
【請求項４５９】
過熱蒸気（５ｃ）爆発力により水（５ａ）を混合噴射加速して出力を発生し、過熱蒸気供給熱量を最少の気化熱に近付けることが特徴の竪型全動翼蒸気ガスタービン合体機関。
【請求項４６０】
過熱蒸気（５ｃ）爆発力により水（５ａ）を混合噴射加速して＋重力加速度で出力を発生し、過熱蒸気供給熱量を最少の気化熱に近付けることが特徴の竪型全動翼蒸気ガスタービン合体機関。
【請求項４６１】
過熱蒸気（５ｃ）爆発力により水（５ａ）を混合噴射加速して出力を発生して海水温度の上昇を皆無にし、過熱蒸気供給熱量を最少の気化熱に近付けることが特徴の竪型全動翼蒸気ガスタービン合体機関。
【請求項４６２】
過熱蒸気（５ｃ）爆発力により水（５ａ）を混合噴射加速して＋重力加速度で出力を発生して海水温度の上昇を皆無にし、過熱蒸気供給熱量を最少の気化熱に近付けることが特徴の竪型全動翼蒸気ガスタービン合体機関。
【請求項４６３】
過熱蒸気（５ｃ）爆発力により水（５ａ）を混合噴射加速して出力を発生して燃焼ガス質量の排気を０に近付け、過熱蒸気供給熱量を最少の気化熱に近付けることが特徴の竪型全動翼蒸気ガスタービン合体機関。
【請求項４６４】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けることが特徴の竪型全動翼蒸気ガスタービン合体機関。
【請求項４６５】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収することが特徴の竪型全動翼蒸気ガスタービン合体機関。
【請求項４６６】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収することが特徴の竪型全動翼蒸気ガスタービン合体機関。
【請求項４６７】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して海水温度の上昇を皆無にすることが特徴の竪型全動翼蒸気ガスタービン合体機関。
【請求項４６８】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して海水温度の上昇を皆無にすることが特徴の竪型全動翼蒸気ガスタービン合体機関。
【請求項４６９】
過熱蒸気（５ｃ）爆発力により水（５ａ）を混合噴射加速して出力を発生して燃焼ガス質量の排気を０に近付け、過熱蒸気供給熱量を最少の気化熱に近付けてその熱を気化潜熱回収器（６６ａ）で回収することが特徴の竪型全動翼蒸気ガスタービン合体機関。
【請求項４７０】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収することが特徴の竪型全動翼蒸気ガスタービン合体機関。
【請求項４７１】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項４７２】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給して海水温度の上昇を皆無にすることが特徴の竪型全動翼蒸気ガスタービン合体機関。
【請求項４７３】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項４７４】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して凝縮水を燃焼器兼熱交換器（４）に供給することが特徴の竪型全動翼蒸気ガスタービン合体機関。
【請求項４７５】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して１００℃以下の水道水温熱で供給することが特徴の竪型全動翼蒸気ガスタービン合体機関。
【請求項４７６】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して１００℃以下の水道水温熱で供給して凝縮水を燃焼器兼熱交換器（４）に供給することが特徴の竪型全動翼蒸気ガスタービン合体機関。
【請求項４７７】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して１００℃以下の水道水温熱で供給して海水温度の上昇を皆無にすることが特徴の竪型全動翼蒸気ガスタービン合体機関。
【請求項４７８】
過熱蒸気（５ｃ）爆発力により水（５ａ）を混合噴射加速して出力を発生して燃焼ガス質量の排気を０に近付け、過熱蒸気供給熱量を最少の気化熱に近付けてその熱を気化潜熱回収器（６６ａ）で回収して１００℃以下の水道水温熱で供給することが特徴の竪型全動翼蒸気ガスタービン合体機関。
【請求項４７９】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して水道水温熱で供給すると共に、水道水温熱利用の暖房設備を供給することが特徴の竪型全動翼蒸気ガスタービン合体機関。
【請求項４８０】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して水道水温熱で供給すると共に、水道水温熱利用の暖房設備を供給して海水温度の上昇を皆無にすることが特徴の竪型全動翼蒸気ガスタービン合体機関。
【請求項４８１】
過熱蒸気（５ｃ）爆発力により水（５ａ）を混合噴射加速して出力を発生して燃焼ガス質量の排気を０に近付け、過熱蒸気供給熱量を最少の気化熱に近付けてその熱を気化潜熱回収器（６６ａ）で回収して水道水温熱で供給すると共に、水道水温熱利用の暖房設備を供給することが特徴の竪型全動翼蒸気ガスタービン合体機関。
【請求項４８２】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給することが特徴の竪型全動翼蒸気ガスタービン合体機関。
【請求項４８３】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給して海水温度の上昇を皆無にすることが特徴の竪型全動翼蒸気ガスタービン合体機関。
【請求項４８４】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して１００℃以下の水道水温熱で供給すると共に、水道水温熱利用の暖房設備を供給することが特徴の竪型全動翼蒸気ガスタービン合体機関。
【請求項４８５】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給すると共に、水道水温熱利用の暖房機器を供給することが特徴の竪型全動翼蒸気ガスタービン合体機関。
【請求項４８６】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給すると共に、水道水温熱利用の暖房機器を供給して海水温度の上昇を皆無にすることが特徴の竪型全動翼蒸気ガスタービン合体機関。
【請求項４８７】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して水道水温熱で供給すると共に、水道水温熱利用の暖房機器を供給することが特徴の竪型全動翼蒸気ガスタービン合体機関。
【請求項４８８】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給することが特徴の竪型全動翼蒸気ガスタービン合体機関。
【請求項４８９】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給して海水温度の上昇を皆無にすることが特徴の竪型全動翼蒸気ガスタービン合体機関。
【請求項４９０】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して１００℃以下の水道水温熱で供給すると共に、水道水温熱利用の暖房機器を供給することが特徴の竪型全動翼蒸気ガスタービン合体機関。
【請求項４９１】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して水道水温熱で供給すると共に、水道水温熱利用の厨房設備を供給することが特徴の竪型全動翼蒸気ガスタービン合体機関。
【請求項４９２】
過熱蒸気（５ｃ）爆発力により水（５ａ）を混合噴射加速して出力を発生し、過熱蒸気供給熱量を最少の気化熱に近付けてその熱を気化潜熱回収器（６６ａ）で回収して水道水温熱で供給すると共に、水道水温熱利用の厨房設備を供給して海水温度の上昇を皆無にすることが特徴の竪型全動翼蒸気ガスタービン合体機関。
【請求項４９３】
過熱蒸気（５ｃ）爆発力により水（５ａ）を混合噴射加速して出力を発生して燃焼ガス質量の排気を０に近付け、過熱蒸気供給熱量を最少の気化熱に近付けてその熱を気化潜熱回収器（６６ａ）で回収して水道水温熱で供給すると共に、水道水温熱利用の厨房設備を供給することが特徴の竪型全動翼蒸気ガスタービン合体機関。
【請求項４９４】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の厨房設備を供給することが特徴の竪型全動翼蒸気ガスタービン合体機関。
【請求項４９５】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の厨房設備を供給して海水温度の上昇を皆無にすることが特徴の竪型全動翼蒸気ガスタービン合体機関。
【請求項４９６】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して１００℃以下の水道水温熱で供給すると共に、水道水温熱利用の厨房設備を供給することが特徴の竪型全動翼蒸気ガスタービン合体機関。
【請求項４９７】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給すると共に、水道水温熱利用の厨房機器を供給することが特徴の竪型全動翼蒸気ガスタービン合体機関。
【請求項４９８】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して水道水温熱で供給すると共に、水道水温熱利用の厨房機器を供給して海水温度の上昇を皆無にすることが特徴の竪型全動翼蒸気ガスタービン合体機関。
【請求項４９９】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して水道水温熱で供給すると共に、水道水温熱利用の厨房機器を供給することが特徴の竪型全動翼蒸気ガスタービン合体機関。
【請求項５００】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の厨房機器を供給することが特徴の竪型全動翼蒸気ガスタービン合体機関。
【請求項５０１】
過熱蒸気（５ｃ）爆発力により水（５ａ）を混合噴射加速して＋重力加速度で出力を発生し、過熱蒸気供給熱量を最少の気化熱に近付けてその熱を気化潜熱回収器（６６ａ）で回収して１００℃以下の水道水温熱で供給すると共に、水道水温熱利用の厨房機器を供給して海水温度の上昇を皆無にすることが特徴の竪型全動翼蒸気ガスタービン合体機関。
【請求項５０２】
過熱蒸気（５ｃ）爆発力により水（５ａ）を混合噴射加速して＋重力加速度で出力を発生して燃焼ガス質量の排気を０に近付け、過熱蒸気供給熱量を最少の気化熱に近付けてその熱を気化潜熱回収器（６６ａ）で回収して１００℃以下の水道水温熱で供給すると共に、水道水温熱利用の厨房機器を供給することが特徴の竪型全動翼蒸気ガスタービン合体機関。
【請求項５０３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離することが特徴の竪型全動翼蒸気ガスタービン合体機関。
【請求項５０４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して夫々＋重力加速度で出力を発生し、燃焼ガス質量の排気を水に溶解して０に近付けることが特徴の竪型全動翼蒸気ガスタービン合体機関。
【請求項５０５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）の出力を発生することが特徴の竪型全動翼蒸気ガスタービン合体機関。
【請求項５０６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気噴射ノズル（５９ｇ）の環状の過熱蒸気溜（３２ｃ）の過熱蒸気（５ｃ）爆発力により１以上の水（５ａ）を加速して＋重力加速度で竪型全動翼蒸気タービン（５Ａ）の出力を発生することが特徴の竪型全動翼蒸気ガスタービン合体機関。
【請求項５０７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）の出力を発生し、過熱蒸気供給熱量を最少の気化熱に近付けることが特徴の竪型全動翼蒸気ガスタービン合体機関。
【請求項５０８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気噴射ノズル（５９ｇ）の環状の過熱蒸気溜（３２ｃ）の過熱蒸気（５ｃ）爆発力により１以上の水（５ａ）を加速して＋重力加速度で竪型全動翼蒸気タービン（５Ａ）の出力を発生して、過熱蒸気供給熱量を最少の気化熱に近付けることが特徴の竪型全動翼蒸気ガスタービン合体機関。
【請求項５０９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）の出力を発生し、過熱蒸気供給熱量を最少の気化熱に近付けてその熱を気化潜熱回収器（６６ａ）で回収することが特徴の竪型全動翼蒸気ガスタービン合体機関。
【請求項５１０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気噴射ノズル（５９ｇ）の環状の過熱蒸気溜（３２ｃ）の過熱蒸気（５ｃ）爆発力により１以上の水（５ａ）を加速して＋重力加速度で竪型全動翼蒸気タービン（５Ａ）の出力を発生して、過熱蒸気供給熱量を最少の気化熱に近付けてその熱を気化潜熱回収器（６６ａ）で回収することが特徴の竪型全動翼蒸気ガスタービン合体機関。
【請求項５１１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して燃焼ガス（１０）質量爆発力で不用冷却液化燃焼ガス（１０ｂ）を加速して＋重力加速度で竪型全動翼ガスタービン（１０Ａ）の出力を発生し、その排気で燃焼ガス質量を冷却することが特徴の竪型全動翼蒸気ガスタービン合体機関。
【請求項５１２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して燃焼ガス（１０）質量爆発力で不用冷却液化燃焼ガス（１０ｂ）を加速して＋重力加速度で竪型全動翼ガスタービン（１０Ａ）の出力を発生し、その排気で燃焼ガス質量を冷却する燃焼ガス液化分離装置（１０６）を具備したことが特徴の竪型全動翼蒸気ガスタービン合体機関。
【請求項５１３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して燃焼ガス噴射ノズル（５９ｅ）の燃焼ガス（１０）爆発力で不用冷却液化燃焼ガス（１０ｂ）を噴射加速して＋重力加速度で竪型全動翼ガスタービン（１０Ａ）の出力を発生し、その排気で燃焼ガス質量を冷却する燃焼ガス液化分離装置（１０６）を具備して燃焼ガスを液化分離することが特徴の竪型全動翼蒸気ガスタービン合体機関。
【請求項５１４】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することが特徴の竪型全動翼蒸気ガスタービン合体機関。
【請求項５１５】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで排気温度を低下することが特徴の竪型全動翼蒸気ガスタービン合体機関。
【請求項５１６】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に燃焼ガス液化分離装置（１０６）で燃焼ガスを液化分離回収して、不用分を燃焼ガス噴射ノズル（５９ｅ）より噴射することで排気温度を低下することが特徴の竪型全動翼蒸気ガスタービン合体機関。
【請求項５１７】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射し、余りの燃焼ガス質量を燃焼ガス液化分離装置（１０６）で液化分離回収して、不用分を燃焼ガス噴射ノズル（５９ｅ）より噴射することが特徴の竪型全動翼蒸気ガスタービン合体機関。
【請求項５１８】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射し、余りの燃焼ガス質量を燃焼ガス液化分離装置（１０６）で液化分離回収して、不用分を燃焼ガス噴射ノズル（５９ｅ）より噴射することで排気温度を低下することが特徴の竪型全動翼蒸気ガスタービン合体機関。
【請求項５１９】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで燃焼ガスの液化を容易にすることが特徴の竪型全動翼蒸気ガスタービン合体機関。
【請求項５２０】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで液化燃焼ガスの噴射を可能にすることが特徴の竪型全動翼蒸気ガスタービン合体機関。
【請求項５２１】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで液化燃焼ガスの噴射により重力加速度を増大することが特徴の竪型全動翼蒸気ガスタービン合体機関。
【請求項５２２】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで液化燃焼ガスの噴射により重力仕事率を増大することが特徴の竪型全動翼蒸気ガスタービン合体機関。
【請求項５２３】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで液化燃焼ガスの噴射により出力を増大することが特徴の竪型全動翼蒸気ガスタービン合体機関。
【請求項５２４】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス質量を水道水冷熱（７２）により冷却後に分割して燃焼ガス噴射ノズル（５９ｅ）より噴射して竪型全動翼ガスタービン（１０Ａ）の出力を発生し、その排気で燃焼ガス質量を冷却する燃焼ガス液化分離装置（１０６）を具備して燃焼ガスを液化分離回収して、不用分を燃焼ガス噴射ノズル（５９ｅ）より噴射することで液化燃焼ガスの噴射により発電量を増大することが特徴の竪型全動翼蒸気ガスタービン合体機関。
【請求項５２５】
撥水鍍金水冷却翼（８７）と送水ポンプ兼二重反転磁気摩擦動力伝達装置（１４ａ）と燃焼器兼熱交換器（４）で燃焼ガス熱量＋燃焼ガス質量に分離し、燃焼ガス噴射ノズル（５９ｅ）により燃焼ガス（１０）爆発力で不用冷却液化燃焼ガス（１０ｂ）を加速して＋重力加速度で竪型全動翼ガスタービン（１０Ａ）の出力を発生し、その排気で燃焼ガス質量を冷却する燃焼ガス液化分離装置（１０６）を具備して燃焼ガスを液化分離回収し、その後流に冷熱回収器（１０２）を具備することが特徴の竪型全動翼蒸気ガスタービン合体機関。
【請求項５２６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生することが特徴の竪型全動翼蒸気ガスタービン合体機関。
【請求項５２７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して燃焼ガス質量の排気を水に溶解して０に近付けることが特徴の竪型全動翼蒸気ガスタービン合体機関。
【請求項５２８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を水道水冷熱にすることが特徴の竪型全動翼蒸気ガスタービン合体機関。
【請求項５２９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を水道水冷熱にして燃焼ガス質量の排気を水に溶解して０に近付けることが特徴の竪型全動翼蒸気ガスタービン合体機関。
【請求項５３０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を５℃前後の水道水冷熱にすることが特徴の竪型全動翼蒸気ガスタービン合体機関。
【請求項５３１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を５℃前後の水道水冷熱にして燃焼ガス質量の排気を水に溶解して０に近付けることが特徴の竪型全動翼蒸気ガスタービン合体機関。
【請求項５３２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を水道水冷熱にして需要家に供給することが特徴の竪型全動翼蒸気ガスタービン合体機関。
【請求項５３３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を水道水冷熱にして需要家に供給して燃焼ガス質量の排気を水に溶解して０に近付けることが特徴の竪型全動翼蒸気ガスタービン合体機関。
【請求項５３４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を５℃前後の水道水冷熱にして需要家に供給することが特徴の竪型全動翼蒸気ガスタービン合体機関。
【請求項５３５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス（１０）質量爆発力で水（５ａ）を加速して＋重力加速度で竪型全動翼ガスタービン（１０Ａ）の出力を発生して冷熱回収器（１０２）により排気燃焼ガス質量を５℃前後の水道水冷熱にして需要家に供給して燃焼ガス質量の排気を水に溶解して０に近付けることが特徴の竪型全動翼蒸気ガスタービン合体機関。
【請求項５３６】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項５３７】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生して燃焼ガス質量の排気を０に近付け、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項５３８】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給することが特徴の竪型全動翼蒸気ガスタービン合体機関。
【請求項５３９】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱として海水を気化蒸留することが特徴の竪型全動翼蒸気ガスタービン合体機関。
【請求項５４０】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱として海水を気化蒸留し、蒸留水を需要家に供給することが特徴の竪型全動翼蒸気ガスタービン合体機関。
【請求項５４１】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱として海水を気化蒸留し、蒸留水を需要家に供給すると共に塩を製造することが特徴の竪型全動翼蒸気ガスタービン合体機関。
【請求項５４２】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱として海水を気化蒸留し、蒸留水を需要家に供給すると共に塩を製造販売することが特徴の竪型全動翼蒸気ガスタービン合体機関。
【請求項５４３】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の暖房設備を供給することが特徴の竪型全動翼蒸気ガスタービン合体機関。
【請求項５４４】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給することが特徴の竪型全動翼蒸気ガスタービン合体機関。
【請求項５４５】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の暖房機器を供給することが特徴の竪型全動翼蒸気ガスタービン合体機関。
【請求項５４６】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給することが特徴の竪型全動翼蒸気ガスタービン合体機関。
【請求項５４７】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の厨房設備を供給することが特徴の竪型全動翼蒸気ガスタービン合体機関。
【請求項５４８】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の厨房設備を供給することが特徴の竪型全動翼蒸気ガスタービン合体機関。
【請求項５４９】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の厨房機器を供給することが特徴の竪型全動翼蒸気ガスタービン合体機関。
【請求項５５０】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の厨房機器を供給することが特徴の竪型全動翼蒸気ガスタービン合体機関。
【請求項５５１】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の暖房設備を供給して海水温度の上昇を皆無することが特徴の竪型全動翼蒸気ガスタービン合体機関。
【請求項５５２】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給して海水温度の上昇を皆無することが特徴の竪型全動翼蒸気ガスタービン合体機関。
【請求項５５３】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の暖房機器を供給して海水温度の上昇を皆無することが特徴の竪型全動翼蒸気ガスタービン合体機関。
【請求項５５４】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給して海水温度の上昇を皆無することが特徴の竪型全動翼蒸気ガスタービン合体機関。
【請求項５５５】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の厨房設備を供給して海水温度の上昇を皆無することが特徴の竪型全動翼蒸気ガスタービン合体機関。
【請求項５５６】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の厨房設備を供給して海水温度の上昇を皆無することが特徴の竪型全動翼蒸気ガスタービン合体機関。
【請求項５５７】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して水道水温熱で供給すると共に、水道水温熱利用の厨房機器を供給して海水温度の上昇を皆無することが特徴の竪型全動翼蒸気ガスタービン合体機関。
【請求項５５８】
燃焼ガス熱量を超臨界圧力等過熱蒸気（５ｃ）に変換して、過熱蒸気（５ｃ）爆発力により１以上の水（５ａ）を加速して＋重力加速度で竪型全動翼蒸気タービン（５Ａ）出力を発生し、過熱蒸気供給熱量を最少の気化熱に近付けてその熱を気化潜熱回収器（６６ａ）で回収して１００℃以下の水道水温熱で供給すると共に、水道水温熱利用の厨房機器を供給して海水温度の上昇を皆無することが特徴の竪型全動翼蒸気ガスタービン合体機関。
【請求項５５９】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍設備を供給することが特徴の竪型全動翼蒸気ガスタービン合体機関。
【請求項５６０】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項５６１】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍設備を供給することが特徴の竪型全動翼蒸気ガスタービン合体機関。
【請求項５６２】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項５６３】
撥燃焼ガス（１０）質量爆発力と重力加速度で竪型全動翼ガスタービン（１０Ａ）出力を発生して冷熱回収器（１０２）により排気燃焼ガス質量を水道水冷熱にして需要家に供給すると共に、水道水冷熱利用の冷凍機器を供給することが特徴の竪型全動翼蒸気ガスタービン合体機関。
【請求項５６４】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項５６５】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍機器を供給することが特徴の竪型全動翼蒸気ガスタービン合体機関。
【請求項５６６】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項５６７】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵機器を供給することが特徴の竪型全動翼蒸気ガスタービン合体機関。
【請求項５６８】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項５６９】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵機器を供給することが特徴の竪型全動翼蒸気ガスタービン合体機関。
【請求項５７０】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項５７１】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵設備を供給することが特徴の竪型全動翼蒸気ガスタービン合体機関。
【請求項５７２】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項５７３】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵設備を供給することが特徴の竪型全動翼蒸気ガスタービン合体機関。
【請求項５７４】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項５７５】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房設備を供給することが特徴の竪型全動翼蒸気ガスタービン合体機関。
【請求項５７６】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項５７７】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房設備を供給することが特徴の竪型全動翼蒸気ガスタービン合体機関。
【請求項５７８】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項５７９】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房機器を供給することが特徴の竪型全動翼蒸気ガスタービン合体機関。
【請求項５８０】
燃焼ガス（１０）質量爆発力と重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項５８１】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房機器を供給することが特徴の竪型全動翼蒸気ガスタービン合体機関。
【請求項５８２】
燃焼ガス（１０）質量爆発力と重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項５８３】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍設備を供給することが特徴の竪型全動翼蒸気ガスタービン合体機関。
【請求項５８４】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項５８５】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍設備を供給することが特徴の竪型全動翼蒸気ガスタービン合体機関。
【請求項５８６】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項５８７】
撥燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍機器を供給することが特徴の竪型全動翼蒸気ガスタービン合体機関。
【請求項５８８】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項５８９】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍機器を供給することが特徴の竪型全動翼蒸気ガスタービン合体機関。
【請求項５９０】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項５９１】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵機器を供給することが特徴の竪型全動翼蒸気ガスタービン合体機関。
【請求項５９２】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項５９３】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵機器を供給することが特徴の竪型全動翼蒸気ガスタービン合体機関。
【請求項５９４】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項５９５】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵設備を供給することが特徴の竪型全動翼蒸気ガスタービン合体機関。
【請求項５９６】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項５９７】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵設備を供給することが特徴の竪型全動翼蒸気ガスタービン合体機関。
【請求項５９８】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項５９９】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房設備を供給することが特徴の竪型全動翼蒸気ガスタービン合体機関。
【請求項６００】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項６０１】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房設備を供給することが特徴の竪型全動翼蒸気ガスタービン合体機関。
【請求項６０２】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項６０３】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房機器を供給することが特徴の竪型全動翼蒸気ガスタービン合体機関。
【請求項６０４】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項６０５】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房機器を供給することが特徴の竪型全動翼蒸気ガスタービン合体機関。
【請求項６０６】
燃焼ガス（１０）質量爆発力で水（５ａ）を混合噴射加速してその重力加速度で竪型全動翼ガスタービン（１０Ａ）出力を発生して冷熱回収器（１０２）により排気燃焼ガス質量を５℃前後の水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項６０７】
燃焼ガス液化分離装置（１０６）を具備して水道水冷熱（７２）で洗浄冷却した燃焼ガスを冷却液化分離して燃焼ガス噴射ノズル（５９ｅ）の燃焼ガス（１０）爆発力により冷却燃焼ガスを含む不用液化燃焼ガス（１０ｂ）を混合噴射加速することが特徴の竪型全動翼蒸気ガスタービン合体機関。
【請求項６０８】
燃焼ガス液化分離装置（１０６）を具備して水道水冷熱（７２）で洗浄冷却した燃焼ガスを供給液化分離して燃焼ガス噴射ノズル（５９ｅ）の燃焼ガス（１０）爆発力により不用冷却液化燃焼ガス（１０ｂ）を混合噴射加速することが特徴の竪型全動翼蒸気ガスタービン合体機関。
【請求項６０９】
燃焼ガス液化分離装置（１０６）を具備して水道水冷熱（７２）で洗浄冷却した燃焼ガスを液化分離して燃焼ガス噴射ノズル（５９ｅ）の燃焼ガス（１０）爆発力と霧吹きの原理により不用冷却液化燃焼ガス（１０ｂ）を混合噴射加速することが特徴の竪型全動翼蒸気ガスタービン合体機関。
【請求項６１０】
燃焼ガス液化分離装置（１０６）を具備して水道水冷熱（７２）で洗浄冷却した燃焼ガスを供給液化分離して燃焼ガス噴射ノズル（５９ｅ）の燃焼ガス（１０）爆発力と霧吹きの原理により不用冷却液化燃焼ガス（１０ｂ）を混合噴射加速することが特徴の竪型全動翼蒸気ガスタービン合体機関。
【請求項６１１】
燃焼ガス液化分離装置（１０６）を具備して水道水冷熱（７２）で洗浄冷却した燃焼ガスを液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射することが特徴の竪型全動翼蒸気ガスタービン合体機関。
【請求項６１２】
燃焼ガス液化分離装置（１０６）を具備して水道水冷熱（７２）で洗浄冷却した燃焼ガスを供給液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射することが特徴の竪型全動翼蒸気ガスタービン合体機関。
【請求項６１３】
燃焼ガス液化分離装置（１０６）を具備して水道水冷熱（７２）で洗浄冷却した燃焼ガスを液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生することが特徴の竪型全動翼蒸気ガスタービン合体機関。
【請求項６１４】
燃焼ガス液化分離装置（１０６）を具備して水道水冷熱（７２）で洗浄冷却した燃焼ガスを供給液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生することが特徴の竪型全動翼蒸気ガスタービン合体機関。
【請求項６１５】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にすることが特徴の竪型全動翼蒸気ガスタービン合体機関。
【請求項６１６】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にすることが特徴の竪型全動翼蒸気ガスタービン合体機関。
【請求項６１７】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離することが特徴の竪型全動翼蒸気ガスタービン合体機関。
【請求項６１８】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離することが特徴の竪型全動翼蒸気ガスタービン合体機関。
【請求項６１９】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離して、液化二酸化炭素を選別回収することが特徴の竪型全動翼蒸気ガスタービン合体機関。
【請求項６２０】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離して、液化二酸化炭素を選別回収することが特徴の竪型全動翼蒸気ガスタービン合体機関。
【請求項６２１】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離して、液体窒素を選別回収することが特徴の竪型全動翼蒸気ガスタービン合体機関。
【請求項６２２】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して出力発生し、その排気を燃焼ガス液化分離装置の冷媒にして燃焼ガスを液化分離して、液体窒素を選別回収することが特徴の竪型全動翼蒸気ガスタービン合体機関。
【請求項６２３】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、特定液化燃焼ガスを選別回収することが特徴の竪型全動翼蒸気ガスタービン合体機関。
【請求項６２４】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、特定液化燃焼ガスを選別回収することが特徴の竪型全動翼蒸気ガスタービン合体機関。
【請求項６２５】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、不用冷却液化燃焼ガス（１０ｂ）を燃焼ガス噴射ノズル（５９ｅ）より噴射することが特徴の竪型全動翼蒸気ガスタービン合体機関。
【請求項６２６】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、不用冷却液化燃焼ガス（１０ｂ）を燃焼ガス噴射ノズル（５９ｅ）より噴射することが特徴の竪型全動翼蒸気ガスタービン合体機関。
【請求項６２７】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、不用冷却液化燃焼ガス（１０ｂ）を燃焼ガス噴射ノズル（５９ｅ）の燃焼ガス（１０）爆発力と霧吹きの原理により噴射加速することが特徴の竪型全動翼蒸気ガスタービン合体機関。
【請求項６２８】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射して回転出力発生し、その排気を燃焼ガス液化分離装置の冷媒にして燃焼ガスを液化分離して、不用冷却液化燃焼ガス（１０ｂ）を燃焼ガス噴射ノズル（５９ｅ）の燃焼ガス（１０）爆発力と霧吹きの原理により噴射加速することが特徴の竪型全動翼蒸気ガスタービン合体機関。
【請求項６２９】
燃焼ガス液化分離装置（１０６）を具備して水道水冷熱（７２）で洗浄冷却した燃焼ガスを用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射し、重力仕事率＋重力加速度で回転出力を発生し、その排気を燃焼ガス液化分離装置の冷媒にして燃焼ガスを液化分離して、不用冷却液化燃焼ガス（１０ｂ）を燃焼ガス噴射ノズル（５９ｅ）の燃焼ガス（１０）爆発力と霧吹きの原理により噴射加速することが特徴の竪型全動翼蒸気ガスタービン合体機関。
【請求項６３０】
燃焼ガス液化分離装置（１０６）を具備して水道水冷熱（７２）で洗浄冷却した燃焼ガスを供給用途に合わせて液化分離して燃焼ガス噴射ノズル（５９ｅ）の燃焼ガス（１０）爆発力と霧吹きの原理により不用冷却液化燃焼ガス（１０ｂ）を混合噴射加速して竪型全動翼ガスタービン（１０Ａ）の最上流に噴射し、重力仕事率＋重力加速度で回転出力を発生し、その排気を燃焼ガス液化分離装置の冷媒にして燃焼ガスを液化分離して、不用冷却液化燃焼ガス（１０ｂ）を燃焼ガス噴射ノズル（５９ｅ）の燃焼ガス（１０）爆発力と霧吹きの原理により噴射加速することが特徴の竪型全動翼蒸気ガスタービン合体機関。
【請求項６３１】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給することが特徴の竪型全動翼蒸気ガスタービン合体機関。
【請求項６３２】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給して燃焼ガス質量の排気を水に溶解して０に近付けることが特徴の竪型全動翼蒸気ガスタービン合体機関。
【請求項６３３】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍設備を供給することが特徴の竪型全動翼蒸気ガスタービン合体機関。
【請求項６３４】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍設備を供給して脱フロンにより地球温暖化防止することが特徴の竪型全動翼蒸気ガスタービン合体機関。
【請求項６３５】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項６３６】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍設備を供給することが特徴の竪型全動翼蒸気ガスタービン合体機関。
【請求項６３７】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍設備を供給して脱フロンにより地球温暖化防止することが特徴の竪型全動翼蒸気ガスタービン合体機関。
【請求項６３８】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍設備を供給して燃焼ガス質量の排気を水に溶解して０に近付けることが特徴の竪型全動翼蒸気ガスタービン合体機関。
【請求項６３９】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍機器を供給することが特徴の竪型全動翼蒸気ガスタービン合体機関。
【請求項６４０】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍機器を供給して脱フロンにより地球温暖化防止することが特徴の竪型全動翼蒸気ガスタービン合体機関。
【請求項６４１】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項６４２】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍機器を供給することが特徴の竪型全動翼蒸気ガスタービン合体機関。
【請求項６４３】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍機器を供給して脱フロンにより地球温暖化防止することが特徴の竪型全動翼蒸気ガスタービン合体機関。
【請求項６４４】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷凍機器を供給して燃焼ガス質量の排気を水に溶解して０に近付けることが特徴の竪型全動翼蒸気ガスタービン合体機関。
【請求項６４５】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵機器を供給することが特徴の竪型全動翼蒸気ガスタービン合体機関。
【請求項６４６】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵機器を供給して脱フロンにより地球温暖化防止することが特徴の竪型全動翼蒸気ガスタービン合体機関。
【請求項６４７】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項６４８】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵機器を供給することが特徴の竪型全動翼蒸気ガスタービン合体機関。
【請求項６４９】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵機器を供給して脱フロンにより地球温暖化防止することが特徴の竪型全動翼蒸気ガスタービン合体機関。
【請求項６５０】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵機器を供給して燃焼ガス質量の排気を水に溶解して０に近付けることが特徴の竪型全動翼蒸気ガスタービン合体機関。
【請求項６５１】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵設備を供給することが特徴の竪型全動翼蒸気ガスタービン合体機関。
【請求項６５２】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵設備を供給して脱フロンにより地球温暖化防止することが特徴の竪型全動翼蒸気ガスタービン合体機関。
【請求項６５３】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項６５４】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵設備を供給することが特徴の竪型全動翼蒸気ガスタービン合体機関。
【請求項６５５】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵設備を供給して脱フロンにより地球温暖化防止することが特徴の竪型全動翼蒸気ガスタービン合体機関。
【請求項６５６】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷蔵設備を供給して燃焼ガス質量の排気を水に溶解して０に近付けることが特徴の竪型全動翼蒸気ガスタービン合体機関。
【請求項６５７】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房設備を供給することが特徴の竪型全動翼蒸気ガスタービン合体機関。
【請求項６５８】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房設備を供給して脱フロンにより地球温暖化防止することが特徴の竪型全動翼蒸気ガスタービン合体機関。
【請求項６５９】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項６６０】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房設備を供給することが特徴の竪型全動翼蒸気ガスタービン合体機関。
【請求項６６１】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房設備を供給して脱フロンにより地球温暖化防止することが特徴の竪型全動翼蒸気ガスタービン合体機関。
【請求項６６２】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房設備を供給して燃焼ガス質量の排気を水に溶解して０に近付けることが特徴の竪型全動翼蒸気ガスタービン合体機関。
【請求項６６３】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房機器を供給することが特徴の竪型全動翼蒸気ガスタービン合体機関。
【請求項６６４】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房機器を供給して脱フロンにより地球温暖化防止することが特徴の竪型全動翼蒸気ガスタービン合体機関。
【請求項６６５】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項６６６】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房機器を供給することが特徴の竪型全動翼蒸気ガスタービン合体機関。
【請求項６６７】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房機器を供給して脱フロンにより地球温暖化防止することが特徴の竪型全動翼蒸気ガスタービン合体機関。
【請求項６６８】
燃焼ガス（１０）爆発力で不用冷却液化燃焼ガス（１０ｂ）を噴射加速して＋重力加速度で竪型全動翼ガスタービン（１０Ａ）の出力を発生して冷熱回収器（１０２）により排気燃焼ガス質量を５℃前後の水道水冷熱（７２）にして需要家に供給すると共に、水道水冷熱利用の冷房機器を供給して燃焼ガス質量の排気を水に溶解して０に近付けることが特徴の竪型全動翼蒸気ガスタービン合体機関。
【請求項６６９】
燃焼ガス（１０）爆発力で不用冷却液化燃焼ガス（１０ｂ）を噴射加速して＋重力加速度で竪型全動翼ガスタービン（１０Ａ）の出力を発生し、その排気を水に溶解海水を冷却して海水温度を低下させることが特徴の竪型全動翼蒸気ガスタービン合体機関。
【請求項６７０】
燃焼ガス（１０）爆発力で不用冷却液化燃焼ガス（１０ｂ）を噴射加速して＋重力加速度で竪型全動翼ガスタービン（１０Ａ）の出力を発生し、その排気を水に溶解して残飯や植物片に固定して肥料にすることが特徴の竪型全動翼蒸気ガスタービン合体機関。
【請求項６７１】
燃焼ガス（１０）爆発力で不用冷却液化燃焼ガス（１０ｂ）を噴射加速して＋重力加速度で竪型全動翼ガスタービン（１０Ａ）の出力を発生し、その排気を水に溶解して海中に希薄供給して先ず微生物や藻類等を繁殖させて食料を増産することが特徴の竪型全動翼蒸気ガスタービン合体機関。
【請求項６７２】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単高速回転にして限り無く高圧空気圧縮して燃焼器兼熱交換器（４）により燃焼ガス熱量＋燃焼ガス質量に分離して、燃焼ガス質量で出力を発生することが特徴の竪型全動翼蒸気ガスタービン合体機関。
【請求項６７３】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の竪型全動翼蒸気ガスタービン合体機関。
【請求項６７４】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の竪型全動翼蒸気ガスタービン合体機関。
【請求項６７５】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の竪型全動翼蒸気ガスタービン合体機関。
【請求項６７６】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の竪型全動翼蒸気ガスタービン合体機関。
【請求項６７７】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の竪型全動翼蒸気ガスタービン合体機関。
【請求項６７８】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の竪型全動翼蒸気ガスタービン合体機関。
【請求項６７９】
撥水鍍金水冷却翼（８７）と送水ポンプ兼二重反転磁気摩擦動力伝達装置（１４ａ）で＋水の重力加速度として竪型全動翼圧縮機（１５Ａ）の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の竪型全動翼蒸気ガスタービン合体機関。
【請求項６８０】
撥水鍍金水冷却翼（８７）と水（５ａ）の重力加速度で空気圧縮して燃焼器兼熱交換器（４）により燃焼ガス熱量＋燃焼ガス質量に分離して、燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けることが特徴の竪型全動翼蒸気ガスタービン合体機関。
【請求項６８１】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生することが特徴の竪型全動翼蒸気ガスタービン合体機関。
【請求項６８２】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生することが特徴の竪型全動翼蒸気ガスタービン合体機関。
【請求項６８３】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けることが特徴の竪型全動翼蒸気ガスタービン合体機関。
【請求項６８４】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けることが特徴の竪型全動翼蒸気ガスタービン合体機関。
【請求項６８５】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収することが特徴の竪型全動翼蒸気ガスタービン合体機関。
【請求項６８６】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収することが特徴の竪型全動翼蒸気ガスタービン合体機関。
【請求項６８７】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項６８８】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して水道水温熱で供給することが特徴の竪型全動翼蒸気ガスタービン合体機関。
【請求項６８９】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して１００℃以下の水道水温熱で供給することが特徴の竪型全動翼蒸気ガスタービン合体機関。
【請求項６９０】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して１００℃以下の水道水温熱で供給することが特徴の竪型全動翼蒸気ガスタービン合体機関。
【請求項６９１】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して水道水温熱で供給すると共に、水道水温熱利用の暖房設備を供給することが特徴の竪型全動翼蒸気ガスタービン合体機関。
【請求項６９２】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して水道水温熱で供給すると共に、水道水温熱利用の暖房設備を供給することが特徴の竪型全動翼蒸気ガスタービン合体機関。
【請求項６９３】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給することが特徴の竪型全動翼蒸気ガスタービン合体機関。
【請求項６９４】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して１００℃以下の水道水温熱で供給すると共に、水道水温熱利用の暖房設備を供給することが特徴の竪型全動翼蒸気ガスタービン合体機関。
【請求項６９５】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して水道水温熱で供給すると共に、水道水温熱利用の暖房機器を供給することが特徴の竪型全動翼蒸気ガスタービン合体機関。
【請求項６９６】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して水道水温熱で供給すると共に、水道水温熱利用の暖房機器を供給することが特徴の竪型全動翼蒸気ガスタービン合体機関。
【請求項６９７】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給することが特徴の竪型全動翼蒸気ガスタービン合体機関。
【請求項６９８】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して１００℃以下の水道水温熱で供給すると共に、水道水温熱利用の暖房機器を供給することが特徴の竪型全動翼蒸気ガスタービン合体機関。
【請求項６９９】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して水道水温熱で供給すると共に、水道水温熱利用の調理機器を供給することが特徴の竪型全動翼蒸気ガスタービン合体機関。
【請求項７００】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して水道水温熱で供給すると共に、水道水温熱利用の調理機器を供給することが特徴の竪型全動翼蒸気ガスタービン合体機関。
【請求項７０１】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して１００℃以下の水道水温熱で供給すると共に、水道水温熱利用の調理機器を供給することが特徴の竪型全動翼蒸気ガスタービン合体機関。
【請求項７０２】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して１００℃以下の水道水温熱で供給すると共に、水道水温熱利用の調理機器を供給することが特徴の竪型全動翼蒸気ガスタービン合体機関。
【請求項７０３】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して水道水温熱で供給すると共に、水道水温熱利用の調理設備を供給することが特徴の竪型全動翼蒸気ガスタービン合体機関。
【請求項７０４】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して水道水温熱で供給すると共に、水道水温熱利用の調理設備を供給することが特徴の竪型全動翼蒸気ガスタービン合体機関。
【請求項７０５】
燃焼ガス熱量を超臨界圧力等過熱蒸気（５ｃ）に変換して、過熱蒸気（５ｃ）爆発力により水（５ａ）を加速して竪型全動翼蒸気タービン（５Ａ）で出力を発生し、過熱蒸気供給熱量を最少の気化熱に近付けてその熱を気化潜熱回収器（６６ａ）で回収して１００℃以下の水道水温熱で供給すると共に、水道水温熱利用の調理設備を供給することが特徴の竪型全動翼蒸気ガスタービン合体機関。
【請求項７０６】
燃焼ガス熱量を超臨界圧力等過熱蒸気（５ｃ）に変換して、過熱蒸気（５ｃ）爆発力により水（５ａ）を加速して竪型全動翼蒸気ガスタービンで出力を発生し、過熱蒸気供給熱量を最少の気化熱に近付けてその熱を気化潜熱回収器（６６ａ）で回収して１００℃以下の水道水温熱で供給すると共に、水道水温熱利用の調理設備を供給することが特徴の竪型全動翼蒸気ガスタービン合体機関。
【請求項７０７】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大し、竪型全動翼蒸気タービン（５Ａ）で出力を発生することが特徴の竪型全動翼蒸気ガスタービン合体機関。
【請求項７０８】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大し、全動翼蒸気ガスタービンで出力を発生することが特徴の竪型全動翼蒸気ガスタービン合体機関。
【請求項７０９】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大し、竪型全動翼蒸気タービン（５Ａ）で出力を発生することが特徴の竪型全動翼蒸気ガスタービン合体機関。
【請求項７１０】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小した、竪型全動翼蒸気タービン（５Ａ）で出力を発生することが特徴の竪型全動翼蒸気ガスタービン合体機関。
【請求項７１１】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小した、竪型全動翼蒸気ガスタービンで出力を発生することが特徴の竪型全動翼蒸気ガスタービン合体機関。
【請求項７１２】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小した、竪型全動翼蒸気タービン（５Ａ）で出力を発生することが特徴の竪型全動翼蒸気ガスタービン合体機関。
【請求項７１３】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１７００に近付けた、竪型全動翼蒸気タービン（５Ａ）で出力を発生することが特徴の竪型全動翼蒸気ガスタービン合体機関。
【請求項７１４】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１７００に近付けた、竪型全動翼蒸気ガスタービンで出力を発生することが特徴の竪型全動翼蒸気ガスタービン合体機関。
【請求項７１５】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１７００に近付けた、竪型全動翼蒸気タービン（５Ａ）で出力を発生することが特徴の竪型全動翼蒸気ガスタービン合体機関。
【請求項７１６】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／５０に近付けた、竪型全動翼蒸気タービン（５Ａ）で出力を発生することが特徴の竪型全動翼蒸気ガスタービン合体機関。
【請求項７１７】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／５０に近付けた、竪型全動翼蒸気ガスタービンで出力を発生することが特徴の竪型全動翼蒸気ガスタービン合体機関。
【請求項７１８】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／５０に近付けた、竪型全動翼蒸気タービン（５Ａ）で出力を発生することが特徴の竪型全動翼蒸気ガスタービン合体機関。
【請求項７１９】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／２０に近付けた、竪型全動翼蒸気タービン（５Ａ）で出力を発生することが特徴の竪型全動翼蒸気ガスタービン合体機関。
【請求項７２０】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／２０に近付けた、竪型全動翼蒸気ガスタービンで出力を発生することが特徴の竪型全動翼蒸気ガスタービン合体機関。
【請求項７２１】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／２０に近付けた、竪型全動翼蒸気タービン（５Ａ）で出力を発生することが特徴の竪型全動翼蒸気ガスタービン合体機関。
【請求項７２２】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１０に近付けた、竪型全動翼蒸気タービン（５Ａ）で出力を発生することが特徴の竪型全動翼蒸気ガスタービン合体機関。
【請求項７２３】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１０に近付けた、竪型全動翼蒸気ガスタービンで出力を発生することが特徴の竪型全動翼蒸気ガスタービン合体機関。
【請求項７２４】
燃焼ガス熱量を超臨界圧力等過熱蒸気（５ｃ）に変換して、過熱蒸気（５ｃ）爆発力により水（５ａ）を加速して大気圧重力仕事率が水蒸気の１７００倍の（５ａ）質量を増大して動翼面積の一部乃至大部分を１／１７００に縮小して構造を１／１０に近付けた、竪型全動翼蒸気タービン（５Ａ）で出力を発生することが特徴の竪型全動翼蒸気ガスタービン合体機関。
【請求項７２５】
撥水鍍金タービン全動翼（８１）と送水ポンプ兼二重反転磁気摩擦動力伝達装置（１４ａ）でタービン構造を簡単にして全自動組立を可能にし、超高速回転にして燃焼ガス熱量で出力を発生することが特徴の竪型全動翼蒸気ガスタービン合体機関。
【請求項７２６】
撥水鍍金タービン全動翼（８１）と送水ポンプ兼二重反転磁気摩擦動力伝達装置（１４ａ）でタービン構造を簡単にして全自動加工を可能にし、超高速回転にして燃焼ガス熱量で出力を発生することが特徴の竪型全動翼蒸気ガスタービン合体機関。
【請求項７２７】
撥水鍍金タービン全動翼（８１）と送水ポンプ兼二重反転磁気摩擦動力伝達装置（１４ａ）でタービン構造を簡単にして環状に一体鋳造を可能にし、超高速回転にして燃焼ガス熱量で出力を発生することが特徴の竪型全動翼蒸気ガスタービン合体機関。
【請求項７２８】
撥水鍍金タービン全動翼（８１）と送水ポンプ兼二重反転磁気摩擦動力伝達装置（１４ａ）でタービン構造を簡単高速回転にして燃焼ガス熱量で出力を発生することが特徴の竪型全動翼蒸気ガスタービン合体機関。
【請求項７２９】
撥水鍍金タービン全動翼（８１）と送水ポンプ兼二重反転磁気摩擦動力伝達装置（１４ａ）と過熱蒸気（５ｃ）爆発力で水（５ａ）を加速して、タービン構造を簡単高速回転にして燃焼ガス熱量で出力を発生することが特徴の竪型全動翼蒸気ガスタービン合体機関。
【請求項７３０】
撥水鍍金タービン全動翼（８１）と送水ポンプ兼二重反転磁気摩擦動力伝達装置（１４ａ）と過熱蒸気（５ｃ）爆発力で水（５ａ）を加速して、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７３１】
撥水鍍金タービン全動翼（８１）と送水ポンプ兼二重反転磁気摩擦動力伝達装置（１４ａ）と過熱蒸気（５ｃ）爆発力で水（５ａ）を加速して、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７３２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量で出力を発生することが特徴の竪型全動翼蒸気ガスタービン合体機関。
【請求項７３３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７３４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７３５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を簡単高速回転にして燃焼ガス熱量で出力を発生することが特徴の竪型全動翼蒸気ガスタービン合体機関。
【請求項７３６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７３７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７３８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を簡単高速回転にして燃焼ガス熱量で出力を発生することが特徴の竪型全動翼蒸気ガスタービン合体機関。
【請求項７３９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７４０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７４１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を簡単高速回転にして燃焼ガス熱量で出力を発生することが特徴の竪型全動翼蒸気ガスタービン合体機関。
【請求項７４２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７４３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７４４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を簡単高速回転にして燃焼ガス熱量で出力を発生することが特徴の竪型全動翼蒸気ガスタービン合体機関。
【請求項７４５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を簡単高速回転にして燃焼ガス熱量出力を霧吹きの原理（９１ｉ）でバイパス噴射して出力を発生することが特徴の竪型全動翼蒸気ガスタービン合体機関。
【請求項７４６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７４７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を１／１０〜１／５０に簡単高速回転にして燃焼ガス熱量で出力を発生することが特徴の竪型全動翼蒸気ガスタービン合体機関。
【請求項７４８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を１／１０〜１／５０に簡単高速回転にして燃焼ガス熱量出力を霧吹きの原理（９１ｉ）でバイパス噴射して出力を発生することが特徴の竪型全動翼蒸気ガスタービン合体機関。
【請求項７４９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７５０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を１／１０〜１／５０に簡単高速回転にして燃焼ガス熱量で出力を発生することが特徴の竪型全動翼蒸気ガスタービン合体機関。
【請求項７５１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を１／１０〜１／５０に簡単高速回転にして燃焼ガス熱量出力を霧吹きの原理（９１ｉ）でバイパス噴射して出力を発生することが特徴の竪型全動翼蒸気ガスタービン合体機関。
【請求項７５２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの１０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７５３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を１／１０〜１／５０に簡単高速回転にして燃焼ガス熱量で出力を発生することが特徴の竪型全動翼蒸気ガスタービン合体機関。
【請求項７５４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を１／１０〜１／５０に簡単高速回転にして燃焼ガス熱量出力を霧吹きの原理（９１ｉ）でバイパス噴射して出力を発生することが特徴の竪型全動翼蒸気ガスタービン合体機関。
【請求項７５５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの３０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７５６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量で出力を発生することが特徴の竪型全動翼蒸気ガスタービン合体機関。
【請求項７５７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力を霧吹きの原理（９１ｉ）でバイパス噴射して出力を発生することが特徴の竪型全動翼蒸気ガスタービン合体機関。
【請求項７５８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力を霧吹きの原理（９１ｉ）でバイパス噴射して出力を発生すると共に、回転可能としたことが特徴の竪型全動翼蒸気ガスタービン合体機関。
【請求項７５９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力を霧吹きの原理（９１ｉ）でバイパス噴射して出力を発生すると共に、水平に回転可能としたことが特徴の竪型全動翼蒸気ガスタービン合体機関。
【請求項７６０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力を霧吹きの原理（９１ｉ）でバイパス噴射して出力を発生すると共に、９０°以上回転可能としたことが特徴の竪型全動翼蒸気ガスタービン合体機関。
【請求項７６１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７６２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生すると共に、回転可能としたことが特徴の竪型全動翼蒸気ガスタービン合体機関。
【請求項７６３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生すると共に、水平に回転可能としたことが特徴の竪型全動翼蒸気ガスタービン合体機関。
【請求項７６４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの５０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生すると共に、９０°以上回転可能としたことが特徴の竪型全動翼蒸気ガスタービン合体機関。
【請求項７６５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を１／１０〜１／５０に簡単高速回転にして燃焼ガス熱量で出力を発生することが特徴の竪型全動翼蒸気ガスタービン合体機関。
【請求項７６６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を１／１０〜１／５０に簡単高速回転にして燃焼ガス熱量出力を霧吹きの原理（９１ｉ）でバイパス噴射して出力を発生することが特徴の竪型全動翼蒸気ガスタービン合体機関。
【請求項７６７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を燃焼ガスの７０倍前後に増大し、タービン構造を１／１０〜１／５０に簡単高速回転にして燃焼ガス熱量出力＋燃焼ガス質量出力を霧吹きの原理（９１ｉ）＋霧吹きの原理（９１ｊ）でバイパス噴射して出力を発生することが特徴の竪型全動翼蒸気ガスタービン合体機関。
【請求項７６８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して噴射推進出力を発生することが特徴の竪型全動翼蒸気ガスタービン合体機関。
【請求項７６９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して噴射推進出力を発生することが特徴の竪型全動翼蒸気ガスタービン合体機関。
【請求項７７０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射してジェット飛行機にすることが特徴の竪型全動翼蒸気ガスタービン合体機関。
【請求項７７１】
撥水鍍金タービン全動翼（８１）と送水ポンプ兼二重反転磁気摩擦動力伝達装置（１４ａ）及び燃焼ガス（１０）と過熱蒸気（５ｃ）の爆発力で水（５ａ）を加速して（５ａ）質量を増大し、タービン構造を簡単高速回転にして燃焼ガス熱量出力を霧吹きの原理（９１ｉ）でバイパス噴射してジェット飛行機にすることが特徴の竪型全動翼蒸気ガスタービン合体機関。
【請求項７７２】
撥水鍍金タービン全動翼（８１）と送水ポンプ兼二重反転磁気摩擦動力伝達装置（１４ａ）及び直列竪型全動翼ガスタービン（１０Ａ）と竪型全動翼蒸気タービン（５Ａ）で、タービン構造を簡単高速回転にして燃焼ガス熱量出力を霧吹きの原理（９１ｉ）でバイパス噴射してジェット飛行機にすることが特徴の竪型全動翼蒸気ガスタービン合体機関。
【請求項７７３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射してジェット飛行機にすることが特徴の竪型全動翼蒸気ガスタービン合体機関。
【請求項７７４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還親飛行機にすることが特徴の竪型全動翼蒸気ガスタービン合体機関。
【請求項７７５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還親飛行機にすることが特徴の竪型全動翼蒸気ガスタービン合体機関。
【請求項７７６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射してジェット飛行機にすると共に、回転可能にしたことが特徴の竪型全動翼蒸気ガスタービン合体機関。
【請求項７７７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射してジェット飛行機にすると共に、回転可能にしたことが特徴の竪型全動翼蒸気ガスタービン合体機関。
【請求項７７８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還親飛行機にすると共に、回転可能にしたことが特徴の竪型全動翼蒸気ガスタービン合体機関。
【請求項７７９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還親飛行機にすると共に、回転可能にしたことが特徴の竪型全動翼蒸気ガスタービン合体機関。
【請求項７８０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射してジェット飛行機にすると共に、水平に回転して飛行可能にしたことが特徴の竪型全動翼蒸気ガスタービン合体機関。
【請求項７８１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射してジェット飛行機にすると共に、水平に回転して飛行可能にしたことが特徴の竪型全動翼蒸気ガスタービン合体機関。
【請求項７８２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還機にすると共に、水平に回転して飛行可能にしたことが特徴の竪型全動翼蒸気ガスタービン合体機関。
【請求項７８３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還機にすると共に、水平に回転して飛行可能にしたことが特徴の竪型全動翼蒸気ガスタービン合体機関。
【請求項７８４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射してジェット飛行機にすると共に、９０°以上回転して飛行可能にしたことが特徴の竪型全動翼蒸気ガスタービン合体機関。
【請求項７８５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射してジェット飛行機にすると共に、９０°以上回転して飛行可能にしたことが特徴の竪型全動翼蒸気ガスタービン合体機関。
【請求項７８６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還機にすると共に、９０°以上回転して飛行可能にしたことが特徴の竪型全動翼蒸気ガスタービン合体機関。
【請求項７８７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還機にすると共に、９０°以上回転して飛行可能にしたことが特徴の竪型全動翼蒸気ガスタービン合体機関。
【請求項７８８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還親飛行機にして宇宙往還機を発射することが特徴の竪型全動翼蒸気ガスタービン合体機関。
【請求項７８９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還親飛行機にして宇宙往還機を発射することが特徴の竪型全動翼蒸気ガスタービン合体機関。
【請求項７９０】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して宇宙往還親飛行機にして宇宙往還機を固体ロケットで発射することが特徴の竪型全動翼蒸気ガスタービン合体機関。
【請求項７９１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して宇宙往還親飛行機にして宇宙往還機を固体ロケットで発射することが特徴の竪型全動翼蒸気ガスタービン合体機関。
【請求項７９２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して各種ジェット機にすることが特徴の竪型全動翼蒸気ガスタービン合体機関。
【請求項７９３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して各種ジェット機にすることが特徴の竪型全動翼蒸気ガスタービン合体機関。
【請求項７９４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して各種飛行船舶にすることが特徴の竪型全動翼蒸気ガスタービン合体機関。
【請求項７９５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して各種飛行船舶にすることが特徴の竪型全動翼蒸気ガスタービン合体機関。
【請求項７９６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｉ）でバイパス噴射して各種超高速船舶にすることが特徴の竪型全動翼蒸気ガスタービン合体機関。
【請求項７９７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｉ）＋霧吹きの原理（９１ｊ）でバイパス噴射して各種超高速船舶にすることが特徴の竪型全動翼蒸気ガスタービン合体機関。
【請求項７９８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｋ）でバイパス噴射して各種超高速船舶にすることが特徴の竪型全動翼蒸気ガスタービン合体機関。
【請求項７９９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｋ）＋霧吹きの原理（９１ｌ）でバイパス噴射して各種超高速船舶にすることが特徴の竪型全動翼蒸気ガスタービン合体機関。
【請求項８００】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｍ）でバイパス噴射して各種超高速船舶にすることが特徴の竪型全動翼蒸気ガスタービン合体機関。
【請求項８０１】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｍ）＋霧吹きの原理（９１ｌ）でバイパス噴射して各種超高速船舶にすることが特徴の竪型全動翼蒸気ガスタービン合体機関。
【請求項８０２】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｋ）でバイパス噴射して各種高速船舶にすることが特徴の竪型全動翼蒸気ガスタービン合体機関。
【請求項８０３】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｋ）＋霧吹きの原理（９１ｌ）でバイパス噴射して各種高速船舶にすることが特徴の竪型全動翼蒸気ガスタービン合体機関。
【請求項８０４】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｍ）でバイパス噴射して各種高速船舶にすることが特徴の竪型全動翼蒸気ガスタービン合体機関。
【請求項８０５】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｍ）＋霧吹きの原理（９１ｌ）でバイパス噴射して各種高速船舶にすることが特徴の竪型全動翼蒸気ガスタービン合体機関。
【請求項８０６】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｋ）でバイパス噴射して各種船舶にすることが特徴の竪型全動翼蒸気ガスタービン合体機関。
【請求項８０７】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｋ）＋霧吹きの原理（９１ｌ）でバイパス噴射して各種船舶にすることが特徴の竪型全動翼蒸気ガスタービン合体機関。
【請求項８０８】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力を霧吹きの原理（９１ｍ）でバイパス噴射して各種船舶にすることが特徴の竪型全動翼蒸気ガスタービン合体機関。
【請求項８０９】
撥水鍍金タービン全動翼（８１）と送水ポンプ兼二重反転磁気摩擦動力伝達装置（１４ａ）と過熱蒸気（５ｃ）爆発力で水（５ａ）を加速して（５ａ）質量を増大し、タービン構造を簡単高速回転にして燃焼ガス熱量出力＋燃焼ガス質量出力を霧吹きの原理（９１ｍ）＋霧吹きの原理（９１ｌ）でバイパス噴射して各種船舶にすることが特徴の竪型全動翼蒸気ガスタービン合体機関。
【請求項８１０】
撥水鍍金タービン全動翼（８１）と過熱蒸気（５ｃ）爆発力を利用して水（５ａ）及び燃焼ガス（１０）を加熱高温手段（１０１）により加熱高温とした過熱蒸気噴射ノズル（５９ｈ）より、竪型全動翼蒸気ガスタービンの最上流に加速噴射することが特徴の竪型全動翼蒸気ガスタービン合体機関。
【請求項８１１】
撥水鍍金タービン全動翼（８１）と過熱蒸気（５ｃ）爆発力を利用して水（５ａ）及び燃焼ガス（１０）を加熱高温手段（１０１）により加熱高温とした複数の過熱蒸気噴射ノズル（５９ｈ）より、竪型全動翼蒸気ガスタービンの最上流に加速噴射することが特徴の竪型全動翼蒸気ガスタービン合体機関。
【請求項８１２】
撥水鍍金タービン全動翼（８１）と過熱蒸気（５ｃ）爆発力を利用して水（５ａ）及び燃焼ガス（１０）を加熱高温手段（１０１）により加熱高温とした過熱蒸気噴射ノズル（５９ｈ）より、竪型全動翼蒸気ガスタービンの最上流に加速噴射して出力発生後に気化潜熱回収器（６６ａ）により熱回収することが特徴の竪型全動翼蒸気ガスタービン合体機関。
【請求項８１３】
撥水鍍金タービン全動翼（８１）と過熱蒸気（５ｃ）爆発力を利用して水（５ａ）及び燃焼ガス（１０）を加熱高温手段（１０１）により加熱高温とした複数の過熱蒸気噴射ノズル（５９ｈ）より、竪型全動翼蒸気ガスタービンの最上流に加速噴射して出力発生後に気化潜熱回収器（６６ａ）により熱回収することが特徴の竪型全動翼蒸気ガスタービン合体機関。
【請求項８１４】
撥水鍍金タービン全動翼（８１）と過熱蒸気（５ｃ）爆発力を利用して水（５ａ）及び燃焼ガス（１０）を加熱高温手段（１０１）により加熱高温とした過熱蒸気噴射ノズル（５９ｈ）より、竪型全動翼蒸気ガスタービンの最上流に加速噴射して出力発生後に気化潜熱回収器（６６ａ）により水道水で熱回収して水道水温熱で需要家に供給することが特徴の竪型全動翼蒸気ガスタービン合体機関。
【請求項８１５】
撥水鍍金タービン全動翼（８１）と過熱蒸気（５ｃ）爆発力を利用して水（５ａ）及び燃焼ガス（１０）を加熱高温手段（１０１）により加熱高温とした複数の過熱蒸気噴射ノズル（５９ｈ）より、竪型全動翼蒸気ガスタービンの最上流に加速噴射して出力発生後に気化潜熱回収器（６６ａ）により水道水で熱回収して水道水温熱で需要家に供給することが特徴の竪型全動翼蒸気ガスタービン合体機関。
【請求項８１６】
撥水鍍金タービン全動翼（８１）と過熱蒸気（５ｃ）爆発力を利用して水（５ａ）及び燃焼ガス（１０）を加熱高温手段（１０１）により加熱高温とした過熱蒸気噴射ノズル（５９ｈ）より、竪型全動翼蒸気ガスタービンの最上流に加速噴射して出力発生後に気化潜熱回収器（６６ａ）により熱回収して凝縮水を燃焼器兼熱交換器（４）に供給することが特徴の竪型全動翼蒸気ガスタービン合体機関。
【請求項８１７】
撥水鍍金タービン全動翼（８１）と過熱蒸気（５ｃ）爆発力を利用して水（５ａ）及び燃焼ガス（１０）を加熱高温手段（１０１）により加熱高温とした複数の過熱蒸気噴射ノズル（５９ｈ）より、竪型全動翼蒸気ガスタービンの最上流に加速噴射して出力発生後に気化潜熱回収器（６６ａ）により熱回収して凝縮水を燃焼器兼熱交換器（４）に供給することが特徴の竪型全動翼蒸気ガスタービン合体機関。
【請求項８１８】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｇ）より、竪型全動翼蒸気タービン（５Ａ）の最上流に加速噴射することが特徴の竪型全動翼蒸気ガスタービン合体機関。
【請求項８１９】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｈ）より、竪型全動翼蒸気ガスタービンの最上流に加速噴射することが特徴の竪型全動翼蒸気ガスタービン合体機関。
【請求項８２０】
撥水鍍金タービン全動翼（８１）と過熱蒸気（５ｃ）爆発力を利用して水（５ａ）を加熱高温手段（１０１）により加熱高温とした複数の過熱蒸気噴射ノズル（５９ｇ）より、加速噴射することが特徴の竪型全動翼蒸気ガスタービン合体機関。
【請求項８２１】
撥水鍍金タービン全動翼（８１）と過熱蒸気（５ｃ）爆発力を利用して水（５ａ）を加熱高温手段（１０１）により加熱高温とした複数の過熱蒸気噴射ノズル（５９ｇ）より、竪型全動翼蒸気タービン（５Ａ）の最上流に加速噴射することが特徴の竪型全動翼蒸気ガスタービン合体機関。
【請求項８２２】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｇ）より、竪型全動翼蒸気タービン（５Ａ）の最上流に加速噴射することが特徴の竪型全動翼蒸気ガスタービン合体機関。
【請求項８２３】
撥水鍍金タービン全動翼（８１）と過熱蒸気（５ｃ）爆発力を利用して水（５ａ）を加熱高温手段（１０１）により加熱高温とした複数の過熱蒸気噴射ノズル（５９ｇ）より、竪型全動翼蒸気タービン（５Ａ）の最上流に加速噴射し、出力発生後に気化潜熱回収器（６６ａ）により熱回収することが特徴の竪型全動翼蒸気ガスタービン合体機関。
【請求項８２４】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｇ）より、竪型全動翼蒸気タービン（５Ａ）の最上流に加速噴射し、出力発生後に気化潜熱回収器（６６ａ）により水道水で熱回収することが特徴の竪型全動翼蒸気ガスタービン合体機関。
【請求項８２５】
撥水鍍金タービン全動翼（８１）と過熱蒸気（５ｃ）爆発力を利用して水（５ａ）を加熱高温手段（１０１）により加熱高温とした複数の過熱蒸気噴射ノズル（５９ｇ）より、竪型全動翼蒸気タービン（５Ａ）の最上流に加速噴射し、出力発生後に気化潜熱回収器（６６ａ）により水道水で熱回収して凝縮水を燃焼器兼熱交換器４に供給することが特徴の竪型全動翼蒸気ガスタービン合体機関。
【請求項８２６】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｇ）より、竪型全動翼蒸気タービン（５Ａ）の最上流に加速噴射し、出力発生後に気化潜熱回収器（６６ａ）により水道水で熱回収して凝縮水を燃焼器兼熱交換器４に供給することが特徴の竪型全動翼蒸気ガスタービン合体機関。
【請求項８２７】
撥水鍍金タービン全動翼（８１）と過熱蒸気（５ｃ）爆発力を利用して水（５ａ）を加熱高温手段（１０１）により加熱高温とした複数の過熱蒸気噴射ノズル（５９ｇ）より、竪型全動翼蒸気タービン（５Ａ）の最上流に加速噴射し、出力発生後に気化潜熱回収器（６６ａ）により水道水で熱回収して燃焼器兼熱交換器４に供給すると共に、需要家に水道水温熱として供給することが特徴の竪型全動翼蒸気ガスタービン合体機関。
【請求項８２８】
撥水鍍金タービン全動翼（８１）と過熱蒸気（５ｃ）爆発力を利用して水（５ａ）を加熱高温手段（１０１）により加熱高温とした過熱蒸気噴射ノズル（５９ｇ）より、竪型全動翼蒸気タービン（５Ａ）の最上流に加速噴射し、出力発生後に気化潜熱回収器（６６ａ）により水道水で熱回収して凝縮水を燃焼器兼熱交換器４に供給すると共に、需要家に水道水温熱として供給することが特徴の竪型全動翼蒸気ガスタービン合体機関。
【請求項８２９】
燃焼器兼熱交換器（４）により過熱蒸気（５ｃ）に変換して、撥水鍍金タービン全動翼（８１）出力で過熱蒸気供給熱量を最少の気化熱に近付けることが特徴の竪型全動翼蒸気ガスタービン合体機関。
【請求項８３０】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けることが特徴の竪型全動翼蒸気ガスタービン合体機関。
【請求項８３１】
燃焼器兼熱交換器（４）により過熱蒸気（５ｃ）に変換して、撥水鍍金タービン全動翼（８１）出力で過熱蒸気供給熱量を気化熱に近付けることが特徴の竪型全動翼蒸気ガスタービン合体機関。
【請求項８３２】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けることが特徴の竪型全動翼蒸気ガスタービン合体機関。
【請求項８３３】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用することが特徴の竪型全動翼蒸気ガスタービン合体機関。
【請求項８３４】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用することが特徴の竪型全動翼蒸気ガスタービン合体機関。
【請求項８３５】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用することが特徴の竪型全動翼蒸気ガスタービン合体機関。
【請求項８３６】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用することが特徴の竪型全動翼蒸気ガスタービン合体機関。
【請求項８３７】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８３８】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８３９】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８４０】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８４１】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８４２】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８４３】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８４４】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８４５】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８４６】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８４７】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８４８】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８４９】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８５０】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８５１】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８５２】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８５３】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８５４】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８５５】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８５６】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８５７】
燃焼器兼熱交換器（４）により過熱蒸気（５ｃ）に変換して、撥水鍍金タービン全動翼（８１）出力で過熱蒸気供給熱量を最少の気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８５８】
燃焼器兼熱交換器（４）により過熱蒸気（５ｃ）に変換して、撥水鍍金タービン全動翼（８１）出力で超臨界圧力過熱蒸気（５ｃ）供給熱量を最少の気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８５９】
燃焼器兼熱交換器（４）により過熱蒸気（５ｃ）に変換して、撥水鍍金タービン全動翼（８１）出力で過熱蒸気供給熱量を気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８６０】
燃焼器兼熱交換器（４）により過熱蒸気（５ｃ）に変換して、撥水鍍金タービン全動翼（８１）出力で超臨界圧力過熱蒸気（５ｃ）供給熱量を気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８６１】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けることが特徴の竪型全動翼蒸気ガスタービン合体機関。
【請求項８６２】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けることが特徴の竪型全動翼蒸気ガスタービン合体機関。
【請求項８６３】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けることが特徴の竪型全動翼蒸気ガスタービン合体機関。
【請求項８６４】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けることが特徴の竪型全動翼蒸気ガスタービン合体機関。
【請求項８６５】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて竪型全動翼蒸気タービン（５Ａ）の最上流に噴射することが特徴の竪型全動翼蒸気ガスタービン合体機関。
【請求項８６６】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて竪型全動翼蒸気タービン（５Ａ）の最上流に噴射することが特徴の竪型全動翼蒸気ガスタービン合体機関。
【請求項８６７】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて竪型全動翼蒸気タービン（５Ａ）の最上流に噴射することが特徴の竪型全動翼蒸気ガスタービン合体機関。
【請求項８６８】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて竪型全動翼蒸気タービン（５Ａ）の最上流に噴射することが特徴の竪型全動翼蒸気ガスタービン合体機関。
【請求項８６９】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用することが特徴の竪型全動翼蒸気ガスタービン合体機関。
【請求項８７０】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用することが特徴の竪型全動翼蒸気ガスタービン合体機関。
【請求項８７１】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用することが特徴の竪型全動翼蒸気ガスタービン合体機関。
【請求項８７２】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用することが特徴の竪型全動翼蒸気ガスタービン合体機関。
【請求項８７３】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項８７４】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項８７５】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項８７６】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項８７７】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８７８】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８７９】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８８０】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項８８１】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８８２】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８８３】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８８４】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項８８５】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８８６】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８８７】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８８８】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項８８９】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８９０】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８９１】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８９２】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項８９３】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８９４】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８９５】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８９６】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項８９７】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８９８】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項８９９】
燃焼器兼熱交換器（４）により過熱蒸気（５ｃ）に変換して、撥水鍍金タービン全動翼（８１）出力で気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項９００】
燃焼器兼熱交換器（４）により過熱蒸気（５ｃ）に変換して、撥水鍍金タービン全動翼（８１）出力で気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした複数の過熱蒸気噴射ノズル（５９ｇ）より竪型全動翼蒸気タービン（５Ａ）の最上流に噴射することが特徴の竪型全動翼蒸気ガスタービン合体機関。
【請求項９０１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けることが特徴の竪型全動翼蒸気ガスタービン合体機関。
【請求項９０２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けることが特徴の竪型全動翼蒸気ガスタービン合体機関。
【請求項９０３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けることが特徴の竪型全動翼蒸気ガスタービン合体機関。
【請求項９０４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けることが特徴の竪型全動翼蒸気ガスタービン合体機関。
【請求項９０５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて竪型全動翼蒸気タービン（５Ａ）の最上流に噴射することが特徴の竪型全動翼蒸気ガスタービン合体機関。
【請求項９０６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて竪型全動翼蒸気タービン（５Ａ）の最上流に噴射することが特徴の竪型全動翼蒸気ガスタービン合体機関。
【請求項９０７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて竪型全動翼蒸気タービン（５Ａ）の最上流に噴射することが特徴の竪型全動翼蒸気ガスタービン合体機関。
【請求項９０８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて竪型全動翼蒸気タービン（５Ａ）の最上流に噴射することが特徴の竪型全動翼蒸気ガスタービン合体機関。
【請求項９０９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて竪型全動翼蒸気ガスタービンの最上流に噴射することが特徴の竪型全動翼蒸気ガスタービン合体機関。
【請求項９１０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて竪型全動翼蒸気ガスタービンの最上流に噴射することが特徴の竪型全動翼蒸気ガスタービン合体機関。
【請求項９１１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて竪型全動翼蒸気ガスタービンの最上流に噴射することが特徴の竪型全動翼蒸気ガスタービン合体機関。
【請求項９１２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて竪型全動翼蒸気ガスタービンの最上流に噴射することが特徴の竪型全動翼蒸気ガスタービン合体機関。
【請求項９１３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用することが特徴の竪型全動翼蒸気ガスタービン合体機関。
【請求項９１４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用することが特徴の竪型全動翼蒸気ガスタービン合体機関。
【請求項９１５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用することが特徴の竪型全動翼蒸気ガスタービン合体機関。
【請求項９１６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用することが特徴の竪型全動翼蒸気ガスタービン合体機関。
【請求項９１７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項９１８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項９１９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項９２０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて竪型全動翼蒸気タービン（５Ａ）の最上流に噴射して過熱蒸気（５ｃ）爆発力を利用することが特徴の竪型全動翼蒸気ガスタービン合体機関。
【請求項９２１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて竪型全動翼蒸気ガスタービンの最上流に噴射して過熱蒸気（５ｃ）爆発力を利用することが特徴の竪型全動翼蒸気ガスタービン合体機関。
【請求項９２２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて竪型全動翼蒸気ガスタービンの最上流に噴射して過熱蒸気（５ｃ）爆発力を利用することが特徴の竪型全動翼蒸気ガスタービン合体機関。
【請求項９２３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて竪型全動翼蒸気ガスタービンの最上流に噴射して過熱蒸気（５ｃ）爆発力を利用することが特徴の竪型全動翼蒸気ガスタービン合体機関。
【請求項９２４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて竪型全動翼蒸気ガスタービンの最上流に噴射して過熱蒸気（５ｃ）爆発力を利用することが特徴の竪型全動翼蒸気ガスタービン合体機関。
【請求項９２５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項９２６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項９２７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項９２８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して過熱蒸気噴射ノズル（５９ｇ）より噴射することが特徴の竪型全動翼蒸気ガスタービン合体機関。
【請求項９２９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項９３０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項９３１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項９３２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して過熱蒸気噴射ノズル（５９ｇ）より竪型全動翼蒸気タービン（５Ａ）の最上流に噴射することが特徴の竪型全動翼蒸気ガスタービン合体機関。
【請求項９３３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して過熱蒸気噴射ノズル（５９ｇ）より竪型全動翼蒸気ガスタービンの最上流に噴射することが特徴の竪型全動翼蒸気ガスタービン合体機関。
【請求項９３４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して過熱蒸気噴射ノズル（５９ｇ）より竪型全動翼蒸気ガスタービンの最上流に噴射することが特徴の竪型全動翼蒸気ガスタービン合体機関。
【請求項９３５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して過熱蒸気噴射ノズル（５９ｇ）より竪型全動翼蒸気ガスタービンの最上流に噴射することが特徴の竪型全動翼蒸気ガスタービン合体機関。
【請求項９３６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して過熱蒸気噴射ノズル（５９ｇ）より竪型全動翼蒸気ガスタービンの最上流に噴射することが特徴の竪型全動翼蒸気ガスタービン合体機関。
【請求項９３７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９３８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９３９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９４０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９４１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項９４２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項９４３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項９４４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気タービン（５Ａ）の最上流に噴射することが特徴の竪型全動翼蒸気ガスタービン合体機関。
【請求項９４５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気ガスタービンの最上流に噴射することが特徴の竪型全動翼蒸気ガスタービン合体機関。
【請求項９４６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした過熱蒸気噴射ノズル（５９ｇ）より竪型全動翼蒸気ガスタービンの最上流に噴射することが特徴の竪型全動翼蒸気ガスタービン合体機関。
【請求項９４７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気ガスタービンの最上流に噴射することが特徴の竪型全動翼蒸気ガスタービン合体機関。
【請求項９４８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした過熱蒸気噴射ノズル（５９ｇ）より竪型全動翼蒸気ガスタービンの最上流に噴射することが特徴の竪型全動翼蒸気ガスタービン合体機関。
【請求項９４９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項９５０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項９５１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項９５２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて過熱蒸気（５ｃ）爆発力を利用して加熱高温手段（１０１）により加熱高温とした複数の過熱蒸気噴射ノズル（５９ｇ）より噴射することが特徴の竪型全動翼蒸気ガスタービン合体機関。
【請求項９５３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡することが特徴の竪型全動翼蒸気ガスタービン合体機関。
【請求項９５４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡することが特徴の竪型全動翼蒸気ガスタービン合体機関。
【請求項９５５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡することが特徴の竪型全動翼蒸気ガスタービン合体機関。
【請求項９５６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡することが特徴の竪型全動翼蒸気ガスタービン合体機関。
【請求項９５７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して竪型全動翼蒸気タービン（５Ａ）の最上流に噴射することが特徴の竪型全動翼蒸気ガスタービン合体機関。
【請求項９５８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して竪型全動翼蒸気タービン（５Ａ）の最上流に噴射することが特徴の竪型全動翼蒸気ガスタービン合体機関。
【請求項９５９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して竪型全動翼蒸気タービン（５Ａ）の最上流に噴射することが特徴の竪型全動翼蒸気ガスタービン合体機関。
【請求項９６０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して竪型全動翼蒸気タービン（５Ａ）の最上流に噴射することが特徴の竪型全動翼蒸気ガスタービン合体機関。
【請求項９６１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して竪型全動翼蒸気ガスタービンの最上流に噴射することが特徴の竪型全動翼蒸気ガスタービン合体機関。
【請求項９６２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して竪型全動翼蒸気ガスタービンの最上流に噴射することが特徴の竪型全動翼蒸気ガスタービン合体機関。
【請求項９６３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して竪型全動翼蒸気ガスタービンの最上流に噴射することが特徴の竪型全動翼蒸気ガスタービン合体機関。
【請求項９６４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して竪型全動翼蒸気ガスタービンの最上流に噴射することが特徴の竪型全動翼蒸気ガスタービン合体機関。
【請求項９６５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して過熱蒸気（５ｃ）爆発力を利用することが特徴の竪型全動翼蒸気ガスタービン合体機関。
【請求項９６６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して過熱蒸気（５ｃ）爆発力を利用することが特徴の竪型全動翼蒸気ガスタービン合体機関。
【請求項９６７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して過熱蒸気（５ｃ）爆発力を利用することが特徴の竪型全動翼蒸気ガスタービン合体機関。
【請求項９６８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して過熱蒸気（５ｃ）爆発力を利用することが特徴の竪型全動翼蒸気ガスタービン合体機関。
【請求項９６９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項９７０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項９７１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項９７２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項９７３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して竪型全動翼蒸気ガスタービンの最上流に噴射して過熱蒸気（５ｃ）爆発力を利用することが特徴の竪型全動翼蒸気ガスタービン合体機関。
【請求項９７４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して竪型全動翼蒸気ガスタービンの最上流に噴射して過熱蒸気（５ｃ）爆発力を利用することが特徴の竪型全動翼蒸気ガスタービン合体機関。
【請求項９７５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して竪型全動翼蒸気ガスタービンの最上流に噴射して過熱蒸気（５ｃ）爆発力を利用することが特徴の竪型全動翼蒸気ガスタービン合体機関。
【請求項９７６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して竪型全動翼蒸気ガスタービンの最上流に噴射して過熱蒸気（５ｃ）爆発力を利用することが特徴の竪型全動翼蒸気ガスタービン合体機関。
【請求項９７７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して、過熱蒸気（５ｃ）爆発力を利用して過熱蒸気噴射ノズル（５９ｇ）より噴射することが特徴の竪型全動翼蒸気ガスタービン合体機関。
【請求項９７８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して、過熱蒸気（５ｃ）爆発力を利用して過熱蒸気噴射ノズル（５９ｇ）より噴射することが特徴の竪型全動翼蒸気ガスタービン合体機関。
【請求項９７９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して、過熱蒸気（５ｃ）爆発力を利用して過熱蒸気噴射ノズル（５９ｇ）より噴射することが特徴の竪型全動翼蒸気ガスタービン合体機関。
【請求項９８０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して、過熱蒸気（５ｃ）爆発力を利用して過熱蒸気噴射ノズル（５９ｇ）より噴射することが特徴の竪型全動翼蒸気ガスタービン合体機関。
【請求項９８１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）に連絡して、過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９８２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）に連絡して、過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９８３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）に連絡して、過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９８４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）に連絡して、過熱蒸気（５ｃ）爆発力を利用して加熱高温手段（１０１）により加熱高温とした過熱蒸気噴射ノズル（５９ｇ）より噴射することが特徴の竪型全動翼蒸気ガスタービン合体機関。
【請求項９８５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡することが特徴の竪型全動翼蒸気ガスタービン合体機関。
【請求項９８６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡することが特徴の竪型全動翼蒸気ガスタービン合体機関。
【請求項９８７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡することが特徴の竪型全動翼蒸気ガスタービン合体機関。
【請求項９８８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡することが特徴の竪型全動翼蒸気ガスタービン合体機関。
【請求項９８９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して竪型全動翼蒸気タービン（５Ａ）の最上流に噴射することが特徴の竪型全動翼蒸気ガスタービン合体機関。
【請求項９９０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して竪型全動翼蒸気タービン（５Ａ）の最上流に噴射することが特徴の竪型全動翼蒸気ガスタービン合体機関。
【請求項９９１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して竪型全動翼蒸気タービン（５Ａ）の最上流に噴射することが特徴の竪型全動翼蒸気ガスタービン合体機関。
【請求項９９２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して竪型全動翼蒸気タービン（５Ａ）の最上流に噴射することが特徴の竪型全動翼蒸気ガスタービン合体機関。
【請求項９９３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して竪型全動翼蒸気ガスタービンの最上流に噴射することが特徴の竪型全動翼蒸気ガスタービン合体機関。
【請求項９９４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して竪型全動翼蒸気ガスタービンの最上流に噴射することが特徴の竪型全動翼蒸気ガスタービン合体機関。
【請求項９９５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して竪型全動翼蒸気ガスタービンの最上流に噴射することが特徴の竪型全動翼蒸気ガスタービン合体機関。
【請求項９９６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して竪型全動翼蒸気ガスタービンの最上流に噴射することが特徴の竪型全動翼蒸気ガスタービン合体機関。
【請求項９９７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して過熱蒸気（５ｃ）爆発力を利用することが特徴の竪型全動翼蒸気ガスタービン合体機関。
【請求項９９８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して過熱蒸気（５ｃ）爆発力を利用することが特徴の竪型全動翼蒸気ガスタービン合体機関。
【請求項９９９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して過熱蒸気（５ｃ）爆発力を利用することが特徴の竪型全動翼蒸気ガスタービン合体機関。
【請求項１０００】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して過熱蒸気（５ｃ）爆発力を利用することが特徴の竪型全動翼蒸気ガスタービン合体機関。
【請求項１００１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項１００２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項１００３】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項１００４】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して竪型全動翼蒸気タービン（５Ａ）の最上流に噴射して過熱蒸気（５ｃ）爆発力を利用することが特徴の竪型全動翼蒸気ガスタービン合体機関。
【請求項１００５】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して竪型全動翼蒸気ガスタービンの最上流に噴射して過熱蒸気（５ｃ）爆発力を利用することが特徴の竪型全動翼蒸気ガスタービン合体機関。
【請求項１００６】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して竪型全動翼蒸気ガスタービンの最上流に噴射して過熱蒸気（５ｃ）爆発力を利用することが特徴の竪型全動翼蒸気ガスタービン合体機関。
【請求項１００７】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して竪型全動翼蒸気ガスタービンの最上流に噴射して過熱蒸気（５ｃ）爆発力を利用することが特徴の竪型全動翼蒸気ガスタービン合体機関。
【請求項１００８】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して竪型全動翼蒸気ガスタービンの最上流に噴射して過熱蒸気（５ｃ）爆発力を利用することが特徴の竪型全動翼蒸気ガスタービン合体機関。
【請求項１００９】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を最少の、気化熱に近付けて夫々の蒸気加減弁（７）の蒸気管（６）に連絡して、過熱蒸気（５ｃ）爆発力を利用して過熱蒸気噴射ノズル（５９ｇ）より噴射することが特徴の竪型全動翼蒸気ガスタービン合体機関。
【請求項１０１０】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を最少の、気化熱に近付けて夫々の蒸気加減弁（７）の蒸気管（６）に連絡して、過熱蒸気（５ｃ）爆発力を利用して過熱蒸気噴射ノズル（５９ｇ）より噴射することが特徴の竪型全動翼蒸気ガスタービン合体機関。
【請求項１０１１】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて過熱蒸気供給熱量を、気化熱に近付けて夫々の蒸気加減弁（７）の蒸気管（６）に連絡して、過熱蒸気（５ｃ）爆発力を利用して過熱蒸気噴射ノズル（５９ｇ）より噴射することが特徴の竪型全動翼蒸気ガスタービン合体機関。
【請求項１０１２】
燃焼器兼熱交換器（４）により過熱蒸気（５ｃ）に変換して、撥水鍍金タービン全動翼（８１）出力で燃料燃焼質量を低減する気化潜熱回収器（６６ａ）の回収熱量を含めて超臨界圧力過熱蒸気（５ｃ）供給熱量を、気化熱に近付けて夫々の蒸気加減弁（７）の蒸気管（６）に連絡して、過熱蒸気（５ｃ）爆発力を利用して過熱蒸気噴射ノズル（５９ｇ）より噴射することが特徴の竪型全動翼蒸気ガスタービン合体機関。
【請求項１０１３】
夫々の蒸気加減弁（７）により撥水鍍金タービン全動翼（８１）を具備した竪型全動翼蒸気タービン（５Ａ）複数の霧吹きの原理（実施例２）の最上流の夫々の過熱蒸気溜（３２ｃ）に連絡して、過熱蒸気（５ｃ）爆発力を利用して複数の過熱蒸気噴射ノズル（５９ｇ）より噴射することが特徴の竪型全動翼蒸気ガスタービン合体機関。
【請求項１０１４】
夫々の蒸気加減弁（７）により撥水鍍金タービン全動翼（８１）を具備した竪型全動翼蒸気タービン（５Ａ）霧吹きの原理（実施例２）の最上流の夫々の過熱蒸気溜（３２ｃ）に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射することが特徴の竪型全動翼蒸気ガスタービン合体機関。
【請求項１０１５】
夫々の蒸気加減弁（７）により撥水鍍金タービン全動翼（８１）を具備した竪型全動翼蒸気タービン（５Ａ）複数の霧吹きの原理（実施例２）の最上流に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射することが特徴の竪型全動翼蒸気ガスタービン合体機関。
【請求項１０１６】
夫々の蒸気加減弁（７）により撥水鍍金タービン全動翼（８１）を具備した竪型全動翼蒸気タービン（５Ａ）霧吹きの原理（実施例２）の最上流に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射することが特徴の竪型全動翼蒸気ガスタービン合体機関。
【請求項１０１７】
夫々の蒸気加減弁（７）により撥水鍍金タービン全動翼（８１）を具備した竪型全動翼蒸気タービン（５Ａ）複数の霧吹きの原理（実施例２）の最上流の夫々の過熱蒸気溜（３２ｃ）に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射し、夫々により前方の空気を吸引して噴射推進することが特徴の竪型全動翼蒸気ガスタービン合体機関。
【請求項１０１８】
夫々の蒸気加減弁（７）により撥水鍍金タービン全動翼（８１）を具備した竪型全動翼蒸気タービン（５Ａ）霧吹きの原理（実施例２）の最上流の夫々の過熱蒸気溜（３２ｃ）に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射し、夫々により前方の空気を吸引して噴射推進することが特徴の竪型全動翼蒸気ガスタービン合体機関。
【請求項１０１９】
夫々の蒸気加減弁（７）により撥水鍍金タービン全動翼（８１）を具備した竪型全動翼蒸気タービン（５Ａ）複数の霧吹きの原理（実施例２）の最上流に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射し、夫々により前方の空気を吸引して噴射推進することが特徴の竪型全動翼蒸気ガスタービン合体機関。
【請求項１０２０】
夫々の蒸気加減弁（７）により撥水鍍金タービン全動翼（８１）を具備した竪型全動翼蒸気タービン（５Ａ）霧吹きの原理（実施例２）の最上流に連絡して、過熱蒸気（５ｃ）爆発力を利用して複数の過熱蒸気噴射ノズル（５９ｇ）より噴射し、環状の燃焼ガス溜（９）の燃焼ガス（１０）を霧吹きの原理（９１ｊ）より噴射し、夫々により前方の空気を吸引して噴射推進することが特徴の竪型全動翼蒸気ガスタービン合体機関。
【請求項１０２１】
夫々の蒸気加減弁（７）により撥水鍍金タービン全動翼（８１）を具備した竪型全動翼蒸気タービン（５Ａ）の最上流の過熱蒸気溜（３２ｃ）及び複数の霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射することが特徴の竪型全動翼蒸気ガスタービン合体機関。
【請求項１０２２】
夫々の蒸気加減弁（７）により撥水鍍金タービン全動翼（８１）を具備した竪型全動翼蒸気タービン（５Ａ）の最上流の過熱蒸気溜（３２ｃ）及び霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射することが特徴の竪型全動翼蒸気ガスタービン合体機関。
【請求項１０２３】
夫々の蒸気加減弁（７）により撥水鍍金タービン全動翼（８１）を具備した竪型全動翼蒸気タービン（５Ａ）の最上流の過熱蒸気溜（３２ｃ）及び複数の霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射することが特徴の竪型全動翼蒸気ガスタービン合体機関。
【請求項１０２４】
夫々の蒸気加減弁（７）により撥水鍍金タービン全動翼（８１）を具備した竪型全動翼蒸気タービン（５Ａ）の最上流の過熱蒸気溜（３２ｃ）及び霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射することが特徴の竪型全動翼蒸気ガスタービン合体機関。
【請求項１０２５】
夫々の蒸気加減弁（７）により撥水鍍金タービン全動翼（８１）を具備した竪型全動翼蒸気タービン（５Ａ）の最上流の過熱蒸気溜（３２ｃ）及び複数の霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進することが特徴の竪型全動翼蒸気ガスタービン合体機関。
【請求項１０２６】
夫々の蒸気加減弁（７）により撥水鍍金タービン全動翼（８１）を具備した竪型全動翼蒸気タービン（５Ａ）の最上流の過熱蒸気溜（３２ｃ）及び霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進することが特徴の竪型全動翼蒸気ガスタービン合体機関。
【請求項１０２７】
夫々の蒸気加減弁（７）により撥水鍍金タービン全動翼（８１）を具備した竪型全動翼蒸気タービン（５Ａ）の最上流の過熱蒸気溜（３２ｃ）及び複数の霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進し、竪型全動翼蒸気タービン（５Ａ）排気で浮上推進することが特徴の竪型全動翼蒸気ガスタービン合体機関。
【請求項１０２８】
夫々の蒸気加減弁（７）により撥水鍍金タービン全動翼（８１）を具備した竪型全動翼蒸気タービン（５Ａ）の最上流の過熱蒸気溜（３２ｃ）及び霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進し、竪型全動翼蒸気タービン（５Ａ）排気で浮上推進することが特徴の竪型全動翼蒸気ガスタービン合体機関。
【請求項１０２９】
夫々の蒸気加減弁（７）により撥水鍍金タービン全動翼（８１）を具備した竪型全動翼蒸気タービン（５Ａ）の最上流の過熱蒸気溜（３２ｃ）及び複数の霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進し、燃焼ガスで水を冷却してＣＯ２等を海底などに供給することが特徴の竪型全動翼蒸気ガスタービン合体機関。
【請求項１０３０】
夫々の蒸気加減弁（７）により撥水鍍金タービン全動翼（８１）を具備した竪型全動翼蒸気タービン（５Ａ）の最上流の過熱蒸気溜（３２ｃ）及び霧吹きの原理（９１ｋ）の最上流の夫々の過熱蒸気溜（３２）に連絡して、過熱蒸気（５ｃ）爆発力を利用して複数の過熱蒸気噴射ノズル（５９ｇ）より水を噴射し、霧吹きの原理（９１ｌ）の１以上の燃焼ガス噴射ノズル（５９ｄ）より燃焼ガス（１０）全部を噴射して夫々前方の水を吸引して噴射推進し、燃焼ガスで水を冷却してＣＯ２等を海底などに供給することが特徴の竪型全動翼蒸気ガスタービン合体機関。
【請求項１０３１】
加熱高温手段（１０１）により加熱高温とした霧吹きの原理（実施例２）を利用した過熱蒸気噴射ノズル（５９ｇ）より過熱蒸気（５ｃ）を噴射加速することが特徴の竪型全動翼蒸気ガスタービン合体機関。
【請求項１０３２】
加熱高温手段（１０１）により加熱高温とした霧吹きの原理（実施例２）を利用した過熱蒸気噴射ノズル（５９ｇ）より超臨界圧力過熱蒸気（５ｃ）爆発力により水（５ａ）を混合噴射加速することが特徴の竪型全動翼蒸気ガスタービン合体機関。
【請求項１０３３】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速することが特徴の竪型全動翼蒸気ガスタービン合体機関。
【請求項１０３４】
加熱高温手段（１０１）により加熱高温とした霧吹きの原理（実施例２）を利用した複数の過熱蒸気噴射ノズル（５９ｇ）より超臨界圧力水（５ａ）を混合噴射加速することが特徴の竪型全動翼蒸気ガスタービン合体機関。
【請求項１０３５】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪のように加速することが特徴の竪型全動翼蒸気ガスタービン合体機関。
【請求項１０３６】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速することが特徴の竪型全動翼蒸気ガスタービン合体機関。
【請求項１０３７】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速することが特徴の竪型全動翼蒸気ガスタービン合体機関。
【請求項１０３８】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速することが特徴の竪型全動翼蒸気ガスタービン合体機関。
【請求項１０３９】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速することが特徴の竪型全動翼蒸気ガスタービン合体機関。
【請求項１０４０】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速することが特徴の竪型全動翼蒸気ガスタービン合体機関。
【請求項１０４１】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速することが特徴の竪型全動翼蒸気ガスタービン合体機関。
【請求項１０４２】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して気化潜熱を最適利用することが特徴の竪型全動翼蒸気ガスタービン合体機関。
【請求項１０４３】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して気化潜熱を最適利用することが特徴の竪型全動翼蒸気ガスタービン合体機関。
【請求項１０４４】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して気化潜熱を最適利用することが特徴の竪型全動翼蒸気ガスタービン合体機関。
【請求項１０４５】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して気化潜熱を最適利用することが特徴の竪型全動翼蒸気ガスタービン合体機関。
【請求項１０４６】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して撥水鍍金タービン全動翼（８１）に噴射することが特徴の竪型全動翼蒸気ガスタービン合体機関。
【請求項１０４７】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して撥水鍍金タービン全動翼（８１）に噴射することが特徴の竪型全動翼蒸気ガスタービン合体機関。
【請求項１０４８】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して撥水鍍金タービン全動翼（８１）に噴射することが特徴の竪型全動翼蒸気ガスタービン合体機関。
【請求項１０４９】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して撥水鍍金タービン全動翼（８１）に噴射することが特徴の竪型全動翼蒸気ガスタービン合体機関。
【請求項１０５０】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して撥水鍍金タービン全動翼（８１）の最上流に噴射することが特徴の竪型全動翼蒸気ガスタービン合体機関。
【請求項１０５１】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して撥水鍍金タービン全動翼（８１）の最上流に噴射することが特徴の竪型全動翼蒸気ガスタービン合体機関。
【請求項１０５２】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して撥水鍍金タービン全動翼（８１）の最上流に噴射することが特徴の竪型全動翼蒸気ガスタービン合体機関。
【請求項１０５３】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して撥水鍍金タービン全動翼（８１）の最上流に噴射することが特徴の竪型全動翼蒸気ガスタービン合体機関。
【請求項１０５４】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射することが特徴の竪型全動翼蒸気ガスタービン合体機関。
【請求項１０５５】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射することが特徴の竪型全動翼蒸気ガスタービン合体機関。
【請求項１０５６】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射することが特徴の竪型全動翼蒸気ガスタービン合体機関。
【請求項１０５７】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射することが特徴の竪型全動翼蒸気ガスタービン合体機関。
【請求項１０５８】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生することが特徴の竪型全動翼蒸気ガスタービン合体機関。
【請求項１０５９】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生することが特徴の竪型全動翼蒸気ガスタービン合体機関。
【請求項１０６０】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生することが特徴の竪型全動翼蒸気ガスタービン合体機関。
【請求項１０６１】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生することが特徴の竪型全動翼蒸気ガスタービン合体機関。
【請求項１０６２】
加熱高温手段（１０１）により加熱高温とした霧吹きの原理（実施例２）を利用した複数の過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生し、気化潜熱回収器（６６ａ）で気化潜熱を回収することが特徴の竪型全動翼蒸気ガスタービン合体機関。
【請求項１０６３】
加熱高温手段（１０１）により加熱高温とした霧吹きの原理（実施例２）を利用した複数の過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生し、気化潜熱回収器（６６ａ）で気化潜熱を回収することが特徴の竪型全動翼蒸気ガスタービン合体機関。
【請求項１０６４】
加熱高温手段（１０１）により加熱高温とした霧吹きの原理（実施例２）を利用した過熱蒸気噴射ノズル（５９ｇ）より過熱蒸気（５ｃ）爆発力により超臨界圧力水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生し、気化潜熱回収器（６６ａ）で気化潜熱を回収することが特徴の竪型全動翼蒸気ガスタービン合体機関。
【請求項１０６５】
加熱高温手段（１０１）により加熱高温とした霧吹きの原理（実施例２）を利用した過熱蒸気噴射ノズル（５９ｇ）より過熱蒸気（５ｃ）爆発力により水（５ａ）を混合噴射加速してノズル内では機関銃の弾丸や吹雪等のように加速し、ノズル外では吹雪のように加速して竪型全動翼蒸気タービン（５Ａ）の撥水鍍金タービン全動翼（８１）の最上流に噴射して回転出力を発生し、気化潜熱回収器（６６ａ）で気化潜熱を回収することが特徴の竪型全動翼蒸気ガスタービン合体機関。
【請求項１０６６】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする竪型全動翼蒸気ガスタービン合体機関。
【請求項１０６７】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする竪型全動翼蒸気ガスタービン合体機関。
【請求項１０６８】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする竪型全動翼蒸気ガスタービン合体機関。
【請求項１０６９】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする竪型全動翼蒸気ガスタービン合体機関。
【請求項１０７０】
竪型全動翼蒸気タービン（５Ａ）において、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射することを特徴とする竪型全動翼蒸気ガスタービン合体機関。
【請求項１０７１】
竪型全動翼蒸気タービン（５Ａ）において、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射することを特徴とする竪型全動翼蒸気ガスタービン合体機関。
【請求項１０７２】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする竪型全動翼蒸気ガスタービン合体機関。
【請求項１０７３】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする竪型全動翼蒸気ガスタービン合体機関。
【請求項１０７４】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする竪型全動翼蒸気ガスタービン合体機関。
【請求項１０７５】
竪型全動翼蒸気タービン（５Ａ）において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする竪型全動翼蒸気ガスタービン合体機関。
【請求項１０７６】
竪型全動翼蒸気タービン（５Ａ）において、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする竪型全動翼蒸気ガスタービン合体機関。
【請求項１０７７】
竪型全動翼蒸気タービン（５Ａ）において、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする竪型全動翼蒸気ガスタービン合体機関。
【請求項１０７８】
燃焼ガス排気温度を−２７３℃に近付ける撥水鍍金タービン全動翼（８１）の竪型全動翼ガスタービン（１０Ａ）において、排気燃焼ガス（１０）により水道水を冷却して貯蔵することを特徴とする竪型全動翼蒸気ガスタービン合体機関。
【請求項１０７９】
燃焼ガス排気温度を−２７３℃に近付ける撥水鍍金タービン全動翼（８１）の竪型全動翼ガスタービン（１０Ａ）において、排気燃焼ガス（１０）により水道水を冷却して貯蔵して水道水冷熱（７２）を需要家に供給することを特徴とする竪型全動翼蒸気ガスタービン合体機関。
【請求項１０８０】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼により極限まで上昇することを特徴とする竪型全動翼蒸気ガスタービン合体機関。
【請求項１０８１】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼により極限まで上昇し、排気燃焼ガス（１０）により水道水を冷却して貯蔵することを特徴とする竪型全動翼蒸気ガスタービン合体機関。
【請求項１０８２】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼により極限まで上昇し、排気燃焼ガス（１０）により水道水を冷却して貯蔵して水道水冷熱（７２）を需要家に供給することを特徴とする竪型全動翼蒸気ガスタービン合体機関。
【請求項１０８３】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により直接空気を冷却することを特徴とする竪型全動翼蒸気ガスタービン合体機関。
【請求項１０８４】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により直接空気を冷却して室内を冷却することを特徴とする竪型全動翼蒸気ガスタービン合体機関。
【請求項１０８５】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却することを特徴とする竪型全動翼蒸気ガスタービン合体機関。
【請求項１０８６】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して室内を冷却することを特徴とする竪型全動翼蒸気ガスタービン合体機関。
【請求項１０８７】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して冷凍設備にすることを特徴とする竪型全動翼蒸気ガスタービン合体機関。
【請求項１０８８】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して冷凍庫にすることを特徴とする竪型全動翼蒸気ガスタービン合体機関。
【請求項１０８９】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して冷蔵庫にすることを特徴とする竪型全動翼蒸気ガスタービン合体機関。
【請求項１０９０】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却してクーラーにすることを特徴とする竪型全動翼蒸気ガスタービン合体機関。
【請求項１０９１】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して家庭用クーラーにすることを特徴とする竪型全動翼蒸気ガスタービン合体機関。
【請求項１０９２】
燃焼ガス排気温度を−２７３℃に近付けて撥水鍍金タービン全動翼（８１）と冷熱回収器（１０２）を使用し、排気燃焼ガス（１０）により水道水を冷却して水道水冷熱（７２）を需要家に供給して、その水道水冷熱により圧縮空気を冷却して業務用クーラーにすることを特徴とする竪型全動翼蒸気ガスタービン合体機関。
【請求項１０９３】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼と送水ポンプ兼二重反転磁気摩擦動力伝達装置（１４ａ）により極限まで上昇し、液化二酸化炭素を回収可能にすることを特徴とする竪型全動翼蒸気ガスタービン合体機関。
【請求項１０９４】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼と送水ポンプ兼二重反転磁気摩擦動力伝達装置（１４ａ）により極限まで上昇し、液体窒素を回収可能にすることを特徴とする竪型全動翼蒸気ガスタービン合体機関。
【請求項１０９５】
燃焼ガス排気温度を−２７３℃に近付ける撥水鍍金タービン全動翼（８１）の竪型全動翼ガスタービン（１０Ａ）において、燃焼器兼熱交換器４の圧縮空気圧力を全動翼と送水ポンプ兼二重反転磁気摩擦動力伝達装置（１４ａ）により極限まで上昇し、液化二酸化炭素と液体窒素以外の特定液化燃焼ガス（１０ａ）を回収可能にすることを特徴とする竪型全動翼蒸気ガスタービン合体機関。
【請求項１０９６】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却して、液化二酸化炭素を回収可能にすることを特徴とする竪型全動翼蒸気ガスタービン合体機関。
【請求項１０９７】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却して、液体窒素を回収可能にすることを特徴とする竪型全動翼蒸気ガスタービン合体機関。
【請求項１０９８】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却して、液化二酸化炭素と液体窒素以外の特定液化燃焼ガス（１０ａ）を回収可能にすることを特徴とする竪型全動翼蒸気ガスタービン合体機関。
【請求項１０９９】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、液化二酸化炭素を回収可能にすることを特徴とする竪型全動翼蒸気ガスタービン合体機関。
【請求項１１００】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、液体窒素を回収可能にすることを特徴とする竪型全動翼蒸気ガスタービン合体機関。
【請求項１１０１】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、液化二酸化炭素と液体窒素以外の特定液化燃焼ガス（１０ａ）を回収可能にすることを特徴とする竪型全動翼蒸気ガスタービン合体機関。
【請求項１１０２】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素を回収することを特徴とする竪型全動翼蒸気ガスタービン合体機関。
【請求項１１０３】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液体窒素を回収することを特徴とする竪型全動翼蒸気ガスタービン合体機関。
【請求項１１０４】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素と液体窒素以外の特定液化燃焼ガス（１０ａ）を回収することを特徴とする竪型全動翼蒸気ガスタービン合体機関。
【請求項１１０５】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素を回収し、不用冷却液化燃焼ガス（１０ｂ）を燃焼ガス噴射ノズル（５９ｅ）で噴射することを特徴とする竪型全動翼蒸気ガスタービン合体機関。
【請求項１１０６】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液体窒素を回収し、不用冷却液化燃焼ガス（１０ｂ）を燃焼ガス噴射ノズル（５９ｅ）で噴射することを特徴とする竪型全動翼蒸気ガスタービン合体機関。
【請求項１１０７】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素と液体窒素以外の特定液化燃焼ガス（１０ａ）を回収し、不用冷却液化燃焼ガス（１０ｂ）を燃焼ガス噴射ノズル（５９ｅ）で噴射することを特徴とする竪型全動翼蒸気ガスタービン合体機関。
【請求項１１０８】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素を回収し、不用冷却液化燃焼ガス（１０ｂ）を燃焼ガス噴射ノズル（５９ｅ）で噴射して回転出力を発生することを特徴とする竪型全動翼蒸気ガスタービン合体機関。
【請求項１１０９】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液体窒素を回収し、不用冷却液化燃焼ガス（１０ｂ）を燃焼ガス噴射ノズル（５９ｅ）で噴射して回転出力を発生することを特徴とする竪型全動翼蒸気ガスタービン合体機関。
【請求項１１１０】
燃焼ガス排気温度を−２７３℃に近付ける竪型全動翼ガスタービン（１０Ａ）において、燃焼器兼熱交換器４で熱交換して得た燃焼ガス（１０）を水道水冷熱（７２）により洗浄冷却２分して半分で回転出力を発生し、半分を燃焼ガス液化分離装置（１０６）で液化して液化二酸化炭素と液体窒素以外の特定液化燃焼ガス（１０ａ）を回収し、不用冷却液化燃焼ガス（１０ｂ）を燃焼ガス噴射ノズル（５９ｅ）で噴射して回転出力を発生することを特徴とする竪型全動翼蒸気ガスタービン合体機関。
【請求項１１１１】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分した半分と、不用冷却液化燃焼ガス（１０ｂ）を燃焼ガス噴射ノズル（５９ｅ）で噴射して回転出力を発生することを特徴とする竪型全動翼蒸気ガスタービン合体機関。
【請求項１１１２】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分した半分と、不用冷却液化燃焼ガス（１０ｂ）を燃焼ガス噴射ノズル（５９ｅ）で噴射して回転出力を発生してその排気で冷熱回収器（１０２）を駆動することを特徴とする竪型全動翼蒸気ガスタービン合体機関。
【請求項１１１３】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分した半分と、不用冷却液化燃焼ガス（１０ｂ）を燃焼ガス噴射ノズル（５９ｅ）で噴射して回転出力を発生してその排気で冷熱回収器（１０２）を駆動して水道水冷熱（７２）を回収貯蔵することを特徴とする竪型全動翼蒸気ガスタービン合体機関。
【請求項１１１４】
燃焼ガス排気温度を−２７３℃に近付ける撥水鍍金タービン全動翼（８１）の竪型全動翼ガスタービン（１０Ａ）において、燃焼器兼熱交換器４で熱交換して得た燃焼ガス（１０）を水道水冷熱（７２）により洗浄冷却２分した半分と、不用冷却液化燃焼ガス（１０ｂ）を燃焼ガス噴射ノズル（５９ｅ）で噴射して回転出力を発生してその排気で冷熱回収器（１０２）を駆動して水道水冷熱（７２）を回収貯蔵して水道水冷熱を需要家に供給することを特徴とする竪型全動翼蒸気ガスタービン合体機関。
【請求項１１１５】
燃焼ガス排気温度を−２７３℃に近付ける竪型全動翼ガスタービン（１０Ａ）において、水道水冷熱（７２）により洗浄冷却２分した燃焼ガス（１０）と、不用冷却液化燃焼ガス（１０ｂ）を燃焼ガス噴射ノズル（５９ｅ）で噴射して回転出力を発生してその排気で燃焼ガス液化分離装置（１０６）と冷熱回収器（１０２）を駆動して水道水冷熱（７２）を回収貯蔵して水道水冷熱を需要家に供給することを特徴とする竪型全動翼蒸気ガスタービン合体機関。
【請求項１１１６】
燃焼ガス排気温度を−２７３℃に近付ける竪型全動翼ガスタービン（１０Ａ）と冷熱回収器（１０２）を使用し、燃焼ガス（１０）爆発力により不用冷却液化燃焼ガス（１０ｂ）を噴射加速して回転出力を発生することを特徴とする竪型全動翼蒸気ガスタービン合体機関。
【請求項１１１７】
燃焼ガス排気温度を−２７３℃に近付ける竪型全動翼ガスタービン（１０Ａ）と冷熱回収器（１０２）を使用し、燃焼ガス（１０）爆発力により水（５ａ）を噴射加速して回転出力を発生することを特徴とする竪型全動翼蒸気ガスタービン合体機関。
【請求項１１１８】
燃焼ガス排気温度を−２７３℃に近付ける竪型全動翼ガスタービン（１０Ａ）と冷熱回収器（１０２）を使用し、燃焼ガス噴射ノズル（５９ｅ）の燃焼ガス（１０）爆発力により不用冷却液化燃焼ガス（１０ｂ）を噴射加速して回転出力を発生することを特徴とする竪型全動翼蒸気ガスタービン合体機関。
【請求項１１１９】
燃焼ガス排気温度を−２７３℃に近付ける竪型全動翼ガスタービン（１０Ａ）と冷熱回収器（１０２）を使用し、燃焼ガス噴射ノズル（５９ｄ）の燃焼ガス（１０）爆発力により水（５ａ）を噴射加速して回転出力を発生することを特徴とする竪型全動翼蒸気ガスタービン合体機関。
【請求項１１２０】
燃焼ガス排気温度を−２７３℃に近付ける竪型全動翼ガスタービン（１０Ａ）と冷熱回収器（１０２）を使用し、燃焼ガス噴射ノズル（５９ｅ）の燃焼ガス（１０）爆発力により不用冷却液化燃焼ガス（１０ｂ）を噴射加速して回転出力を発生し、冷熱回収器（１０２）により水道水冷熱（７２）を回収することを特徴とする竪型全動翼蒸気ガスタービン合体機関。
【請求項１１２１】
燃焼ガス排気温度を−２７３℃に近付ける竪型全動翼ガスタービン（１０Ａ）と冷熱回収器（１０２）を使用し、燃焼ガス噴射ノズル（５９ｄ）の燃焼ガス（１０）爆発力により水（５ａ）を噴射加速して回転出力を発生し、冷熱回収器（１０２）により水道水冷熱（７２）を回収することを特徴とする竪型全動翼蒸気ガスタービン合体機関。
【請求項１１２２】
燃焼ガス排気温度を−２７３℃に近付ける竪型全動翼ガスタービン（１０Ａ）と冷熱回収器（１０２）を使用し、排気燃焼ガス（１０）により水道水を冷却して水道水冷熱（７２）で貯蔵することを特徴とする竪型全動翼蒸気ガスタービン合体機関。
【請求項１１２３】
燃焼ガス排気温度を−２７３℃に近付ける竪型全動翼ガスタービン（１０Ａ）と冷熱回収器（１０２）を使用し、排気燃焼ガス（１０）により水道水を冷却して貯蔵して水道水冷熱（７２）を需要家に供給することを特徴とする竪型全動翼蒸気ガスタービン合体機関。
【請求項１１２４】
燃焼ガス排気温度を−２７３℃に近付ける竪型全動翼ガスタービン（１０Ａ）と、燃焼器兼熱交換器４の圧縮空気圧力を全動翼と送水ポンプ兼二重反転磁気摩擦動力伝達装置（１４ａ）により極限まで上昇して冷熱回収器（１０２）を使用することを特徴とする竪型全動翼蒸気ガスタービン合体機関。
【請求項１１２５】
燃焼ガス排気温度を−２７３℃に近付ける竪型全動翼ガスタービン（１０Ａ）と、燃焼器兼熱交換器４の圧縮空気圧力を全動翼と送水ポンプ兼二重反転磁気摩擦動力伝達装置（１４ａ）により極限まで上昇して冷熱回収器（１０２）の排気燃焼ガス（１０）により水道水を冷却して貯蔵することを特徴とする竪型全動翼蒸気ガスタービン合体機関。
【請求項１１２６】
燃焼ガス排気温度を−２７３℃に近付ける竪型全動翼ガスタービン（１０Ａ）と、燃焼器兼熱交換器４の圧縮空気圧力を全動翼と送水ポンプ兼二重反転磁気摩擦動力伝達装置（１４ａ）により極限まで上昇して冷熱回収器（１０２）の排気燃焼ガス（１０）により水道水を冷却して貯蔵して水道水冷熱（７２）を需要家に供給することを特徴とする竪型全動翼蒸気ガスタービン合体機関。
【請求項１１２７】
燃焼ガス排気温度を−２７３℃に近付ける竪型全動翼ガスタービン（１０Ａ）と、冷熱回収器（１０２）を使用することを特徴とする竪型全動翼蒸気ガスタービン合体機関。
【請求項１１２８】
燃焼ガス排気温度を−２７３℃に近付ける竪型全動翼ガスタービン（１０Ａ）において、排気燃焼ガス（１０）を核に水や水蒸気を凝集して、雹や水滴等として分別回収可能にすることを特徴とする竪型全動翼蒸気ガスタービン合体機関。
【請求項１１２９】
燃焼ガス排気温度を−２７３℃に近付ける竪型全動翼ガスタービン（１０Ａ）において、石炭灰を含む排気燃焼ガス（１０）を核に水や水蒸気を凝集して、雹や水滴等として分別回収可能にすることを特徴とする竪型全動翼蒸気ガスタービン合体機関。
【請求項１１３０】
燃焼ガス排気温度を−２７３℃に近付ける竪型全動翼ガスタービン（１０Ａ）において、有害物質を含む排気燃焼ガス（１０）を核に水や水蒸気を凝集して、雹や水滴等として分別回収可能にすることを特徴とする竪型全動翼蒸気ガスタービン合体機関。
【請求項１１３１】
燃焼ガス排気温度を−２７３℃に近付ける竪型全動翼ガスタービン（１０Ａ）において、有害物質を含む排気燃焼ガス（１０）を核に水や水蒸気を凝集して雹や水滴等とすることを特徴とする竪型全動翼蒸気ガスタービン合体機関。
【請求項１１３２】
燃焼ガス排気温度を−２７３℃に近付ける竪型全動翼ガスタービン（１０Ａ）において、有害物質を含む排気燃焼ガス（１０）を核に水や水蒸気を凝集して雹や水滴等として分別し、分別した有害物質の合成溶解を促進する物質を含む水中に排出して、無害に近付けて放出することを特徴とする竪型全動翼蒸気ガスタービン合体機関。
【請求項１１３３】
燃焼ガス排気温度を−２７３℃に近付ける竪型全動翼ガスタービン（１０Ａ）において、有害物質を含む排気燃焼ガス（１０）を核に水や水蒸気を凝集して雹や水滴等として分別し、該出力で駆動する装置を具備したことを特徴とする竪型全動翼蒸気ガスタービン合体機関。
【請求項１１３４】
送水ポンプ兼二重反転磁気摩擦動力伝達装置（１４ａ）により互いに反対方向に回転する外側軸装置（１６Ａ）と内側軸装置（１７Ａ）を、最適回転比で結合した燃焼ガス（１０）爆発力により水（５ａ）を噴射加速して駆動する撥水鍍金タービン全動翼（８１）の竪型全動翼ガスタービン（１０Ａ）としたことが特徴の竪型全動翼蒸気ガスタービン合体機関。
【請求項１１３５】
送水ポンプ兼二重反転磁気摩擦動力伝達装置（１４ａ）により互いに反対方向に回転する外側軸装置（１６Ａ）と内側軸装置（１７Ａ）を、最適回転比で結合した燃焼ガス（１０）爆発力により不用冷却液化燃焼ガス（１０ｂ）を噴射加速して駆動する撥水鍍金タービン全動翼（８１）の竪型全動翼ガスタービン（１０Ａ）としたことが特徴の竪型全動翼蒸気ガスタービン合体機関。
【請求項１１３６】
送水ポンプ兼二重反転磁気摩擦動力伝達装置（１４ａ）により互いに反対方向に回転する外側軸装置（１９Ａ）と内側軸装置（２０Ａ）を、最適回転比で結合した超臨界圧力等過熱蒸気（５ｃ）爆発力により水（５ａ）を噴射加速して駆動する撥水鍍金タービン全動翼（８１）の竪型全動翼蒸気タービン（５Ａ）としたことが特徴の竪型全動翼蒸気ガスタービン合体機関。
【請求項１１３７】
送水ポンプ兼二重反転磁気摩擦動力伝達装置（１４ａ）により互いに反対方向に回転する外側軸装置（１６Ａ）と内側軸装置（１７Ａ）を、最適回転比で結合した燃焼ガス（１０）爆発力により水（５ａ）を噴射加速して駆動する撥水鍍金タービン全動翼（８１）の竪型全動翼ガスタービン（１０Ａ）とし、燃焼ガス噴射ノズル（５９ｅ）を具備したことが特徴の竪型全動翼蒸気ガスタービン合体機関。
【請求項１１３８】
送水ポンプ兼二重反転磁気摩擦動力伝達装置（１４ａ）により互いに反対方向に回転する外側軸装置（１６Ａ）と内側軸装置（１７Ａ）を、最適回転比で結合した燃焼ガス（１０）爆発力により不用冷却液化燃焼ガス（１０ｂ）を噴射加速して駆動する撥水鍍金タービン全動翼（８１）の竪型全動翼ガスタービン（１０Ａ）とし、燃焼ガス噴射ノズル（５９ｄ）を具備したことが特徴の竪型全動翼蒸気ガスタービン合体機関。
【請求項１１３９】
送水ポンプ兼二重反転磁気摩擦動力伝達装置（１４ａ）により互いに反対方向に回転する外側軸装置（１９Ａ）と内側軸装置（２０Ａ）を、最適回転比で結合した超臨界圧力等過熱蒸気（５ｃ）爆発力により水（５ａ）を噴射加速して駆動する撥水鍍金タービン全動翼（８１）の竪型全動翼蒸気タービン（５Ａ）とし、過熱蒸気噴射ノズル（５９ｇ）を具備したことが特徴の竪型全動翼蒸気ガスタービン合体機関。
【請求項１１４０】
過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）としたことを特徴とする竪型全動翼蒸気ガスタービン合体機関。
【請求項１１４１】
超臨界圧力等過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）としたことを特徴とする竪型全動翼蒸気ガスタービン合体機関。
【請求項１１４２】
過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）の大部分に撥水鍍金水冷却翼（８７）を設けたことを特徴とする竪型全動翼蒸気ガスタービン合体機関。
【請求項１１４３】
超臨界圧力等過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）の大部分に撥水鍍金水冷却翼（８７）を設けたことを特徴とする竪型全動翼蒸気ガスタービン合体機関。
【請求項１１４４】
過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）の大部分に撥水鍍金水冷却翼（８７）を段落毎環状に設けて、段落毎１以上の撥水鍍金水冷却翼を冷却後に、水噴射手段（５６）より水噴射することを特徴とする竪型全動翼蒸気ガスタービン合体機関。
【請求項１１４５】
超臨界圧力等過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造とした夫々の撥水鍍金外側圧縮機動翼群（１６）及び撥水鍍金内側圧縮機動翼群（１７）の大部分に撥水鍍金水冷却翼（８７）を段落毎環状に設けて、段落毎１以上の撥水鍍金水冷却翼を冷却後に、水噴射手段（５６）より水噴射することを特徴とする竪型全動翼蒸気ガスタービン合体機関。
【請求項１１４６】
過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造として水路を連通した夫々の撥水鍍金外側圧縮機動翼群（１６）及び撥水鍍金内側圧縮機動翼群（１７）の大部分に撥水鍍金水冷却翼（８７）を段落毎環状に設けて、段落毎１以上の撥水鍍金水冷却翼を冷却後に、水噴射手段（５６）より水噴射することを特徴とする竪型全動翼蒸気ガスタービン合体機関。
【請求項１１４７】
超臨界圧力等過熱蒸気（５ｃ）爆発力により水（５ａ）を噴射加速して駆動する竪型全動翼蒸気タービン（５Ａ）の竪型全動翼圧縮機（１５Ａ）において、環状に一体鋳造（８４）して組立構造として水路を連通した夫々の撥水鍍金外側圧縮機動翼群（１６）及び撥水鍍金内側圧縮機動翼群（１７）の大部分に撥水鍍金水冷却翼（８７）を段落毎環状に設けて、段落毎１以上の撥水鍍金水冷却翼を冷却後に、水噴射手段（５６）より水噴射することを特徴とする竪型全動翼蒸気ガスタービン合体機関。
【請求項１１４８】
夫々の撥水鍍金外側圧縮機動翼群（１６）及び撥水鍍金内側圧縮機動翼群（１７）の大部分に撥水鍍金水冷却翼（８７）を段落毎環状に設けて、段落毎全部の撥水鍍金水冷却翼を冷却後に、水噴射手段（５６）より水噴射することを特徴とする竪型全動翼蒸気ガスタービン合体機関。
【請求項１１４９】
夫々の撥水鍍金外側圧縮機動翼群（１６）及び撥水鍍金内側圧縮機動翼群（１７）の大部分に撥水鍍金水冷却翼（８７）を段落毎環状に設けて、段落毎全部の撥水鍍金水冷却翼を冷却後に、水噴射手段（５６）より水噴射することを特徴とする竪型全動翼蒸気ガスタービン合体機関。
【請求項１１５０】
夫々の撥水鍍金外側圧縮機動翼群（１６）及び撥水鍍金内側圧縮機動翼群（１７）の大部分に撥水鍍金水冷却翼（８７）を段落毎環状に設けて、段落毎半分の撥水鍍金水冷却翼を冷却後に、水噴射手段（５６）より水噴射することを特徴とする竪型全動翼蒸気ガスタービン合体機関。
【請求項１１５１】
夫々の撥水鍍金外側圧縮機動翼群（１６）及び撥水鍍金内側圧縮機動翼群（１７）の大部分に撥水鍍金水冷却翼（８７）を段落毎環状に設けて、段落毎半分の撥水鍍金水冷却翼を冷却後に、水噴射手段（５６）より水噴射することを特徴とする竪型全動翼蒸気ガスタービン合体機関。
【請求項１１５２】
過熱蒸気（５ｃ）爆発力により水（５ａ）を噴射加速して駆動する竪型全動翼蒸気タービン（５Ａ）において、環状に一体鋳造（８４）して組立構造とした夫々の撥水鍍金外側タービン動翼群（１９）及び撥水鍍金内側タービン動翼群（２０）としたことを特徴とする竪型全動翼蒸気ガスタービン合体機関。
【請求項１１５３】
超臨界圧力等過熱蒸気（５ｃ）爆発力により水（５ａ）を噴射加速して駆動する竪型全動翼蒸気タービン（５Ａ）において、環状に一体鋳造（８４）して組立構造とした夫々の撥水鍍金外側タービン動翼群（１９）及び撥水鍍金内側タービン動翼群（２０）としたことを特徴とする竪型全動翼蒸気ガスタービン合体機関。
【請求項１１５４】
過熱蒸気（５ｃ）爆発力により水（５ａ）を噴射加速して駆動する竪型全動翼蒸気タービン（５Ａ）において、環状に一体鋳造（８４）して組立構造とした夫々の撥水鍍金外側タービン動翼群（１９）及び撥水鍍金内側タービン動翼群（２０）とし、内側軸装置（１７Ａ）（２０Ａ）を中空としたことを特徴とする竪型全動翼蒸気ガスタービン合体機関。
【請求項１１５５】
超臨界圧力等過熱蒸気（５ｃ）爆発力により水（５ａ）を噴射加速して駆動する竪型全動翼蒸気タービン（５Ａ）において、環状に一体鋳造（８４）して組立構造とした夫々の撥水鍍金外側タービン動翼群（１９）及び撥水鍍金内側タービン動翼群（２０）とし、内側軸装置（１７Ａ）（２０Ａ）を中空としたことを特徴とする竪型全動翼蒸気ガスタービン合体機関。
【請求項１１５６】
超臨界圧力等過熱蒸気（５ｃ）爆発力により水（５ａ）を噴射加速して駆動する竪型全動翼蒸気タービン（５Ａ）の内側軸装置を中空として、霧吹きの原理（９１ｉ）を利用して前方の空気を吸引噴射することを特徴とする竪型全動翼蒸気ガスタービン合体機関。
【請求項１１５７】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けたことを特徴とする竪型全動翼蒸気ガスタービン合体機関。
【請求項１１５８】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、竪型全動翼ガスタービン（１０Ａ）を駆動することを特徴とする竪型全動翼蒸気ガスタービン合体機関。
【請求項１１５９】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、マイクロガスタービンを駆動することを特徴とする竪型全動翼蒸気ガスタービン合体機関。
【請求項１１６０】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、霧吹きの原理（９１ｊ）を駆動することを特徴とする竪型全動翼蒸気ガスタービン合体機関。
【請求項１１６１】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、霧吹きの原理（９１ｌ）を駆動することを特徴とする竪型全動翼蒸気ガスタービン合体機関。
【請求項１１６２】
超臨界圧力等過熱蒸気（５ｃ）爆発力により水（５ａ）を噴射加速して駆動する竪型全動翼蒸気タービン（５Ａ）に於いて、霧吹きの原理（９１ｉ）を利用して１以上複数の霧吹きの原理（９１ｉ）より同様に水（５ａ）を噴射加速し、前方の空気を吸引して噴射することを特徴とする竪型全動翼蒸気ガスタービン合体機関。
【請求項１１６３】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、霧吹きの原理（９１ｊ）を利用して１以上複数の霧吹きの原理（９１ｊ）より燃焼ガスを噴射し、前方の空気を吸引して噴射することを特徴とする竪型全動翼蒸気ガスタービン合体機関。
【請求項１１６４】
超臨界圧力等過熱蒸気（５ｃ）爆発力により水（５ａ）を噴射加速して駆動する竪型全動翼蒸気タービン（５Ａ）に於いて、１以上複数の霧吹きの原理（９１ｋ）より過熱蒸気（５ｃ）爆発力により水（５ａ）を噴射加速して、前方の水を吸引して噴射することを特徴とする竪型全動翼蒸気ガスタービン合体機関。
【請求項１１６５】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、１以上複数の霧吹きの原理（９１ｌ）より燃焼ガス（１０）を噴射し、前方の水を吸引して噴射することを特徴とする竪型全動翼蒸気ガスタービン合体機関。
【請求項１１６６】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、夫々１以上複数の霧吹きの原理（９１ｋ）（９１ｌ）より過熱蒸気（５ｃ）及び水（５ａ）及び燃焼ガス（１０）を噴射し、前方の水を吸引して噴射することを特徴とする竪型全動翼蒸気ガスタービン合体機関。
【請求項１１６７】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、夫々１以上複数の霧吹きの原理（９１ｉ）（９１ｊ）より過熱蒸気（５ｃ）及び水（５ａ）及び燃焼ガス（１０）を噴射し、夫々前方の空気を吸引して噴射することを特徴とする竪型全動翼蒸気ガスタービン合体機関。
【請求項１１６８】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、夫々１以上複数の霧吹きの原理（９１ｉ）（９１ｊ）より過熱蒸気（５ｃ）及び水（５ａ）及び燃焼ガス（１０）を噴射し、夫々前方の空気を吸引して噴射推進し、該出力で駆動する装置を具備したことを特徴とする竪型全動翼蒸気ガスタービン合体機関。
【請求項１１６９】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、１以上複数の霧吹きの原理（９１ｊ）より燃焼ガス（１０）を噴射し、前方の空気を吸引して噴射推進し、該出力で駆動する装置を具備したことを特徴とする竪型全動翼蒸気ガスタービン合体機関。
【請求項１１７０】
超臨界圧力等過熱蒸気（５ｃ）爆発力により水（５ａ）を噴射加速して駆動する竪型全動翼蒸気タービン（５Ａ）に於いて、１以上複数の霧吹きの原理（９１ｋ）より水（５ａ）を噴射加速し、前方の水を吸引して噴射推進し、該出力で駆動する装置を具備したことを特徴とする竪型全動翼蒸気ガスタービン合体機関。
【請求項１１７１】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、１以上複数の霧吹きの原理（９１ｌ）より燃焼ガス（１０）を噴射し、前方の水を吸引して噴射推進し、該出力で駆動する装置を具備したことを特徴とする竪型全動翼蒸気ガスタービン合体機関。
【請求項１１７２】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、夫々１以上複数の霧吹きの原理（９１ｋ）（９１ｌ）より水（５ａ）及び燃焼ガス（１０）を噴射し、前方の水を吸引して噴射推進し、該出力で駆動する装置を具備したことが特徴の竪型全動翼蒸気ガスタービン合体機関。
【請求項１１７３】
超臨界圧力等過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けて、夫々１以上複数の霧吹きの原理（９１ｉ）（９１ｊ）より水（５ａ）及び燃焼ガス（１０）を噴射し、夫々前方の空気を吸引して噴射推進し、該出力で駆動する装置を具備したことが特徴の竪型全動翼蒸気ガスタービン合体機関。
【請求項１１７４】
過熱蒸気（５ｃ）爆発力により水（５ａ）を噴射加速して駆動する竪型全動翼蒸気タービン（５Ａ）の内側軸装置（１７Ａ）（２０Ａ）を中空として、霧吹きの原理を利用して前方の空気を吸引噴射することを特徴とする竪型全動翼蒸気ガスタービン合体機関。
【請求項１１７５】
過熱蒸気（５ｃ）爆発力により水（５ａ）を噴射加速して駆動する竪型全動翼蒸気タービン（５Ａ）の燃焼器兼熱交換器出口に、燃焼ガス取出口（８８）を設けたことを特徴とする竪型全動翼蒸気ガスタービン合体機関。
【請求項１１７６】
過熱蒸気（５ｃ）爆発力により水（５ａ）を噴射加速して駆動する竪型全動翼蒸気タービン（５Ａ）に於いて、１以上複数の霧吹きの原理（９１ｉ）より水（５ａ）を噴射加速し、前方の空気を吸引して噴射推進し、該出力で駆動する装置を具備したことを特徴とする竪型全動翼蒸気ガスタービン合体機関。
【請求項１１７７】
撥水鍍金タービン全動翼（８１）を具備した竪型全動翼蒸気タービン（５Ａ）の竪型全動翼圧縮機（１５Ａ）において、環状に一体鋳造（８４）して全自動加工組立とした夫々の撥水鍍金外側圧縮機動翼群（１６）及び撥水鍍金内側圧縮機動翼群（１７）の大部分に、撥水鍍金水冷却翼（８７）を段落毎環状に設けたことを特徴とする竪型全動翼蒸気ガスタービン合体機関。
【請求項１１７８】
撥水鍍金タービン全動翼（８１）を具備した竪型全動翼蒸気タービン（５Ａ）の竪型全動翼圧縮機（１５Ａ）において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする竪型全動翼蒸気ガスタービン合体機関。
【請求項１１７９】
撥水鍍金タービン全動翼（８１）を具備した竪型全動翼蒸気タービン（５Ａ）の竪型全動翼圧縮機（１５Ａ）において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする竪型全動翼蒸気ガスタービン合体機関。
【請求項１１８０】
撥水鍍金タービン全動翼（８１）を具備した竪型全動翼蒸気タービン（５Ａ）において、環状に一体鋳造（８４）して全自動加工組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする竪型全動翼蒸気ガスタービン合体機関。
【請求項１１８１】
撥水鍍金タービン全動翼（８１）を具備した竪型全動翼蒸気タービン（５Ａ）の竪型全動翼圧縮機（１５Ａ）において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする竪型全動翼蒸気ガスタービン合体機関。
【請求項１１８２】
撥水鍍金タービン全動翼（８１）を具備した竪型全動翼蒸気タービン（５Ａ）の竪型全動翼圧縮機（１５Ａ）において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする竪型全動翼蒸気ガスタービン合体機関。
【請求項１１８３】
撥水鍍金タービン全動翼（８１）を具備した竪型全動翼蒸気タービン（５Ａ）において、環状に一体鋳造（８４）して全自動加工組立構造として水路を連通した夫々の外側圧縮機翼群及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことが特徴の竪型全動翼蒸気ガスタービン合体機関。
【請求項１１８４】
撥水鍍金タービン全動翼（８１）を具備した竪型全動翼蒸気タービン（５Ａ）の燃焼器兼熱交換器（４）において、１以上複数の霧吹きの原理（９１ｉ）より水（５ａ）を噴射加速し、前方の空気を吸引して噴射することを特徴とする竪型全動翼蒸気ガスタービン合体機関。
【請求項１１８５】
撥水鍍金タービン全動翼（８１）を具備した竪型全動翼蒸気タービン（５Ａ）の燃焼器兼熱交換器（４）において、１以上複数の霧吹きの原理（９１ｋ）より水（５ａ）を噴射加速し、前方の水を吸引して噴射することを特徴とする竪型全動翼蒸気ガスタービン合体機関。
【請求項１１８６】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、夫々１以上複数の霧吹きの原理（９１ｉ）（９１ｊ）より水（５ａ）及び燃焼ガス（１０）を噴射加速し、前方の空気を吸引して噴射することを特徴とする竪型全動翼蒸気ガスタービン合体機関。
【請求項１１８７】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、夫々１以上複数の霧吹きの原理（９１ｋ）（９１ｌ）より水（５ａ）及び燃焼ガス（１０）を噴射し、前方の水を吸引して噴射することを特徴とする竪型全動翼蒸気ガスタービン合体機関。
【請求項１１８８】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、１以上複数の霧吹きの原理（９１ｊ）より燃焼ガス（１０）を噴射し、前方の空気を吸引して噴射することを特徴とする竪型全動翼蒸気ガスタービン合体機関。
【請求項１１８９】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、１以上複数の霧吹きの原理（９１ｌ）より燃焼ガス（１０）を噴射し、前方の水を吸引して噴射することを特徴とする竪型全動翼蒸気ガスタービン合体機関。
【請求項１１９０】
撥水鍍金タービン全動翼（８１）を具備した竪型全動翼蒸気タービン（５Ａ）の燃焼器兼熱交換器（４）において、１以上複数の霧吹きの原理（９１ｉ）より水（５ａ）を噴射し、前方の空気を吸引して噴射推進し、該出力で駆動する装置を具備したことを特徴とする竪型全動翼蒸気ガスタービン合体機関。
【請求項１１９１】
撥水鍍金タービン全動翼（８１）を具備した竪型全動翼蒸気タービン（５Ａ）の燃焼器兼熱交換器（４）において、１以上複数の霧吹きの原理（９１ｋ）より水（５ａ）を噴射加速し、前方の水を吸引して噴射推進し、該出力で駆動する装置を具備したことが特徴の竪型全動翼蒸気ガスタービン合体機関。
【請求項１１９２】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、夫々１以上複数の霧吹きの原理（９１ｉ）（９１ｊ）より水（５ａ）及び燃焼ガス（１０）を噴射し、前方の空気を吸引して噴射推進し、該出力で駆動する装置を具備したことを特徴とする竪型全動翼蒸気ガスタービン合体機関。
【請求項１１９３】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、夫々１以上複数の霧吹きの原理（９１ｋ）（９１ｌ）より水（５ａ）及び燃焼ガス（１０）を噴射し、前方の水を吸引して噴射推進し、該出力で駆動する装置を具備したことを特徴とする竪型全動翼蒸気ガスタービン合体機関。
【請求項１１９４】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、夫々１以上複数の霧吹きの原理（９１ｉ）（９１ｊ）より水（５ａ）及び燃焼ガス（１０）を噴射し、前方の空気を吸引して噴射推進し、該出力で駆動する装置を具備したことを特徴とする竪型全動翼蒸気ガスタービン合体機関。
【請求項１１９５】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、１以上複数の霧吹きの原理（９１ｊ）より燃焼ガス（１０）を噴射し、前方の空気を吸引して噴射推進し、該出力で駆動する装置を具備したことを特徴とする竪型全動翼蒸気ガスタービン合体機関。
【請求項１１９６】
撥水鍍金タービン全動翼（８１）を具備した竪型全動翼蒸気タービン（５Ａ）の燃焼器兼熱交換器（４）において、燃焼ガス出口に燃焼ガス取出口（８８）を設けて、１以上複数の霧吹きの原理（９１ｌ）より燃焼ガス（１０）を噴射し、前方の水を吸引して噴射推進し、該出力で駆動する装置を具備したことを特徴とする竪型全動翼蒸気ガスタービン合体機関。
【請求項１１９７】
前記撥水鍍金タービン全動翼（８１）を具備した過熱蒸気（５ｃ）爆発力により水（５ａ）を噴射加速して駆動する竪型全動翼蒸気タービン（５Ａ）に、過熱蒸気噴射ノズル（５９ｇ）を具備したことを特徴とする竪型全動翼蒸気ガスタービン合体機関。
【請求項１１９８】
前記撥水鍍金タービン全動翼（８１）を具備した超臨界圧力等過熱蒸気（５ｃ）爆発力により水（５ａ）を噴射加速して駆動する竪型全動翼蒸気タービン（５Ａ）に、加熱高温手段（１０１）により加熱高温の過熱蒸気噴射ノズル（５９ｇ）を具備したことを特徴とする竪型全動翼蒸気ガスタービン合体機関。
【請求項１１９９】
前記撥水鍍金タービン全動翼（８１）を具備した過熱蒸気（５ｃ）爆発力により水（５ａ）を噴射加速して駆動する竪型全動翼蒸気タービン（５Ａ）に、過熱蒸気噴射ノズル（５９ｈ）を具備したことを特徴とする竪型全動翼蒸気ガスタービン合体機関。
【請求項１２００】
前記撥水鍍金タービン全動翼（８１）を具備した超臨界圧力等過熱蒸気（５ｃ）爆発力により水（５ａ）を噴射加速して駆動する竪型全動翼蒸気タービン（５Ａ）に、加熱高温手段（１０１）により加熱高温の過熱蒸気噴射ノズル（５９ｈ）を具備して水（５ａ）と燃焼ガス（１０）を混合噴射加速することを特徴とする竪型全動翼蒸気ガスタービン合体機関。
【請求項１２０１】
前記撥水鍍金タービン全動翼（８１）を具備した超臨界圧力等過熱蒸気（５ｃ）爆発力により水（５ａ）を噴射加速して駆動する竪型全動翼蒸気タービン（５Ａ）に、加熱高温手段（１０１）により加熱高温の過熱蒸気噴射ノズル（５９ｈ）を具備して水（５ａ）と燃焼ガス（１０）を混合噴射加速して回転出力を発生する竪型全動翼蒸気ガスタービンとすることを特徴とする竪型全動翼蒸気ガスタービン合体機関。
【請求項１２０２】
前記加熱高温手段（１０１）は、過熱蒸気噴射ノズル（５９ｇ）に外嵌することを特徴とする竪型全動翼蒸気ガスタービン合体機関。
【請求項１２０３】
前記加熱高温手段（１０１）は、過熱蒸気噴射ノズル（５９ｇ）に外嵌して加熱高温にすることを特徴とする竪型全動翼蒸気ガスタービン合体機関。
【請求項１２０４】
前記加熱高温手段（１０１）は、過熱蒸気噴射ノズル（５９ｇ）に外嵌して撥水鍍金及び過熱高温にすることを特徴とする竪型全動翼蒸気ガスタービン合体機関。
【請求項１２０５】
前記加熱高温手段（１０１）は、過熱蒸気噴射ノズル（５９ｇ）に外嵌して電気抵抗により加熱高温にすることを特徴とする竪型全動翼蒸気ガスタービン合体機関。
【請求項１２０６】
前記過熱蒸気噴射ノズル（５９ｇ）は、加熱高温にすることを特徴とする竪型全動翼蒸気ガスタービン合体機関。
【請求項１２０７】
前記過熱蒸気噴射ノズル（５９ｇ）は、銃身状ノズルにすることを特徴とする竪型全動翼蒸気ガスタービン合体機関。
【請求項１２０８】
前記過熱蒸気噴射ノズル（５９ｇ）は、銃身状ノズルにして加熱高温にすることを特徴とする竪型全動翼蒸気ガスタービン合体機関。
【請求項１２０９】
前記過熱蒸気噴射ノズル（５９ｇ）は、銃身状末広ノズルにすることを特徴とする竪型全動翼蒸気ガスタービン合体機関。
【請求項１２１０】
前記過熱蒸気噴射ノズル（５９ｇ）は、銃身状末広ノズルにして加熱高温にすることを特徴とする竪型全動翼蒸気ガスタービン合体機関。
【請求項１２１１】
前記過熱蒸気噴射ノズル（５９ｇ）は、銃身状ノズルにして過熱蒸気（５ｃ）爆発力により水（５ａ）を機関銃の弾丸や吹雪のように加速することを特徴とする竪型全動翼蒸気ガスタービン合体機関。
【請求項１２１２】
前記過熱蒸気噴射ノズル（５９ｇ）は、加熱高温銃身状ノズルにして過熱蒸気（５ｃ）爆発力により水（５ａ）を機関銃の弾丸や吹雪のように加速することを特徴とする竪型全動翼蒸気ガスタービン合体機関。
【請求項１２１３】
前記過熱蒸気噴射ノズル（５９ｇ）は、銃身状末広ノズルにして過熱蒸気（５ｃ）爆発力により水（５ａ）を機関銃の弾丸や吹雪のように加速することを特徴とする竪型全動翼蒸気ガスタービン合体機関。
【請求項１２１４】
前記過熱蒸気噴射ノズル（５９ｇ）は、銃身状末広ノズルにして加熱高温にして過熱蒸気（５ｃ）爆発力により水（５ａ）を機関銃の弾丸や吹雪のように加速することを特徴とする竪型全動翼蒸気ガスタービン合体機関。
【請求項１２１５】
前記過熱蒸気噴射ノズル（５９ｇ）を過熱蒸気噴射ノズル（５９ｆ）に交代して使用することを特徴とする竪型全動翼蒸気ガスタービン合体機関。
【請求項１２１６】
前記過熱蒸気噴射ノズル（５９ｇ）を過熱蒸気噴射ノズル（５９ｆ）に交代して使用し、撥水鍍金により摩擦損失を低減して過熱蒸気（５ｃ）爆発力により水（５ａ）を機関銃の弾丸や吹雪のように加速することを特徴とする竪型全動翼蒸気ガスタービン合体機関。
【請求項１２１７】
前記過熱蒸気噴射ノズル（５９ｇ）を過熱蒸気噴射ノズル（５９ｈ）に交代して使用することを特徴とする竪型全動翼蒸気ガスタービン合体機関。
【請求項１２１８】
前記過熱蒸気噴射ノズル（５９ｇ）を過熱蒸気噴射ノズル（５９ｈ）に交代して使用し、加熱高温手段（１０１）により加熱高温として摩擦損失を低減して過熱蒸気（５ｃ）爆発力により水（５ａ）と燃焼ガス（１０）を混合噴射加速して機関銃の弾丸や吹雪のように加速することを特徴とする竪型全動翼蒸気ガスタービン合体機関。
【請求項１２１９】
前記過熱蒸気噴射ノズル（５９ｇ）を過熱蒸気噴射ノズル（５９ｈ）に交代して使用し、加熱高温手段（１０１）により加熱高温として摩擦損失を低減して過熱蒸気（５ｃ）爆発力により水（５ａ）と燃焼ガス（１０）を混合噴射加速して機関銃の弾丸や吹雪のように加速して竪型全動翼蒸気ガスタービンにすることを特徴とする竪型全動翼蒸気ガスタービン合体機関。
【請求項１２２０】
前記過熱蒸気噴射ノズル（５９ｇ）を過熱蒸気噴射ノズル（５９ｉ）に交代して使用することを特徴とする竪型全動翼蒸気ガスタービン合体機関。
【請求項１２２１】
前記過熱蒸気噴射ノズル（５９ｇ）を過熱蒸気噴射ノズル（５９ｉ）に交代して使用し、撥水鍍金により摩擦損失を低減して過熱蒸気（５ｃ）爆発力により水（５ａ）と燃焼ガス（１０）を混合噴射加速して機関銃の弾丸や吹雪のように加速することを特徴とする竪型全動翼蒸気ガスタービン合体機関。
【請求項１２２２】
前記過熱蒸気噴射ノズル（５９ｇ）を過熱蒸気噴射ノズル（５９ｉ）に交代して使用し、撥水鍍金により摩擦損失を低減して過熱蒸気（５ｃ）爆発力により水（５ａ）と燃焼ガス（１０）を混合噴射加速して機関銃の弾丸や吹雪のように加速して竪型全動翼蒸気ガスタービンにすることを特徴とする竪型全動翼蒸気ガスタービン合体機関。
【請求項１２２３】
前記気化潜熱回収器（６６ａ）は空気抽出器により飽和温度を１００℃以下にすることを特徴とする竪型全動翼蒸気ガスタービン合体機関。
【請求項１２２４】
前記気化潜熱回収器（６６ａ）は空気抽出器により飽和温度を１００℃以下にして凝縮水を増大することを特徴とする竪型全動翼蒸気ガスタービン合体機関。
【請求項１２２５】
前記気化潜熱回収器（６６ａ）は空気抽出器により飽和温度を１００℃以下にして凝縮水を増大し、燃焼器兼熱交換器（４）に供給することを特徴とする竪型全動翼蒸気ガスタービン合体機関。
【請求項１２２６】
前記気化潜熱回収器（６６ａ）の凝縮水は燃焼器兼熱交換器（４）に供給することを特徴とする竪型全動翼蒸気ガスタービン合体機関。
【請求項１２２７】
前記気化潜熱回収器（６６ａ）の凝縮水は燃焼器兼熱交換器（４）に供給し、水（５ａ）に水道水（７０）を使用することを特徴とする竪型全動翼蒸気ガスタービン合体機関。
【請求項１２２８】
前記気化潜熱回収器（６６ａ）の凝縮水は燃焼器兼熱交換器（４）に供給し、水（５ａ）に低温水を使用することを特徴とする竪型全動翼蒸気ガスタービン合体機関。
【請求項１２２９】
前記気化潜熱回収器（６６ａ）の凝縮水は燃焼器兼熱交換器（４）に供給し、冷却水に水道水（７０）を使用することを特徴とする竪型全動翼蒸気ガスタービン合体機関。
【請求項１２３０】
前記気化潜熱回収器（６６ａ）は、復水器と略同様に構成して冷却水に給水（３）か水道水（７０）の何れかを使用することが特徴の竪型全動翼蒸気ガスタービン合体機関。
【請求項１２３１】
前記気化潜熱回収器（６６ａ）は、復水器と略同様に構成して空気抽出器により飽和温度を１００℃前後として冷却水に給水（３）を使用することを特徴とする竪型全動翼蒸気ガスタービン合体機関。
【請求項１２３２】
前記気化潜熱回収器（６６ａ）は、復水器と略同様に構成して空気抽出器により飽和温度を８０℃前後として冷却水に給水（３）を使用することを特徴とする竪型全動翼蒸気ガスタービン合体機関。
【請求項１２３３】
前記気化潜熱回収器（６６ａ）は、復水器と略同様に構成して冷却水に給水（３）を使用して海水温度等の上昇を廃止することを特徴とする竪型全動翼蒸気ガスタービン合体機関。
【請求項１２３４】
前記気化潜熱回収器（６６ａ）は、復水器と略同様に構成して冷却水に給水（３）を使用して地球温暖化を防止することを特徴とする竪型全動翼蒸気ガスタービン合体機関。
【請求項１２３５】
前記気化潜熱回収器（６６ａ）は、復水器と略同様に構成して冷却水に給水（３）を使用して熱回収し、燃焼器兼熱交換器（４）に供給することを特徴とする竪型全動翼蒸気ガスタービン合体機関。
【請求項１２３６】
前記気化潜熱回収器（６６ａ）は、復水器と略同様に構成して冷却水に給水（３）を使用して熱回収し該凝縮水と共に、燃焼器兼熱交換器（４）に供給することを特徴とする竪型全動翼蒸気ガスタービン合体機関。
【請求項１２３７】
前記気化潜熱回収器（６６ａ）は、復水器と略同様に構成して冷却水に給水（３）を使用して熱回収し飽和温度１００℃前後の凝縮水と共に、燃焼器兼熱交換器（４）に供給することを特徴とする竪型全動翼蒸気ガスタービン合体機関。
【請求項１２３８】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱としても貯蔵することを特徴とする竪型全動翼蒸気ガスタービン合体機関。
【請求項１２３９】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱（７１）としても貯蔵して需要家に供給することを特徴とする竪型全動翼蒸気ガスタービン合体機関。
【請求項１２４０】
前記気化潜熱回収器（６６ａ）は、復水器と略同様に構成して冷却水に水道水（７０）を使用することを特徴とする竪型全動翼蒸気ガスタービン合体機関。
【請求項１２４１】
前記気化潜熱回収器（６６ａ）は、復水器と略同様に構成して空気抽出器により飽和温度を１００℃前後として冷却水に水道水（７０）を使用することを特徴とする竪型全動翼蒸気ガスタービン合体機関。
【請求項１２４２】
前記気化潜熱回収器（６６ａ）は、復水器と略同様に構成して空気抽出器により飽和温度を８０℃前後として冷却水に水道水（７０）を使用することを特徴とする竪型全動翼蒸気ガスタービン合体機関。
【請求項１２４３】
前記気化潜熱回収器（６６ａ）は、復水器と略同様に構成して空気抽出器により飽和温度を６０℃前後として冷却水に水道水（７０）を使用することを特徴とする竪型全動翼蒸気ガスタービン合体機関。
【請求項１２４４】
前記気化潜熱回収器（６６ａ）は、復水器と略同様に構成して冷却水に水道水（７０）を使用して海水温度等の上昇を廃止することを特徴とする竪型全動翼蒸気ガスタービン合体機関。
【請求項１２４５】
前記気化潜熱回収器（６６ａ）は、復水器と略同様に構成して冷却水に水道水（７０）を使用して地球温暖化を防止することを特徴とする竪型全動翼蒸気ガスタービン合体機関。
【請求項１２４６】
前記気化潜熱回収器（６６ａ）は、復水器と略同様に構成して冷却水に水道水（７０）を使用して熱回収し、凝縮水を燃焼器兼熱交換器（４）に供給することを特徴とする竪型全動翼蒸気ガスタービン合体機関。
【請求項１２４７】
前記気化潜熱回収器（６６ａ）は、復水器と略同様に構成して冷却水に水道水（７０）を使用して熱回収し飽和温度１００℃前後の凝縮水を燃焼器兼熱交換器（４）に供給し、水道水温熱（７１）としても貯蔵することを特徴とする竪型全動翼蒸気ガスタービン合体機関。
【請求項１２４８】
前記気化潜熱回収器（６６ａ）は、復水器と略同様に構成して冷却水に水道水（７０）を使用して熱回収し飽和温度８０℃前後の凝縮水を燃焼器兼熱交換器（４）に供給し、水道水温熱（７１）としても貯蔵することを特徴とする竪型全動翼蒸気ガスタービン合体機関。
【請求項１２４９】
前記気化潜熱回収器（６６ａ）は、復水器と略同様に構成して冷却水に水道水（７０）を使用して熱回収し飽和温度６０℃前後の凝縮水を燃焼器兼熱交換器（４）に供給し、水道水温熱（７１）としても貯蔵することを特徴とする竪型全動翼蒸気ガスタービン合体機関。
【請求項１２５０】
前記気化潜熱回収器（６６ａ）は、復水器と略同様に構成して冷却水に水道水（７０）を使用して熱回収し飽和温度１００℃前後の凝縮水を燃焼器兼熱交換器（４）に供給し、水道水温熱（７１）としても貯蔵して需要家に供給することを特徴とする竪型全動翼蒸気ガスタービン合体機関。
【請求項１２５１】
前記気化潜熱回収器（６６ａ）は、復水器と略同様に構成して冷却水に水道水（７０）を使用して熱回収し飽和温度８０℃前後の凝縮水を燃焼器兼熱交換器（４）に供給し、水道水温熱（７１）としても貯蔵して需要家に供給することを特徴とする竪型全動翼蒸気ガスタービン合体機関。
【請求項１２５２】
前記気化潜熱回収器（６６ａ）は、復水器と略同様に構成して冷却水に水道水（７０）を使用して熱回収し飽和温度６０℃前後の凝縮水を燃焼器兼熱交換器（４）に供給し、水道水温熱（７１）としても貯蔵して需要家に供給することを特徴とする竪型全動翼蒸気ガスタービン合体機関。
【請求項１２５３】
前記気化潜熱回収器（６６ａ）の冷却水に水道水（７０）を使用することを特徴とする竪型全動翼蒸気ガスタービン合体機関。
【請求項１２５４】
前記気化潜熱回収器（６６ａ）の冷却水に海水を使用することを特徴とする竪型全動翼蒸気ガスタービン合体機関。
【請求項１２５５】
前記気化潜熱回収器（６６ａ）の冷却水に海水を使用して海水温度を上昇することを特徴とする竪型全動翼蒸気ガスタービン合体機関。
【請求項１２５６】
前記気化潜熱回収器（６６ａ）の冷却水に海水を使用して海水温度を上昇し、真空ポンプで気化することを特徴とする竪型全動翼蒸気ガスタービン合体機関。
【請求項１２５７】
前記気化潜熱回収器（６６ａ）の冷却水に海水を使用して海水温度を上昇し、真空ポンプで気化して海水で冷却することを特徴とする竪型全動翼蒸気ガスタービン合体機関。
【請求項１２５８】
前記気化潜熱回収器（６６ａ）の冷却水に海水を使用して海水温度を上昇し、空気抽出器の真空ポンプで気化して海水で冷却することを特徴とする竪型全動翼蒸気ガスタービン合体機関。
【請求項１２５９】
前記気化潜熱回収器（６６ａ）の冷却水に海水を使用して海水を蒸留することを特徴とする竪型全動翼蒸気ガスタービン合体機関。
【請求項１２６０】
前記気化潜熱回収器（６６ａ）の冷却水に海水を使用して海水を蒸留し、蒸留水を需要家に供給することを特徴とする竪型全動翼蒸気ガスタービン合体機関。
【請求項１２６１】
前記気化潜熱回収器（６６ａ）の冷却水に海水を使用して海水を蒸留し、蒸留水に必要な物質を混入して需要家に供給することを特徴とする竪型全動翼蒸気ガスタービン合体機関。
【請求項１２６２】
前記気化潜熱回収器（６６ａ）の冷却水に海水を使用して海水を蒸留し、製塩することを特徴とする竪型全動翼蒸気ガスタービン合体機関。
【請求項１２６３】
前記気化潜熱回収器（６６ａ）の冷却水に海水を使用して海水を蒸留し、製塩して需要家に供給することを特徴とする竪型全動翼蒸気ガスタービン合体機関。
【請求項１２６４】
前記気化潜熱回収器（６６ａ）の冷却水に水道水を使用して貯蔵し水道水温熱（７１）を需要家に供給することを特徴とする竪型全動翼蒸気ガスタービン合体機関。
【請求項１２６５】
前記気化潜熱回収器（６６ａ）の冷却水に水道水を使用して貯蔵し１００℃に近い水道水温熱（７１）を需要家に供給することを特徴とする竪型全動翼蒸気ガスタービン合体機関。
【請求項１２６６】
前記気化潜熱回収器（６６ａ）の冷却水に水道水を使用して貯蔵し１００℃以下の水道水温熱（７１）を需要家に供給することを特徴とする竪型全動翼蒸気ガスタービン合体機関。
【請求項１２６７】
前記気化潜熱回収器（６６ａ）の冷却水に水道水を使用して貯蔵し水道水温熱（７１）と共に水道水温熱利用機器を需要家に製造供給することを特徴とする竪型全動翼蒸気ガスタービン合体機関。
【請求項１２６８】
前記気化潜熱回収器（６６ａ）の冷却水に水道水を使用して貯蔵し１００℃に近い水道水温熱（７１）と共に水道水温熱利用機器を需要家に製造供給することを特徴とする竪型全動翼蒸気ガスタービン合体機関。
【請求項１２６９】
前記気化潜熱回収器（６６ａ）の冷却水に水道水を使用して貯蔵し１００℃以下の水道水温熱（７１）と共に水道水温熱利用機器を需要家に製造供給することを特徴とする竪型全動翼蒸気ガスタービン合体機関。
【請求項１２７０】
前記気化潜熱回収器（６６ａ）の冷却水に水道水を使用して貯蔵し水道水温熱（７１）と共に水道水温熱利用の暖房設備器具を需要家に製造供給することを特徴とする竪型全動翼蒸気ガスタービン合体機関。
【請求項１２７１】
前記気化潜熱回収器（６６ａ）の冷却水に水道水を使用して貯蔵し水道水温熱（７１）と共に水道水温熱利用の暖房設備機器を需要家に製造供給することを特徴とする竪型全動翼蒸気ガスタービン合体機関。
【請求項１２７２】
前記気化潜熱回収器（６６ａ）の冷却水に水道水を使用して貯蔵し水道水温熱（７１）と共に水道水温熱利用の厨房設備器具を需要家に製造供給することを特徴とする竪型全動翼蒸気ガスタービン合体機関。
【請求項１２７３】
前記気化潜熱回収器（６６ａ）の冷却水に水道水を使用して貯蔵し水道水温熱（７１）と共に水道水温熱利用の厨房設備機器を需要家に製造供給することを特徴とする竪型全動翼蒸気ガスタービン合体機関。
【請求項１２７４】
前記気化潜熱回収器（６６ａ）の冷却水に水道水を使用して貯蔵し水道水温熱（７１）と共に水道水温熱利用の洗濯機を需要家に製造供給することを特徴とする竪型全動翼蒸気ガスタービン合体機関。
【請求項１２７５】
前記気化潜熱回収器（６６ａ）の冷却水に水道水を使用して貯蔵し水道水温熱（７１）と共に水道水温熱利用の洗濯乾燥機を需要家に製造供給することを特徴とする竪型全動翼蒸気ガスタービン合体機関。
【請求項１２７６】
前記気化潜熱回収器（６６ａ）の冷却水に水道水を使用して貯蔵し水道水温熱（７１）と共に水道水温熱利用の真空ポンプで真空気化乾燥する洗濯乾燥機を需要家に製造供給することを特徴とする竪型全動翼蒸気ガスタービン合体機関。
【請求項１２７７】
前記気化潜熱回収器（６６ａ）の冷却水に水道水を使用して貯蔵し水道水温熱（７１）と共に水道水温熱利用の空気抽出器で真空気化乾燥する洗濯乾燥機を需要家に製造供給することを特徴とする竪型全動翼蒸気ガスタービン合体機関。
【請求項１２７８】
前記気化潜熱回収器（６６ａ）の冷却水に水道水を使用して貯蔵し水道水温熱（７１）と共に水道水温熱利用の真空ポンプで真空気化乾燥後に熱風乾燥する洗濯乾燥機を需要家に製造供給することを特徴とする竪型全動翼蒸気ガスタービン合体機関。
【請求項１２７９】
前記気化潜熱回収器（６６ａ）の冷却水に水道水を使用して貯蔵し水道水温熱（７１）と共に水道水温熱利用の空気抽出器で真空気化乾燥後に熱風乾燥する洗濯乾燥機を需要家に製造供給することを特徴とする竪型全動翼蒸気ガスタービン合体機関。
【請求項１２８０】
前記気化潜熱回収器（６６ａ）の冷却水に水道水を使用して貯蔵し１００℃に近い水道水温熱（７１）と共に水道水温熱利用の暖房設備機器を需要家に製造供給することを特徴とする竪型全動翼蒸気ガスタービン合体機関。
【請求項１２８１】
前記気化潜熱回収器（６６ａ）の冷却水に水道水を使用して貯蔵し１００℃に近い水道水温熱（７１）と共に水道水温熱利用の厨房設備機器を需要家に製造供給することを特徴とする竪型全動翼蒸気ガスタービン合体機関。
【請求項１２８２】
前記気化潜熱回収器（６６ａ）の冷却水に水道水を使用して貯蔵し１００℃以下の水道水温熱（７１）と共に水道水温熱利用の暖房設備機器を需要家に製造供給することを特徴とする竪型全動翼蒸気ガスタービン合体機関。
【請求項１２８３】
前記気化潜熱回収器（６６ａ）の冷却水に水道水を使用して貯蔵し水道水温熱（７１）と共に水道水温熱利用の調理器具を需要家に製造供給することを特徴とする竪型全動翼蒸気ガスタービン合体機関。
【請求項１２８４】
前記気化潜熱回収器（６６ａ）の冷却水に水道水を使用して貯蔵し１００℃に近い水道水温熱（７１）と共に水道水温熱利用の調理器具を需要家に製造供給することを特徴とする竪型全動翼蒸気ガスタービン合体機関。
【請求項１２８５】
前記気化潜熱回収器（６６ａ）の冷却水に水道水を使用して貯蔵し１００℃以下の水道水温熱（７１）と共に水道水温熱利用の調理器具を需要家に製造供給することを特徴とする竪型全動翼蒸気ガスタービン合体機関。
【請求項１２８６】
前記気化潜熱回収器（６６ａ）の凝縮水全部を燃焼器兼熱交換器（４）に供給して水（５ａ）にすることを特徴とする竪型全動翼蒸気ガスタービン合体機関。
【請求項１２８７】
前記気化潜熱回収器（６６ａ）の凝縮水全部を燃焼器兼熱交換器（４）に供給して燃料供給熱量を気化潜熱に近付けて低減し、水（５ａ）にすることを特徴とする竪型全動翼蒸気ガスタービン合体機関。
【請求項１２８８】
前記気化潜熱回収器（６６ａ）は、復水器と略同様に構成して冷却水に水道水を使用することを特徴とする竪型全動翼蒸気ガスタービン合体機関。
【請求項１２８９】
前記気化潜熱回収器（６６ａ）は、復水器と略同様に構成して空気抽出器により飽和温度を１００℃前後として冷却水に水道水を使用することを特徴とする竪型全動翼蒸気ガスタービン合体機関。
【請求項１２９０】
前記気化潜熱回収器（６６ａ）は、復水器と略同様に構成して空気抽出器により飽和温度を８０℃前後として冷却水に水道水を使用することを特徴とする竪型全動翼蒸気ガスタービン合体機関。
【請求項１２９１】
前記気化潜熱回収器（６６ａ）は、復水器と略同様に構成して空気抽出器により飽和温度を６０℃前後として冷却水に水道水を使用することを特徴とする竪型全動翼蒸気ガスタービン合体機関。
【請求項１２９２】
前記気化潜熱回収器（６６ａ）は、復水器と略同様に構成して冷却水に水道水を使用して海水温度等の上昇を廃止することを特徴とする竪型全動翼蒸気ガスタービン合体機関。
【請求項１２９３】
前記気化潜熱回収器（６６ａ）は、復水器と略同様に構成して冷却水に水道水を使用して地球温暖化を防止することを特徴とする竪型全動翼蒸気ガスタービン合体機関。
【請求項１２９４】
前記気化潜熱回収器（６６ａ）は、復水器と略同様に構成して冷却水に水道水を使用して熱回収し、凝縮水を燃焼器兼熱交換器（４）に供給することを特徴とする竪型全動翼蒸気ガスタービン合体機関。
【請求項１２９５】
前記気化潜熱回収器（６６ａ）は、復水器と略同様に構成して冷却水に水道水を使用して熱回収需要家に供給して、凝縮水を燃焼器兼熱交換器（４）に供給することを特徴とする竪型全動翼蒸気ガスタービン合体機関。
【請求項１２９６】
前記気化潜熱回収器（６６ａ）は、復水器と略同様に構成して冷却水に水道水を使用して熱回収需要家に供給して、凝縮水を燃焼器兼熱交換器（４）に供給し、燃料燃焼質量を低減することを特徴とする竪型全動翼蒸気ガスタービン合体機関。
【請求項１２９７】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給することを特徴とする竪型全動翼蒸気ガスタービン合体機関。
【請求項１２９８】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給することを特徴とする竪型全動翼蒸気ガスタービン合体機関。
【請求項１２９９】
前記気化潜熱回収器（６６ａ）は、復水器と略同様に構成して冷却水に水道水を使用して熱回収需要家に供給して、飽和温度６０℃前後の凝縮水を燃焼器兼熱交換器（４）に供給することを特徴とする竪型全動翼蒸気ガスタービン合体機関。
【請求項１３００】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給し、水道水を水道水温熱としても貯蔵することを特徴とする竪型全動翼蒸気ガスタービン合体機関。
【請求項１３０１】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給し、水道水を水道水温熱としても貯蔵することを特徴とする竪型全動翼蒸気ガスタービン合体機関。
【請求項１３０２】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を水道水温熱としても貯蔵することを特徴とする竪型全動翼蒸気ガスタービン合体機関。
【請求項１３０３】
前記気化潜熱回収器（６６ａ）は、復水器と略同様に構成して冷却水に水道水を使用して熱回収し飽和温度１００℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３０４】
前記気化潜熱回収器（６６ａ）は、復水器と略同様に構成して冷却水に水道水を使用して熱回収し飽和温度８０℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３０５】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３０６】
前記気化潜熱回収器（６６ａ）は、復水器と略同様に構成して冷却水に水道水（７０）を使用して水道水温熱（７１）を需要家に供給することを特徴とする竪型全動翼蒸気ガスタービン合体機関。
【請求項１３０７】
前記気化潜熱回収器（６６ａ）は、復水器と略同様に構成して空気抽出器により飽和温度を１００℃前後として冷却水に水道水（７０）を使用して水道水温熱（７１）を需要家に供給することを特徴とする竪型全動翼蒸気ガスタービン合体機関。
【請求項１３０８】
前記気化潜熱回収器（６６ａ）は、復水器と略同様に構成して空気抽出器により飽和温度を８０℃前後として冷却水に水道水（７０）を使用して水道水温熱（７１）を需要家に供給することを特徴とする竪型全動翼蒸気ガスタービン合体機関。
【請求項１３０９】
前記気化潜熱回収器（６６ａ）は、復水器と略同様に構成して空気抽出器により飽和温度を６０℃前後として冷却水に水道水（７０）を使用して水道水温熱（７１）を需要家に供給することを特徴とする竪型全動翼蒸気ガスタービン合体機関。
【請求項１３１０】
前記気化潜熱回収器（６６ａ）は、復水器と略同様に構成して冷却水に水道水（７０）を使用して水道水温熱（７１）を需要家に供給して海水温度等の上昇を廃止することを特徴とする竪型全動翼蒸気ガスタービン合体機関。
【請求項１３１１】
前記気化潜熱回収器（６６ａ）は、復水器と略同様に構成して冷却水に水道水（７０）を使用して水道水温熱（７１）を需要家に供給して地球温暖化を防止することを特徴とする竪型全動翼蒸気ガスタービン合体機関。
【請求項１３１２】
前記気化潜熱回収器（６６ａ）は、復水器と略同様に構成して冷却水に水道水（７０）を使用して熱回収し、凝縮水を燃焼器兼熱交換器（４）に供給することを特徴とする竪型全動翼蒸気ガスタービン合体機関。
【請求項１３１３】
前記気化潜熱回収器（６６ａ）は、復水器と略同様に構成して冷却水に水道水（７０）を使用して熱回収して水道水温熱（７１）を需要家に供給し、凝縮水を燃焼器兼熱交換器（４）に供給することを特徴とする竪型全動翼蒸気ガスタービン合体機関。
【請求項１３１４】
前記気化潜熱回収器（６６ａ）は、復水器と略同様に構成して冷却水に水道水（７０）を使用して熱回収して水道水温熱（７１）を需要家に供給し、凝縮水を燃焼器兼熱交換器（４）に供給し、燃料燃焼質量を低減することを特徴とする竪型全動翼蒸気ガスタービン合体機関。
【請求項１３１５】
前記気化潜熱回収器（６６ａ）は、復水器と略同様に構成して冷却水に水道水（７０）を使用して熱回収して水道水温熱（７１）を需要家に供給し、飽和温度１００℃前後の凝縮水を燃焼器兼熱交換器（４）に供給することを特徴とする竪型全動翼蒸気ガスタービン合体機関。
【請求項１３１６】
前記気化潜熱回収器（６６ａ）は、復水器と略同様に構成して冷却水に水道水（７０）を使用して熱回収して水道水温熱（７１）を需要家に供給し、飽和温度８０℃前後の凝縮水を燃焼器兼熱交換器（４）に供給することを特徴とする竪型全動翼蒸気ガスタービン合体機関。
【請求項１３１７】
前記気化潜熱回収器（６６ａ）は、復水器と略同様に構成して冷却水に水道水（７０）を使用して熱回収して水道水温熱（７１）を需要家に供給し、飽和温度６０℃前後の凝縮水を燃焼器兼熱交換器（４）に供給することを特徴とする竪型全動翼蒸気ガスタービン合体機関。
【請求項１３１８】
前記気化潜熱回収器（６６ａ）は、復水器と略同様に構成して冷却水に水道水（７０）を使用して熱回収して水道水温熱（７１）を需要家に供給し、飽和温度１００℃前後の凝縮水を燃焼器兼熱交換器（４）に供給し、水道水を水道水温熱としても貯蔵することを特徴とする竪型全動翼蒸気ガスタービン合体機関。
【請求項１３１９】
前記気化潜熱回収器（６６ａ）は、復水器と略同様に構成して冷却水に水道水（７０）を使用して熱回収して水道水温熱（７１）を需要家に供給し、飽和温度８０℃前後の凝縮水を燃焼器兼熱交換器（４）に供給し、水道水を水道水温熱としても貯蔵することを特徴とする竪型全動翼蒸気ガスタービン合体機関。
【請求項１３２０】
前記気化潜熱回収器（６６ａ）は、復水器と略同様に構成して冷却水に水道水（７０）を使用して熱回収して水道水温熱（７１）を需要家に供給し、飽和温度６０℃前後の凝縮水を燃焼器兼熱交換器（４）に供給し、水道水を水道水温熱としても貯蔵することを特徴とする竪型全動翼蒸気ガスタービン合体機関。
【請求項１３２１】
前記気化潜熱回収器（６６ａ）は、復水器と略同様に構成して冷却水に水道水（７０）を使用して熱回収して水道水温熱（７１）を需要家に供給し、飽和温度１００℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３２２】
前記気化潜熱回収器（６６ａ）は、復水器と略同様に構成して冷却水に水道水（７０）を使用して熱回収して水道水温熱（７１）を需要家に供給し、飽和温度８０℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３２３】
前記気化潜熱回収器（６６ａ）は、復水器と略同様に構成して冷却水に水道水（７０）を使用して熱回収して水道水温熱（７１）を需要家に供給し、飽和温度６０℃前後の凝縮水を燃焼器兼熱交換器（４）に供給し、水道水を水道水温熱としても貯蔵して需要家に供給することを特徴とする竪型全動翼蒸気ガスタービン合体機関。
【請求項１３２４】
前記気化潜熱回収器（６６ａ）の冷却水に水道水を使用して水蒸気を冷却することを特徴とする竪型全動翼蒸気ガスタービン合体機関。
【請求項１３２５】
前記気化潜熱回収器（６６ａ）の冷却水に水道水を使用して水蒸気を冷却して貯蔵し水道水温熱（７１）を需要家に供給することを特徴とする竪型全動翼蒸気ガスタービン合体機関。
【請求項１３２６】
前記気化潜熱回収器（６６ａ）の冷却水に水道水を使用して水蒸気を冷却して貯蔵し１００℃に近い水道水温熱（７１）を需要家に供給することを特徴とする竪型全動翼蒸気ガスタービン合体機関。
【請求項１３２７】
前記気化潜熱回収器（６６ａ）の冷却水に水道水を使用して水蒸気を冷却して貯蔵し１００℃以下の水道水温熱（７１）を需要家に供給することを特徴とする竪型全動翼蒸気ガスタービン合体機関。
【請求項１３２８】
前記気化潜熱回収器（６６ａ）の冷却水に水道水を使用して水蒸気を冷却し、凝縮水全部を燃焼器兼熱交換器（４）に供給して水（５ａ）にすることを特徴とする竪型全動翼蒸気ガスタービン合体機関。
【請求項１３２９】
前記気化潜熱回収器（６６ａ）の冷却水に水道水を使用して水蒸気を冷却し、凝縮水全部を燃焼器兼熱交換器（４）に供給して燃料供給熱量を気化潜熱に近付けて低減し、水（５ａ）にすることを特徴とする竪型全動翼蒸気ガスタービン合体機関。
【請求項１３３０】
前記気化潜熱回収器（６６ａ）に換えて空冷式気化潜熱回収器（６６ｂ）を使用することを特徴とする竪型全動翼蒸気ガスタービン合体機関。
【請求項１３３１】
前記気化潜熱回収器（６６ａ）に換えて空冷式気化潜熱回収器（６６ｂ）を使用する自動車としたことを特徴とする竪型全動翼蒸気ガスタービン合体機関。
【請求項１３３２】
前記気化潜熱回収器（６６ａ）に換えて空冷式気化潜熱回収器（６６ｂ）を使用する輸送用機器としたことを特徴とする竪型全動翼蒸気ガスタービン合体機関。
【請求項１３３３】
前記気化潜熱回収器（６６ａ）に換えて空冷式気化潜熱回収器（６６ｂ）を使用するプロペラ飛行機としたことを特徴とする竪型全動翼蒸気ガスタービン合体機関。
【請求項１３３４】
前記気化潜熱回収器（６６ａ）に換えて空冷式気化潜熱回収器（６６ｂ）を使用するヘリコプターとしたことを特徴とする竪型全動翼蒸気ガスタービン合体機関。
【請求項１３３５】
前記気化潜熱回収器（６６ａ）に換えて空冷式気化潜熱回収器（６６ｂ）を使用する飛行物体としたことを特徴とする竪型全動翼蒸気ガスタービン合体機関。
【請求項１３３６】
前記冷熱回収器（１０２）は竪型全動翼ガスタービン（１０Ａ）出口に具備して、排気燃焼ガス（１０）より冷熱（７２）を回収することを特徴とする竪型全動翼蒸気ガスタービン合体機関。
【請求項１３３７】
前記冷熱回収器（１０２）は通常の熱交換器と同様に竪型全動翼ガスタービン（１０Ａ）出口に具備して、排気燃焼ガス（１０）より冷熱（７２）を回収することを特徴とする竪型全動翼蒸気ガスタービン合体機関。
【請求項１３３８】
前記冷熱回収器（１０２）は竪型全動翼ガスタービン（１０Ａ）出口に具備して、排気燃焼ガス（１０）と水道水と熱交換して水道水冷熱（７２）を回収することを特徴とする竪型全動翼蒸気ガスタービン合体機関。
【請求項１３３９】
前記冷熱回収器（１０２）は竪型全動翼ガスタービン（１０Ａ）出口に具備して、排気燃焼ガス（１０）を水道水冷熱（７２）に変換して需要家に供給することを特徴とする竪型全動翼蒸気ガスタービン合体機関。
【請求項１３４０】
前記冷熱回収器（１０２）は竪型全動翼ガスタービン（１０Ａ）出口に具備して、排気燃焼ガス（１０）を水道水冷熱（７２）に変換して水道水冷熱利用の冷凍設備と共に需要家に製造供給することを特徴とする竪型全動翼蒸気ガスタービン合体機関。
【請求項１３４１】
前記冷熱回収器（１０２）は竪型全動翼ガスタービン（１０Ａ）出口に具備して、排気燃焼ガス（１０）を水道水冷熱（７２）に変換して水道水冷熱利用の冷蔵設備と共に需要家に製造供給することを特徴とする竪型全動翼蒸気ガスタービン合体機関。
【請求項１３４２】
前記冷熱回収器（１０２）は竪型全動翼ガスタービン（１０Ａ）出口に具備して、排気燃焼ガス（１０）を水道水冷熱（７２）に変換して水道水冷熱利用の冷凍庫と共に需要家に製造供給することを特徴とする竪型全動翼蒸気ガスタービン合体機関。
【請求項１３４３】
前記冷熱回収器（１０２）は竪型全動翼ガスタービン（１０Ａ）出口に具備して、排気燃焼ガス（１０）を水道水冷熱（７２）に変換して水道水冷熱利用の冷蔵庫と共に需要家に製造供給することを特徴とする竪型全動翼蒸気ガスタービン合体機関。
【請求項１３４４】
前記冷熱回収器（１０２）は竪型全動翼ガスタービン（１０Ａ）出口に具備して、排気燃焼ガス（１０）を水道水冷熱（７２）に変換して水道水冷熱利用の冷却機と共に需要家に製造供給することを特徴とする竪型全動翼蒸気ガスタービン合体機関。
【請求項１３４５】
前記冷熱回収器（１０２）は竪型全動翼ガスタービン（１０Ａ）出口に具備して、排気燃焼ガス（１０）を水道水冷熱（７２）に変換して水道水冷熱利用の空気冷却機と共に需要家に製造供給することを特徴とする竪型全動翼蒸気ガスタービン合体機関。
【請求項１３４６】
前記冷熱回収器（１０２）は竪型全動翼ガスタービン（１０Ａ）出口に具備して、排気燃焼ガス（１０）を水道水冷熱（７２）に変換して水道水冷熱利用の業務用クーラーと共に需要家に製造供給することを特徴とする竪型全動翼蒸気ガスタービン合体機関。
【請求項１３４７】
前記冷熱回収器（１０２）は竪型全動翼ガスタービン（１０Ａ）出口に具備して、排気燃焼ガス（１０）を水道水冷熱（７２）に変換して水道水冷熱利用の家庭用クーラーと共に需要家に製造供給することを特徴とする竪型全動翼蒸気ガスタービン合体機関。
【請求項１３４８】
前記燃焼ガス液化分離装置（１０６）を竪型全動翼ガスタービン（１０Ａ）出口の冷熱回収器（１０２）前に具備して、液化二酸化炭素及び液体窒素以外の特定液化燃焼ガスを分離回収することが特徴の竪型全動翼蒸気ガスタービン合体機関。
【請求項１３４９】
前記燃焼ガス液化分離装置（１０６）を竪型全動翼ガスタービン（１０Ａ）出口の冷熱回収器（１０２）前に具備して、液化二酸化炭素を分離回収することが特徴の竪型全動翼蒸気ガスタービン合体機関。
【請求項１３５０】
前記燃焼ガス液化分離装置（１０６）を竪型全動翼ガスタービン（１０Ａ）出口の冷熱回収器（１０２）前に具備して、液体窒素を分離回収することが特徴の竪型全動翼蒸気ガスタービン合体機関。
【請求項１３５１】
前記燃焼ガス液化分離装置（１０６）を竪型全動翼ガスタービン（１０Ａ）出口の冷熱回収器（１０２）前に具備して、排気燃焼ガス（１０）で冷却して液化二酸化炭素及び液体窒素以外の特定液化燃焼ガスを分離回収することが特徴の竪型全動翼蒸気ガスタービン合体機関。
【請求項１３５２】
前記燃焼ガス液化分離装置（１０６）を竪型全動翼ガスタービン（１０Ａ）出口の冷熱回収器（１０２）前に具備して、排気燃焼ガス（１０）で冷却して液化二酸化炭素を分離回収することが特徴の竪型全動翼蒸気ガスタービン合体機関。
【請求項１３５３】
前記燃焼ガス液化分離装置（１０６）を竪型全動翼ガスタービン（１０Ａ）出口の冷熱回収器（１０２）前に具備して、排気燃焼ガス（１０）で冷却して液体窒素を分離回収することが特徴の竪型全動翼蒸気ガスタービン合体機関。
【請求項１３５４】
前記燃焼ガス液化分離装置（１０６）を竪型全動翼ガスタービン（１０Ａ）出口の冷熱回収器（１０２）前に具備して、水道水冷熱（７２）で冷却出力発生した排気燃焼ガス（１０）で冷却して液化二酸化炭素及び液体窒素以外の特定液化燃焼ガスを分離回収することが特徴の竪型全動翼蒸気ガスタービン合体機関。
【請求項１３５５】
前記燃焼ガス液化分離装置（１０６）を竪型全動翼ガスタービン（１０Ａ）出口の冷熱回収器（１０２）前に具備して、水道水冷熱（７２）で冷却出力発生した排気燃焼ガス（１０）で冷却して液化二酸化炭素を分離回収することが特徴の竪型全動翼蒸気ガスタービン合体機関。
【請求項１３５６】
前記燃焼ガス液化分離装置（１０６）を竪型全動翼ガスタービン（１０Ａ）出口の冷熱回収器（１０２）前に具備して、水道水冷熱（７２）で冷却出力発生した排気燃焼ガス（１０）で冷却して液体窒素を分離回収することが特徴の竪型全動翼蒸気ガスタービン合体機関。
【請求項１３５７】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却出力発生した排気燃焼ガス（１０）で冷却して液化二酸化炭素及び液体窒素以外の特定液化燃焼ガスを分離回収することが特徴の竪型全動翼蒸気ガスタービン合体機関。
【請求項１３５８】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却出力発生した排気燃焼ガス（１０）で冷却して液化二酸化炭素を分離回収することが特徴の竪型全動翼蒸気ガスタービン合体機関。
【請求項１３５９】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却出力発生した排気燃焼ガス（１０）で冷却して液体窒素を分離回収することが特徴の竪型全動翼蒸気ガスタービン合体機関。
【請求項１３６０】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却した燃焼ガスと不用冷却液化燃焼ガス（１０ｂ）で出力発生した排気燃焼ガス（１０）で冷却して液化二酸化炭素及び液体窒素以外の特定液化燃焼ガスを分離回収することが特徴の竪型全動翼蒸気ガスタービン合体機関。
【請求項１３６１】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却した燃焼ガスと不用冷却液化燃焼ガス（１０ｂ）で出力発生した排気燃焼ガス（１０）で冷却して液化二酸化炭素を分離回収することが特徴の竪型全動翼蒸気ガスタービン合体機関。
【請求項１３６２】
前記燃焼ガス液化分離装置（１０６）を竪型全動翼ガスタービン（１０Ａ）出口の冷熱回収器（１０２）前に具備して、水道水冷熱（７２）で洗浄冷却した燃焼ガス（１０）を水道水冷熱（７２）で冷却した燃焼ガスと不用冷却液化燃焼ガス（１０ｂ）で出力発生した排気燃焼ガス（１０）で冷却して液体窒素を分離回収することが特徴の竪型全動翼蒸気ガスタービン合体機関。
【請求項１３６３】
前記送水ポンプ兼二重反転磁気摩擦動力伝達装置（１４ａ）の各種着磁摩擦車や各種磁着摩擦車は、回転方向上流側に、電磁石（３４）を設けて、夫々適宜に互換して使用すると共に、途中水路を水噴射手段（５６）に連絡したことを特徴とする竪型全動翼蒸気ガスタービン合体機関。
【請求項１３６４】
前記送水ポンプ兼二重反転磁気摩擦動力伝達装置（１４ａ）の各種着磁摩擦車や各種磁着摩擦車は、回転方向上流側に、棒磁石（３３）を設けて、夫々適宜に互換して使用すると共に、途中水路を水噴射手段（５６）に連絡したことを特徴とする竪型全動翼蒸気ガスタービン合体機関。
【請求項１３６５】
前記送水ポンプ兼二重反転磁気摩擦動力伝達装置（１４ａ）の各種着磁摩擦車や各種磁着摩擦車は、回転方向下流側に、電磁石（３４）を設けて、夫々適宜に互換して使用すると共に、途中水路を水噴射手段（５６）に連絡したことを特徴とする竪型全動翼蒸気ガスタービン合体機関。
【請求項１３６６】
前記送水ポンプ兼二重反転磁気摩擦動力伝達装置（１４ａ）の各種着磁摩擦車や各種磁着摩擦車は、回転方向下流側に、棒磁石（３３）を設けて、夫々適宜に互換して使用すると共に、途中水路を水噴射手段（５６）に連絡したことを特徴とする竪型全動翼蒸気ガスタービン合体機関。
【請求項１３６７】
前記送水ポンプ兼二重反転磁気摩擦動力伝達装置（１４ａ）の各種内着磁摩擦車や各種内磁着摩擦車は、回転方向上流側及び下流側に、電磁石（３４）を設けて、夫々適宜に互換して使用すると共に、途中水路を水噴射手段（５６）に連絡したことを特徴とする竪型全動翼蒸気ガスタービン合体機関。
【請求項１３６８】
前記送水ポンプ兼二重反転磁気摩擦動力伝達装置（１４ａ）の各種内着磁摩擦車や各種内磁着摩擦車は、回転方向上流側及び下流側に、棒磁石（３３）を設けて、夫々適宜に互換して使用すると共に、途中水路を水噴射手段（５６）に連絡したことを特徴とする竪型全動翼蒸気ガスタービン合体機関。
【請求項１３６９】
前記送水ポンプ兼二重反転磁気摩擦動力伝達装置（１４ａ）の各種内着磁摩擦車や各種内磁着摩擦車は、回転方向上流側に、電磁石（３４）を設けて、夫々適宜に互換して使用すると共に、途中水路を水噴射手段（５６）に連絡したことを特徴とする竪型全動翼蒸気ガスタービン合体機関。
【請求項１３７０】
前記送水ポンプ兼二重反転磁気摩擦動力伝達装置（１４ａ）の各種内着磁摩擦車や各種内磁着摩擦車は、回転方向上流側に、棒磁石（３３）を設けて、夫々適宜に互換して使用すると共に、途中水路を水噴射手段（５６）に連絡したことを特徴とする竪型全動翼蒸気ガスタービン合体機関。
【請求項１３７１】
前記送水ポンプ兼二重反転磁気摩擦動力伝達装置（１４ａ）の各種内着磁摩擦車や各種内磁着摩擦車は、回転方向下流側に、電磁石（３４）を設けて、夫々適宜に互換して使用すると共に、途中水路を水噴射手段（５６）に連絡したことを特徴とする竪型全動翼蒸気ガスタービン合体機関。
【請求項１３７２】
前記送水ポンプ兼二重反転磁気摩擦動力伝達装置（１４ａ）の各種内着磁摩擦車や各種内磁着摩擦車は、回転方向下流側に、棒磁石（３３）を設けて、夫々適宜に互換して使用すると共に、途中水路を水噴射手段（５６）に連絡したことを特徴とする竪型全動翼蒸気ガスタービン合体機関。
【請求項１３７３】
前記送水ポンプ兼二重反転磁気摩擦動力伝達装置（１４ａ）により、燃焼器兼熱交換器（４）に供給する水を昇圧して使用すると共に、途中水路を水噴射手段（５６）に連絡したことを特徴とする竪型全動翼蒸気ガスタービン合体機関。
【請求項１３７４】
前記送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする竪型全動翼蒸気ガスタービン合体機関。
【請求項１３７５】
前記複数の送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする竪型全動翼蒸気ガスタービン合体機関。
【請求項１３７６】
前記送水ポンプ兼二重反転磁気摩擦動力伝達装置（１４ａ）は、燃焼器兼熱交換器（４）に供給する水を使用すると共に、途中水路を水噴射手段（５６）に連絡したことを特徴とする竪型全動翼蒸気ガスタービン合体機関。
【請求項１３７７】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けると共に、途中水路を水噴射手段（５６）に連絡したことを特徴とする竪型全動翼蒸気ガスタービン合体機関。
【請求項１３７８】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けて超高速回転に対応すると共に、途中水路を水噴射手段（５６）に連絡したことを特徴とする竪型全動翼蒸気ガスタービン合体機関。
【請求項１３７９】
前記送水ポンプ兼二重反転磁気摩擦動力伝達装置（１４ａ）は、燃焼器兼熱交換器（４）に供給する水を使用すると共に、該水温を上昇して使用すると共に、途中水路を水噴射手段（５６）に連絡したことを特徴とする竪型全動翼蒸気ガスタービン合体機関。
【請求項１３８０】
前記送水送水ポンプ兼二重反転磁気摩擦動力伝達装置（１４ａ）は、燃焼器兼熱交換器（４）に供給する水を使用すると共に水温を上昇して使用し、該水に物質を混入して公害低減し、潤滑すると共に、途中水路を水噴射手段（５６）に連絡したことを特徴とする竪型全動翼蒸気ガスタービン合体機関。
【請求項１３８１】
前記送水送水ポンプ兼二重反転磁気摩擦動力伝達装置（１４ａ）に換えて送水ポンプ兼磁気摩擦動力伝達装置（１００ａ）を使用することを特徴とする竪型全動翼蒸気ガスタービン合体機関。
【請求項１３８２】
前記送水送水ポンプ兼二重反転磁気摩擦動力伝達装置（１４ａ）に換えて送水ポンプ兼磁気摩擦動力伝達装置（１００ａ）を使用し、互いに反対方向に回転する外側軸装置（１６Ａ）（１９Ａ）と内側軸装置（１７Ａ）（２０Ａ）を最適回転比で結合することを特徴とする竪型全動翼蒸気ガスタービン合体機関。
【請求項１３８３】
前記送水送水ポンプ兼二重反転磁気摩擦動力伝達装置（１４ａ）に換えて送水ポンプ兼磁気摩擦動力伝達装置（１００ａ）を使用し、互いに反対方向に回転する外側軸装置（１６Ａ）（１９Ａ）と内側軸装置（１７Ａ）（２０Ａ）を最適回転比で結合して限りなく高圧空気圧縮して燃焼器兼熱交換器（４）により燃焼ガス熱量＋燃焼ガス質量に分離することを特徴とする竪型全動翼蒸気ガスタービン合体機関。
【請求項１３８４】
前記送水送水ポンプ兼二重反転磁気摩擦動力伝達装置（１４ａ）に換えて２台の発電機を使用することを特徴とする竪型全動翼蒸気ガスタービン合体機関。
【請求項１３８５】
前記送水送水ポンプ兼二重反転磁気摩擦動力伝達装置（１４ａ）に換えて２台の発電機を使用し、互いに反対方向に回転する外側軸装置（１６Ａ）（１９Ａ）と内側軸装置（１７Ａ）（２０Ａ）を最適回転比で結合することを特徴とする竪型全動翼蒸気ガスタービン合体機関。
【請求項１３８６】
前記送水送水ポンプ兼二重反転磁気摩擦動力伝達装置（１４ａ）に換えて２台の発電機を使用し、互いに反対方向に回転する外側軸装置（１６Ａ）（１９Ａ）と内側軸装置（１７Ａ）（２０Ａ）を最適回転比で結合して限りなく高圧空気圧縮して燃焼器兼熱交換器（４）により燃焼ガス熱量＋燃焼ガス質量に分離することを特徴とする竪型全動翼蒸気ガスタービン合体機関。
【請求項１３８７】
前記送水送水ポンプ兼二重反転磁気摩擦動力伝達装置（１４ａ）に換えて２台の発電機兼電動機を使用することを特徴とする竪型全動翼蒸気ガスタービン合体機関。
【請求項１３８８】
前記送水送水ポンプ兼二重反転磁気摩擦動力伝達装置（１４ａ）に換えて２台の発電機兼電動機を使用し、互いに反対方向に回転する外側軸装置（１６Ａ）（１９Ａ）と内側軸装置（１７Ａ）（２０Ａ）を最適回転比で結合することを特徴とする竪型全動翼蒸気ガスタービン合体機関。
【請求項１３８９】
前記送水送水ポンプ兼二重反転磁気摩擦動力伝達装置（１４ａ）に換えて２台の発電機兼電動機を使用し、互いに反対方向に回転する外側軸装置（１６Ａ）（１９Ａ）と内側軸装置（１７Ａ）（２０Ａ）を最適回転比で結合して限りなく高圧空気圧縮して燃焼器兼熱交換器（４）により燃焼ガス熱量＋燃焼ガス質量に分離することを特徴とする竪型全動翼蒸気ガスタービン合体機関。
【請求項１３９０】
前記水噴射手段（５６）は組立環状接続部付近に設け、翼段落毎に環状に一体鋳造（８４）して、該組立環状接続部で水路を接続使用することを特徴とする撥水鍍金タービン全動翼（８１）を具備した竪型全動翼蒸気ガスタービン合体機関。
【請求項１３９１】
前記水噴射手段（５６）は組立環状接続部付近に設け、翼段落毎に環状に一体鋳造（８４）して、該組立環状接続部で水路を接続使用し、該組立環状接続部付近から水噴射することを特徴とする撥水鍍金タービン全動翼（８１）を具備した竪型全動翼蒸気ガスタービン合体機関。
【請求項１３９２】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収することを特徴とする撥水鍍金タービン全動翼（８１）を具備した竪型全動翼蒸気ガスタービン合体機関。
【請求項１３９３】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収した冷空気を略直線蛇行的に圧縮することを特徴とする撥水鍍金タービン全動翼（８１）を具備した竪型全動翼蒸気ガスタービン合体機関。
【請求項１３９４】
前記水噴射手段（５６）は組立環状接続部付近に設け、撥水鍍金水冷却翼（８７）を冷却手段（５５）の水路で段落半分を冷却後に水噴射手段（５６）より水噴射する竪型全動翼蒸気ガスタービン合体機関。
【請求項１３９５】
前記水噴射手段（５６）は組立環状接続部付近に設け、撥水鍍金水冷却翼（８７）を冷却手段（５５）の水路で段落全部を冷却後に水噴射手段（５６）より水噴射する竪型全動翼蒸気ガスタービン合体機関。
【請求項１３９６】
前記水噴射手段（５６）は組立環状接続部付近に設け、撥水鍍金水冷却翼（８７）を冷却手段（５５）の水路で段落複数を冷却後に水噴射手段（５６）より水噴射する竪型全動翼蒸気ガスタービン合体機関。
【請求項１３９７】
前記水噴射手段（５６）は組立環状接続部付近に設け、撥水鍍金水冷却翼（８７）を冷却手段（５５）の水路で段落多数を冷却後に水噴射手段（５６）より水噴射する竪型全動翼蒸気ガスタービン合体機関。
【請求項１３９８】
前記水により撥水鍍金水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した竪型全動翼蒸気ガスタービン合体機関。
【請求項１３９９】
前記水により撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した竪型全動翼蒸気ガスタービン合体機関。
【請求項１４００】
前記水により１以上複数の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した竪型全動翼蒸気ガスタービン合体機関。
【請求項１４０１】
前記水により段落全部の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した竪型全動翼蒸気ガスタービン合体機関。
【請求項１４０２】
前記水により段落半分の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した竪型全動翼蒸気ガスタービン合体機関。
【請求項１４０３】
前記水により撥水鍍金水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ａ）で出力を発生する竪型全動翼蒸気ガスタービン合体機関。
【請求項１４０４】
前記水により撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ａ）で出力を発生する竪型全動翼蒸気ガスタービン合体機関。
【請求項１４０５】
前記水により１以上複数の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ａ）で出力を発生する竪型全動翼蒸気ガスタービン合体機関。
【請求項１４０６】
前記水により段落全部の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ａ）で出力を発生する竪型全動翼蒸気ガスタービン合体機関。
【請求項１４０７】
前記水により段落半分の撥水鍍金水冷却翼（８７）を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ａ）で出力を発生する竪型全動翼蒸気ガスタービン合体機関。
【請求項１４０８】
前記燃焼ガス質量の排気温度を−２７３℃に近付けることで、燃焼器兼熱交換器（４）の熱回収量を増大することを特徴とする撥水鍍金タービン全動翼（８１）を具備した竪型全動翼蒸気ガスタービン合体機関。
【請求項１４０９】
前記燃焼ガス質量の排気温度を−２７３℃に近付けることで、竪型全動翼ガスタービン（１０Ａ）の排気近傍で低温燃焼ガスによる水蒸気の冷却凝集を容易にすることを特徴とする撥水鍍金タービン全動翼（８１）を具備した竪型全動翼蒸気ガスタービン合体機関。
【請求項１４１０】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、肥料として供給することを特徴とする撥水鍍金タービン全動翼（８１）を具備した竪型全動翼蒸気ガスタービン合体機関。
【請求項１４１１】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、土や植物に固定して肥料として供給することを特徴とする撥水鍍金タービン全動翼（８１）を具備した竪型全動翼蒸気ガスタービン合体機関。
【請求項１４１２】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、土や植物に固定して肥料として供給し、食物を増産することを特徴とする撥水鍍金タービン全動翼（８１）を具備した竪型全動翼蒸気ガスタービン合体機関。
【請求項１４１３】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、土や植物に固定して肥料として供給し、植物を増産することを特徴とする撥水鍍金タービン全動翼（８１）を具備した竪型全動翼蒸気ガスタービン合体機関。
【請求項１４１４】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、海中に供給することを特徴とする撥水鍍金タービン全動翼（８１）を具備した竪型全動翼蒸気ガスタービン合体機関。
【請求項１４１５】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、海中に供給して、海藻類を繁殖させることを特徴とする撥水鍍金タービン全動翼（８１）を具備した竪型全動翼蒸気ガスタービン合体機関。
【請求項１４１６】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、海中に供給して、珊瑚類を繁殖させることを特徴とする撥水鍍金タービン全動翼（８１）を具備した竪型全動翼蒸気ガスタービン合体機関。
【請求項１４１７】
前記燃焼ガス質量の排気温度を−２７３℃に近付ける、竪型全動翼ガスタービン（１０Ａ）において、排気燃焼ガス（１０）により水蒸気を冷却凝集して、水等として分別回収し、海中に供給して、魚介類を繁殖させることを特徴とする撥水鍍金タービン全動翼（８１）を具備した竪型全動翼蒸気ガスタービン合体機関。
【請求項１４１８】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、海水を冷却する過程で酸素等を吸入して、海中に供給することを特徴とする撥水鍍金タービン全動翼（８１）を具備した竪型全動翼蒸気ガスタービン合体機関。
【請求項１４１９】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、酸素等と共に海中に供給して、海藻類を繁殖させることを特徴とする撥水鍍金タービン全動翼（８１）を具備した竪型全動翼蒸気ガスタービン合体機関。
【請求項１４２０】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、酸素等と共に海中に供給して、珊瑚類を繁殖させることを特徴とする撥水鍍金タービン全動翼（８１）を具備した竪型全動翼蒸気ガスタービン合体機関。
【請求項１４２１】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、酸素等と共に海中に供給して、微生物や魚介類を繁殖させることを特徴とする撥水鍍金タービン全動翼（８１）を具備した竪型全動翼蒸気ガスタービン合体機関。
【請求項１４２２】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、水道水を冷却することを特徴とする撥水鍍金タービン全動翼（８１）を具備した竪型全動翼蒸気ガスタービン合体機関。
【請求項１４２３】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、水道水を冷却して冷熱（７２）で貯蔵することを特徴とする撥水鍍金タービン全動翼（８１）を具備した竪型全動翼蒸気ガスタービン合体機関。
【請求項１４２４】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、水道水を冷却して水道水冷熱（７２）で貯蔵し、供給することを特徴とする撥水鍍金タービン全動翼（８１）を具備した竪型全動翼蒸気ガスタービン合体機関。
【請求項１４２５】
前記燃焼ガス質量の排気温度を−２７３℃に近付ける、竪型全動翼ガスタービン（１０Ａ）において、排気燃焼ガス（１０）により水蒸気を冷却凝集して、水等として分別回収して、水道水を冷却して水道水冷熱（７２）で貯蔵し、業務用家庭用として供給することを特徴とする撥水鍍金タービン全動翼（８１）を具備した竪型全動翼蒸気ガスタービン合体機関。
【請求項１４２６】
前記燃焼ガス質量の排気温度を−２７３℃に近付けることで、燃焼器兼熱交換器（４）の熱回収量を増大することを特徴とする超臨界圧力等の水（５ａ）で出力を発生する竪型全動翼蒸気ガスタービン合体機関。
【請求項１４２７】
前記燃焼ガス質量の排気温度を−２７３℃に近付けることで、竪型全動翼ガスタービン（１０Ａ）の排気近傍で、低温燃焼ガスによる水蒸気の冷却凝集を容易にすることを特徴とする水（５ａ）で出力を発生する竪型全動翼蒸気ガスタービン合体機関。
【請求項１４２８】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、海中に供給することを特徴とする水（５ａ）で出力を発生する竪型全動翼蒸気ガスタービン合体機関。
【請求項１４２９】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、海中に供給して、海藻類を繁殖させることを特徴とする水（５ａ）で出力を発生する竪型全動翼蒸気ガスタービン合体機関。
【請求項１４３０】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、海中に供給して、珊瑚類を繁殖させることを特徴とする水（５ａ）で出力を発生する竪型全動翼蒸気ガスタービン合体機関。
【請求項１４３１】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、海中に供給して、魚介類を繁殖させることを特徴とする水（５ａ）で出力を発生する竪型全動翼蒸気ガスタービン合体機関。
【請求項１４３２】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、海水を冷却する過程で酸素等を吸入して、海中に供給することを特徴とする水（５ａ）で出力を発生する竪型全動翼蒸気ガスタービン合体機関。
【請求項１４３３】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、酸素等と共に海中に供給して、海藻類を繁殖させることを特徴とする水（５ａ）で出力を発生する竪型全動翼蒸気ガスタービン合体機関。
【請求項１４３４】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、酸素等と共に海中に供給して、珊瑚類を繁殖させることを特徴とする水（５ａ）で出力を発生する竪型全動翼蒸気ガスタービン合体機関。
【請求項１４３５】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、酸素等と共に海中に供給して、微生物や魚介類を繁殖させることを特徴とする水（５ａ）で出力を発生する竪型全動翼蒸気ガスタービン合体機関。
【請求項１４３６】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、肥料にすることを特徴とする竪型全動翼蒸気ガスタービン合体機関。
【請求項１４３７】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、肥料にすることを特徴とする水（５ａ）で出力を発生する竪型全動翼蒸気ガスタービン合体機関。
【請求項１４３８】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、生ゴミや泥土や植物片に固定して肥料にすることを特徴とする竪型全動翼蒸気ガスタービン合体機関。
【請求項１４３９】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収し、生ゴミや泥土や植物片に固定して肥料にすることを特徴とする水（５ａ）で出力を発生する竪型全動翼蒸気ガスタービン合体機関。
【請求項１４４０】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、生ゴミに固定して肥料にすることを特徴とする水（５ａ）で出力を発生する竪型全動翼蒸気ガスタービン合体機関。
【請求項１４４１】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、泥土に固定して肥料にすることを特徴とする水（５ａ）で出力を発生する竪型全動翼蒸気ガスタービン合体機関。
【請求項１４４２】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、植物片に固定して肥料にすることを特徴とする水（５ａ）で出力を発生する竪型全動翼蒸気ガスタービン合体機関。
【請求項１４４３】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、生ゴミに固定して肥料にすることを特徴とする竪型全動翼蒸気ガスタービン合体機関。
【請求項１４４４】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、泥土に固定して肥料にすることを特徴とする竪型全動翼蒸気ガスタービン合体機関。
【請求項１４４５】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、植物片に固定して肥料にすることを特徴とする竪型全動翼蒸気ガスタービン合体機関。
【請求項１４４６】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、水道水を冷却することを特徴とする水（５ａ）で出力を発生する竪型全動翼蒸気ガスタービン合体機関。
【請求項１４４７】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、水道水を冷却して冷熱（７２）で貯蔵することを特徴とする水（５ａ）で出力を発生する竪型全動翼蒸気ガスタービン合体機関。
【請求項１４４８】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、水道水を冷却して冷熱（７２）で貯蔵し、供給することを特徴とする超臨界圧力等の高温水（５ａ）で出力を発生する竪型全動翼蒸気ガスタービン合体機関。
【請求項１４４９】
前記燃焼ガス質量の排気温度を−２７３℃に近付ける、竪型全動翼ガスタービン（１０Ａ）において、排気燃焼ガス（１０）により水蒸気を冷却凝集して、水滴等として分別回収して、水道水を冷却して冷熱で貯蔵し、業務用家庭用として供給することを特徴とする水（５ａ）で出力を発生する竪型全動翼蒸気ガスタービン合体機関。
【請求項１４５０】
前記燃焼ガス質量の排気温度を−２７３℃に近付ける、竪型全動翼ガスタービン（１０Ａ）において、燃焼器兼熱交換器（４）で微粉炭燃料を使用することを特徴とする竪型全動翼蒸気ガスタービン合体機関。
【請求項１４５１】
前記燃焼ガス質量の排気温度を−２７３℃に近付ける、竪型全動翼ガスタービン（１０Ａ）において、燃焼器兼熱交換器（４）で微粉炭燃料を燃焼させて水（５ａ）で熱回収して使用することを特徴とする竪型全動翼蒸気ガスタービン合体機関。
【請求項１４５２】
前記燃焼ガス質量の排気温度を−２７３℃に近付ける、竪型全動翼ガスタービン（１０Ａ）において、燃焼器兼熱交換器（４）で微粉炭燃料を燃焼させて水（５ａ）で熱回収し、発電用として使用することを特徴とする竪型全動翼蒸気ガスタービン合体機関。
【請求項１４５３】
前記燃焼ガス質量の排気温度を−２７３℃に近付ける、竪型全動翼ガスタービン（１０Ａ）において、ゴミガス化燃料を補助使用することを特徴とする竪型全動翼蒸気ガスタービン合体機関。
【請求項１４５４】
前記燃焼ガス質量の排気温度を−２７３℃に近付ける、竪型全動翼ガスタービン（１０Ａ）において、ゴミガス化燃料を燃焼させて水（５ａ）で熱回収して補助使用することを特徴とする竪型全動翼蒸気ガスタービン合体機関。
【請求項１４５５】
前記燃焼ガス質量の排気温度を−２７３℃に近付ける、竪型全動翼ガスタービン（１０Ａ）において、ゴミガス化燃料を燃焼させて水（５ａ）で熱回収して補助使用し、該燃焼ガス空気を竪型全動翼圧縮機（１５Ａ）で圧縮することを特徴とする竪型全動翼蒸気ガスタービン合体機関。
【請求項１４５６】
前記燃焼ガス質量の排気温度を−２７３℃に近付ける、竪型全動翼ガスタービン（１０Ａ）において、ゴミガス化燃料を燃焼させて水（５ａ）で熱回収して補助使用し、該燃焼ガス空気を竪型全動翼圧縮機（１５Ａ）で圧縮して燃焼器兼熱交換器（４）に供給することを特徴とする竪型全動翼蒸気ガスタービン合体機関。
【請求項１４５７】
前記燃焼ガス質量の排気温度を−２７３℃に近付ける、竪型全動翼ガスタービン（１０Ａ）において、燃えるもの全部を燃料として補助使用することを特徴とする竪型全動翼蒸気ガスタービン合体機関。
【請求項１４５８】
前記燃焼ガス質量の排気温度を−２７３℃に近付ける、竪型全動翼ガスタービン（１０Ａ）において、燃えるもの全部を燃料として燃焼させて水（５ａ）で熱回収して補助使用することを特徴とする竪型全動翼蒸気ガスタービン合体機関。
【請求項１４５９】
前記燃焼ガス質量の排気温度を−２７３℃に近付ける、竪型全動翼ガスタービン（１０Ａ）において、燃えるもの全部を燃料として燃焼させて水（５ａ）で熱回収して補助使用し、該燃焼ガス空気を竪型全動翼圧縮機（１５Ａ）で圧縮することを特徴とする竪型全動翼蒸気ガスタービン合体機関。
【請求項１４６０】
前記燃焼ガス質量の排気温度を−２７３℃に近付ける、竪型全動翼ガスタービン（１０Ａ）において、燃えるもの全部を燃料として燃焼させて水（５ａ）で熱回収して補助使用し、該燃焼ガス空気を竪型全動翼圧縮機（１５Ａ）で圧縮して燃焼器兼熱交換器４に供給することを特徴とする竪型全動翼蒸気ガスタービン合体機関。
【請求項１４６１】
前記燃焼ガス質量の排気温度を−２７３℃に近付ける、竪型全動翼蒸気タービン（５Ａ）において、起動時のみ竪型全動翼ガスタービン（１０Ａ）として使用することを特徴とする竪型全動翼蒸気ガスタービン合体機関。
【請求項１４６２】
前記燃焼ガス質量の排気温度を−２７３℃に近付ける、竪型全動翼蒸気タービン（５Ａ）において、起動時のみ過熱蒸気噴射ノズル（５９ｈ）で燃焼ガス（１０）爆発力により水（５ａ）を噴射加速して回転出力を発生する竪型全動翼ガスタービン（１０Ａ）として使用することを特徴とする竪型全動翼蒸気ガスタービン合体機関。
【請求項１４６３】
前記燃焼ガス質量の排気温度を−２７３℃に近付ける、竪型全動翼蒸気タービン（５Ａ）において、起動時のみ過熱蒸気噴射ノズル（５９ｈ）で燃焼ガス（１０）爆発力により水（５ａ）を噴射加速して回転出力を発生する竪型全動翼ガスタービン（１０Ａ）として使用し、過熱蒸気（５ｃ）爆発力により燃焼ガスと水を噴射加速する竪型全動翼蒸気ガスタービンに移行することを特徴とする竪型全動翼蒸気ガスタービン合体機関。
【請求項１４６４】
前記燃焼ガス質量の排気温度を−２７３℃に近付ける、竪型全動翼蒸気ガスタービン合体機関において、水（５ａ）で燃焼器兼熱交換器（４）に貯蔵することを特徴とする竪型全動翼蒸気ガスタービン合体機関。
【請求項１４６５】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全なジエツト機としたことを特徴とする竪型全動翼蒸気ガスタービン合体機関。
【請求項１４６６】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全な宇宙往還親飛行機としたことを特徴とする竪型全動翼蒸気ガスタービン合体機関。
【請求項１４６７】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全な超音速飛行機としたことを特徴とする竪型全動翼蒸気ガスタービン合体機関。
【請求項１４６８】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全な超音速旅客機としたことを特徴とする竪型全動翼蒸気ガスタービン合体機関。
【請求項１４６９】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全な飛行船舶としたことを特徴とする竪型全動翼蒸気ガスタービン合体機関。
【請求項１４７０】
前記燃焼ガス質量の排気温度を−２７３℃に近付ける、竪型全動翼蒸気ガスタービン合体機関において、水（５ａ）で燃焼器兼熱交換器（４）に貯蔵することで非常に安全な飛行物体としたことを特徴とする竪型全動翼蒸気ガスタービン合体機関。
【請求項１４７１】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全なジエツト機としたことを特徴とする竪型全動翼蒸気ガスタービン合体機関。
【請求項１４７２】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全な宇宙往還親飛行機としたことを特徴とする竪型全動翼蒸気ガスタービン合体機関。
【請求項１４７３】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全な超音速飛行機としたことを特徴とする竪型全動翼蒸気ガスタービン合体機関。
【請求項１４７４】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全な超音速旅客機としたことを特徴とする竪型全動翼蒸気ガスタービン合体機関。
【請求項１４７５】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全な飛行船舶としたことを特徴とする竪型全動翼蒸気ガスタービン合体機関。
【請求項１４７６】
前記燃焼ガス質量の排気温度を−２７３℃に近付ける、竪型全動翼蒸気ガスタービン合体機関において、水（５ａ）で燃焼器兼熱交換器（４）に貯蔵することで火災を消火容易発生困難として、非常に安全な飛行物体としたことを特徴とする竪型全動翼蒸気ガスタービン合体機関。
【請求項１４７７】
前記燃焼ガス質量の排気温度を−２７３℃に近付ける、竪型全動翼蒸気ガスタービン合体機関において、霧吹きの原理（９１ｉ）によりラムジエツトを遥かに越える落差でバイパス噴射する竪型全動翼蒸気ガスタービン合体機関。
【請求項１４７８】
前記燃焼ガス質量の排気温度を−２７３℃に近付ける、竪型全動翼蒸気ガスタービン合体機関において、複数の霧吹きの原理（９１ｉ）によりラムジエツトを遥かに越える落差でバイパス噴射する竪型全動翼蒸気ガスタービン合体機関。
【請求項１４７９】
前記燃焼ガス質量の排気温度を−２７３℃に近付ける、竪型全動翼蒸気ガスタービン合体機関において、霧吹きの原理（９１ｊ）によりラムジエツトを遥かに越える落差でバイパス噴射する竪型全動翼蒸気ガスタービン合体機関。
【請求項１４８０】
前記燃焼ガス質量の排気温度を−２７３℃に近付ける、竪型全動翼蒸気ガスタービン合体機関において、複数の霧吹きの原理（９１ｊ）によりラムジエツトを遥かに越える落差でバイパス噴射する竪型全動翼蒸気ガスタービン合体機関。
【請求項１４８１】
前記燃焼ガス質量の排気温度を−２７３℃に近付ける、竪型全動翼蒸気ガスタービン合体機関において、霧吹きの原理（９１ｌ）により燃焼ガスをバイパス噴射する竪型全動翼蒸気ガスタービン合体機関。
【請求項１４８２】
前記燃焼ガス質量の排気温度を−２７３℃に近付ける、竪型全動翼蒸気ガスタービン合体機関において、複数の霧吹きの原理（９１ｌ）燃焼ガス（１０）爆発力により水（５ａ）をバイパス噴射加速する竪型全動翼蒸気ガスタービン合体機関。
【請求項１４８３】
前記燃焼ガス質量の排気温度を−２７３℃に近付ける、竪型全動翼蒸気ガスタービン合体機関において、霧吹きの原理（９１ｋ）過熱蒸気（５ｃ）爆発力により水（５ａ）をバイパス噴射加速する竪型全動翼蒸気ガスタービン合体機関。
【請求項１４８４】
前記燃焼ガス質量の排気温度を−２７３℃に近付ける、竪型全動翼蒸気ガスタービン合体機関において、霧吹きの原理（９１ｍ）過熱蒸気（５ｃ）爆発力により水（５ａ）をバイパス噴射加速する竪型全動翼蒸気ガスタービン合体機関。
【請求項１４８５】
前記燃焼ガス質量の排気温度を−２７３℃に近付ける、竪型全動翼蒸気ガスタービン合体機関において、複数の霧吹きの原理（９１ｋ）過熱蒸気（５ｃ）爆発力により水（５ａ）をバイパス噴射加速する竪型全動翼蒸気ガスタービン合体機関。
【請求項１４８６】
前記燃焼ガス質量の排気温度を−２７３℃に近付ける、竪型全動翼蒸気ガスタービン合体機関において、複数の霧吹きの原理（９１ｍ）過熱蒸気（５ｃ）爆発力により水（５ａ）をバイパス噴射加速する竪型全動翼蒸気ガスタービン合体機関。
【請求項１４８７】
前記燃焼ガス質量の排気温度を−２７３℃に近付ける、竪型全動翼ガスタービン（１０Ａ）において、燃料の燃焼ガス熱量の使用を略０にすることを特徴とする撥水鍍金タービン全動翼（８１）を具備した竪型全動翼蒸気ガスタービン合体機関。
【請求項１４８８】
前記燃焼ガス質量の排気温度を−２７３℃に近付ける、竪型全動翼ガスタービン（１０Ａ）において、燃料の燃焼ガス熱量の使用を略０にすることを特徴とする水（５ａ）で出力を発生する竪型全動翼蒸気ガスタービン合体機関。
【請求項１４８９】
前記燃焼ガス質量の排気温度を−２７３℃に近付ける、竪型全動翼ガスタービン（１０Ａ）に於いて、排気燃焼ガス（１０）により水蒸気を冷却凝集して水滴等として回収し、水道水を冷却して貯蔵して需要家に供給して業務用や家庭用のクーラーを全廃し、脱フロンにより地球温暖化防止することを特徴とする竪型全動翼蒸気ガスタービン合体機関。
【請求項１４９０】
前記燃焼ガス質量の排気温度を−２７３℃に近付ける、竪型全動翼ガスタービン（１０Ａ）に於いて、排気燃焼ガス（１０）により水蒸気を冷却凝集して水滴等として回収し、水道水を冷却して貯蔵して需要家に供給して都市部を丸ごと冷却し、脱フロンにより地球温暖化防止することを特徴とする竪型全動翼蒸気ガスタービン合体機関。
【請求項１４９１】
前記燃焼ガス質量の排気温度を−２７３℃に近付ける、竪型全動翼ガスタービン（１０Ａ）に於いて、排気燃焼ガス（１０）により水蒸気を冷却凝集して水滴等として回収し、水道水を５℃前後に冷却して貯蔵して需要家に供給して業務用や家庭用のクーラーを全廃し、脱フロンにより地球温暖化防止することを特徴とする竪型全動翼蒸気ガスタービン合体機関。
【請求項１４９２】
前記燃焼ガス質量の排気温度を−２７３℃に近付ける、竪型全動翼ガスタービン（１０Ａ）に於いて、排気燃焼ガス（１０）により水蒸気を冷却凝集して水滴等として回収し、水道水を５℃前後に冷却して貯蔵して需要家に供給して都市部を丸ごと冷却し、脱フロンにより地球温暖化防止することを特徴とする竪型全動翼蒸気ガスタービン合体機関。
【請求項１４９３】
前記竪型全動翼蒸気ガスタービン合体機関で使用する水（５ａ）に、公害低減地球温暖化防止するため、物質を混入してＣＯ２等の公害ガスを水（５ａ）に合成溶解容易にすることを特徴とする竪型全動翼蒸気ガスタービン合体機関。
【請求項１４９４】
前記竪型全動翼蒸気ガスタービン合体機関で使用する水（５ａ）に、公害低減地球温暖化防止するため、化学物質を混入してＣＯ２等の公害ガスを水（５ａ）に合成溶解容易にすることを特徴とする竪型全動翼蒸気ガスタービン合体機関。
【請求項１４９５】
前記竪型全動翼蒸気ガスタービン合体機関で使用する水（５ａ）に、公害低減地球温暖化防止するため、物質を混入してＣＯ２等の公害ガスを水（５ａ）に合成溶解して排出することを特徴とする竪型全動翼蒸気ガスタービン合体機関。
【請求項１４９６】
前記竪型全動翼蒸気ガスタービン合体機関で使用する水（５ａ）に、公害低減地球温暖化防止するため、化学物質を混入してＣＯ２等の公害ガスを水（５ａ）に合成溶解して排出することを特徴とする竪型全動翼蒸気ガスタービン合体機関。
【請求項１４９７】
前記竪型全動翼蒸気ガスタービン合体機関は、動力伝達装置に送水ポンプ兼二重反転磁気摩擦動力伝達装置（１４ａ）を使用することを特徴とする竪型全動翼蒸気ガスタービン合体機関。
【請求項１４９８】
前記竪型全動翼蒸気ガスタービン合体機関は、動力伝達装置に送水ポンプ兼磁気摩擦動力伝達装置（１００ａ）を使用することを特徴とする竪型全動翼蒸気ガスタービン合体機関。
【請求項１４９９】
前記竪型全動翼蒸気ガスタービン合体機関のタービン翼は撥水鍍金とすることで、水（５ａ）等との間の摩擦損失を低減してタービン翼を動圧反動駆動することを特徴とする竪型全動翼蒸気ガスタービン合体機関。
【請求項１５００】
前記竪型全動翼蒸気タービンの撥水鍍金タービン全動翼（８１）に換えて電磁過熱タービン全動翼（８１ａ）とすることで、水（５ａ）等との間に気化膜を設けて摩擦損失を低減してタービン翼を動圧反動駆動することを特徴とする竪型全動翼蒸気ガスタービン合体機関。
【請求項１５０１】
前記竪型全動翼蒸気タービンと竪型全動翼ガスタービンは１軸直列に具備して竪型全動翼蒸気ガスタービンを構成することを特徴とする竪型全動翼蒸気ガスタービン合体機関。
【請求項１５０２】
前記竪型全動翼蒸気タービン（実施例１）と竪型全動翼ガスタービン（実施例５）は１軸直列に具備して竪型全動翼蒸気ガスタービンを構成することを特徴とする竪型全動翼蒸気ガスタービン合体機関。
【請求項１５０３】
前記竪型全動翼蒸気タービン（実施例３）と竪型全動翼ガスタービン（実施例５）は１軸直列に具備して竪型全動翼蒸気ガスタービンを構成することを特徴とする竪型全動翼蒸気ガスタービン合体機関。
【請求項１５０４】
前記竪型全動翼蒸気タービン（実施例１）と竪型全動翼ガスタービン（実施例４）は１軸直列に具備して竪型全動翼蒸気ガスタービンを構成することを特徴とする竪型全動翼蒸気ガスタービン合体機関。
【請求項１５０５】
前記竪型全動翼蒸気タービン（実施例３）と竪型全動翼ガスタービン（実施例４）は１軸直列に具備して竪型全動翼蒸気ガスタービンを構成することを特徴とする竪型全動翼蒸気ガスタービン合体機関。
【請求項１５０６】
前記竪型全動翼蒸気タービンと竪型全動翼ガスタービンは２軸並列に具備して回転力を結合した竪型全動翼蒸気ガスタービンを構成することを特徴とする竪型全動翼蒸気ガスタービン合体機関。
【請求項１５０７】
前記竪型全動翼蒸気タービンと竪型全動翼ガスタービンは２軸並列に具備して回転力を結合しない竪型全動翼蒸気ガスタービンを構成することを特徴とする竪型全動翼蒸気ガスタービン合体機関。
【請求項１５０８】
前記竪型全動翼蒸気タービン（実施例１）と竪型全動翼ガスタービン（実施例５）は２軸並列に具備して回転力を結合した竪型全動翼蒸気ガスタービンを構成することを特徴とする竪型全動翼蒸気ガスタービン合体機関。
【請求項１５０９】
前記竪型全動翼蒸気タービン（実施例３）と竪型全動翼ガスタービン（実施例５）は２軸並列に具備して回転力を結合した竪型全動翼蒸気ガスタービンを構成することを特徴とする竪型全動翼蒸気ガスタービン合体機関。
【請求項１５１０】
前記竪型全動翼蒸気タービン（実施例１）と竪型全動翼ガスタービン（実施例４）は２軸並列に具備して回転力を結合した竪型全動翼蒸気ガスタービンを構成することを特徴とする竪型全動翼蒸気ガスタービン合体機関。
【請求項１５１１】
前記竪型全動翼蒸気タービン（実施例３）と竪型全動翼ガスタービン（実施例４）は２軸並列に具備して回転力を結合した竪型全動翼蒸気ガスタービンを構成することを特徴とする竪型全動翼蒸気ガスタービン合体機関。
【請求項１５１２】
前記竪型全動翼蒸気タービン（実施例１）と竪型全動翼ガスタービン（実施例５）は２軸に具備して回転力を結合しない竪型全動翼蒸気ガスタービンを構成することを特徴とする竪型全動翼蒸気ガスタービン合体機関。
【請求項１５１３】
前記竪型全動翼蒸気タービン（実施例３）と竪型全動翼ガスタービン（実施例５）は２軸に具備して回転力を結合しない竪型全動翼蒸気ガスタービンを構成することを特徴とする竪型全動翼蒸気ガスタービン合体機関。
【請求項１５１４】
前記竪型全動翼蒸気タービン（実施例１）と竪型全動翼ガスタービン（実施例４）は２軸に具備して回転力を結合しない竪型全動翼蒸気ガスタービンを構成することを特徴とする竪型全動翼蒸気ガスタービン合体機関。
【請求項１５１５】
前記竪型全動翼蒸気タービン（実施例３）と竪型全動翼ガスタービン（実施例４）は２軸に具備して回転力を結合しない竪型全動翼蒸気ガスタービンを構成することを特徴とする竪型全動翼蒸気ガスタービン合体機関。
【請求項１５１６】
前記竪型全動翼蒸気タービン（５Ａ）の過熱蒸気噴射ノズル（５９ｇ）に燃焼ガス噴射ノズル（５９ｄ）を追加することで竪型全動翼蒸気ガスタービンを構成することを特徴とする竪型全動翼蒸気ガスタービン合体機関。
【請求項１５１７】
前記竪型全動翼蒸気タービン（５Ａ）の過熱蒸気噴射ノズル（５９ｇ）に換えて過熱蒸気噴射ノズル（５９ｈ）を使用することで竪型全動翼蒸気ガスタービンを構成することを特徴とする竪型全動翼蒸気ガスタービン合体機関。
【請求項１５１８】
前記竪型全動翼蒸気タービン（５Ａ）の過熱蒸気噴射ノズル（５９ｇ）に換えて過熱蒸気噴射ノズル（５９ｉ）を使用することで竪型全動翼蒸気ガスタービンを構成することを特徴とする竪型全動翼蒸気ガスタービン合体機関。
【請求項１５１９】
前記竪型全動翼蒸気ガスタービン合体機関の撥水鍍金外側圧縮翼動翼群（１６）と撥水鍍金内側圧縮翼動翼群（１７）は撥水鍍金することで、水（５ａ）等との間の摩擦損失を低減して、効率良く空気圧縮して冷却することを特徴とする竪型全動翼蒸気ガスタービン合体機関。
【請求項１５２０】
前記竪型全動翼圧縮機（１５Ａ）の撥水鍍金外側圧縮翼動翼群（１６）と撥水鍍金内側圧縮翼動翼群（１７）は、撥水鍍金金属・撥水鍍金物質の被覆・撥水鍍金セラミックス・撥水鍍金加工の、何れかで構成して空気圧縮を良好とすることを特徴とする竪型全動翼蒸気ガスタービン合体機関。
【請求項１５２１】
前記撥水鍍金外側圧縮翼動翼群（１６）と撥水鍍金内側圧縮翼動翼群（１７）は、撥水鍍金金属・撥水鍍金物質の被覆・撥水鍍金セラミックス・撥水鍍金加工の、何れか１以上で構成して撥水を良好とすることを特徴とする竪型全動翼蒸気ガスタービン合体機関。
【請求項１５２２】
前記燃焼器兼熱交換器（４）により限り無く高圧燃焼熱交換冷却燃焼して、燃焼ガス熱量＋燃焼ガス質量に分離することを特徴とする竪型全動翼蒸気ガスタービン合体機関。
【請求項１５２３】
前記燃焼器兼熱交換器（４）により限り無く高圧燃焼熱交換冷却燃焼して、燃焼ガス熱量出力＋燃焼ガス質量出力に分離することを特徴とする竪型全動翼蒸気ガスタービン合体機関。
【請求項１５２４】
前記燃焼器兼熱交換器（４）により燃焼ガス熱量＋燃焼ガス質量に分離することを特徴とする竪型全動翼蒸気ガスタービン合体機関。
【請求項１５２５】
前記燃焼器兼熱交換器（４）により燃焼ガス熱量出力＋燃焼ガス質量出力に分離することを特徴とする竪型全動翼蒸気ガスタービン合体機関。
【請求項１５２６】
前記燃焼器兼熱交換器（４）により燃焼ガス熱量＋燃焼ガス質量に分離して燃焼ガス熱量を過熱蒸気（５ｃ）爆発力に変換利用することを特徴とする竪型全動翼蒸気ガスタービン合体機関。
【請求項１５２７】
前記燃焼器兼熱交換器（４）により燃焼ガス熱量出力＋燃焼ガス質量出力に分離して燃焼ガス熱量出力を過熱蒸気（５ｃ）爆発力に変換利用することを特徴とする竪型全動翼蒸気ガスタービン合体機関。
【請求項１５２８】
前記燃焼器兼熱交換器（４）により燃焼ガス熱量＋燃焼ガス質量に分離して燃焼ガス質量を燃焼ガス（１０）爆発力に変換利用することを特徴とする竪型全動翼蒸気ガスタービン合体機関。
【請求項１５２９】
前記燃焼器兼熱交換器（４）により燃焼ガス熱量出力＋燃焼ガス質量出力に分離して燃焼ガス質量出力を燃焼ガス（１０）爆発力に変換利用することを特徴とする竪型全動翼蒸気ガスタービン合体機関。
【請求項１５３０】
前記燃焼器兼熱交換器（４）には、微粉炭燃料から熱回収した水（５ａ）を供給することを特徴とする竪型全動翼蒸気ガスタービン合体機関。
【請求項１５３１】
前記燃焼器兼熱交換器（４）には、ゴミガス化燃料から熱回収した水（５ａ）を供給することを特徴とする竪型全動翼蒸気ガスタービン合体機関。
【請求項１５３２】
前記燃焼器兼熱交換器（４）には、ゴミ微細化燃料から熱回収した水（５ａ）を供給することを特徴とする竪型全動翼蒸気ガスタービン合体機関。
【請求項１５３３】
前記燃焼器兼熱交換器（４）には、燃えるもの全部の燃料から熱回収した水（５ａ）を供給することを特徴とする竪型全動翼蒸気ガスタービン合体機関。
【請求項１５３４】
前記燃焼器兼熱交換器（４）には、微粉炭燃料から熱回収した水（５ａ）を供給し、電力にすることを特徴とする竪型全動翼蒸気ガスタービン合体機関。
【請求項１５３５】
前記燃焼器兼熱交換器（４）には、ゴミガス化燃料から熱回収した水（５ａ）を供給し、電力にすることを特徴とする竪型全動翼蒸気ガスタービン合体機関。
【請求項１５３６】
前記燃焼器兼熱交換器（４）には、ゴミ微細化燃料から熱回収した水（５ａ）を供給し、電力にすることを特徴とする竪型全動翼蒸気ガスタービン合体機関。
【請求項１５３７】
前記燃焼器兼熱交換器（４）には、燃えるもの全部の燃料から熱回収した水（５ａ）を供給し、電力にすることを特徴とする竪型全動翼蒸気ガスタービン合体機関。
【請求項１５３８】
前記燃焼器兼熱交換器（４）には、微粉炭燃料から熱回収した水（５ａ）を供給し、電力にして該燃焼ガスも竪型全動翼圧縮機（１５Ａ）で圧縮して燃焼器兼熱交換器４で再燃焼することを特徴とする竪型全動翼蒸気ガスタービン合体機関。
【請求項１５３９】
前記燃焼器兼熱交換器（４）には、ゴミガス化燃料から熱回収した水（５ａ）を供給し、電力にして該燃焼ガスも竪型全動翼圧縮機（１５Ａ）で圧縮して燃焼器兼熱交換器４で再燃焼することを特徴とする竪型全動翼蒸気ガスタービン合体機関。
【請求項１５４０】
前記燃焼器兼熱交換器（４）には、ゴミ微細化燃料から熱回収した水（５ａ）を供給し、電力にして該燃焼ガスも竪型全動翼圧縮機（１５Ａ）で圧縮して燃焼器兼熱交換器４で再燃焼することを特徴とする竪型全動翼蒸気ガスタービン合体機関。
【請求項１５４１】
前記燃焼器兼熱交換器（４）には、燃えるもの全部の燃料から熱回収した水（５ａ）を供給し、電力にして該燃焼ガスも竪型全動翼圧縮機（１５Ａ）で圧縮して燃焼器兼熱交換器４で再燃焼することを特徴とする竪型全動翼蒸気ガスタービン合体機関。
【請求項１５４２】
前記燃焼器兼熱交換器（４）には、微粉炭燃料から熱回収した水（５ａ）を供給し、電力にして該燃焼ガスも竪型全動翼圧縮機（１５Ａ）で圧縮して燃焼器兼熱交換器４で再燃焼熱回収して通常使用することを特徴とする竪型全動翼蒸気ガスタービン合体機関。
【請求項１５４３】
前記燃焼器兼熱交換器（４）には、ゴミガス化燃料から熱回収した水（５ａ）を供給し、電力にして該燃焼ガスも竪型全動翼圧縮機（１５Ａ）で圧縮して燃焼器兼熱交換器４で再燃焼熱回収して通常使用することを特徴とする竪型全動翼蒸気ガスタービン合体機関。
【請求項１５４４】
前記燃焼器兼熱交換器（４）には、ゴミ微細化燃料から熱回収した水（５ａ）を供給し、電力にして該燃焼ガスも竪型全動翼圧縮機（１５Ａ）で圧縮して燃焼器兼熱交換器４で再燃焼熱回収して通常使用することを特徴とする竪型全動翼蒸気ガスタービン合体機関。
【請求項１５４５】
前記燃焼器兼熱交換器（４）には、燃えるもの全部の燃料から熱回収した水（５ａ）を供給し、電力にして該燃焼ガスも竪型全動翼圧縮機（１５Ａ）で圧縮して燃焼器兼熱交換器４で再燃焼熱回収して通常使用することを特徴とする竪型全動翼蒸気ガスタービン合体機関。
【請求項１５４６】
前記燃焼器兼熱交換器（４）には、微粉炭燃料から熱回収した水（５ａ）を供給し、電力にして該燃焼ガスも竪型全動翼圧縮機（１５Ａ）で圧縮して燃焼器兼熱交換器４で再燃焼熱回収して補助使用することを特徴とする竪型全動翼蒸気ガスタービン合体機関。
【請求項１５４７】
前記燃焼器兼熱交換器（４）には、ゴミガス化燃料から熱回収した水（５ａ）を供給し、電力にして該燃焼ガスも竪型全動翼圧縮機（１５Ａ）で圧縮して燃焼器兼熱交換器４で再燃焼熱回収して補助使用することを特徴とする竪型全動翼蒸気ガスタービン合体機関。
【請求項１５４８】
前記燃焼器兼熱交換器（４）には、ゴミ微細化燃料から熱回収した水（５ａ）を供給し、電力にして該燃焼ガスも竪型全動翼圧縮機（１５Ａ）で圧縮して燃焼器兼熱交換器４で再燃焼熱回収して補助使用することを特徴とする竪型全動翼蒸気ガスタービン合体機関。
【請求項１５４９】
前記燃焼器兼熱交換器（４）には、燃えるもの全部の燃料から熱回収した水（５ａ）を供給し、電力にして該燃焼ガスも竪型全動翼圧縮機（１５Ａ）で圧縮して燃焼器兼熱交換器４で再燃焼熱回収して補助使用することを特徴とする竪型全動翼蒸気ガスタービン合体機関。
【請求項１５５０】
前記竪型全動翼蒸気タービン（５Ａ）の過熱蒸気溜（３２）には、微粉炭燃料から熱回収した水（５ａ）の過熱蒸気（５ｃ）を供給することを特徴とする竪型全動翼蒸気ガスタービン合体機関。
【請求項１５５１】
前記竪型全動翼蒸気ガスタービンの過熱蒸気溜（３２）には、微粉炭燃料から熱回収した水（５ａ）の過熱蒸気（５ｃ）を供給することを特徴とする竪型全動翼蒸気ガスタービン合体機関。
【請求項１５５２】
前記竪型全動翼蒸気タービン（５Ａ）の過熱蒸気溜（３２）には、ゴミガス化燃料から熱回収した水（５ａ）の過熱蒸気（５ｃ）を供給することを特徴とする竪型全動翼蒸気ガスタービン合体機関。
【請求項１５５３】
前記竪型全動翼蒸気ガスタービンの過熱蒸気溜（３２）には、ゴミガス化燃料から熱回収した水（５ａ）の過熱蒸気（５ｃ）を供給することを特徴とする竪型全動翼蒸気ガスタービン合体機関。
【請求項１５５４】
前記竪型全動翼蒸気タービン（５Ａ）の過熱蒸気溜（３２）には、ゴミ微細化燃料から熱回収した水（５ａ）の過熱蒸気（５ｃ）を供給することを特徴とする竪型全動翼蒸気ガスタービン合体機関。
【請求項１５５５】
前記竪型全動翼蒸気ガスタービンの過熱蒸気溜（３２）には、ゴミ微細化燃料から熱回収した水（５ａ）の過熱蒸気（５ｃ）を供給することを特徴とする竪型全動翼蒸気ガスタービン合体機関。
【請求項１５５６】
前記竪型全動翼蒸気タービン（５Ａ）の過熱蒸気溜（３２）には、燃えるもの全部の燃料から熱回収した水（５ａ）の過熱蒸気（５ｃ）を供給することが特徴の竪型全動翼蒸気ガスタービン合体機関。
【請求項１５５７】
前記竪型全動翼蒸気ガスタービンの過熱蒸気溜（３２）には、燃えるもの全部の燃料から熱回収した水（５ａ）の過熱蒸気（５ｃ）を供給することを特徴とする竪型全動翼蒸気ガスタービン合体機関。
【請求項１５５８】
前記竪型全動翼蒸気タービン（５Ａ）の過熱蒸気溜（３２）には、微粉炭燃料から熱回収した水（５ａ）の過熱蒸気（５ｃ）を供給し、電力にすることが特徴の竪型全動翼蒸気ガスタービン合体機関。
【請求項１５５９】
前記竪型全動翼蒸気ガスタービンの過熱蒸気溜（３２）には、微粉炭燃料から熱回収した水（５ａ）の過熱蒸気（５ｃ）を供給し、電力にすることを特徴とする竪型全動翼蒸気ガスタービン合体機関。
【請求項１５６０】
前記竪型全動翼蒸気タービン（５Ａ）の過熱蒸気溜（３２）には、ゴミガス化燃料から熱回収した水（５ａ）の過熱蒸気（５ｃ）を供給し、電力にすることを特徴とする竪型全動翼蒸気ガスタービン合体機関。
【請求項１５６１】
前記竪型全動翼蒸気ガスタービンの過熱蒸気溜（３２）には、ゴミガス化燃料から熱回収した水（５ａ）の過熱蒸気（５ｃ）を供給し、電力にすることを特徴とする竪型全動翼蒸気ガスタービン合体機関。
【請求項１５６２】
前記竪型全動翼蒸気タービン（５Ａ）の過熱蒸気溜（３２）には、ゴミ微細化燃料から熱回収した水（５ａ）の過熱蒸気（５ｃ）を供給し、電力にすることを特徴とする竪型全動翼蒸気ガスタービン合体機関。
【請求項１５６３】
前記竪型全動翼蒸気ガスタービンの過熱蒸気溜（３２）には、ゴミ微細化燃料から熱回収した水（５ａ）の過熱蒸気（５ｃ）を供給し、電力にすることを特徴とする竪型全動翼蒸気ガスタービン合体機関。
【請求項１５６４】
前記竪型全動翼蒸気タービン（５Ａ）の過熱蒸気溜（３２）には、燃えるもの全部の燃料から熱回収した水（５ａ）の過熱蒸気（５ｃ）を供給し、電力にすることを特徴とする竪型全動翼蒸気ガスタービン合体機関。
【請求項１５６５】
前記竪型全動翼蒸気ガスタービンの過熱蒸気溜（３２）には、燃えるもの全部の燃料から熱回収した水（５ａ）の過熱蒸気（５ｃ）を供給し、電力にすることを特徴とする竪型全動翼蒸気ガスタービン合体機関。
【請求項１５６６】
前記竪型全動翼蒸気タービン（５Ａ）の過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５６７】
前記竪型全動翼蒸気ガスタービンの過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５６８】
前記竪型全動翼蒸気タービン（５Ａ）の過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５６９】
前記竪型全動翼蒸気ガスタービンの過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５７０】
前記竪型全動翼蒸気タービン（５Ａ）の過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５７１】
前記竪型全動翼蒸気ガスタービンの過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５７２】
前記竪型全動翼蒸気タービン（５Ａ）の過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５７３】
前記竪型全動翼蒸気ガスタービンの過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼することを特徴とする竪型全動翼蒸気ガスタービン合体機関。
【請求項１５７４】
前記竪型全動翼蒸気タービン（５Ａ）の過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５７５】
前記竪型全動翼蒸気ガスタービンの過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５７６】
前記竪型全動翼蒸気タービン（５Ａ）の過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５７７】
前記竪型全動翼蒸気ガスタービンの過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５７８】
前記竪型全動翼蒸気タービン（５Ａ）の過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５７９】
前記竪型全動翼蒸気ガスタービンの過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５８０】
前記竪型全動翼蒸気タービン（５Ａ）の過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５８１】
前記竪型全動翼蒸気ガスタービンの過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して通常使用することを特徴とする竪型全動翼蒸気ガスタービン合体機関。
【請求項１５８２】
前記竪型全動翼蒸気タービン（５Ａ）の過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８３】
前記竪型全動翼蒸気ガスタービンの過熱蒸気溜（３２）には、微粉炭燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８４】
前記竪型全動翼蒸気タービン（５Ａ）の過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８５】
前記竪型全動翼蒸気ガスタービンの過熱蒸気溜（３２）には、ゴミガス化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８６】
前記竪型全動翼蒸気タービン（５Ａ）の過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８７】
前記竪型全動翼蒸気ガスタービンの過熱蒸気溜（３２）には、ゴミ微細化燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８８】
前記竪型全動翼蒸気タービン（５Ａ）の過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５８９】
前記竪型全動翼蒸気ガスタービンの過熱蒸気溜（３２）には、燃えるもの全部の燃料から熱回収した水（５ａ）の過熱蒸気（５ｃ）を供給し、電力にして該燃焼ガスも竪型全動翼圧縮機（１５Ａ）で圧縮して燃焼器兼熱交換器（４）で再燃焼熱回収して補助使用することを特徴とする竪型全動翼蒸気ガスタービン合体機関。
【請求項１５９０】
前記噴射推進する竪型全動翼蒸気ガスタービンは、空気吸引噴射力を含めた噴射水（５ａ）と燃焼ガス（１０）の噴射質量速度の増大により噴射推進することを特徴とする竪型全動翼蒸気ガスタービン合体機関。
【請求項１５９１】
前記噴射推進する竪型全動翼蒸気タービン（５Ａ）は、空気吸引噴射力を含めた噴射高温水（５ａ）の噴射質量速度の増大により噴射推進することを特徴とする竪型全動翼蒸気ガスタービン合体機関。
【請求項１５９２】
前記噴射推進する竪型全動翼蒸気ガスタービンは、霧吹きの原理（９１ｉ）の空気吸引噴射力を含めた噴射水（５ａ）と燃焼ガス（１０）の噴射質量速度の増大により噴射推進することを特徴とする竪型全動翼蒸気ガスタービン合体機関。
【請求項１５９３】
前記噴射推進する竪型全動翼蒸気タービン（５Ａ）は、霧吹きの原理（９１ｉ）の空気吸引噴射力を含めた噴射水（５ａ）の噴射質量速度の増大により噴射推進することを特徴とする竪型全動翼蒸気ガスタービン合体機関。
【請求項１５９４】
前記噴射推進する竪型全動翼蒸気ガスタービンは、霧吹きの原理（９１ｉ）（９１ｊ）の空気吸引噴射力を含めた噴射水（５ａ）と燃焼ガス（１０）の噴射質量速度の増大により噴射推進することを特徴とする竪型全動翼蒸気ガスタービン合体機関。
【請求項１５９５】
前記噴射推進する竪型全動翼蒸気タービン（５Ａ）は、霧吹きの原理（９１ｉ）（９１ｊ）の空気吸引噴射力を含めた噴射水（５ａ）と燃焼ガス（１０）の噴射質量速度の増大により噴射推進することを特徴とする竪型全動翼蒸気ガスタービン合体機関。
【請求項１５９６】
前記噴射推進する竪型全動翼蒸気ガスタービンは、その排気空気吸引噴射力を含めた噴射水（５ａ）と燃焼ガス（１０）の噴射圧力質量速度の増大により船体を浮上させて噴射推進することを特徴とする竪型全動翼蒸気ガスタービン合体機関。
【請求項１５９７】
前記噴射推進する竪型全動翼蒸気タービン（５Ａ）は、その排気空気吸引噴射力を含めた噴射水（５ａ）の噴射圧力質量速度の増大により船体を浮上させて噴射推進することを特徴とする竪型全動翼蒸気ガスタービン合体機関。
【請求項１５９８】
前記噴射推進する竪型全動翼蒸気ガスタービンは、霧吹きの原理（９１ｋ）（９１ｌ）の水吸引噴射力を含めた噴射水（５ａ）と燃焼ガス（１０）の噴射質量速度の増大により噴射推進することを特徴とする竪型全動翼蒸気ガスタービン合体機関。
【請求項１５９９】
前記噴射推進する竪型全動翼蒸気タービン（５Ａ）は、霧吹きの原理（９１ｋ）（９１ｌ）の水吸引噴射力を含めた噴射水（５ａ）と燃焼ガス（１０）の噴射質量速度の増大により噴射推進することを特徴とする竪型全動翼蒸気ガスタービン合体機関。
【請求項１６００】
前記噴射推進する竪型全動翼蒸気ガスタービンは、霧吹きの原理（９１ｋ）の水吸引力を含めた噴射水（５ａ）と燃焼ガス（１０）の噴射質量速度の増大により噴射推進することを特徴とする竪型全動翼蒸気ガスタービン合体機関。
【請求項１６０１】
前記噴射推進する竪型全動翼蒸気タービン（５Ａ）は、霧吹きの原理（９１ｍ）（９１ｌ）の水吸引噴射力を含めた噴射水（５ａ）と燃焼ガス（１０）の噴射質量速度の増大により噴射推進することを特徴とする竪型全動翼蒸気ガスタービン合体機関。
【請求項１６０２】
前記噴射推進する竪型全動翼蒸気ガスタービンは、霧吹きの原理（９１ｍ）の水吸引噴射力を含めた噴射水（５ａ）の噴射質量速度の増大により噴射推進することを特徴とする竪型全動翼蒸気ガスタービン合体機関。
【請求項１６０３】
前記噴射推進する竪型全動翼蒸気タービン（５Ａ）は、霧吹きの原理（９１ｌ）の水吸引噴射力を含めた噴射水（５ａ）と燃焼ガス（１０）の噴射質量速度の増大により噴射推進することを特徴とする竪型全動翼蒸気ガスタービン合体機関。
【請求項１６０４】
前記噴射推進する竪型全動翼蒸気ガスタービンは、空気吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６０５】
前記噴射推進する竪型全動翼蒸気タービン（５Ａ）は、空気吸引噴射力を含めた噴射水（５ａ）の噴射質量速度の増大により燃料積載量を大幅に低減して噴射推進することを特徴とする竪型全動翼蒸気ガスタービン合体機関。
【請求項１６０６】
前記噴射推進する竪型全動翼蒸気ガスタービンは、霧吹きの原理（９１ｉ）の空気吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６０７】
前記噴射推進する竪型全動翼蒸気タービン（５Ａ）は、霧吹きの原理（９１ｉ）の空気吸引噴射力を含めた噴射水（５ａ）の噴射質量速度の増大により燃料積載量を大幅に低減して噴射推進することを特徴とする竪型全動翼蒸気ガスタービン合体機関。
【請求項１６０８】
前記噴射推進する竪型全動翼蒸気ガスタービンは、霧吹きの原理（９１ｉ）（９１ｊ）の空気吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６０９】
前記噴射推進する竪型全動翼蒸気タービン（５Ａ）は、霧吹きの原理（９１ｉ）（９１ｊ）の空気吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６１０】
前記噴射推進する竪型全動翼蒸気ガスタービンは、その排気空気吸引噴射力を含めた噴射水（５ａ）と燃焼ガス（１０）の噴射圧力質量速度の増大により船体を浮上させて燃料積載量を大幅に低減して噴射推進することを特徴とする竪型全動翼蒸気ガスタービン合体機関。
【請求項１６１１】
前記噴射推進する竪型全動翼蒸気タービン（５Ａ）は、その排気空気吸引噴射力を含めた噴射水（５ａ）の噴射圧力質量速度の増大により船体を浮上させて燃料積載量を大幅に低減して噴射推進することを特徴とする竪型全動翼蒸気ガスタービン合体機関。
【請求項１６１２】
前記噴射推進する竪型全動翼蒸気ガスタービンは、霧吹きの原理（９１ｋ）（９１ｌ）の水吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６１３】
前記噴射推進する竪型全動翼蒸気タービン（５Ａ）は、霧吹きの原理（９１ｋ）（９１ｌ）の水吸引噴射力を含めた噴射水（５ａ）の噴射質量速度の増大により燃料積載量を大幅に低減して噴射推進することを特徴とする竪型全動翼蒸気ガスタービン合体機関。
【請求項１６１４】
前記噴射推進する竪型全動翼蒸気ガスタービンは、霧吹きの原理（９１ｋ）の水吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６１５】
前記噴射推進する竪型全動翼蒸気タービン（５Ａ）は、霧吹きの原理（９１ｌ）の水吸引噴射力を含めた噴射水（５ａ）と燃焼ガス（１０）の噴射質量速度の増大により燃料積載量を大幅に低減して噴射推進することを特徴とする竪型全動翼蒸気ガスタービン合体機関。
【請求項１６１６】
前記噴射推進する竪型全動翼蒸気ガスタービンは、空気吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６１７】
前記噴射推進する竪型全動翼蒸気タービン（５Ａ）は、空気吸引噴射力を含めた噴射水（５ａ）の噴射質量速度の増大により燃料積載量を大幅に低減して非常に安全に噴射推進することを特徴とする竪型全動翼蒸気ガスタービン合体機関。
【請求項１６１８】
前記噴射推進する竪型全動翼蒸気ガスタービンは、霧吹きの原理（９１ｉ）の空気吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６１９】
前記噴射推進する竪型全動翼蒸気タービン（５Ａ）は、霧吹きの原理（９１ｉ）の空気吸引噴射力を含めた噴射水（５ａ）の噴射質量速度の増大により燃料積載量を大幅に低減して非常に安全に噴射推進することを特徴とする竪型全動翼蒸気ガスタービン合体機関。
【請求項１６２０】
前記噴射推進する竪型全動翼蒸気ガスタービンは、霧吹きの原理（９１ｉ）（９１ｊ）の空気吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６２１】
前記噴射推進する竪型全動翼蒸気タービン（５Ａ）は、霧吹きの原理（９１ｉ）（９１ｊ）の空気吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６２２】
前記噴射推進する竪型全動翼蒸気ガスタービンは、その排気空気吸引噴射力を含めた噴射水（５ａ）と燃焼ガス（１０）の噴射圧力質量速度の増大により船体を浮上させて燃料積載量を大幅に低減して非常に安全に噴射推進することを特徴とする竪型全動翼蒸気ガスタービン合体機関。
【請求項１６２３】
前記噴射推進する竪型全動翼蒸気タービン（５Ａ）は、その排気空気吸引噴射力を含めた噴射水（５ａ）の噴射圧力質量速度の増大により船体を浮上させて燃料積載量を大幅に低減して非常に安全に噴射推進することを特徴とする竪型全動翼蒸気ガスタービン合体機関。
【請求項１６２４】
前記噴射推進する竪型全動翼蒸気ガスタービンは、霧吹きの原理（９１ｋ）（９１ｌ）の水吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６２５】
前記噴射推進する竪型全動翼蒸気タービン（５Ａ）は、霧吹きの原理（９１ｋ）・（９１ｌ）の水吸引噴射力を含めた噴射水（５ａ）の噴射質量速度の増大により燃料積載量を大幅に低減して非常に安全に噴射推進することを特徴とする竪型全動翼蒸気ガスタービン合体機関。
【請求項１６２６】
前記噴射推進する竪型全動翼蒸気ガスタービンは、霧吹きの原理（９１ｋ）の水吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６２７】
前記噴射推進する竪型全動翼蒸気タービン（５Ａ）は、霧吹きの原理（９１ｌ）の水吸引噴射力を含めた噴射水（５ａ）と燃焼ガス（１０）の噴射質量速度の増大により燃料積載量を大幅に低減して非常に安全に噴射推進することを特徴とする竪型全動翼蒸気ガスタービン合体機関。
【請求項１６２８】
前記排気低温燃焼ガス（１０）に石炭灰等を含めて、出力発生の過程で全重力仕事率を増大し、撥水鍍金タービン全動翼（８１）を具備して出力を増大することを特徴とする竪型全動翼蒸気ガスタービン合体機関。
【請求項１６２９】
前記排気低温燃焼ガス（１０）に石炭灰等を含めて、出力発生増大の過程で全重力仕事率を増大し、水（５ａ）で出力を発生増大することを特徴とする竪型全動翼蒸気ガスタービン合体機関。
【請求項１６３０】
前記撥水鍍金タービン全動翼（８１）に換えて電磁加熱タービン全動翼（８１ａ）で出力を発生することを特徴とする竪型全動翼蒸気ガスタービン合体機関。
【請求項１６３１】
前記撥水鍍金タービン全動翼（８１）の一部を電磁加熱タービン全動翼（８１ａ）に換えて出力を発生することを特徴とする竪型全動翼蒸気ガスタービン合体機関。
【請求項１６３２】
前記撥水鍍金タービン全動翼（８１）に換えて電磁加熱タービン全動翼（８１ａ）で出力を発生する竪型全動翼蒸気タービン（５Ａ）としたことが特徴の竪型全動翼蒸気ガスタービン合体機関。
【請求項１６３３】
前記撥水鍍金タービン全動翼（８１）の一部を電磁加熱タービン全動翼（８１ａ）に換えて出力を発生する竪型全動翼蒸気タービン（５Ａ）としたことを特徴とする竪型全動翼蒸気ガスタービン合体機関。
【請求項１６３４】
前記竪型全動翼蒸気ガスタービン合体機関に於いて、燃焼ガス（１０）の一部を冷房用等別用途に使用することを特徴とする竪型全動翼蒸気ガスタービン合体機関。
【請求項１６３５】
前記竪型全動翼蒸気ガスタービン合体機関に於いて、燃焼ガス（１０）の全部を冷房用等別用途に使用することを特徴とする竪型全動翼蒸気ガスタービン合体機関。
【請求項１６３６】
前記竪型全動翼蒸気ガスタービン合体機関に於いて、燃焼ガス（１０）の一部を別用途に使用することを特徴とする竪型全動翼蒸気ガスタービン合体機関。
【請求項１６３７】
前記竪型全動翼蒸気ガスタービン合体機関に於いて、燃焼ガス（１０）の全部を別用途に使用することを特徴とする竪型全動翼蒸気ガスタービン合体機関。
【請求項１６３８】
前記竪型全動翼蒸気ガスタービン合体機関に於いて、燃焼ガス（１０）の全部を別用途の竪型全動翼ガスタービン（１０Ａ）で使用することを特徴とする竪型全動翼蒸気ガスタービン合体機関。
【請求項１６３９】
前記竪型全動翼蒸気ガスタービン合体機関に於いて、燃焼ガス（１０）の全部を別用途の竪型全動翼ガスタービン（１０Ａ）で使用して発電量を発生することを特徴とする竪型全動翼蒸気ガスタービン合体機関。
【請求項１６４０】
前記竪型全動翼蒸気ガスタービン合体機関に於いて、燃焼ガス（１０）の全部を別用途の竪型全動翼ガスタービン（１０Ａ）で使用して液化二酸化炭素を製造することを特徴とする竪型全動翼蒸気ガスタービン合体機関。
【請求項１６４１】
前記竪型全動翼蒸気ガスタービン合体機関に於いて、燃焼ガス（１０）の全部を別用途の竪型全動翼ガスタービン（１０Ａ）で使用して液体窒素を製造することを特徴とする竪型全動翼蒸気ガスタービン合体機関。
【請求項１６４２】
前記竪型全動翼蒸気ガスタービン合体機関に於いて、燃焼ガス（１０）の全部を別用途の竪型全動翼ガスタービン（１０Ａ）で使用して液化二酸化炭素と液体窒素以外の特定液化燃焼ガスを製造することを特徴とする竪型全動翼蒸気ガスタービン合体機関。
【請求項１６４３】
前記水（５ａ）は、送水ポンプ兼二重反転磁気摩擦動力伝達装置（１４ａ）により昇圧することを特徴とする竪型全動翼蒸気ガスタービン合体機関。
【請求項１６４４】
前記水（５ａ）は、送水ポンプ兼二重反転磁気摩擦動力伝達装置（１４ａ）により超臨界圧力等に昇圧することを特徴とする竪型全動翼蒸気ガスタービン合体機関。
【請求項１６４５】
前記水（５ａ）は、送水ポンプ兼二重反転磁気摩擦動力伝達装置（１４ａ）により昇圧して動力を伝達することを特徴とする竪型全動翼蒸気ガスタービン合体機関。
【請求項１６４６】
前記水（５ａ）は、送水ポンプ兼二重反転磁気摩擦動力伝達装置（１４ａ）により超臨界圧力等に昇圧して動力を伝達することを特徴とする竪型全動翼蒸気ガスタービン合体機関。
【請求項１６４７】
前記水（５ａ）は、送水ポンプ兼二重反転磁気摩擦動力伝達装置（１４ａ）により昇圧して過熱蒸気（５ｃ）にすることを特徴とする竪型全動翼蒸気ガスタービン合体機関。
【請求項１６４８】
前記水（５ａ）は、送水ポンプ兼二重反転磁気摩擦動力伝達装置（１４ａ）により超臨界圧力等に昇圧して過熱蒸気（５ｃ）にすることを特徴とする竪型全動翼蒸気ガスタービン合体機関。
【請求項１６４９】
前記水（５ａ）は、送水ポンプ兼二重反転磁気摩擦動力伝達装置（１４ａ）により昇圧して過熱蒸気（５ｃ）にして動力を伝達することを特徴とする竪型全動翼蒸気ガスタービン合体機関。
【請求項１６５０】
前記水（５ａ）は、送水ポンプ兼二重反転磁気摩擦動力伝達装置（１４ａ）により超臨界圧力等に昇圧して過熱蒸気（５ｃ）にして動力を伝達することを特徴とする竪型全動翼蒸気ガスタービン合体機関。
【請求項１６５１】
前記水（５ａ）は、送水ポンプ兼二重反転磁気摩擦動力伝達装置（１４ａ）により超臨界圧力等に昇圧して過熱蒸気（５ｃ）にして動力を伝達し、既存技術の２倍回転数にすることを特徴とする竪型全動翼蒸気ガスタービン合体機関。
【請求項１６５２】
前記水（５ａ）は、送水ポンプ兼二重反転磁気摩擦動力伝達装置（１４ａ）により超臨界圧力等に昇圧して過熱蒸気（５ｃ）にして動力を伝達し、既存技術の３倍回転数にすることを特徴とする竪型全動翼蒸気ガスタービン合体機関。
【請求項１６５３】
前記水（５ａ）は、送水ポンプ兼二重反転磁気摩擦動力伝達装置（１４ａ）により超臨界圧力等に昇圧して過熱蒸気（５ｃ）にして動力を伝達し、既存技術の５倍回転数にすることを特徴とする竪型全動翼蒸気ガスタービン合体機関。
【請求項１６５４】
前記水（５ａ）は、送水ポンプ兼二重反転磁気摩擦動力伝達装置（１４ａ）により超臨界圧力等に昇圧して過熱蒸気（５ｃ）にして動力を伝達し、既存技術の８倍回転数にすることを特徴とする竪型全動翼蒸気ガスタービン合体機関。
【請求項１６５５】
前記水（５ａ）は、送水ポンプ兼二重反転磁気摩擦動力伝達装置（１４ａ）により超臨界圧力等に昇圧して過熱蒸気（５ｃ）にして動力を伝達し、既存技術の１０倍回転数にすることを特徴とする竪型全動翼蒸気ガスタービン合体機関。
【請求項１６５６】
前記水（５ａ）は、送水ポンプ兼磁気摩擦動力伝達装置（１００ａ）により昇圧することを特徴とする竪型全動翼蒸気ガスタービン合体機関。
【請求項１６５７】
前記水（５ａ）は、送水ポンプ兼磁気摩擦動力伝達装置（１００ａ）により超臨界圧力等に昇圧することを特徴とする竪型全動翼蒸気ガスタービン合体機関。
【請求項１６５８】
前記水（５ａ）は、送水ポンプ兼磁気摩擦動力伝達装置（１００ａ）により昇圧して動力を伝達することを特徴とする竪型全動翼蒸気ガスタービン合体機関。
【請求項１６５９】
前記水（５ａ）は、送水ポンプ兼磁気摩擦動力伝達装置（１００ａ）により超臨界圧力等に昇圧して動力を伝達することを特徴とする竪型全動翼蒸気ガスタービン合体機関。
【請求項１６６０】
前記水（５ａ）は、送水ポンプ兼磁気摩擦動力伝達装置（１００ａ）により昇圧して過熱蒸気（５ｃ）にすることを特徴とする竪型全動翼蒸気ガスタービン合体機関。
【請求項１６６１】
前記水（５ａ）は、送水ポンプ兼磁気摩擦動力伝達装置（１００ａ）により超臨界圧力等に昇圧して過熱蒸気（５ｃ）にすることを特徴とする竪型全動翼蒸気ガスタービン合体機関。
【請求項１６６２】
前記水（５ａ）は、送水ポンプ兼磁気摩擦動力伝達装置（１００ａ）により昇圧して過熱蒸気（５ｃ）にして動力を伝達することを特徴とする竪型全動翼蒸気ガスタービン合体機関。
【請求項１６６３】
前記水（５ａ）は、送水ポンプ兼磁気摩擦動力伝達装置（１００ａ）により超臨界圧力等に昇圧して過熱蒸気（５ｃ）にして動力を伝達することを特徴とする竪型全動翼蒸気ガスタービン合体機関。
【請求項１６６４】
前記水（５ａ）は、送水ポンプ兼磁気摩擦動力伝達装置（１００ａ）により超臨界圧力等に昇圧して過熱蒸気（５ｃ）にして動力を伝達し、既存技術の２倍回転数にすることを特徴とする竪型全動翼蒸気ガスタービン合体機関。
【請求項１６６５】
前記水（５ａ）は、送水ポンプ兼磁気摩擦動力伝達装置（１００ａ）により超臨界圧力等に昇圧して過熱蒸気（５ｃ）にして動力を伝達し、既存技術の３倍回転数にすることを特徴とする竪型全動翼蒸気ガスタービン合体機関。
【請求項１６６６】
前記水（５ａ）は、送水ポンプ兼磁気摩擦動力伝達装置（１００ａ）により超臨界圧力等に昇圧して過熱蒸気（５ｃ）にして動力を伝達し、既存技術の５倍回転数にすることを特徴とする竪型全動翼蒸気ガスタービン合体機関。
【請求項１６６７】
前記水（５ａ）は、送水ポンプ兼磁気摩擦動力伝達装置（１００ａ）により超臨界圧力等に昇圧して過熱蒸気（５ｃ）にして動力を伝達し、既存技術の８倍回転数にすることを特徴とする竪型全動翼蒸気ガスタービン合体機関。
【請求項１６６８】
前記水（５ａ）は、送水ポンプ兼磁気摩擦動力伝達装置（１００ａ）により超臨界圧力等に昇圧して過熱蒸気（５ｃ）にして動力を伝達し、既存技術の１０倍回転数にすることを特徴とする竪型全動翼蒸気ガスタービン合体機関。
【請求項１６６９】
前記過熱蒸気（５ｃ）は、該爆発力と霧吹きの原理により水（５ａ）を混合して噴射加速することを特徴とする竪型全動翼蒸気ガスタービン合体機関。
【請求項１６７０】
前記過熱蒸気（５ｃ）は、該爆発力と霧吹きの原理により１以上の水（５ａ）を混合して噴射加速することを特徴とする竪型全動翼蒸気ガスタービン合体機関。
【請求項１６７１】
前記過熱蒸気（５ｃ）は、該爆発力と霧吹きの原理により水（５ａ）を９０度以下で合流混合して噴射加速することを特徴とする竪型全動翼蒸気ガスタービン合体機関。
【請求項１６７２】
前記過熱蒸気（５ｃ）は、該爆発力と霧吹きの原理により１以上の水（５ａ）を９０度以下で合流混合して噴射加速することを特徴とする竪型全動翼蒸気ガスタービン合体機関。
【請求項１６７３】
前記過熱蒸気（５ｃ）は、中核に配置した該爆発力と霧吹きの原理により水（５ａ）を混合して噴射加速することを特徴とする竪型全動翼蒸気ガスタービン合体機関。
【請求項１６７４】
前記過熱蒸気（５ｃ）は、中核に配置した該爆発力と霧吹きの原理により１以上の水（５ａ）を混合して噴射加速することを特徴とする竪型全動翼蒸気ガスタービン合体機関。
【請求項１６７５】
前記過熱蒸気（５ｃ）は、中核に配置した該爆発力と霧吹きの原理により水（５ａ）を９０度以下で合流混合して噴射加速することを特徴とする竪型全動翼蒸気ガスタービン合体機関。
【請求項１６７６】
前記過熱蒸気（５ｃ）は、中核に配置した該爆発力と霧吹きの原理により１以上の水（５ａ）を９０度以下で合流混合して噴射加速することを特徴とする竪型全動翼蒸気ガスタービン合体機関。
【請求項１６７７】
前記過熱蒸気（５ｃ）は、該爆発力と霧吹きの原理により水（５ａ）を混合して噴射加速する過熱蒸気噴射ノズル（５９ｇ）としたことを特徴とする竪型全動翼蒸気ガスタービン合体機関。
【請求項１６７８】
前記過熱蒸気（５ｃ）は、該爆発力と霧吹きの原理により１以上の水（５ａ）を混合して噴射加速する過熱蒸気噴射ノズル（５９ｇ）としたことを特徴とする竪型全動翼蒸気ガスタービン合体機関。
【請求項１６７９】
前記過熱蒸気（５ｃ）は、該爆発力と霧吹きの原理により水（５ａ）を９０度以下で合流混合して噴射加速する過熱蒸気噴射ノズル（５９ｇ）としたことを特徴とする竪型全動翼蒸気ガスタービン合体機関。
【請求項１６８０】
前記過熱蒸気（５ｃ）は、該爆発力と霧吹きの原理により１以上の水（５ａ）を９０度以下で合流混合して噴射加速する過熱蒸気噴射ノズル（５９ｇ）としたことを特徴とする竪型全動翼蒸気ガスタービン合体機関。
【請求項１６８１】
前記過熱蒸気（５ｃ）は、中核に配置した該爆発力と霧吹きの原理により水（５ａ）を混合して噴射加速する過熱蒸気噴射ノズル（５９ｇ）としたことを特徴とする竪型全動翼蒸気ガスタービン合体機関。
【請求項１６８２】
前記過熱蒸気（５ｃ）は、中核に配置した該爆発力と霧吹きの原理により１以上の水（５ａ）を混合して噴射加速する過熱蒸気噴射ノズル（５９ｇ）としたことを特徴とする竪型全動翼蒸気ガスタービン合体機関。
【請求項１６８３】
前記過熱蒸気（５ｃ）は、中核に配置した該爆発力と霧吹きの原理により水（５ａ）を９０度以下で合流混合して噴射加速する過熱蒸気噴射ノズル（５９ｇ）としたことを特徴とする竪型全動翼蒸気ガスタービン合体機関。
【請求項１６８４】
前記過熱蒸気（５ｃ）は、中核に配置した該爆発力と霧吹きの原理により１以上の水（５ａ）を９０度以下で合流混合して噴射加速する過熱蒸気噴射ノズル（５９ｇ）としたことを特徴とする竪型全動翼蒸気ガスタービン合体機関。
【請求項１６８５】
前記過熱蒸気（５ｃ）は、該爆発力と霧吹きの原理により水（５ａ）を混合して噴射加速する過熱蒸気噴射ノズル（５９ｆ）としたことを特徴とする竪型全動翼蒸気ガスタービン合体機関。
【請求項１６８６】
前記過熱蒸気（５ｃ）は、該爆発力と霧吹きの原理により１以上の水（５ａ）を混合して噴射加速する過熱蒸気噴射ノズル（５９ｆ）としたことを特徴とする竪型全動翼蒸気ガスタービン合体機関。
【請求項１６８７】
前記過熱蒸気（５ｃ）は、該爆発力と霧吹きの原理により水（５ａ）を９０度以下で合流混合して噴射加速する過熱蒸気噴射ノズル（５９ｆ）としたことを特徴とする竪型全動翼蒸気ガスタービン合体機関。
【請求項１６８８】
前記過熱蒸気（５ｃ）は、該爆発力と霧吹きの原理により１以上の水（５ａ）を９０度以下で合流混合して噴射加速する過熱蒸気噴射ノズル（５９ｆ）としたことを特徴とする竪型全動翼蒸気ガスタービン合体機関。
【請求項１６８９】
前記過熱蒸気（５ｃ）は、中核に配置した該爆発力と霧吹きの原理により水（５ａ）を混合して噴射加速する過熱蒸気噴射ノズル（５９ｆ）としたことを特徴とする竪型全動翼蒸気ガスタービン合体機関。
【請求項１６９０】
前記過熱蒸気（５ｃ）は、中核に配置した該爆発力と霧吹きの原理により１以上の水（５ａ）を混合して噴射加速する過熱蒸気噴射ノズル（５９ｆ）としたことを特徴とする竪型全動翼蒸気ガスタービン合体機関。
【請求項１６９１】
前記過熱蒸気（５ｃ）は、中核に配置した該爆発力と霧吹きの原理により水（５ａ）を９０度以下で合流混合して噴射加速する過熱蒸気噴射ノズル（５９ｆ）としたことを特徴とする竪型全動翼蒸気ガスタービン合体機関。
【請求項１６９２】
前記過熱蒸気（５ｃ）は、中核に配置した該爆発力と霧吹きの原理により１以上の水（５ａ）を９０度以下で合流混合して噴射加速する過熱蒸気噴射ノズル（５９ｆ）としたことを特徴とする竪型全動翼蒸気ガスタービン合体機関。
【請求項１６９３】
前記過熱蒸気（５ｃ）は、該爆発力と霧吹きの原理により水（５ａ）と燃焼ガス（１０）を混合して噴射加速する過熱蒸気噴射ノズル（５９ｈ）としたことを特徴とする竪型全動翼蒸気ガスタービン合体機関。
【請求項１６９４】
前記過熱蒸気（５ｃ）は、該爆発力と霧吹きの原理により１以上の水（５ａ）と燃焼ガス（１０）を混合して噴射加速する過熱蒸気噴射ノズル（５９ｈ）としたことを特徴とする竪型全動翼蒸気ガスタービン合体機関。
【請求項１６９５】
前記過熱蒸気（５ｃ）は、該爆発力と霧吹きの原理により水（５ａ）と燃焼ガス（１０）を９０度以下で合流混合して噴射加速する過熱蒸気噴射ノズル（５９ｈ）としたことを特徴とする竪型全動翼蒸気ガスタービン合体機関。
【請求項１６９６】
前記過熱蒸気（５ｃ）は、該爆発力と霧吹きの原理により１以上の水（５ａ）と燃焼ガス（１０）を９０度以下で合流混合して噴射加速する過熱蒸気噴射ノズル（５９ｈ）としたことを特徴とする竪型全動翼蒸気ガスタービン合体機関。
【請求項１６９７】
前記過熱蒸気（５ｃ）は、中核に配置した該爆発力と霧吹きの原理により水（５ａ）と燃焼ガス（１０）を混合して噴射加速する過熱蒸気噴射ノズル（５９ｈ）としたことを特徴とする竪型全動翼蒸気ガスタービン合体機関。
【請求項１６９８】
前記過熱蒸気（５ｃ）は、中核に配置した該爆発力と霧吹きの原理により１以上の水（５ａ）と燃焼ガス（１０）を混合して噴射加速する過熱蒸気噴射ノズル（５９ｈ）としたことを特徴とする竪型全動翼蒸気ガスタービン合体機関。
【請求項１６９９】
前記過熱蒸気（５ｃ）は、中核に配置した該爆発力と霧吹きの原理により水（５ａ）と燃焼ガス（１０）を９０度以下で合流混合して噴射加速する過熱蒸気噴射ノズル（５９ｈ）としたことを特徴とする竪型全動翼蒸気ガスタービン合体機関。
【請求項１７００】
前記過熱蒸気（５ｃ）は、中核に配置した該爆発力と霧吹きの原理により１以上の水（５ａ）と燃焼ガス（１０）を９０度以下で合流混合して噴射加速する過熱蒸気噴射ノズル（５９ｈ）としたことを特徴とする竪型全動翼蒸気ガスタービン合体機関。
【請求項１７０１】
前記過熱蒸気（５ｃ）は、該爆発力と霧吹きの原理により水（５ａ）と燃焼ガス（１０）を混合して噴射加速する過熱蒸気噴射ノズル（５９ｉ）としたことを特徴とする竪型全動翼蒸気ガスタービン合体機関。
【請求項１７０２】
前記過熱蒸気（５ｃ）は、該爆発力と霧吹きの原理により１以上の水（５ａ）と燃焼ガス（１０）を混合して噴射加速する過熱蒸気噴射ノズル（５９ｉ）としたことを特徴とする竪型全動翼蒸気ガスタービン合体機関。
【請求項１７０３】
前記過熱蒸気（５ｃ）は、該爆発力と霧吹きの原理により水（５ａ）と燃焼ガス（１０）を９０度以下で合流混合して噴射加速する過熱蒸気噴射ノズル（５９ｉ）としたことを特徴とする竪型全動翼蒸気ガスタービン合体機関。
【請求項１７０４】
前記過熱蒸気（５ｃ）は、該爆発力と霧吹きの原理により１以上の水（５ａ）と燃焼ガス（１０）を９０度以下で合流混合して噴射加速する過熱蒸気噴射ノズル（５９ｉ）としたことを特徴とする竪型全動翼蒸気ガスタービン合体機関。
【請求項１７０５】
前記過熱蒸気（５ｃ）は、中核に配置した該爆発力と霧吹きの原理により水（５ａ）と燃焼ガス（１０）を混合して噴射加速する過熱蒸気噴射ノズル（５９ｉ）としたことを特徴とする竪型全動翼蒸気ガスタービン合体機関。
【請求項１７０６】
前記過熱蒸気（５ｃ）は、中核に配置した該爆発力と霧吹きの原理により１以上の水（５ａ）と燃焼ガス（１０）を混合して噴射加速する過熱蒸気噴射ノズル（５９ｉ）としたことを特徴とする竪型全動翼蒸気ガスタービン合体機関。
【請求項１７０７】
前記過熱蒸気（５ｃ）は、中核に配置した該爆発力と霧吹きの原理により水（５ａ）と燃焼ガス（１０）を９０度以下で合流混合して噴射加速する過熱蒸気噴射ノズル（５９ｉ）としたことを特徴とする竪型全動翼蒸気ガスタービン合体機関。
【請求項１７０８】
前記過熱蒸気（５ｃ）は、中核に配置した該爆発力と霧吹きの原理により１以上の水（５ａ）と燃焼ガス（１０）を９０度以下で合流混合して噴射加速する過熱蒸気噴射ノズル（５９ｉ）としたことを特徴とする竪型全動翼蒸気ガスタービン合体機関。
【請求項１７０９】
前記竪型全動翼蒸気ガスタービン合体機関を竪型としたことで、重力慣性力や重力加速度を有効利用して噴射推進し、宇宙往還機にすることを特徴とする竪型全動翼蒸気ガスタービン合体機関。
【請求項１７１０】
前記竪型全動翼蒸気ガスタービン合体機関を竪型としたことで、重力慣性力や重力加速度を有効利用して噴射推進する宇宙往還機にすると共に、９０°以上回転可能にすることを特徴とする竪型全動翼蒸気ガスタービン合体機関。
【請求項１７１１】
前記竪型全動翼蒸気ガスタービン合体機関を竪型としたことで、重力慣性力や重力加速度を有効利用して噴射推進する宇宙往還機にすると共に、９０°以上回転可能にして水平飛行することを特徴とする竪型全動翼蒸気ガスタービン合体機関。
【請求項１７１２】
前記竪型全動翼蒸気ガスタービン合体機関を竪型としたことで、重力慣性力や重力加速度を有効利用すると共に、９０°以上回転可能にすることを特徴とする竪型全動翼蒸気ガスタービン合体機関。
【請求項１７１３】
前記竪型全動翼蒸気ガスタービン合体機関を竪型としたことで、重力慣性力や重力加速度を有効利用すると共に、９０°以上回転可能にして水平飛行することを特徴とする竪型全動翼蒸気ガスタービン合体機関。
【請求項１７１４】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上を竪型としたことで、重力慣性力や重力加速度を有効利用することを特徴とする竪型全動翼蒸気ガスタービン合体機関。
【請求項１７１５】
前記竪型全動翼ガスタービン（１０Ａ）を竪型としたことで、重力慣性力や重力加速度を有効利用することを特徴とする竪型全動翼蒸気ガスタービン合体機関。
【請求項１７１６】
前記竪型全動翼蒸気タービン（５Ａ）を竪型としたことで、重力慣性力や重力加速度を有効利用することを特徴とする竪型全動翼蒸気ガスタービン合体機関。
【請求項１７１７】
前記竪型全動翼蒸気ガスタービンを竪型としたことで、重力慣性力や重力加速度を有効利用することを特徴とする竪型全動翼蒸気ガスタービン合体機関。
【請求項１７１８】
前記霧吹きの原理（９１ｉ）を竪型としたことで、重力慣性力や重力加速度を有効利用することを特徴とする竪型全動翼蒸気ガスタービン合体機関。
【請求項１７１９】
前記霧吹きの原理（９１ｊ）を竪型としたことで、重力慣性力や重力加速度を有効利用することを特徴とする竪型全動翼蒸気ガスタービン合体機関。
【請求項１７２０】
前記霧吹きの原理９１ｋ）を竪型としたことで、重力慣性力や重力加速度を有効利用することを特徴とする竪型全動翼蒸気ガスタービン合体機関。
【請求項１７２１】
前記霧吹きの原理（９１ｌ）を竪型としたことで、重力慣性力や重力加速度を有効利用することを特徴とする竪型全動翼蒸気ガスタービン合体機関。
【請求項１７２２】
前記霧吹きの原理（９１ｍ）を竪型としたことで、重力慣性力や重力加速度を有効利用することを特徴とする竪型全動翼蒸気ガスタービン合体機関。
【請求項１７２３】
前記竪型全動翼ガスタービン（１０Ａ）及び竪型全動翼蒸気タービン（５Ａ）及び竪型全動翼蒸気ガスタービンの、何れか１以上の出力で駆動する装置を、大中小各種発電設備としたことを特徴とする竪型全動翼蒸気ガスタービン合体機関。
【請求項１７２４】
前記竪型全動翼ガスタービン（１０Ａ）及び竪型全動翼蒸気タービン（５Ａ）及び竪型全動翼蒸気ガスタービンの、何れか１以上の出力で駆動する装置を、大中小各種熱と電気と冷熱の供給設備としたことを特徴とする竪型全動翼蒸気ガスタービン合体機関。
【請求項１７２５】
前記竪型全動翼ガスタービン（１０Ａ）及び竪型全動翼蒸気タービン（５Ａ）及び竪型全動翼蒸気ガスタービンの何れか１以上の出力で駆動する装置を、大中小各種熱と電気の供給設備としたことを特徴とする竪型全動翼蒸気ガスタービン合体機関。
【請求項１７２６】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種船舶としたことを特徴とする竪型全動翼蒸気ガスタービン合体機関。
【請求項１７２７】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種航空機としたことを特徴とする竪型全動翼蒸気ガスタービン合体機関。
【請求項１７２８】
前記竪型全動翼ガスタービン（１０Ａ）及び竪型全動翼蒸気タービン（５Ａ）及び竪型全動翼蒸気ガスタービン及び特殊装置及び水噴射装置の何れか１以上の出力で駆動する装置を、大中小各種超音速飛行機としたことを特徴とする竪型全動翼蒸気ガスタービン合体機関。
【請求項１７２９】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種宇宙往還親飛行機としたことを特徴とする竪型全動翼蒸気ガスタービン合体機関。
【請求項１７３０】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種車両としたことを特徴とする竪型全動翼蒸気ガスタービン合体機関。
【請求項１７３１】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種自動車としたことを特徴とする竪型全動翼蒸気ガスタービン合体機関。
【請求項１７３２】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種機械としたことを特徴とする竪型全動翼蒸気ガスタービン合体機関。
【請求項１７３３】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種艦船としたことを特徴とする竪型全動翼蒸気ガスタービン合体機関。
【請求項１７３４】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種戦車としたことを特徴とする竪型全動翼蒸気ガスタービン合体機関。
【請求項１７３５】
前記竪型全動翼ガスタービン（１０Ａ）及び竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種戦闘機としたことを特徴とする竪型全動翼蒸気ガスタービン合体機関。
【請求項１７３６】
前記竪型全動翼蒸気タービン（５Ａ）は、燃焼ガス噴射ノズル（５９ｄ）を設けて竪型全動翼蒸気ガスタービンにすることを特徴とする竪型全動翼蒸気ガスタービン合体機関。
【請求項１７３７】
前記竪型全動翼蒸気タービン（５Ａ）は、燃焼ガス噴射ノズル（５９ｄ）を設けて燃焼ガス（１０）爆発力等により水（５ａ）を混合噴射加速して、竪型全動翼蒸気ガスタービンにすることを特徴とする竪型全動翼蒸気ガスタービン合体機関。
【請求項１７３８】
前記竪型全動翼蒸気タービン（５Ａ）は、燃焼ガス噴射ノズル（５９ｄ）を設けて燃焼ガス（１０）爆発力と霧吹きの原理により水（５ａ）を混合噴射加速して、竪型全動翼蒸気ガスタービンにすることを特徴とする竪型全動翼蒸気ガスタービン合体機関。
【請求項１７３９】
前記竪型全動翼蒸気タービン（５Ａ）は、燃焼ガス噴射ノズル（５９ｄ）を設けて燃焼ガス（１０）爆発力と霧吹きの原理により１以上の水（５ａ）を混合噴射加速して、竪型全動翼蒸気ガスタービンにすることを特徴とする竪型全動翼蒸気ガスタービン合体機関。
【請求項１７４０】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種発電設備としたことを特徴とする竪型全動翼蒸気ガスタービン合体機関。
【請求項１７４１】
前記竪型全動翼蒸気タービン（５Ａ）及び竪型全動翼蒸気ガスタービンの何れか１以上の出力で駆動する装置を、大中小各種熱と電気と冷熱の供給設備としたことを特徴とする竪型全動翼蒸気ガスタービン合体機関。
【請求項１７４２】
前記竪型全動翼蒸気タービン（５Ａ）及び竪型全動翼蒸気ガスタービンの何れか１以上の出力で駆動する装置を、大中小各種熱と電気の供給設備としたことを特徴とする竪型全動翼蒸気ガスタービン合体機関。
【請求項１７４３】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種船舶としたことを特徴とする竪型全動翼蒸気ガスタービン合体機関。
【請求項１７４４】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種航空機としたことを特徴とする竪型全動翼蒸気ガスタービン合体機関。
【請求項１７４５】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種車両としたことを特徴とする竪型全動翼蒸気ガスタービン合体機関。
【請求項１７４６】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種自動車としたことを特徴とする竪型全動翼蒸気ガスタービン合体機関。
【請求項１７４７】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種機械としたことを特徴とする竪型全動翼蒸気ガスタービン合体機関。
【請求項１７４８】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種艦船としたことを特徴とする竪型全動翼蒸気ガスタービン合体機関。
【請求項１７４９】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種戦車としたことを特徴とする竪型全動翼蒸気ガスタービン合体機関。
【請求項１７５０】
前記竪型全動翼蒸気タービン（５Ａ）及び竪型全動翼蒸気ガスタービン及び霧吹きの原理（９１ｉ）（９１ｊ）（９１ｋ）（９１ｌ）（９１ｍ）の何れか１以上の出力で駆動する装置を、大中小各種戦闘機としたことを特徴とする竪型全動翼蒸気ガスタービン合体機関。
【請求項１７５１】
前記竪型全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか１種類にしたことを特徴とする竪型全動翼蒸気ガスタービン合体機関。
【請求項１７５２】
前記竪型全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか２種類にしたことを特徴とする竪型全動翼蒸気ガスタービン合体機関。
【請求項１７５３】
前記竪型全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか３種類以上にしたことを特徴とする竪型全動翼蒸気ガスタービン合体機関。
【請求項１７５４】
前記竪型全動翼蒸気ガスタービン合体機関で燃焼させる燃料は、その種類を問わないことを特徴とする竪型全動翼蒸気ガスタービン合体機関。
【請求項１７５５】
前記竪型全動翼蒸気ガスタービン合体機関の出力で駆動する装置の種類を問わないことを特徴とする竪型全動翼蒸気ガスタービン合体機関。
【発明の詳細な説明】
【技術分野】
【０００１】
本発明は既存内燃機関技術が、熱変換も重力も重力加速度も利用しない容積利用で、燃料電池や風力発電と競合する理由を、明快に説明するため、アイディアを仮説数字で説明するが、正解は実験数値とし、アイディア仮説数字に限定しない。例えば最先端再熱蒸気タービンは、熱量も重力も重力加速度も全く利用しない容積利用のため、断熱膨張真空部では１００００倍以上に膨張し、単位容積の重力仕事率乃至仕事をする能力が、水の１／１００００以下に低減して重力加速度も利用不可で、同一出力では１００００倍の設計不可能な動翼面積を必要とし、超臨界圧力等に落差を増大しても超大速度利用は設計不可能なため、動翼の１０〜２０倍前後も速度エネルギを消費し、回転仕事をしない静翼を１／２段列も設けて２０回前後も堰き止めて、膨大過ぎる蒸気速度を実用速度に減速する無茶苦茶をして、ボイラで加熱した熱量全部で海水温度を上昇する無茶苦茶を重ねております。既存ガスタービンも、熱変換も重力も重力加速度も利用しない容積利用のため、仮説発電量を１／６００等に低減し、５００℃前後で高温排気する無茶苦茶をしております。
【０００２】
そこで既存ガスタービン燃焼器を、竪型全動翼ガスタービン１０Ａ燃焼器兼熱交換器４又は、竪型全動翼蒸気タービン５Ａ燃焼器兼熱交換器４とし、既存技術の１０倍回転数を狙う、送水ポンプ兼二重反転磁気摩擦動力伝達装置１４ａにより、竪型全動翼圧縮機１５Ａを駆動して燃焼器兼熱交換器４により、限り無く高圧燃焼熱交換冷却燃焼して、圧縮空気保有熱量略全部を含めて、熱交換して得た熱量を既存ボイラの２倍前後に増大し、燃焼ガス熱量出力＋燃焼ガス質量出力に分離して、温度と容積の障害を最低とし、撥水鍍金して水冷却した撥水鍍金水冷却翼８７の竪型全動翼圧縮機１５Ａにより、水冷却した水を噴射して直接圧縮空気を冷却し、水の重力加速度を含めて最も効率良く空気を冷却圧縮して、落差を２倍以上に限り無く高圧燃焼熱交換冷却燃焼して、燃焼ガス熱量を過熱蒸気爆発力に変換し、燃焼ガス質量を既存技術の２倍以上の燃焼ガス爆発力に変換して、夫々の爆発力と霧吹きの原理により水を噴射加速し、重力仕事率＋重力加速度の増大で、既存技術の６００倍仮説発電量等を狙う技術に関する。
【０００３】
既存蒸気タービンを竪型全動翼蒸気タービン５Ａとし、竪型全動翼ガスタービンと適宜に合体して、竪型全動翼蒸気ガスタービン合体機関を構成し、燃焼ガス熱量を超臨界圧力等の過熱蒸気５ｃ爆発力として、霧吹きの原理により超臨界圧力以下１以上の水５ａを混合噴射加速し、大気圧重力仕事率を既存技術の１７００倍の水出力に近付け、重力仕事率＋重力加速度の増大により、最適速度×燃焼ガスの５０〜１００倍水質量等として、タービン全動翼に略直線蛇行的に噴射して回転出力を発生し、機械効率を既存技術の１０〜２０倍に上昇します。そして（既存ガスタービンの５倍落差×２倍熱量×５０倍質量×１０〜２０倍機械効率×１／２０減少率）＝（既存ガスタービンの２５０〜５００倍仮説発電量）等を発生すると共に、気化潜熱回収器６６ａを設けて気化熱回収後の凝縮水を、燃焼器兼熱交換器４で繰返し利用し、供給熱量を最少の気化熱に近付け、圧縮空気保有熱量を含めて供給熱量略全部を１００℃以下の水道水温熱として、製造原価略０で需要家に供給して電気料金１／１０を狙い、水道水温熱利用の暖房設備機器や調理設備機器や洗濯乾燥機を製造供給して、海水温度の上昇を皆無にし、地球温暖化防止する技術に関する。
【０００４】
そして燃焼器兼熱交換器４の出口の、燃焼ガス質量の竪型全動翼ガスタービン１０Ａ入り口温度を、用途に合わせて最低にし、燃焼ガス爆発力と霧吹きの原理により１以上の水を混合噴射加速して、重力仕事率＋重力加速度を増大し、出力発生の過程では撥水鍍金タービン全動翼８１と、５倍燃焼ガス質量の水５ａや燃焼ガス質量との間の摩擦損失を最少として、略直線蛇行的に噴射して機械効率を１０〜２０倍に上昇し、竪型全動翼ガスタービン１０Ａ燃焼ガス質量発電量を（既存ガスタービンの２倍落差以上×５倍水質量×１０〜２０倍機械効率×１／２減少率）＝（既存ガスタービンの５０〜１００倍仮説発電量）に増大し、燃焼ガス排気温度を−２７３℃に近付けて、冷熱回収器１０２により熱交換冷熱回収して、熱交換して得た５℃前後の水道水冷熱を製造原価略０で需要家に供給すると共に、水道水冷熱利用の業務用や家庭用の冷凍設備機器や冷房設備機器や冷蔵設備機器等を製造供給し、排気排水の過程でＣＯ２等の燃焼ガスを大量の水に溶解して、泥土や植物片や残飯等に固定して肥料にし、農作物の増産を図ると共に膨大過ぎる冷熱は海水に溶解して排水し、ＣＯ２等の排気を０等とし、ＣＯ２排気０や脱フロンや海水の冷却等により、地球温暖化防止して電気料金の１／１０を狙う技術に関する。
【０００５】
微粉炭燃料燃焼の場合も、発電量及び冷熱の回収量を最大にするため、燃焼器兼熱交換器４で熱交換して得た過熱蒸気５ｃは、別途竪型全動翼蒸気タービン５Ａを駆動し、熱交換して得た燃焼灰を含む燃焼ガス質量全部を、竪型全動翼ガスタービン１０Ａの最上流環状の燃焼ガス溜９に供給し、撥水鍍金して水５ａとの間の摩擦損失を最少とした、燃焼ガス噴射ノズル５９ｄの燃焼ガス（１０）爆発力と霧吹きの原理により、１以上の水５ａを混合噴射加速して、燃焼ガス噴射ノズル５９ｄ内では水５ａを火薬爆発機関銃の弾丸や吹雪のように加速し、ノズル外では水５ａを吹雪のように加速して、撥水鍍金タービン全動翼８１で略直線蛇行的に噴射して機械効率を１０〜２０倍に上昇し、撥水鍍金により摩擦損失を最少として、燃焼灰質量を含めて２倍燃焼ガス質量で回転出力を発生し、燃焼ガス質量発電量を（既存ガスタービンの２倍落差×２倍燃焼ガス質量×５倍水質量×１０〜２０倍機械効率×１／２減少率）＝（既存ガスタービンの１００〜２００倍仮説発電量）に増大する技術に関する。
【０００６】
出力発生の過程で断熱膨張し、−２７３℃に近付く低温燃焼ガス灰分を核に水５ａを凝集して、最適最少量水５ａの使用で冷熱回収量と発電量を最大にして、冷熱回収器１０２により燃焼ガス質量排気全部を、膨大な水道水冷熱７２に変換して、製造原価略０で需要家に供給し、冷熱回収して排水する過程の冷熱回収器１０２で、大量の海水等に溶解冷却してＣＯ２等の排気を０等とします。竪型全動翼ガスタービン１０Ａでは用途により真空まで膨張を可能にします。この場合は水道水冷熱７２により洗浄冷却した燃焼ガス１０と、水道水冷熱７２により冷却した燃焼ガス１０に２分し、水道水冷熱で洗浄冷却した燃焼ガスを燃焼ガス液化分離装置１０６を利用して、液化二酸化炭素や液体窒素や特定液化燃焼ガス等として分離回収し、不用冷却液化燃焼ガス１０ｂを１０Ａ最上流の、燃焼ガス噴射ノズル５９ｅにより、水道水冷熱で冷却した燃焼ガス１０の爆発力により噴射加速して、出力発生排気の過程で燃焼ガス液化分離装置１０６を冷却し、液化二酸化炭素や液体窒素や特定液化燃焼ガス等として分離回収する技術に関する。
【０００７】
（実施例１）（実施例３）の竪型全動翼蒸気タービン及び、（実施例４）（実施例５）の竪型全動翼ガスタービンは、紙面の都合で別々に記載しておりますが、（実施例１）（実施例３）と、（実施例４）（実施例５）は、１軸直列又は２軸並列に回転力を全部結合し、又は回転力の一部を切り離して竪型全動翼蒸気ガスタービン合体機関を構成します。（実施例１）又は（実施例３）単独で合体機関を構成の場合は、燃焼ガス噴射ノズル５９ｄと過熱蒸気噴射ノズル５９ｇを具備して、燃焼ガス１０を環状の燃焼ガス溜９に供給して、燃焼ガス噴射ノズル５９ｄの燃焼ガス爆発力により、水５ａを混合噴射加速して回転出力を発生する、各種竪型全動翼ガスタービン１０Ａとして使用し、燃焼器兼熱交換器４の過熱蒸気５ｃの増大時に、過熱蒸気５ｃを環状の過熱蒸気溜３２ｃに供給して、過熱蒸気噴射ノズル５９ｇの過熱蒸気爆発力により、水５ａを混合噴射加速して回転出力を発生する、燃焼ガス噴射ノズル５９ｄのみ移動する、最も構造が簡単な、各種竪型全動翼蒸気ガスタービン乃至各種竪型全動翼蒸気ガスタービン合体機関とする技術に関する。
【０００８】
竪型全動翼蒸気タービン５Ａ竪型全動翼圧縮機１５Ａと燃焼器兼熱交換器４により、限り無く高圧燃焼熱交換冷却燃焼して、熱回収して得た圧縮空気保有熱量を含めた燃焼ガス熱量を、超臨界圧力等過熱蒸気５ｃとして、既存ボイラの２倍前後の回収熱量に増大し、出力発生の過程では過熱蒸気５ｃ全部を、夫々の蒸気加減弁７より蒸気管６を介して、竪型全動翼蒸気タービン５Ａの最上流複数の過熱蒸気溜３２に供給します。そして加熱高温手段１０１で加熱高温とした、夫々の過熱蒸気噴射ノズル５９ｇの霧吹きの原理（実施例２）を利用して、超臨界圧力等過熱蒸気５ｃ爆発力により、水５ａを混合噴射加速して、燃焼ガス熱量を爆発力＋大気圧重力仕事率水蒸気の１７００倍＋重力加速度とし、構造を既存蒸気タービンの１／１７００の小型簡単大出力に近付け、撥水鍍金した撥水鍍金タービン全動翼８１により、摩擦損失最少で最も効率良く回転出力を発生増大して、既存ガスタービンの６００倍仮説出力を狙う技術に関する。
【０００９】
加熱高温の過熱蒸気噴射ノズル５９ｇにより水５ａとの間に気化膜を設けて、摩擦損失最少で超臨界圧力等過熱蒸気５ｃ爆発力により、過熱蒸気噴射ノズル５９ｇ内では、火薬爆発機関銃の弾丸や吹雪のように水５ａを混合噴射加速し、ノズル外では水５ａを吹雪のように加速して、大速度を大質量に変換して最適速度に減速し、静翼で堰き止める無茶苦茶を全廃して、竪型として重力仕事率＋重力加速度を既存ガスタービンの１００倍等に増大し、竪型全動翼蒸気タービン５Ａ燃焼ガス熱量出力を（既存ガスタービンの５倍落差×２倍熱量×５０倍質量重力仕事率×１０〜２０倍機械効率×１／２０減少率）＝（既存ガスタービンの２５０〜５００倍燃焼ガス熱量仮説出力）等とし、竪型全動翼ガスタービン１０Ａと適宜に組み合わせて、竪型全動翼蒸気ガスタービン合体機関を構成し、１／１０燃料消費量や１０倍速度に近付ける、回転出力駆動の自動車等各種輸送機器や各種プロペラ飛行機や、各種プロペラ船舶や各種機械機器を製造供給する技術に関する。
【００１０】
大気圧単位質量を最先端再熱蒸気タービンの１７００倍の水５ａ質量として、大気圧重力仕事率＋重力加速度を１７００倍に近付け、動翼面積の一部乃至大部分を既存再熱蒸気タービンの１／１７００に縮小して、全体構造１／５０等の小型簡単大出力を狙い、水を略直線蛇行的に噴射して機械効率を１０〜２０倍に上昇し、超臨界圧力から大気圧まで使用でも燃焼ガスの１００倍水質量の混合噴射加速が可能で、気化潜熱回収器６６ａにより気化熱を給水３又は水道水７０で回収し、飽和温度１００℃前後の凝縮水を燃焼器兼熱交換器４で繰返し使用することで、回収熱量及び供給熱量を気化熱の最少に近付け、回収熱量略全部を１００℃以下の水道水温熱７１として、製造原価略０で需要家に供給して海水温度の上昇を０とし、同一燃料量燃焼ガス熱量の竪型全動翼蒸気タービン（５Ａ）出力を、既存ガスタービンの２５０〜５００倍仮説出力等に上昇し、既存ガスタービンの３００〜６００倍仮説出力の竪型全動翼蒸気ガスタービン合体機関を構成して、既存回転出力駆動の、自動車等各種輸送機器や各種プロペラ飛行機や、各種プロペラ船舶や各種機械機器を駆逐して、地球温暖化防止を狙う技術に関する。
【００１１】
噴射推進の空中輸送機器用や空中移動機器用等としては、ＣＯ２等の燃焼ガス質量の排気を０に近付けて、３００〜６００倍仮説出力等とするため、既存技術の１０倍回転数を狙う送水ポンプ兼二重反転磁気摩擦動力伝達装置と、竪型全動翼圧縮機１５Ａにより限り無く高圧空気圧縮して、燃焼器兼熱交換器４により、限り無く高圧燃焼熱交換冷却燃焼して最大の熱回収量とし、熱回収した過熱蒸気５ｃの一部を環状の過熱蒸気溜３２ｃに供給して、過熱蒸気噴射ノズル５９ｇの過熱蒸気爆発力と霧吹きの原理により、１以上の水５ａを混合噴射加速して、過熱蒸気爆発速度を水５ａの慣性速度に変換して最適減速し、重力仕事率＋重力加速度に変換して回転出力を増大して、竪型全動翼圧縮機１５Ａを含む、各種竪型全動翼蒸気タービン５Ａを駆動する技術に関する。
【００１２】
残りの過熱蒸気５ｃの大部分及び燃焼ガス１０全部を、夫々過熱蒸気噴射ノズル５９ｇ及び燃焼ガス噴射ノズル５９ｄにより、夫々過熱蒸気爆発力及び燃焼ガス爆発力と霧吹きの原理により、夫々１以上の水５ａを混合噴射加速して、夫々の爆発速度を水の慣性速度に変換して最適減速し、夫々の霧吹きの原理９１ｉ・９１ｊを利用してバイパス噴射して、前方の空気を吸引して大質量最適噴射し、既存ガスタービンの３００〜６００倍仮説出力で噴射推進します。残りの過熱蒸気５ｃを燃焼器兼熱交換器４等に適宜に貯蔵して最適利用し、火災や非常時に安全な超音速飛行機や超高速船舶等として使用し、排気の過程では低温燃焼ガスや水５ａにより水蒸気を冷却して、水蒸気容積を１／１７００に冷却凝集し、排気騒音を１／１０等に低減して１０倍速度を狙う、各種噴射推進輸送機器や宇宙往還親飛行機や各種噴射推進戦闘機等の、各種竪型全動翼蒸気ガスタービン合体機関にする技術に関する。
【００１３】
竪型全動翼圧縮機１５Ａにより限り無く高圧空気圧縮して、燃焼器兼熱交換器４により、限り無く高圧燃焼熱交換冷却燃焼して、燃焼ガス熱量の過熱蒸気爆発力＋燃焼ガス質量の燃焼ガス爆発力に分離し、噴射推進の水上輸送機器用や水上移動機器用等、船体浮上噴射推進の過程は、熱回収した超臨界圧力等過熱蒸気５ｃの一部を環状の過熱蒸気溜３２ｃに供給して、過熱蒸気噴射ノズル５９ｇの過熱蒸気爆発力と霧吹きの原理により、１以上の水５ａを混合噴射加速して、過熱蒸気爆発速度を水５ａの慣性速度に変換して最適減速し、重力仕事率＋重力加速度の増大で回転出力を増大して、過熱蒸気排気噴射圧力の上昇による船体の浮上噴射推進とし、燃焼ガス１０全部や過熱蒸気５ｃの大部分を、燃焼ガス噴射ノズル５９ｄや過熱蒸気噴射ノズル５９ｇにより、夫々燃焼ガス爆発力や過熱蒸気爆発力により水５ａを混合噴射加速して、夫々霧吹きの原理９１ｌや９１ｋよりバイパス噴射して、前方の水を吸引して水噴射推進する各種高速艦船船舶等とし、既存ガスタービンの３００〜６００倍仮説出力に増大して既存技術の１０倍速度に近付ける技術に関する。
【００１４】
燃焼ガス噴射ノズル５９ｄの燃焼ガス爆発力と霧吹きの原理により、１以上の水５ａを混合噴射加速して、霧吹きの原理９１ｌで前方の水を吸引噴射の過程で、断熱膨張低温燃焼ガスにより直接海水を冷却して、ＣＯ２等の燃焼ガス全部を海底に供給する過程で、用途により酸素等の空気を吸引して供給し、膨大な海水域に僅少な窒素や酸素やＣＯ２を供給すると共に、熱と電気と冷熱の供給設備等、発電の副産物として発生する冷熱７２の膨大な回収残滓の、ＣＯ２等燃焼ガス溶解水も海域に排水して海水を冷却し、ＣＯ２等を必要として分解合成等する海藻類や微生物を増殖して海域を活性化し、微生物や藻類や魚介類等の食料増産を図る技術に関する。
【背景技術】
【００１５】
既存ガスタービンは偶々出力を発生したものの改良で、基礎研究皆無の熱変換も重力慣性力も重力加速度も利用しない容積利用のため、タービンの耐熱限界温度に制約されて、燃焼ガス落差×質量＝重力仕事率の増大が不可能乃至困難に加えて、燃焼ガス熱量と燃焼ガス質量を分離しない横型のため、重力慣性力も重力加速度も利用不可に加えて、燃焼ガスを非常な高温として単位容積の重力仕事率を大幅に低減して出力を発生し、熱変換を利用しないで断熱膨張５００℃前後で高温排気し、断熱膨張して熱回収が困難な排気後に熱回収する等、無茶苦茶過ぎるのです。更に動翼の１０〜２０倍前後も速度エネルギを消費して、回転仕事を全くしない静翼を１／２列も設けているため、全熱量質量仮説出力が１／３００や１／６００等に低減して、燃料電池の出力に近付き大損失です。
【００１６】
既存蒸気タービンも偶々出力を発生したものの改良で、基礎研究皆無の熱変換も重力慣性力も重力加速度も全く利用しない容積利用のため、超臨界圧力過熱蒸気を再三再熱して、復水器真空では１００００倍以上に断熱膨張し、単位容積の重力仕事率を水の１／１００００以下に低減して、同一出力に１００００倍の動翼面積を必要とする無茶苦茶をしております。膨大過ぎる蒸気速度も容積利用では全く利用不可のため、動翼の１０〜２０倍前後も速度エネルギを消費して、回転仕事を全くしない静翼を半分も設けて、蒸気速度を２０回前後も堰き止めて減速する等、無茶苦茶過ぎるのです。蒸気容積のみ利用して熱変換も重力慣性力も重力加速度も全く利用しないサイクルでは、合理的な設計が不可能なため、無茶苦茶な設計となり、全熱量仮説出力が１／３００や１／６００等に低減して、燃料電池の発電量に近付き、膨大な熱需要があるのに、ボイラで加熱した全熱量で海水温度を上昇する無茶苦茶をし、ＣＯ２等をボイラから排気して地球温暖化を加速する、無茶苦茶を重ねております。
【００１７】
そこで先の出願として、既存ガスタービン燃焼器を熱交換器と兼用した、
【特許文献１】特願２０００−０２４５５２号、特願２０００−０３２５３９号、特願２０００−０４３７０６号、特願２０００−０５８０７９号、特願２０００−１０７４４６号、特願２０００−３９２４０１号、特願２００１−０１１３９９号、特願２００１−０１５２３４号、特願２００１−０２０９６３号、特願２００１−１７１１２８号、特願２００１−３１２３３８号、特願２００１−３３６１３９号、特願２００２−１２５７２号、特願２００２−１１８９３３号、特願２００２−１４２２７０号、特願２００２−３４９５４４号、特願２００３−３１２５号、特願２００３−６９０９８号、特願２００３−７３０４２号、特願２００３−２７８０１６号があります。
【００１８】
以上先の出願に基づく優先権主張出願等は概略的に、全動翼を含む及び／ガスタービンの全複数の燃焼器を、熱交換器としても兼用して、限りなく高圧燃焼熱交換冷却燃焼して、燃焼ガスタービン入り口温度を最低に近付け、該排気温度を-２７３℃に近付けて、燃焼ガス熱量出力と燃焼ガス質量出力を別々に使用可能とします。燃焼ガス熱量出力５００倍等発生の過程では、大気圧重力仕事率が水蒸気の１７００倍の水質量を最適最大として、発電用では供給熱量を気化熱のみの爆発エネルギに近付けて、重力仕事率を最大にして構造を小型簡単にすると共に、供給熱量略全部を１００℃以下の水道水温熱で需要家に供給します。燃焼ガス質量出力発生排気の過程では、排気燃焼ガス（１０）により水蒸気を冷却凝集し、冷熱回収器により５℃前後の水道水冷熱を需要家に供給して、ＣＯ２等を水に溶解して燃焼ガス質量の排気を〇等とし、用途に合わせて無駄の最少を狙うものです。
【発明の開示】
【発明が解決しようとする課題】
【００１９】
既存最先端再熱蒸気タービンは、熱変換も重力も重力加速度も全く利用しない容積利用のため、再三再熱して容積を増大し、最終段復水器真空では蒸気容積が１００００倍以上に増大し、重力仕事率が１／１００００等に低減するため、動翼面積を１００００倍に増大しないと、同一落差では同一出力が得られません。即ち、合理的な設計が不可能な動翼面積や大蒸気速度のため、動翼の１０〜２０倍も速度エネルギを消費して、回転仕事をしない膨大な量の静翼を多段に設けて、２０回前後も堰き止めて風向きを反転させ、実用過熱蒸気速度に減速する、無茶苦茶過ぎる設計のため、無茶苦茶の比較的少ない既存ガスタービンと比較説明します。即ち高温過熱蒸気や高温燃焼ガスは単位質量の容積が大きく、摩擦損失の増大で重力慣性力も重力加速度も利用不可のため、大気圧重力仕事率が水蒸気の１７００倍の水５ａ出力に熱変換して、重力慣性力や重力加速度を最適利用する、合理的な設計が可能な竪型全動翼蒸気タービン（５Ａ）や、竪型全動翼蒸気ガスタービンや竪型全動翼ガスタービン（１０Ａ）等の、竪型全動翼蒸気ガスタービン合体機関を提供することを目的とします。
【００２０】
既存再熱蒸気タービンで更に問題なのは、膨大な温熱や冷熱の需要が有るのに、ボイラで発生利用した熱量を全く変換しないで断熱膨張させ、重力慣性力も重力加速度も利用しないで回転出力を発生させ、使用した熱量全部で海水温度を上昇して環境破壊し、膨大なＣＯ２等の燃焼ガスをボイラから排気して地球温暖化を加速し、仮説発電量を１／３００〜１／６００等に低減しております。そこで既存ボイラに換えて既存ガスタービン燃焼器を、竪型全動翼ガスタービン１０Ａ燃焼器兼熱交換器４として、既存技術の１０倍回転数を狙う、送水ポンプ兼二重反転磁気摩擦動力伝達装置１４ａにより、竪型全動翼圧縮機１５Ａを駆動して限り無く高圧空気圧縮して、限り無く高圧燃焼熱交換冷却燃焼し、燃焼ガスタービン入口温度を用途に合わせて最低として、燃焼ガス質量の排気温度を−２７３℃に近付け、熱交換して得た燃焼ガス熱量出力の、超臨界圧力等過熱蒸気５ｃ回収熱量を、圧縮空気保有熱量を含めて、既存ボイラの２倍前後に増大し、熱変換して水５ａ出力により、重力慣性力+重力加速度を利用して出力発生して、使用熱量略全部を１００℃以下の水道水温熱７１に変換して需要家に供給することを目的とします。
【００２１】
燃焼ガス熱量出力発生の過程では、超臨界圧力等過熱蒸気５ｃ爆発力と霧吹きの原理により、１以上の水５ａを混合噴射加速して、加熱高温手段１０１により加熱高温の高温水噴射ノズル５９ｇ内では、水５ａを火薬爆発機関銃の弾丸や吹雪のように加速し、ノズル外では吹雪のように水５ａを加速して、大気圧単位容積の重力仕事率を水蒸気の１７００倍に増大し、動翼面積等出力発生部の構造簡単小型化を１／１７００に近付けて、全重力仕事率を燃焼ガス全質量の５０〜１００倍等に増大し、撥水鍍金タービン全動翼８１により略直線蛇行的に出力を発生させ、摩擦損失最少で機械効率を１０〜２０倍に上昇し、竪型全動翼蒸気タービン５Ａの燃焼ガス熱量出力を（既存ガスタービンの５倍落差×２倍熱量×５０倍重力仕事率×１０〜２０倍機械効率×１／２０減少率）＝（既存ガスタービンの２５０〜５００倍仮説発電量乃至出力）に増大することを目的にします。
【００２２】
燃焼ガス熱量出力発生排気の過程では、竪型全動翼蒸気タービン５Ａ気化潜熱回収器６６ａにより熱回収して、１００℃以下の凝縮水を燃焼器兼熱交換器４に限り無く循環供給し、熱交換して得た供給熱量略全部と同量を、１００℃以下の水道水温熱として製造原価略０で需要家に供給し、既存蒸気タービン海水温度の上昇を皆無とします。燃焼ガス質量出力発生排気の過程では、燃焼ガス噴射ノズル５９ｄの燃焼ガス爆発力と霧吹きの原理により、１以上の水５ａを混合噴射加速して回転出力を発生し、竪型全動翼ガスタービン１０Ａ燃焼ガス質量の排気温度を−２７３℃に近付け、冷熱回収器１０２で燃焼ガス質量略全部より冷熱回収して、５℃前後の水道水冷熱７２として製造原価略０で需要家に供給し、冷熱回収後の燃焼ガス質量で海水等を冷却の過程で、ＣＯ２等を海水に溶解して排水し、ＣＯ２等の排気を０に近付けて、燃焼ガス熱量発電量＋燃焼ガス質量発電量を、既存ガスタービンの３００〜６００倍仮説発電量に増大し、電気料金を１／１０等に低減して、夫々により地球温暖化防止することを目的とする。
【００２３】
安価発電と冷熱供給量を最大にする場合は、微粉炭燃焼ガスと灰と最適量の水５ａ出力とし、竪型全動翼ガスタービン１０Ａ燃焼器兼熱交換器４により、限り無く高圧燃焼熱交換冷却燃焼して、熱交換して得た大部分の過熱蒸気５ｃは、別途竪型全動翼蒸気タービン５Ａで出力を発生します。そして撥水鍍金タービン全動翼８１を具備した、竪型全動翼ガスタービン１０Ａ最上流の環状の燃焼ガス溜３２ｅ燃焼ガス１０を供給して、燃焼ガス噴射ノズル５９ｄの燃焼ガス爆発力と霧吹きの原理により、１以上の水５ａを混合噴射加速し、撥水鍍金タービン全動翼８１に略直線蛇行的に噴射して、摩擦損失最少で出力を発生し、燃焼ガス質量発電量を（既存ガスタービンの２倍落差×灰分等２倍質量×５倍水質量１０〜２０倍機械効率×１／２減少率）＝（既存ガスタービンの１００〜２００倍仮説発電量）にし、燃焼ガス質量の排気温度を−２７３℃に近付け、燃焼ガス質量全部を水道水冷熱７２に変換して、５℃前後の水道水冷熱７２を、製造原価略０で需要家に供給することを目的とする。
【００２４】
既存ガスタービンも、熱変換も重力も重力加速度も全く利用しない容積利用のため、タービン耐熱限界温度の上昇により、落差の増大が不可能になり、排気温度が５００℃前後と非常に高く、動翼の１０〜２０倍も速度エネルギを消費して、回転仕事をしない静翼を１／２も設けて、燃焼ガス速度を堰き止めて実用速度に減速する無茶苦茶設計です。そこで発電量と冷熱回収量を液化二酸化炭素等にする場合は、石油燃料竪型全動翼ガスタービン１０Ａ燃焼器兼熱交換器４とし、送水ポンプ兼二重反転磁気摩擦動力伝達装置と竪型全動翼圧縮機１５Ａにより、極限まで高圧圧縮空気高圧燃焼熱交換冷却燃焼して、熱交換して得た燃焼ガス質量で前記同様に出力を発生し、燃焼ガス質量発電量を（既存ガスタービンの２倍落差×５倍水質量×１０〜２０倍機械効率×１／２減少率）＝（既存ガスタービンの５０〜１００倍仮説発電量乃至出力）とし、燃焼ガス質量の排気温度を−２７３℃に近付け、冷熱回収器１０２と燃焼ガス分離液化装置１０６を駆動して、低温燃焼ガス全部より、液化二酸化炭素や液体窒素等の分離製造を可能にすることを目的とする。
【００２５】
自動車等の回転出力輸送機器用等の場合は、竪型全動翼蒸気ガスタービン合体機関燃焼器兼熱交換器４で、燃焼ガス熱量出力＋燃焼ガス質量出力に分離して、熱交換して得た燃焼ガス熱量出力を、圧縮空気保有熱量−２７３℃以上略全部も含めて、既存ボイラの２倍前後の熱回収量の過熱蒸気５ｃとし、竪型全動翼蒸気タービン５Ａの最上流の環状の過熱蒸気溜３２ｃに供給し、過熱蒸気噴射ノズル５９ｇの過熱蒸気爆発力と霧吹きの原理により、１以上の水５ａを混合噴射加速して回転出力を発生させ、熱交換して得た燃焼ガス質量出力を、竪型全動翼ガスタービン１０Ａ最上流の環状の燃焼ガス溜９に供給して、燃焼ガス噴射ノズル５９ｄの燃焼ガス爆発力と霧吹きの原理により、１以上の水５ａを混合噴射加速して回転出力を発生させ、既存ガスタービンの３００〜６００倍仮説出力の、竪型全動翼蒸気ガスタービン合体機関とし、回転出力利用の各種自動車や各種プロペラ船舶や各種プロペラ飛行機や、各種機械類を回転駆動することを目的とします。
【００２６】
ジェット機等の噴射推進出力輸送機器用等の場合は、竪型全動翼蒸気タービン５Ａ合体機関乃至、竪型全動翼ガスタービン１０Ａ合体機関乃至、竪型全動翼蒸気ガスタービン合体機関を駆動し、更に過熱蒸気噴射ノズル５９ｇ又は５９ｉの過熱蒸気爆発力と霧吹きの原理により、１以上の水５ａを混合噴射加速して重力慣性力＋重力加速度を増大して、霧吹きの原理９１ｉにより、前方の空気を吸引して大質量最適速度で噴射推進し、更に燃焼ガス噴射ノズル５９ｄの燃焼ガス爆発力と霧吹きの原理により、１以上の水５ａを混合噴射加速して重力慣性力＋重力加速度を増大して、霧吹きの原理９１ｊにより、前方の空気を吸引して大質量最適速度で噴射推進し、既存ガスタービンの３００〜６００倍仮説出力、既存技術の１０倍速度を狙う、各種超音速ジェット機や宇宙往還親飛行機や各種超高速船舶等を目的にします。
【００２７】
水噴射推進出力の水上輸送機器用等の場合は、竪型全動翼蒸気タービン５Ａ合体機関乃至、竪型全動翼ガスタービン１０Ａ合体機関乃至、竪型全動翼蒸気ガスタービン合体機関を駆動し、更に過熱蒸気噴射ノズル５９ｇ又は５９ｉの過熱蒸気爆発力と霧吹きの原理により、１以上の水５ａを混合噴射加速して重力慣性力＋重力加速度を増大して、霧吹きの原理９１ｋ又は９１ｍにより、前方の水を吸引して大質量最適速度で噴射推進し、更に燃焼ガス噴射ノズル５９ｄの燃焼ガス爆発力と霧吹きの原理により、１以上の水５ａを混合噴射加速して重力慣性力＋重力加速度を増大して、霧吹きの原理９１ｌにより、前方の水を吸引して大質量最適速度で噴射推進し、既存ガスタービンの３００〜６００倍仮説出力、既存技術の１０倍速度を狙う、各種超高速艦船や各種超高速船舶や各種水上移動機器等を目的にします。
【課題を解決するための手段】
【００２８】
実験数値が正解ですが、前段階のアイディアを明快に説明するため、すべて仮説数字で説明しておりますが、正解が実験数字のため、アイディア仮説数字に限定しません。例えば既存最先端再熱蒸気タービンのように再熱して、熱変換も重力も重力加速度も全く利用しない容積利用では、超臨界圧力から真空部まで蒸気速度が膨大過ぎて、有効利用困難乃至不可能に加えて、蒸気容積も１００００倍等に膨張し、単位容積重力仕事率が１／１００００に減少して、同一落差同一出力に１００００倍の動翼面積が必要になり、合理的な設計は不可能になり、動翼の１０〜２０倍も蒸気速度を消費して、回転仕事をしない静翼を１／２も設けて、蒸気速度を２０回前後も堰き止めて反転させ、実用蒸気速度に減速する等、無茶苦茶過ぎるのです。
【００２９】
そこで竪型全動翼圧縮機１５Ａ＋燃焼器兼熱交換器４により、（燃焼ガス熱量出力）過熱蒸気爆発力＋燃焼ガス爆発力（燃焼ガス質量出力）に分離し、燃焼ガス熱量出力や燃焼ガス質量出力を、過熱蒸気噴射ノズル５９ｇや燃焼ガス噴射ノズル５９ｄの、過熱蒸気爆発力や燃焼ガス爆発力と霧吹きの原理により、夫々１以上の水５ａを混合噴射加速して、膨大過ぎる爆発速度を水５ａの速度出力に変換して、単位容積の大気圧重力仕事率を水蒸気の１７００倍に増大し、空気中の摩擦損失を１／１７００に近付けて最適減速して、重力慣性力＋重力加速度を利用可能として増大可能とし、合理的設計が可能な各種合体機関（燃焼ガスの熱量出力＋質量出力に分離して合体）とし、燃焼ガス熱量出力の竪型全動翼蒸気タービン（実施例１）（実施例３）等と、燃焼ガス質量出力の竪型全動翼ガスタービン（実施例４）（実施例５）等を、１軸直列に回転力を結合し、又は２軸並列に回転力を結合乃至夫々独立させる等、用途に合わせて適宜に組合せて、竪型全動翼圧縮機１５Ａ＋燃焼器兼熱交換器４と結合する、各種竪型全動翼蒸気ガスタービン合体機関を提供します。
【００３０】
図１図３（実施例１）（実施例３）では既存再熱蒸気タービンが、合理的な設計不可能な動翼面積のため、既存再熱を逆転して、大気圧単位容積の質量が水蒸気の１７００倍の水５ａで回転出力を発生する、竪型全動翼蒸気タービン５Ａ（実施例１）（実施例３）として、撥水鍍金水冷却翼８７を水冷却後その水を噴射して直接空気冷却する、竪型全動翼圧縮機と既存技術の１０倍回転数を狙う送水ポンプ兼二重反転磁気摩擦動力伝達装置により、限り無く高圧空気圧縮し、燃焼器兼熱交換器４により限り無く高圧燃焼熱交換冷却燃焼熱ポンプとして使用して、燃焼ガス熱量出力＋燃焼ガス質量出力に分離することで、理論空燃比まで既存技術の４倍燃料を燃焼して燃焼ガス質量出力を増大し、燃焼ガス排気温度を−２７３℃に近付け、燃焼ガス熱量出力を圧縮空気保有熱量を含めて、既存ボイラの２倍前後に増大して、超臨界圧力等の過熱蒸気５ｃに変換します。
【００３１】
出力発生の過程は加熱高温手段１０１により加熱高温として、水５ａとの間に気化膜を設けて摩擦損失を最少とした、砲身状乃至末広砲身状の、過熱蒸気噴射ノズル５９ｇ（実施例２）の過熱蒸気５ｃ爆発力と霧吹きの原理により、１以上の水噴射ノズル５９ａの水５ａを混合噴射加速し、過熱蒸気噴射ノズル５９ｇ内では水５ａを火薬爆発機関銃の弾丸や吹雪のように加速して、ノズル外では水５ａを吹雪のように加速し、過熱蒸気爆発速度の大速度を最も効率良く、最適速度×大気圧水蒸気の１７００倍質量仕事率の水５ａ速度に変換して、容積の縮小により摩擦損失を１／１７００に近付け、重力慣性力＋重力加速度を利用可能とし、合理的な回転出力発生を可能にして、動翼面積の一部乃至大部分を、既存再熱蒸気タービンの１／１７００に縮小し、出力発生部の構造を１／１７００に近付け、全体構造を１／１０〜１／５０等小型簡単大出力にします。
【００３２】
（実施例１）では過熱蒸気容積の増大を僅少として、合理的な撥水鍍金タービン全動翼８１の設計を可能にし、１７００倍重力仕事率の水５ａを全燃焼ガスの５０〜１００倍質量等として、撥水鍍金外側タービン動翼群１９や、撥水鍍金内側タービン動翼群２０との間に撥水作用を設けて、摩擦損失最少で略直線蛇行的に噴射して、機械効率を１０〜２０倍に上昇して回転出力を発生し、燃焼ガス熱量出力を（既存ガスタービンの５倍落差×２倍回収熱量×５０倍重力仕事率×１０〜２０倍機械効率×１／２０減少率）＝（既存ガスタービンの２５０〜５００倍燃焼ガス熱量仮説発電量乃至出力）に増大し、（実施例４）と適宜に合体して回転出力を発生して、回転出力の各種熱と電気と冷熱の供給設備や、各種自動車や各種プロペラ飛行気や各種プロペラ船舶や各種動力機械を駆動します。
【００３３】
（実施例３）では過熱蒸気容積の増大を僅少として、合理的な電磁加熱タービン全動翼８１ａの設計を可能にし、１７００倍重力仕事率の水５ａを全燃焼ガスの５０〜１００倍質量等として、電磁加熱外側タービン動翼群１９ａや、電磁加熱内側タービン動翼群２０ａとの間に気化膜を設けて、摩擦損失最少で略直線蛇行的に噴射して、機械効率を１０〜２０倍に上昇して回転出力を発生し、燃焼ガス熱量出力を（既存ガスタービンの５倍落差×２倍回収熱量×５０倍重力仕事率×１０〜２０倍機械効率×１／２０減少率）＝（既存ガスタービンの２５０〜５００倍燃焼ガス熱量仮説発電量乃至出力）に増大し、（実施例４）と適宜に合体して回転出力を発生して、回転出力の各種熱と電気と冷熱の供給設備や、各種自動車や各種プロペラ飛行気や各種プロペラ船舶や各種動力機械を駆動します。
【００３４】
竪型全動翼蒸気タービン５Ａ撥水鍍金タービン全動翼８１により、略直線蛇行的に噴射して、過熱蒸気５ｃ爆発力の最適利用により既存技術静翼を全廃し、機械効率を１０〜２０倍に上昇し、排気の過程では復水器と略同様に設けた、気化潜熱回収器６６ａの空気抽出器により、用途に合わせて飽和温度を１００℃・８０℃以下等とし、凝縮水を燃焼器兼熱交換器４に繰返し供給して、同一熱量を限り無く繰り返し再再使用し、供給熱量の燃料燃焼質量を略気化熱の最低に低減して、冷却水も給水３や水道水７０を用途に合わせて使用し、供給熱量略全部を１００℃以下の水道水温熱７１として、製造原価略０で需要家に供給すると共に、水道水温熱利用の暖房機器や調理機器や厨房機器や洗濯乾燥機を製造供給し、電気料金も１／１０等として、既存蒸気タービン海水温度の上昇を全廃します。
【００３５】
限り無く高圧燃焼熱交換冷却燃焼する燃焼器兼熱交換器４として、燃焼ガス取出口８８温度を用途に合わせて最低にし、（実施例４）竪型全動翼ガスタービン１０Ａ入口温度を最低にして、燃焼ガス温度と容積の障害を最低にし、燃焼ガス圧力は同じで単位容積質量の増大により爆発力（爆発速度×単位質量）を増大して、環状の燃焼ガス溜９・燃焼ガス噴射ノズル５９ｄの燃焼ガス爆発力と霧吹きの原理により、環状の水溜３２ｂの１以上の水５ａを混合噴射加速し、燃焼ガス質量出力を（既存ガスタービンの２倍落差×５倍水質量×１０〜２０倍機械効率×１／２減少率）＝（既存ガスタービンの５０〜１００倍仮説発電量乃至出力）に上昇します。燃焼ガス排気温度を−２７３℃に近付け、冷熱回収器１０２により水道水７０を冷却して水道水冷熱７２として貯蔵して、水道水冷熱７２を発電の副産物として製造原価略０で需要家に供給すると共に、水道水冷熱利用の各種冷凍設備機器や各種冷蔵設備機器や各種冷房設備機器を製造供給し、冷熱回収後のＣＯ２等燃焼ガスは水に溶解して、泥土や植物片や残飯等に固定して肥料等とし、残りで海水を冷却し、ＣＯ２等を分解合成する微生物や植物を増殖し、ＣＯ２等の燃焼ガス排気を０に近付けた脱フロン等で地球温暖化防止します。
【００３６】
（実施例４）と略同様の（実施例５）竪型全動翼ガスタービン１０Ａでも、燃焼ガス温度と容積の障害を最低にし、更に水道水冷熱で冷却した燃焼ガスと水道水冷熱で洗浄冷却した燃焼ガスに２分して、水道水冷熱で冷却した燃焼ガス１０を環状の燃焼ガス溜９に供給し、水道水冷熱で洗浄冷却した燃焼ガス１０を、冷熱回収器１０２の前の燃焼ガス液化分離装置１０６で液化分離して、回収不用の不用冷却液化燃焼ガス１０ｂを環状の液化燃焼ガス溜３２ｄに供給し、燃焼ガス噴射ノズル５９ｅの燃焼ガス爆発力と霧吹きの原理により、環状の液化燃焼ガス溜３２ｄの１以上の不用冷却液化燃焼ガス１０ｂを混合噴射加速して、燃焼ガス質量のみにより適宜に回転出力を発生します。真空上昇を含めて燃焼ガス排気温度を−２７３℃に近付け、燃焼ガス液化分離装置１０６により、液化二酸化炭素を液化二酸化炭素回収器１０４で回収し、液体窒素を液体窒素回収器１０５で回収し、特定液化燃焼ガスを適宜に回収する等とし、不用液化燃焼ガス１０ｂや不用冷却燃焼ガス１０ｂは、環状の液化燃焼ガス溜３２ｄに供給します。そして下流の冷熱回収器１０２により前記同様にします。
【００３７】
図６空気吸引噴射推進（実施例６）の、竪型全動翼蒸気タービン５Ａは、通常の起動装置により竪型全動翼蒸気タービン５Ａを含む竪型全動翼圧縮機１５Ａを駆動し、起動時のみ図に無い燃焼ガス加減弁７ｂを操作して、環状の過熱蒸気溜３２ｃに燃焼ガス１０を供給し、過熱蒸気噴射ノズル５９ｇの燃焼ガス爆発力と霧吹きの原理により、１以上の水５ａを混合噴射加速して回転出力を発生する、竪型全動翼ガスタービンで使用し、燃焼ガス熱量出力の増大を続けます。熱交換して得た燃焼ガス熱量出力の増大時に通常運転に切換え、燃焼ガス熱量出力の一部の超臨界圧力等過熱蒸気５ｃを、竪型全動翼蒸気タービン５Ａ最上流の環状の過熱蒸気溜３２ｃに供給し、過熱蒸気噴射ノズル５９ｇの過熱蒸気爆発力と霧吹きの原理により、水噴射ノズル５９ａで１以上の水５ａを混合噴射加速して、撥水鍍金タービン全動翼８１により回転出力を発生し、竪型全動翼圧縮機１５Ａを駆動して前方の空気を吸入し、送水ポンプ兼二重反転磁気摩擦動力伝達装置により、用途に合わせて限り無く高圧空気圧縮して、高圧圧縮空気と燃焼器兼熱交換器４により、限り無く高圧燃焼熱交換冷却燃焼して、燃焼ガス熱量出力＋燃焼ガス質量出力を増大します。
【００３８】
各種空中輸送移動機器では水５ａの補給が困難ですが、ペットボトルロケットのように、水噴射推進が最も構造簡単大出力が得られ、水５ａバイパス噴射では水蒸気の１／１７００容積で同一の仕事能力に加えて、空気中の摩擦損失が１／１７００に近付き、重力慣性力や重力加速度が利用可能なため、過熱蒸気加減弁７や燃焼ガス加減弁７ｂを介して、夫々の過熱蒸気溜３２や燃焼ガス溜３２ｅに供給された過熱蒸気５ｃや燃焼ガス１０は、夫々の過熱蒸気噴射ノズル５９ｇや燃焼ガス噴射ノズル５９ｄの、過熱蒸気爆発力や燃焼ガス爆発力と霧吹きの原理により、夫々１以上の水５ａを混合噴射加速して、水の重力慣性力＋重力加速度に先ず変換して、夫々の霧吹きの原理９１ｉや９１ｊにより、最も効率良く前方の空気を吸引して噴射推進します。
【００３９】
従って霧吹きの原理を利用した構造が非常に簡単になるのと、重力慣性力や重力加速度を最も効率良く利用出来るため、廃熱回収が不可能を相殺した出力となり、既存ガスタービンの３００〜６００倍仮説出力等の、竪型全動翼蒸気ガスタービン合体機関とし、既存技術の１０倍回転数を狙う、送水ポンプ兼二重反転磁気摩擦動力伝達装置により、竪型全動翼圧縮機１５Ａその他を駆動して、１０倍速度を狙う各種超音速飛行機や各種宇宙往還親飛行機や、各種空気吸引噴射推進船舶等とし、噴射推進排気の過程で−２７３℃に近付く燃焼ガスや水５ａにより水蒸気容積を１/１７００に冷却縮小して、排気騒音を１／１０等に低減して、騒音公害を皆無に近付けます。
【００４０】
（実施例７）回転出力＋バイパス水噴射推進の場合、（実施例６）と同様に起動準備して、燃焼ガス熱量出力の増大を続け、熱交換して得た燃焼ガス熱量出力の増大時に通常運転に切換え、燃焼ガス熱量出力の一部の超臨界圧力等過熱蒸気５ｃを、竪型全動翼蒸気タービン５Ａ最上流の環状の過熱蒸気溜３２ｃに供給し、過熱蒸気噴射ノズル５９ｇの過熱蒸気爆発力と霧吹きの原理により、水噴射ノズル５９ａで１以上の水５ａを混合噴射加速して、撥水鍍金タービン全動翼８１により回転出力を発生し、竪型全動翼圧縮機１５Ａを駆動して前方の空気を吸入し、送水ポンプ兼二重反転磁気摩擦動力伝達装置により、用途に合わせて限り無く高圧空気圧縮して、高圧圧縮空気と燃焼器兼熱交換器４により、限り無く高圧燃焼熱交換冷却燃焼して、燃焼ガス熱量出力＋燃焼ガス質量出力を増大し、超臨界圧力等過熱蒸気５ｃ爆発力使用により、排気噴射圧力を用途に合わせて上昇して、排気噴射圧力の上昇により船体を浮上して推進します。
【００４１】
各種水上輸送移動機器では水５ａの補給が容易で、ペットボトルロケットのように、水噴射推進が最も構造簡単大出力が得られ、水５ａバイパス噴射では水蒸気の１／１７００容積で同一の仕事能力に加えて、空気中の摩擦損失が１／１７００に近付き、重力慣性力や重力加速度が利用可能なため、過熱蒸気加減弁７や燃焼ガス加減弁７ｂを介して、夫々の過熱蒸気溜３２や燃焼ガス溜３２ｅに供給された過熱蒸気５ｃや燃焼ガス１０は、夫々の過熱蒸気噴射ノズル５９ｇや燃焼ガス噴射ノズル５９ｄの、過熱蒸気爆発力や燃焼ガス爆発力と霧吹きの原理により、夫々１以上の水５ａを混合噴射加速して、水の重力慣性力＋重力加速度に先ず変換して、夫々の霧吹きの原理９１ｋや９１ｌにより、最も効率良く前方の水を吸引して噴射推進します。
【００４２】
従って霧吹きの原理を利用した構造が非常に簡単になるのと、重力慣性力や重力加速度を最も効率良く利用出来るため、廃熱回収が不可能を相殺した出力となり、既存ガスタービンの３００〜６００倍仮説出力等の、竪型全動翼蒸気ガスタービン合体機関とし、既存技術の１０倍回転数を狙う、送水ポンプ兼二重反転磁気摩擦動力伝達装置により、竪型全動翼圧縮機１５Ａその他を駆動して、１０倍速度を狙う各種艦船や各種船舶や、各種水上移動機器等とし、浮上噴射推進排気の過程で水５ａにより水蒸気容積を１/１７００に冷却縮小して、排気騒音を１／１０等に低減して、騒音公害を皆無に近付けます。
【発明の効果】
【００４３】
竪型として加熱高温とした過熱蒸気噴射ノズル５９ｇの、超臨界圧力等過熱蒸気５ｃ爆発力と霧吹きの原理により、１以上の水５ａを混合噴射加速するため、空気中の摩擦損失を水蒸気の１／１７００に近付ける効果がある。
【００４４】
竪型として加熱高温とした過熱蒸気噴射ノズル５９ｇの、超臨界圧力等過熱蒸気５ｃ爆発力と霧吹きの原理により、１以上の水５ａを混合噴射加速して、空気中の摩擦損失を１／１７００に近付けるため、重力慣性力や重力加速度の利用で仕事能力を増大して、最も効率良く回転出力や噴射推進出力を増大する効果がある。
【００４５】
竪型とした燃焼ガス噴射ノズル５９ｄの、燃焼ガス１０爆発力と霧吹きの原理により、１以上の水５ａを混合噴射加速するため、空気中の摩擦損失を燃焼ガス１０の１／１０００に近付ける効果がある。
【００４６】
竪型とした燃焼ガス噴射ノズル５９ｄの、燃焼ガス１０爆発力と霧吹きの原理により、１以上の水５ａを混合噴射加速して、空気中の摩擦損失を燃焼ガス１０の１／１０００に近付けるため、重力慣性力や重力加速度の利用で仕事能力を増大して、最も効率良く回転出力や噴射推進出力を増大する効果がある。
【００４７】
竪型として熱交換して得た燃焼ガス熱量出力に、圧縮空気保有熱量を加えて、同一燃料量既存ボイラの２倍前後の燃焼ガス熱量出力を、超臨界圧力等過熱蒸気５ｃに変換し、燃焼ガス熱量出力＋燃焼ガス質量出力を（既存ガスタービンの２５０〜５００倍＋５０〜１００倍＝３００〜６００倍仮説出力）に上昇する効果がある。
【００４８】
竪型として加熱高温とした過熱蒸気噴射ノズル５９ｇの、超臨界圧力等過熱蒸気５ｃ爆発力と霧吹きの原理により、１以上の水５ａを混合噴射加速する過程で、気化膜を設けて摩擦損失最少で噴射するため、最も効率良く大気圧単位容積重力仕事率を、既存蒸気タービンの１７００倍に近付けて、撥水鍍金タービン全動翼による、同一燃料量燃焼ガス熱量出力を、既存ガスタービンの２５０〜５００倍仮説出力等に増大する効果がある。
【００４９】
竪型として過熱蒸気噴射ノズル５９ｇにより、超臨界圧力等過熱蒸気５ｃ爆発力と霧吹きの原理により、１以上の水５ａを混合噴射加速する過程で、最も効率良く大気圧単位容積重力仕事率を、既存蒸気タービンの１７００倍に近付け、動翼面積の一部乃至大部分を１／１７００に縮小して、出力発生部の構造を１／１７００の小型簡単に近付け、全体構造を１／１０〜１／５０等の小型簡単大出力にする効果がある。
【００５０】
竪型として過熱蒸気５ｃを使用するため、加熱高温手段により加熱高温とした過熱蒸気噴射ノズル５９ｇにより、水５ａとの間に気化膜を設けて、摩擦損失最少で超臨界圧力等過熱蒸気５ｃ爆発力と霧吹きの原理により、１以上の水５ａを混合噴射加速して、過熱蒸気噴射ノズル５９ｇ内や外では、水５ａを火薬爆発機関銃の弾丸や吹雪のように加速し、撥水鍍金タービン全動翼８１により略直線蛇行的噴射して、機械効率を１０〜２０倍に上昇する効果がある。
【００５１】
竪型として大気圧単位容積重力仕事率を、既存蒸気タービンの１７００倍に近付け、動翼面積の一部乃至大部分を１／１７００の小型簡単に近付けるため、撥水鍍金外側タービン動翼群１９及び、撥水鍍金内側タービン動翼群２０を段落毎環状に一体鋳造として、全自動加工組立てを容易にし、製造原価を１／１０等に近付ける効果があります。
【００５２】
竪型として水噴射手段５６の鋳込みにより、水噴射して圧縮空気を直接冷却し、撥水鍍金水冷却翼と水の重力加速度と水の慣性力により空気圧縮するため、送水ポンプ兼二重反転磁気摩擦動力伝達装置により、限り無く高圧圧縮して最も効率良く空気圧縮して、最低温度の圧縮空気を燃焼器兼熱交換器に供給し、限りなく高圧燃焼熱交換冷却燃焼を可能にする効果があります。
【００５３】
竪型として低温高圧空気を燃焼器兼熱交換器で、限りなく高圧燃焼熱交換冷却燃焼することで、理論空燃比まで燃料燃焼質量を、既存ガスタービンの４倍前後に増大し、竪型全動翼蒸気ガスタービン合体機関圧縮空気圧力を２倍以上に上昇し、燃焼ガス質量出力を（同一燃料量既存ガスタービンの５０〜１００倍仮説出力）に上昇する効果があります。
【００５４】
竪型として燃焼器兼熱交換器で限りなく高圧燃焼熱交換冷却燃焼して、既存ボイラの２倍前後の熱回収量とし、電気料金を１／１０等に低下させて、発電所等から排出されるＣＯ２等の地球温暖化燃焼ガスを、最も効率良く水に溶解して回収して、植物片や泥土等に固定した肥料等として、有効利用する効果もあります。
【００５５】
竪型全動翼蒸気タービン５Ａ同一燃料量の、燃焼ガス熱量出力を（既存ガスタービンの２５０〜５００倍仮説出力）に増大し、気化潜熱回収器により使用燃焼ガス熱量略全部を、１００℃以下の水道水温熱として製造原価略０で需要家に供給して、既存蒸気タービンが使用熱量全部で海水温度を上昇する無茶苦茶を全廃し、地球温暖化防止する効果があります。
【００５６】
竪型全動翼蒸気タービン５Ａ同一燃料量の、燃焼ガス熱量出力を（既存ガスタービンの２５０〜５００倍仮説出力）に増大し、気化潜熱回収器により使用燃焼ガス熱量略全部を、１００℃以下の水道水温熱として需要家に供給して、水道水温熱利用の暖房厨房調理設備機器や洗濯乾燥機を製造供給して、電気料金を１／１０等にする効果があります。
【００５７】
竪型全動翼ガスタービン１０Ａを水出力として、燃焼ガス排気温度を−２７３℃に近付けて、大きな単位容積重力仕事率で大きな出力を発生させ、排気燃焼ガス質量全部を冷熱回収器により、５℃前後の水道水冷熱として製造原価略０で需要家に供給して、電気料金を１／１０等にし、ＣＯ２等燃焼ガス排気を０に近付ける効果があります。
【００５８】
竪型全動翼ガスタービン１０Ａ燃焼ガス排気温度を−２７３℃に近付けて、撥水鍍金タービン全動翼により、燃焼ガス熱量消費０以下等の、同一燃料量燃焼ガス質量出力を（既存ガスタービンの５０〜１００倍仮説出力）とし、水道水冷熱利用の冷凍冷蔵冷房設備機器を製造供給して、脱フロンにより地球温暖化防止する効果があります。
【００５９】
冷熱回収器により５℃前後の水道水冷熱で供給して、燃焼ガス全部を水に溶解回収して別利用し、水道水冷熱利用の業務用や家庭用の、冷蔵設備機器や冷凍設備機器や冷房設備機器を製造供給して、既存の業務用や家庭用の冷蔵設備機器や冷凍設備機器や冷房設備機器を全廃し、脱フロンやＣＯ２排気０等による地球温暖化防止の効果もあります。
【００６０】
発電量を増大する程極低温燃焼ガスの増産になるため、海水を冷却すると海底にＣＯ２や窒素や酸素を希薄供給して、餌となる微生物や海藻や魚類等を繁殖させて、海域等を活性化する効果があり、濃度さえ適正なら有効利用可能で、深海底固定等の誤りを逆転して、人類のために貢献する手法を皆で考える効果がある。
【００６１】
超臨界圧力等過熱蒸気爆発力と霧吹きの原理により水５ａを混合噴射加速して、大気圧質量が水蒸気の１７００倍の水５ａの質量を、燃焼ガスの５０倍以上等に増大して最適減速するため、竪型全動翼蒸気ガスタービン合体機関出力発生部の構造を１／１７００に近付け、全体構造を１／５０等に小型簡単大出力に近付ける効果があります。
【００６２】
竪型全動翼蒸気タービンの全体構造を１／５０等に小型簡単大出力に近付けることで、回転出力の各種自動車や各種船舶や各種飛行機等を駆動する、各種竪型全動翼蒸気ガスタービン合体機関を積載容易として、燃料消費量を１／１００等に低減して水を大量消費することで、火災の発生を１／１０等に低減すると共に、自動消火等を可能にして安全にする効果があります。
【００６３】
竪型全動翼蒸気タービンの全体構造を１／５０等に小型簡単大出力に近付け、送水ポンプ兼二重反転磁気摩擦動力伝達装置を使用し、性能の上昇も１０倍に近付け、回転出力の各種船舶や各種飛行機等を駆動する各種プロペラを、用途に合わせた二重反転プロペラにすることで、垂直上昇降下空中移動全盛や、５倍速度船舶に近付ける効果があります。
【００６４】
竪型全動翼蒸気タービンの全体構造を１／５０等に小型簡単大出力に近付けて、気化熱冷却器６６ｂを含めたため、各種自動車等の陸上輸送移動用車両や各種プロペラ飛行機やヘリコプター等の空中輸送移動飛行機等では、凝縮水を燃焼器兼熱交換器４に限り無く繰返し供給して、凝縮水を循環使用出来る効果があります。
【００６５】
送水ポンプ兼二重反転磁気摩擦動力伝達装置で竪型全動翼圧縮機１５Ａ等を駆動して、超臨界圧力等過熱蒸気爆発力や燃焼ガス爆発力と霧吹きの原理により、水５ａを混合噴射加速して、撥水鍍金タービン全動翼や霧吹きの原理９１ｉや９１ｊにより前方の空気を吸引噴射して（既存ガスタービンの３００〜６００倍仮説出力）に増大し、噴射推進の各種空中輸送移動飛行機を１０倍速度に近付ける効果があります。
【００６６】
超臨界圧力等過熱蒸気爆発力や燃焼ガス爆発力と霧吹きの原理により、水５ａを混合噴射加速して、送水ポンプ兼二重反転磁気摩擦動力伝達装置で竪型全動翼圧縮機１５Ａや、撥水鍍金タービン全動翼を駆動して船体を浮上推進し、霧吹きの原理９１ｋや９１ｌを駆動して、前方の水を吸引噴射して（既存ガスタービンの３００〜６００倍仮説出力）に増大し、噴射推進の各種水上輸送移動船舶等を５倍速度に近付ける効果があります。
【発明を実施するための最良の形態】
【００６７】
発明の実施の形態や実施例を、図面を参照して説明するが、既説明の発明の開示等と、その構成が略同じ部分には、同一の名称又は符号を付して、重複説明は省略し、特徴的な部分や説明不足部分は、順次追加重複説明する。又、発明の意図する所及び予想を具体的に明快に説明するため、アイディアを仮説数字で説明しておりますが、無限大の用途により千変万化する最良の形態がありますので、前記仮説倍率を含めて数字に限定しません。
【００６８】
この発明により最も簡単に効率良く空気を冷却圧縮し、熱回収して低温空気として使用する燃焼器兼熱交換器４は、既に特許出願済の燃焼器兼熱交換器を、用途に合わせて選択使用します。又、超臨界圧力等過熱蒸気５ｃ爆発力と霧吹きの原理により、１以上の水噴射ノズル５９ａの水５ａを混合噴射加速して、摩擦損失最少で最も効率良く回転出力を発生させるため、撥水鍍金タービン全動翼８１又は電磁加熱タービン全動翼８１ａを使用し、最も効率良く水５ａを加速するため、加熱高温の過熱蒸気噴射ノズル５９ｇや撥水鍍金の過熱蒸気噴射ノズル５９ｆを使用し、水５ａとの間の気化膜や撥水作用により摩擦損失最少で混合噴射加速しますが、詳細は千変万化の用途に合わせて夫々千変万化します。また燃焼ガス質量の排気温度を−２７３℃に近付けますが、明快に説明するため前記説明を含めて−２７３℃は、実用的な最低温度として使用し、−１００℃前後や−２０℃前後等、用途により千変万化します。
【実施例１】
【００６９】
（実施例１）の竪型全動翼ガスタービン５Ａは、竪型全動翼圧縮機１５Ａの主要部分の、撥水鍍金外側圧縮機動翼群１６及び撥水鍍金内側圧縮機動翼群１７の、撥水鍍金水冷却翼８７を図にない冷却手段５５により通水冷却し、その水路を１以上の段落全部又は段落半分を冷却後に、給水３を水噴射手段５６より水噴射して、圧縮空気を直接接触冷却する過程で、水の重力慣性力や重力加速度により圧縮効率を上昇し、その熱を給水３で回収して空気容積を縮小します。撥水鍍金水冷却翼８７と、既存技術の１０倍相対回転数全動翼大幅構造簡単化を狙う、送水ポンプ兼二重反転磁気摩擦動力伝達装置１４ａにより、用途に合わせて限り無く高圧空気圧縮し、燃焼器兼熱交換器４で限り無く高圧燃焼熱交換冷却燃焼して、燃焼ガス熱量＋燃焼ガス質量に分離します。翼間隔を増大した全動翼翼形として、圧縮空気を略直線蛇行的に効率よく圧縮し、水との摩擦損失最小で圧縮する、撥水鍍金の撥水鍍金外側圧縮機動翼群１６及び撥水鍍金内側圧縮機動翼群１７を、段落毎全自動加工が可能な環状に一体鋳造８４として、全自動組立も可能な構造とし、環状鋳造組立部で冷却手段５５の水路を連結して、該組立接続部付近に水噴射手段５６を設けて、製造原価を大幅に低減します。
【００７０】
熱交換して得た燃焼ガス熱量を、圧縮空気保有熱量を含めて、既存ボイラの２倍前後として、その熱量を過熱蒸気５ｃに変換し、図に無い蒸気管６・蒸気加減弁７を介して、竪型全動翼蒸気タービン５Ａ最上流の環状の過熱蒸気溜３２ｃに供給し、その過熱蒸気５ｃ爆発力と霧吹きの原理により、断熱材４８ａを介して設けて、直接電気抵抗等公知技術により加熱高温とする、加熱高温手段１０１により加熱高温とした、砲身状乃至末広砲身状の過熱蒸気噴射ノズル５９ｇの、水噴射ノズル５９ａより１以上の水５ａを混合噴射加速して、水５ａの噴射加速質量を全燃焼ガス質量の５０〜１００倍等用途に合わせて増大し、撥水鍍金タービン全動翼８１により略直線蛇行的に噴射して回転出力を発生して、機械効率を既存蒸気タービンの１０〜２０倍に上昇します。
【００７１】
出力発生の過程では主として超臨界圧力より大気圧まで使用し、加熱高温として気化膜を設けて摩擦損失を最少とした、過熱蒸気噴射ノズル５９ｇ内では水５ａを火薬爆発機関銃の弾丸や吹雪のように加速し、ノズル外では吹雪のように水５ａを加速して、水道水７０の水５ａを含めて撥水鍍金タービン全動翼８１に噴射し、撥水鍍金により水５ａとの間の摩擦損失を最少として回転出力を発生して、供給燃料燃焼熱量を気化熱の最少に近付けます。そして燃焼ガス熱量出力を（既存ガスタービンの５倍落差×２倍回収熱量×５０倍質量重力仕事率×１０〜２０倍機械効率×１／２０減少率）＝（既存ガスタービンの２５０〜５００倍仮説発電量乃至出力）に増大し、水５ａ出力により大気圧部水蒸気の１／１７００容積に縮小して、空気中の摩擦損失を１／１７００に近付け、水５ａの重力慣性力や重力加速度で回転出力の増大を可能にし、大気圧部単位動翼面積出力を１７００倍に近付け、合理的な設計を可能にして、出力発生部の構造を１／１７００に近付け、全体構造が１／１０〜１／５０等の小型簡単大出力の、竪型全動翼蒸気タービン５Ａにします。
【００７２】
竪型全動翼蒸気タービン５Ａの全体構造を、１／１０〜１／５０等に小型簡単大出力にすると共に、過熱蒸気噴射ノズル５９ｇに燃焼ガス噴射ノズル５９ｄを追加することで、竪型全動翼蒸気ガスタービンを簡単に構成し、過熱蒸気噴射ノズル５９ｇに換えて、過熱蒸気噴射ノズル５９ｈ又は過熱蒸気噴射ノズル５９ｉを使用することで、竪型全動翼蒸気ガスタービンを最も簡単に構成し、小型の用途に対応します。１／５０等の小型簡単大出力にすることで、翼間隔を拡大した全動翼翼形や全動翼翼幅や全動翼翼角度を、重力仕事率大気圧部１７００倍等の増大に合わせた形状にし、全動翼翼形として略直線蛇行的に噴射を可能にすると共に、撥水鍍金外側タービン動翼群１９及び、撥水鍍金内側タービン動翼群２０を、段落毎環状に一体鋳造８４及び全自動加工も可能にし、全自動組立も可能な構造の小型簡単大出力も含めて、製造原価を１／１０前後に低減します。
【００７３】
排気の過程では水５ａを過熱蒸気や水蒸気と分離し、既存復水器と略同様に設けた気化潜熱回収器６６ａの空気抽出器により、飽和水蒸気温度１００℃以下等を可能とし、燃焼器兼熱交換器４に供給する凝縮水が不足の場合は、空気抽出器により飽和温度を低下して凝縮水を増大し、凝縮水が過多の場合は水５ａとして使用します。既存冷却水の海水に換えて水道水７０で熱回収することで、１００℃等の回収凝縮水を限り無く繰り返し燃焼器兼熱交換器４に供給して再再使用し、供給燃料燃焼熱量を気化熱の最少に近付けると共に、その供給燃料燃焼熱量略全部を、飽和温度１００℃以下の水道水温熱７１として熱回収貯蔵しておき、膨大な水道水温熱７１を発電の副産物として、製造原価略０で需要家に供給すると共に、水道水温熱利用の暖房設備機器器具や調理設備機器や、熱ポンプや空気抽出器で気化乾燥後に熱風乾燥する、洗濯乾燥機等を製造供給して需要の拡大を図り、水不足地帯では水道水温熱により海水を蒸留して供給し、電気料金を１／１０等として、既存蒸気タービンの使用熱量全部による海水温度の上昇を皆無とします。
【実施例２】
【００７４】
（実施例２）各種竪型過熱蒸気噴射ノズル５９ｇを説明する。超臨界圧力等過熱蒸気５ｃ爆発力を中心に配置して、１以上の水噴射ノズル５９ａと９０°以内で合流して、超臨界圧力等過熱蒸気５ｃ爆発力と霧吹きの原理により、１以上の水５ａを混合噴射加速して摩擦損失を最少とするため、加熱高温手段１０１の外側には断熱材４８ａを設けて、電気抵抗等の公知技術で加熱する加熱高温手段１０１により加熱高温とした、竪型過熱蒸気噴射ノズル５９ｇとして、燃焼ガス熱量出力発生の過程では気化膜を設けて摩擦損失を最少とし、超臨界圧力等過熱蒸気５ｃ爆発力と霧吹きの原理により、１以上の水５ａを混合噴射加速して、竪型過熱蒸気噴射ノズル５９ｇ内では気化膜を設けて摩擦損失最少とし、１以上の水５ａを火薬爆発機関銃の弾丸や吹雪のように加速して、ノズル外では吹雪のように加速し、大気圧重力仕事率が水蒸気の１７００倍の水５ａ質量を増大し、全重力仕事率を燃焼ガス全質量の５０〜１００倍に増大し、撥水鍍金タービン全動翼８１や電磁加熱タービン全動翼８１ａや、霧吹きの原理９１ｉや９１ｋに噴射して、出力発生します。
【００７５】
回転出力発生の過程では、各種竪型過熱蒸気噴射ノズル５９ｇより、撥水鍍金タービン全動翼８１や電磁加熱タービン全動翼８１ａに噴射し、撥水鍍金や加熱高温気化膜等により摩擦損失を低減して、略直線蛇行的に噴射して回転出力を発生し、機械効率を既存蒸気タービンの１０〜２０倍に上昇します。空気吸引噴射推進又は水吸引噴射推進の、噴射出力発生の過程では、各種過熱蒸気噴射ノズル５９ｇを、霧吹きの原理９１ｉ又は９１ｋの最上流に具備して、過熱蒸気爆発力と霧吹きの原理により１以上の水５ａを混合噴射加速して、大気圧水蒸気の１／１７００容積の水５ａ速度に変換することで、空気との摩擦損失を１／１７００に近付け、単位容積の重力仕事率を１７００倍に増大し、重力慣性力や重力加速度で出力増大を図り、霧吹きの原理９１ｉにより最も効率良く前方の空気を吸引して噴射推進し、霧吹きの原理９１ｋにより最も効率良く前方の水を吸引して噴射推する、各種空中移動機器や各種水上移動機器の噴射推進出力を発生します。
【実施例３】
【００７６】
（実施例３）と（実施例１）の竪型全動翼蒸気タービン５Ａは殆ど同じのため、相違点を説明する。（実施例１）の過熱蒸気噴射ノズル５９ｇ内では水５ａを火薬爆発機関銃の弾丸や吹雪のように加速し、ノズル外では吹雪のように水５ａを加速して、撥水鍍金タービン全動翼８１に噴射し、撥水鍍金により水５ａとの間の摩擦損失を最少として、略直線蛇行的に水５ａを噴射し、機械効率を既存蒸気タービンの１０〜２０倍に上昇して、回転出力を発生しますが。（実施例３）では過熱蒸気噴射ノズル５９ｇ内では水５ａを火薬爆発機関銃の弾丸や吹雪のように加速し、ノズル外では吹雪のように水５ａを加速して、電磁加熱タービン全動翼８１ａに噴射し、加熱高温の電磁加熱タービン全動翼と水５ａとの間に気化膜を設けて、摩擦損失を最少として略直線蛇行的に水５ａを噴射し、機械効率を既存蒸気タービンの１０〜２０倍に上昇して、回転出力を発生します。
【００７７】
従って電磁加熱タービン動翼８１ａを磁力線を通し易い材料で構成し、外側軸装置１９Ａ及び内側軸装置２０Ａにコイル９８を設け、公知技術による回転接点により通電して、電磁加熱外側タービン動翼群１９ａ及び電磁加熱内側タービン動翼群２０ａに磁力線を集めて、渦電流による電気抵抗により加熱高温にし、回転出力発生の過程で水５ａとの間に気化膜を設けて、摩擦損失を最少として略直線蛇行的に水５ａを噴射し、機械効率を既存蒸気タービンの１０〜２０倍に上昇して、回転出力を発生します。
【実施例４】
【００７８】
（実施例４）の竪型全動翼ガスタービン１０Ａは、（実施例１）や（実施例３）等と１軸直列や２軸並列に回転力を結合し、又は単独で燃焼ガス熱量出力＋燃焼ガス質量出力を合体して、竪型全動翼蒸気ガスタービン合体機関として使用し、熱交換して得た燃焼ガス質量出力により駆動します。燃焼器兼熱交換器４で限りなく高圧燃焼熱交換冷却燃焼熱回収して、温度と容積の障害を最低にして理論空燃比まで、既存ガスタービンの４倍燃料燃焼を可能にし、燃焼ガス熱量出力＋燃焼ガス質量出力に分離し、熱交換して得た燃焼ガス質量出力を、撥水鍍金タービン全動翼８１を具備した、竪型全動翼ガスタービン１０Ａの最上流の環状の燃焼ガス溜９に供給し、燃焼ガス噴射ノズル５９ｄの燃焼ガス１０爆発力と霧吹きの原理により、１以上の環状の水溜３２ｂの水５ａを混合噴射加速して、水５ａの噴射質量を全燃焼ガス質量の５倍以上に増大し、水５ａ出力により大気圧部燃焼ガスの１／１０００容積に近付け、水５ａの重力慣性力や重力加速度で回転出力を増大して、撥水鍍金タービン全動翼８１を駆動して、大気圧部単位動翼面積出力を１７００倍に近付けて、竪型全動翼ガスタービン１０Ａを駆動します。
【００７９】
出力発生の過程では撥水鍍金した、撥水鍍金タービン全動翼と燃焼ガスや水５ａとの間の摩擦損失を最少として、略直線蛇行的に噴射して機械効率を１０〜２０倍に上昇し、燃焼ガス質量出力を（既存ガスタービンの２倍落差×５倍質量×１０〜２０倍機械効率×１／２減少率）＝（既存ガスタービンの５０〜１００倍仮説発電量乃至出力）に増大し、排気の過程では冷熱回収器１０２により熱交換、１〜５℃の水道水冷熱７２に変換して、発電の副産物として製造原価略０で需要家に供給し、同時に水道水冷熱７２により圧縮空気を冷却する、業務用や家庭用の、冷凍設備機器や冷蔵設備機器や冷房設備機器等を製造供給して、既存設備機器を全廃した脱フロンによる地球温暖化防止すると共に、冷熱回収後のＣＯ２等の燃焼ガスを海水等に溶解して冷却排水し、ＣＯ２等燃焼ガス排気を０や僅少にして地球温暖化防止し、電気料金を１／１０等にします。
【００８０】
（実施例４）で発電用補助燃料として有限の燃料資源を子孫に残す場合、公知のゴミガス化燃料やゴミ微細化燃料や、燃えるもの全部を燃焼して熱回収燃焼ガス熱量として、別途（実施例１）等により電力に変換します。そして該燃焼ガス空気を（実施例１）の竪型全動翼圧縮機１５Ａで前記同様に圧縮して、水噴射手段５６により直接低温空気に冷却して熱回収し、燃焼器兼熱交換器４により安価豊富な微粉炭燃料の燃焼として、再燃焼させて熱回収量を増大し、再度燃焼ガス熱量出力＋燃焼ガス質量出力に分離し、熱交換して得た既存ボイラの２倍前後の燃焼ガス熱量出力は、別途（実施例１）等により電力に変換します。そして燃焼ガス質量出力を（実施例４）により電力に変換して、燃焼ガス質量出力を（既存ガスタービンの２倍落差×石炭灰等２倍質量×５倍水質量×１０〜２０倍機械効率×１／２減少率）＝（既存ガスタービンの１００〜２００倍燃焼ガス質量仮説発電量）に増大し、排気の過程では前記同様に冷熱回収器１０２により、水道水冷熱７２を回収します。
【００８１】
水道水冷熱７２の水道水管を満杯にし、膨大過ぎる水道水冷熱７２は散水して都市部を丸ごと冷却します。又は膨大な残りのＣＯ２や燃焼灰等を含む冷熱は、含有する窒素やＣＯ２等を植物が要求しており、有効利用するため生ゴミや植物片や泥土等に合成固定して、肥料等として有効利用し、膨大な肥料を生成して食料の増産を図ります。残りの冷熱は海底にＣＯ２や窒素等の冷熱を供給する過程で、酸素等の必要物質を吸引して海の生物や微生物に最適濃度で供給し、魚介類や海藻類を繁殖させる最適微生物や動植物を先ず繁殖させ、微生物や魚介類や海草類や海藻類を繁殖させます。ＣＯ２や窒素等の燃焼ガスにより食料の増産を図り、ＣＯ２等の燃焼ガス質量の排気を０や０に近付け、地球を冷却します。
【００８２】
（実施例４）＋（実施例１）の回転出力輸送機器等の場合、（実施例４）の燃焼ガス噴射ノズル５９ｄを（実施例１）に移動した、竪型全動翼蒸気ガスタービン合体機関として、起動時には公知の起動装置により駆動して、竪型全動翼圧縮機１５Ａと送水ポンプ兼二重反転磁気摩擦動力伝達１４ａにより、高圧空気圧縮し、燃焼器兼熱交換器４により限り無く高圧燃焼熱交換冷却燃焼して、燃焼ガス熱量＋燃焼ガス質量に分離し、燃焼ガス質量の燃焼ガス１０を、環状の燃焼ガス溜９に供給して、燃焼ガス噴射ノズル５９ｄの燃焼ガス爆発力と霧吹きの原理により、１以上の環状の水溜３２ｂの水５ａを混合噴射加速し、燃焼ガス質量で回転出力を発生しながら燃焼ガス熱量を増大します。増大した燃焼ガス熱量を超臨界圧力等の過熱蒸気５ｃとし、環状の過熱蒸気溜３２ｃに供給して、過熱蒸気噴射ノズル５９ｇの過熱蒸気爆発力と霧吹きの原理により、１以上の環状の水溜３２ｂの水５ａを混合噴射加速し、燃焼ガス熱量出力＋燃焼ガス質量出力により、回転出力を発生して、燃焼ガス質量出力の一部を燃焼ガス取出口８８より取出し、マイクロ竪型全動翼ガスタービン１０Ａを駆動して、前記同様に冷熱や電力を供給します。
【００８３】
（実施例４）＋（実施例１）の回転出力自動車等の、各種陸上輸送移動機器や、海空の回転出力各種輸送移動機器の用途では、大気圧重力仕事率が水蒸気の１７００倍の水５ａで駆動する、竪型全動翼蒸気ガスタービン合体機関とし、重力慣性力や重力加速度で回転出力を増大して、その構造を１／１０〜１／５０の小型簡単大出力に近付け、全動翼翼形にして環状に一体鋳造全自動加工を可能にします。気化潜熱回収器６６ａに換えて気化熱空冷器６６ｂを使用し、その凝縮水を繰返し燃焼器兼熱交換器４に再供給して、限りなく高圧燃焼熱交換冷却燃焼熱回収して、燃焼ガス熱量＋燃焼ガス質量に分離し、気化熱空冷器６６ｂにより熱回収した空気は、暖房用等として使用して、燃焼ガス熱量出力＋燃焼ガス質量出力を（既存ガスタービンの３００〜６００倍仮説出力）にし、排気の過程では水蒸気容積を１／１７００に冷却凝集縮小して、排気騒音を１／１０等に低減し、製造原価を１／１０に近付けた竪型全動翼蒸気ガスタービン合体機関とします。
【実施例５】
【００８４】
（実施例５）の竪型全動翼ガスタービン１０Ａは、（実施例１）や（実施例３）等と１軸直列や２軸並列に回転力を結合し、又は単独で燃焼ガス熱量出力＋燃焼ガス質量出力を合体して、竪型全動翼蒸気ガスタービン合体機関として使用し、熱交換して得た燃焼ガス質量出力により駆動します。燃焼器兼熱交換器４で限りなく高圧燃焼熱交換冷却燃焼熱回収して、温度と容積の障害を最低にして理論空燃比まで、既存ガスタービンの４倍燃料燃焼にし、燃焼ガス熱量出力＋燃焼ガス質量出力に分離して、熱交換して得た燃焼ガス質量出力を、水道水冷熱で洗浄冷却した燃焼ガス１０と水道水冷熱で冷却した燃焼ガスに２分し、水道水冷熱で冷却した燃焼ガス１０を環状の燃焼ガス溜９に供給して、水道水冷熱で洗浄冷却した燃焼ガス１０を、冷熱回収器１０２の前の燃焼ガス液化分離装置１０６で液化分離し、回収不用の不用冷却液化燃焼ガス１０ｂを、１以上の環状の液化燃焼ガス溜３２ｄに供給して、燃焼ガス噴射ノズル５９ｄ環状の燃焼ガス溜９の燃焼ガス１０爆発力と霧吹きの原理により、１以上の環状の液化燃焼ガス溜３２ｄの、不用液化燃焼ガス１０ｂや不用冷却燃焼ガス１０ｂを混合噴射加速して、燃焼ガス質量で回転出力を発生します。
【００８５】
回転出力発生の過程では撥水鍍金タービン全動翼８１を駆動して、真空の上昇を含めて燃焼ガス排気温度を−２７３℃に近付け、燃焼ガス液化分離装置１０６により、液化二酸化炭素を液化二酸化炭素回収器１０４で回収し、液体窒素を液体窒素回収器１０５で回収して、特定液化燃焼ガス１０ａを適宜に回収する等とし、不用冷却燃焼ガス１０ｂや不用液化燃焼ガス１０ｂは、環状の液化燃焼ガス溜３２ｄに供給して、前述の回転出力を発生します。そして下流の冷熱回収器１０２により、（実施例４）と同様に水道水冷熱７２を回収利用し、ＣＯ２等燃焼ガス排気０や僅少にして地球温暖化防止します。
【実施例６】
【００８６】
図６の過熱蒸気噴射ノズル５９ｇにより過熱蒸気５ｃ爆発力と霧吹きの原理により、１以上の水５ａを混合噴射加速して、霧吹きの原理９１ｉでバイパス噴射して、前方の空気を吸引して噴射推進する、竪型全動翼蒸気ガスタービン合体機関（実施例６）は、通常の起動装置により竪型全動翼蒸気タービン５Ａ（実施例１）を駆動の過程で、（実施例１）と同様に、既存技術の１０倍回転数を狙う送水ポンプ兼二重反転磁気摩擦動力伝達装置１４ａと、竪型全動翼圧縮機１５Ａにより前方の空気を吸引して限り無く高圧空気圧縮して、燃焼器兼熱交換器４により燃焼ガス熱量＋燃焼ガス質量に分離し、燃焼ガス熱量の一部により（実施例１）と同様に回転出力を発生して、水蒸気噴射推進の過程で、水５ａにより水蒸気容積の一部乃至大部分を１／１７００に縮小して、排気騒音を１／１０等に低減すると共に、重力慣性力や重力加速度は１７００倍に近付けて噴射推進力を増大し、ペットボトルロケットのように水を満載して、垂直加速上昇する宇宙往還機とし、垂直降下を可能にし、竪型全動翼蒸気ガスタービン合体機関を水平まで９０°以上、公知技術により回転可能にして水平飛行にします。
【００８７】
熱交換して得た燃焼ガス熱量の過熱蒸気５ｃ大部分と燃焼ガス質量の全部は、蒸気加減弁７と燃焼ガス加減弁７ｂを介して、複数の過熱蒸気噴射ノズル５９ｇや複数の燃焼ガス噴射ノズル５９ｄに供給し、過熱蒸気噴射ノズル５９ｇの過熱蒸気５ｃ爆発力と霧吹きの原理により、１以上の水５ａを混合噴射加速して霧吹きの原理９１ｉを最適稼動して、最も効率良く前方の空気を吸引して噴射推進し、燃焼ガス噴射ノズル５９ｄの燃焼ガス１０爆発力と霧吹きの原理により、１以上の水５ａを混合噴射加速して霧吹きの原理９１ｊを最適稼動して、最も効率良く前方の空気を吸引して噴射推進し、夫々重力慣性力や重力加速度を１７００倍に近付けて噴射推進力を増大して、既存ガスタービンの３００〜６００倍仮説出力とし、排気の過程では−２７３℃に近付く燃焼ガスや水５ａにより、水蒸気容積の一部乃至大部分を１／１７００に縮小して、排気騒音を１／１０等に低減し、水５ａ出力により火災の危険を１／１０等に低減して、非常安全快適な既存技術の１０倍速度を狙う、各種宇宙往還飛行機や各種宇宙往還親飛行機や、各種ジェット飛行機や各種飛行船舶や各種飛行物体や各種超高速船舶等とします。
【実施例７】
【００８８】
図７の過熱蒸気噴射ノズル５９ｇにより過熱蒸気５ｃ爆発力と霧吹きの原理により、１以上の水５ａを混合噴射加速して、霧吹きの原理９１ｋでバイパス噴射して、前方の水を吸引して噴射推進する、竪型全動翼蒸気ガスタービン合体機関（実施例７）は、通常の起動装置により竪型全動翼蒸気タービン５Ａ（実施例１）を駆動の過程で、（実施例１）と同様に、既存技術の１０倍回転数を狙う送水ポンプ兼二重反転磁気摩擦動力伝達装置１４ａと、竪型全動翼圧縮機１５Ａにより空気を吸引して限り無く高圧空気圧縮して、燃焼器兼熱交換器４により燃焼ガス熱量＋燃焼ガス質量に分離し、燃焼ガス熱量の一部により（実施例１）と同様に、超臨界圧力過熱蒸気５ｃ爆発力等で回転出力を発生して、排気水蒸気噴射圧力の用途に合せた増大により、船体を浮上推進してその過程で、水５ａにより水蒸気容積の一部を１／１７００に縮小して、排気騒音を１／１０等に低減すると共に、重力慣性力や重力加速度は１７００倍に近付けて噴射推進力を増大します。
【００８９】
熱交換して得た燃焼ガス熱量の過熱蒸気５ｃ大部分と燃焼ガス質量の全部は、蒸気加減弁７と燃焼ガス加減弁７ｂを介して、複数の過熱蒸気噴射ノズル５９ｇや複数の燃焼ガス噴射ノズル５９ｄに供給し、過熱蒸気噴射ノズル５９ｇの過熱蒸気５ｃ爆発力と霧吹きの原理により、１以上の水５ａを混合噴射加速して霧吹きの原理９１ｋを最適稼動して、最も効率良く前方の水を吸引して噴射推進し、燃焼ガス噴射ノズル５９ｄの燃焼ガス１０爆発力と霧吹きの原理により、１以上の水５ａを混合噴射加速して霧吹きの原理９１ｌを最適稼動して、最も効率良く前方の水を吸引して噴射推進し、夫々重力慣性力や重力加速度を１７００倍に近付けて噴射推進力を増大して、既存ガスタービンの３００〜６００倍仮説出力とし、噴射推進の過程では−２７３℃に近付く燃焼ガス１０により、海水等を冷却してＣＯ２や窒素等を大量の海水に溶解してその過程で、空気や酸素等を吸引して海中に希薄供給し、海の生物の生態を微生物まで徹底的に研究し、微生物や魚介類や海草類や海藻類を繁殖させて、食料の増産を図り、ＣＯ２等の燃焼ガス排気を０にし、既存技術の５倍速度を狙う、各種高速輸送移動船舶や各種高速水上移動機器等とします。
【実施例８】
【００９０】
通常の変速や逆転を含む各種動力伝達装置は、主として歯車装置を使用している。このため、歯面に大きな荷重を含む、滑り歯面を必須とするため、潤滑油を必要とするのに加えて、摩擦熱損失も非常に大きく、高速回転を含む大動力の伝達装置には、使用不可という問題がある。そこで歯車のかみ合い高さを限りなく縮小した低凹凸４０として、転がり接触の（ａ）（ｂ）着磁摩擦車３７ａ・３７ａや、（ｃ）着磁摩擦車３７ｂや、（ｄ）（ｅ）（ｆ）磁着摩擦車３９・３９・３９とし、平歯車に換えて平凹凸４１やハスバ歯車に換えてハスバ凹凸４２や、ヤマバ歯車に換えてヤマバ凹凸４３や、歯車以外の噛み合うすべての低凹凸４０を適宜に設けて、互換して使用する転がり接触の、送水ポンプ兼磁気摩擦動力伝達装置１００ａや、送水ポンプ兼二重反転磁気摩擦動力伝達装置１４ａ等として使用します。
【００９１】
図８ａの着磁摩擦車３７ａは、環筒状の強磁性材料の径方向左右に、磁極のＮ極及びＳ極を着磁して、その両側を環板状のヨーク４７で挟んで、外径方向動力伝達面３１に延長して固着します。該動力伝達面３１の外周面に低凹凸４０の平凹凸４１やハスバ凹凸４２等を設けて、夫々着磁摩擦車３７ａ・３７ａ等として、各要素を互いに互換して、着磁摩擦車３７ａ・磁着摩擦車３９等の組み合わせを可能として使用します。
【００９２】
図８ｂの内着磁摩擦車３８は、環筒状の強磁性材料の径方向左右に、磁極のＮ極及びＳ極を着磁して、その両側を環板状のヨーク４７で挟んで、内径方向動力伝達面３１に延長して固着します。該動力伝達面３１の内周面に低凹凸４０の平凹凸４１やハスバ凹凸４２等を設けて、内着磁摩擦車３８を構成して使用します。
【００９３】
図８ｃの着磁摩擦車３７ｂは、環筒状の強磁性材料の内径側と外径側に磁極のＮ極及びＳ極を着磁して、ヨーク４７を磁石の内周側から左右外径動力伝達面３１に延長します。該動力伝達面近傍のヨークと磁石の間に、摩擦増大手段４５を環状に設けて固着し、その外周面に低凹凸４０のヤマバ凹凸４３を設けて、夫々着磁摩擦車３７ｂ・３７ｂとして、各要素を互いに互換して磁着摩擦車３９・着磁摩擦車３７ｂ等の組み合わせを可能として使用します。
【００９４】
図８ｄの内着磁摩擦車３８ａは、環筒状の強磁性材料の内径側と外径側に磁極のＮ極及びＳ極を着磁して、ヨーク４７を磁石の外周側から左右内径動力伝達面３１に延長します。該動力伝達面近傍のヨークと磁石の間に、摩擦増大手段４５を環状に設けて固着し、その内周面に低凹凸４０のヤマバ凹凸４３等を設けて、内着磁摩擦車３８を構成して使用します。
【００９５】
図８ｅの磁着摩擦車３９は、環筒状の強磁性材料の外径面の動力伝達面３１に、摩擦増大手段４５を設けます。又は動力伝達面３１のまま、その外周面に低凹凸４０の平凹凸４１又はハスバ凹凸４２又はヤマバ凹凸４３を設けて、夫々各種磁着摩擦車３９・３９等とします。
【００９６】
図８ｆの内磁着摩擦車４４は、環筒状の強磁性材料の内径面の動力伝達面３１に、摩擦増大手段４５を設けます。又は動力伝達面３１のまま、その内周面に低凹凸４０の平凹凸４１又はハスバ凹凸４２又はヤマバ凹凸４３を設けて、夫々各種内磁着摩擦車４４・４４等とします。
【実施例９】
【００９７】
竪型全動翼蒸気タービン５Ａや竪型全動翼ガスタービン１０Ａの、竪型全動翼蒸気ガスタービン合体機関を実用化するには、ころがり接触による超高圧少量送水ポンプや、超高速大動力伝達装置が必要です。超高速大動力伝達装置を可能にすると共に、潤滑油も不用にするためには、歯車装置の滑り歯面を皆無に近づけた転がり接触の、水冷却して摩擦熱を回収して燃焼器兼熱交換器４に供給する、多段多数で超高圧少量送水して、既存技術の２〜１０倍回転数を狙う宇宙往還機等の、送水ポンプ兼二重反転磁気摩擦動力伝達装置１４ａ（実施例１１）や、送水ポンプ兼磁気摩擦動力伝達装置１００ａ（実施例９・１０）として使用し、互いに反対方向に回転する外側軸装置１６Ａと内側軸装置１７Ａを結合して、超高圧少量送水ポンプ兼各種動力伝達装置として使用し、給水３により熱回収して超高圧少量送水します。
【００９８】
図９の各種送水ポンプ兼磁気摩擦動力伝達装置１００ａは、着磁摩擦車３７ａ・３７ａにより着磁摩擦車装置５１ａを構成し、外箱９４を設けて回転方向３５上流側及び下流側に、棒磁石３３又は電磁石３４を設けて磁石の強い吸引力を利用して、超高圧少量送水を可能にし、回転方向下流側に吸水路９５を設け回転方向上流側に送水路９６を設けて、自己発熱量を回収して送水することで、超高速大動力の伝達を可能にして、送水ポンプ９７兼磁気摩擦動力伝達装置１００の、送水ポンプ兼磁気摩擦動力伝達装置１００ａとし、既存技術の２〜１０倍回転数を狙います。
【実施例１０】
【００９９】
図１０の各種送水ポンプ兼磁気摩擦動力伝達装置１００ａは、着磁摩擦車３７ｂ・３７ｂにより着磁摩擦車装置５１ｂを構成し、外箱９４を設けて回転方向３５上流側及び下流側に、棒磁石３３又は電磁石３４を設けて磁石の強い吸引力を利用して、超高圧少量送水を可能にし、回転方向下流側に吸水路９５を設け回転方向上流側に送水路９６を設けて、自己発熱量を回収して送水することで、超高速大動力の伝達を可能にして、送水ポンプ９７兼磁気摩擦動力伝達装置１００の、送水ポンプ兼磁気摩擦動力伝達装置１００ａとし、既存技術の２〜１０倍回転数を狙います。
【実施例１１】
【０１００】
図１１（ａ）（ｂ）（ｃ）を参照して説明する。（ｂ）（ｃ）は夫々（ａ）のｃ−ｃ及びｄ−ｄ視図であり、互いに反対方向に回転する竪型全動翼蒸気ガスタービン合体機関の、内側軸装置と外側軸装置の回転動力を結合する、二重反転磁気摩擦動力伝達装置１４は、多数の送水ポンプ９７により摩擦熱を多段に回収して自己水冷却し、互いに反対方向に回転する２軸の超高速大動力を、最適回転比で二重反転伝達する、二重反転磁気摩擦動力伝達装置１４とし、送水ポンプ兼二重反転磁気摩擦動力伝達装置１４ａとして使用します。
【０１０１】
竪型全動翼蒸気ガスタービン合体機関の外側軸装置に固着された、磁石部４６及びヨーク４７を含む、第一主動内着磁摩擦車３８ａの回転により、機関本体に固定された外箱９４に軸支された、支軸５０の左端に固着された複数の第一従動着磁摩擦車３７ａが回転し、その回転により支軸５０の右端に固着した、複数の第二主動着磁摩擦車３７ａが回転し、その回転により内側軸装置に固着された、第二従動着磁摩擦車３７ａが回転し、互いに反対方向に回転する外側軸装置の回転力と、内側軸装置の回転力を結合して、内側軸装置又は外側軸装置より全回転出力を取り出し可能にし、又は両方より夫々回転出力を取り出し可能とします。
【０１０２】
図１１（ｂ）（ｃ）は、超高速大動力の伝達と超高圧少量送水する、送水ポンプ９７兼用の二重反転磁気摩擦動力伝達装置１４として使用の過程で、回転方向上流側及び下流側又は上流側又は下流側に、棒磁石３３乃至電磁石３４を設けることで、着磁摩擦車３７や磁着摩擦車３９や内着磁摩擦車３８や内磁着摩擦車４４の、すべての組み合わせを、磁石の強い吸引力により、互いに互換して使用を可能にします。外側軸装置に固着の内着磁摩擦車３８ａや、内側軸装置に固着の着磁摩擦車３７ａや、夫々に噛み合う夫々複数の着磁摩擦車３７ａを含めて、既存歯車ポンプと略同様に外箱９４を設けます。
【０１０３】
そして内着磁摩擦車３８ａに噛み合う複数の着磁摩擦車３７ａの、回転方向棒磁石３３又は電磁石３４を含む上流側に送水路９６を設け、回転方向棒磁石３３又は電磁石３４を含む下流側に吸水路９５を設け、内側軸装置に固着の着磁摩擦車３７ａに噛み合う複数の着磁摩擦車３７ａの、回転方向電磁石３４又は棒磁石３３を含む上流側に送水路９６を設け、回転方向電磁石３４又は棒磁石３３を含む下流側に吸水路９５を設けて、送水ポンプ９７兼超高速大動力を伝達して既存技術の１０倍回転数を狙う、送水ポンプ兼二重反転磁気摩擦動力伝達装置１４ａ（実施例１１）を構成します。
【実施例１２】
【０１０４】
図１２により本発明による地球温暖化防止を説明する。世界の火力発電所や原子力発電所では、ボイラや原子力等で加熱した超臨界圧力過熱蒸気は、蒸気タービンにより断熱膨張させて、容積のみ利用して熱量を全く利用しないで、ボイラや原子力等で加熱した熱量全部で海水温度を上昇するため、膨大な熱量の損失と環境破壊になります。更に超臨界圧力過熱蒸気から復水器真空まで再熱等で断熱膨張させると、容積は１００００倍を超えて単位容積の重力仕事率が水の１／１００００以下となり、同一条件の出力に１００００倍以上の動翼面積が必要で、膨大な蒸気速度も利用困難となり、動翼の１０〜２０倍も蒸気速度を消費して、回転仕事をしない静翼を１／２も設けて、蒸気速度を２０回以上堰き止めて実用速度に減速する等、無茶苦茶設計により地球温暖化を加速しております。
【０１０５】
最も甚大な無茶苦茶は、動翼の１０〜２０倍も速度エネルギを消費して、全く回転仕事をしない静翼を１／２も設けて、過熱蒸気速度を２０回以上堰き止めて減速していることです。そこで熱量を有効利用するため、既存ガスタービン燃焼器を熱交換器と兼用し、竪型全動翼蒸気ガスタービン合体機関燃焼器兼熱交換器４により、限り無く高圧燃焼熱交換冷却燃焼して、燃焼ガス熱量出力＋燃焼ガス質量出力に分離し、（実施例１）＋（実施例３）により（燃焼ガス熱量出力＋燃焼ガス質量出力）＝（既存ガスタービンの３００〜６００倍仮説発電量）に増大し、排気の過程で燃焼ガス質量略全部を１〜５℃の水道水冷熱に変換して回収して、製造原価略０で需要家に供給し、使用燃焼ガス熱量略全部を１００℃以下の水道水温熱で回収して、製造原価略０で需要家に供給し、既存海水温度の上昇を全廃して、膨大に成り過ぎる冷熱で海水を冷却して地球温暖化防止します。
【実施例１３】
【０１０６】
図１３の各種竪型全動翼蒸気ガスタービン合体機関の、回転力や噴射推進力で駆動する各種装置を説明する。竪型全動翼圧縮機１５Ａを既存技術の１０倍回転数を狙う、送水ポンプ兼二重反転磁気摩擦動力伝達装置により駆動して、竪型全動翼圧縮機（１５Ａ）の性能を極限まで上昇し、超音速マッハ１０以上の飛行を可能として、燃焼器兼熱交換器４により限り無く高圧燃焼熱交換冷却燃焼し、燃焼ガス熱量出力＋燃焼ガス質量出力を（既存ガスタービンの３００〜６００倍仮説発電量乃至出力）とし、回転出力利用では電気料金を１／１０等に低減した、各種熱と電気と冷熱の供給設備を駆動や、各種自動車・各種プロペラ飛行機・各種プロペラ船舶や、各種車両・各種機械・各種汎用機関・各種戦車等を駆動します。
【０１０７】
噴射推進力で駆動する各種装置は、超臨界圧力等過熱蒸気５ｃの一部で回転出力を発生し、竪型全動翼蒸気タービン燃焼器兼熱交換器４により限り無く高圧燃焼熱交換冷却燃焼し、燃焼ガス質量の排気温度を−２７３℃に近付けます。熱交換して得た大部分の過熱蒸気５ｃや燃焼ガス１０全部を、霧吹きの原理を利用してバイパス噴射し、前方の空気又は水を吸引して噴射し、既存ガスタービンの３００〜６００倍仮説出力として、既存技術の１０倍速度や排気騒音の１／１０等を狙う、各種竪型全動翼蒸気ガスタービン合体機関により、各種超高速船舶・各種垂直昇降飛行機・各種超高速艦船・各種超高速戦闘機・各種宇宙往還親飛行機・各種宇宙往還機・各種超音速機・各種飛行物体等を駆動します。
【産業上の利用可能性】
【０１０８】
大気圧単位容積重力仕事率が既存蒸気タービンの１７００倍の、水５ａを過熱蒸気噴射ノズル５９ｇや５９ｆにより混合噴射加速するため、出力発生部の構造を１／１７００に近付け、全体構造を１／５０の小型簡単大出力に近付けた、各種竪型全動翼蒸気ガスタービン合体機関とし、回転出力利用では電気料金を１／１０等に低減した、各種熱と電気と冷熱の供給設備や、各種自動車・各種プロペラ飛行機・各種プロペラ船舶や、各種車両・各種機械・各種汎用機関・各種戦車等を、最も効率良く駆動可能とします。
【０１０９】
大気圧単位容積重力仕事率が既存蒸気タービンの１７００倍の、水５ａを過熱蒸気噴射ノズル５９ｇや５９ｆにより混合噴射加速するため、出力発生部の構造を１／１７００に近付け、全体構造を１／５０の小型簡単大出力に近付けた、各種竪型全動翼蒸気ガスタービン合体機関とし、噴射推進力利用では既存噴射推進力利用の１０倍速度を狙う、各種宇宙往還親飛行機や各種宇宙往還機や各種超音速飛行機や各種超高速船舶等、各種噴射推進輸送移動機器を、最も効率良く駆動可能とします。
【０１１０】
超臨界圧力等過熱蒸気爆発力や燃焼ガス質量爆発力として、各種霧吹きの原理を含む竪型全動翼蒸気ガスタービン合体機関を駆動し、最も効率良く水を吸引して噴射推進するため、構造を１／１０〜１／５０に小型簡単大出力とし、各種超高速船舶・各種超高速艦船・各種水上移動物体等を、最も効率良く駆動可能とします。
【０１１１】
超臨界圧力等過熱蒸気爆発力や燃焼ガス質量爆発力として、各種霧吹きの原理を含む竪型全動翼蒸気ガスタービン合体機関を駆動し、最も効率良く空気を吸引して噴射推進するため、構造を１／１０〜１／５０に小型簡単大出力とし、各種超高速船舶・各種垂直昇降飛行機・各種超高速艦船・各種超高速戦闘機・各種宇宙往還親飛行機・各種超高速音速機・各種飛行物体等を、最も効率良く駆動可能とします。
【０１１２】
使用燃焼ガス質量略全部を５℃以下等の水道水冷熱に変換して、製造原価略０で需要家に供給し、既存の業務用や家庭用の冷蔵設備機器や冷凍設備機器や冷房設備機器を全廃して、水道水冷熱利用の業務用や家庭用の冷蔵設備機器や冷凍設備機器や冷房設備機器を製造供給し、脱フロンやＣＯ２排気０等による地球温暖化防止を可能にします。
【０１１３】
使用燃焼ガス熱量略全部を１００℃以下の水道水温熱に変換して、製造原価略０で需要家に供給し、既存の業務用や家庭用の暖房設備機器や調理設備機器や洗濯乾燥機等を全廃して、水道水温熱利用の業務用や家庭用の暖房設備機器や調理設備機器や洗濯乾燥機等を製造供給し、既存発電技術による海水温度の上昇を皆無にした、地球温暖化防止を可能にします。
【０１１４】
発電量を増大する程極低温燃焼ガスの増産になるため、膨大に成り過ぎる燃焼ガス排気質量により、海水を冷却すると海底にＣＯ２や窒素や酸素を希薄供給して、濃度さえ適正なら餌となる微生物や海藻や魚類等を繁殖させて、海域等を活性化する有効利用が可能で、海底固定等の常識を逆転して、人類のために貢献可能にします。
【図面の簡単な説明】
【０１１５】
【図１】竪型全動翼蒸気タービンを示す一部断面図。（実施例１）
【図２】過熱蒸気噴射ノズル５９ｃを示す断面説明図。（実施例２）
【図３】竪型全動翼蒸気タービンを示す一部断面図。（実施例３）
【図４】竪型全動翼ガスタービンを示す一部断面図（実施例４）
【図５】竪型全動翼ガスタービンを示す一部断面図（実施例５）
【図６】竪型全動翼蒸気ガスタービン合体機関を示す一部断面図。（実施例６）
【図７】竪型全動翼蒸気ガスタービン合体機関を示す一部断面図。（実施例７）
【図８】着磁摩擦車及び磁着摩擦車を示す一部断面図。（実施例８）
【図９】送水ポンプ兼磁気摩擦動力伝達装置の一部断面図。（実施例９）
【図１０】送水ポンプ兼磁気摩擦動力伝達装置の一部断面図。（実施例１０）
【図１１】送水ポンプ兼二重反転磁気摩擦動力伝達装置の一部断面図。（実施例１１）
【図１２】竪型全動翼蒸気ガスタービン合体機関の説明図。（実施例１２）
【図１３】竪型全動翼蒸気ガスタービン合体機関で駆動の説明図。（実施例１３）
【符号の説明】
【０１１６】
１：導水管    ２：給水ポンプ    ３：給水    ４：燃焼器兼熱交換器    ５：水蒸気    ５Ａ：竪型全動翼蒸気タービン    ５ａ：水    ５ｂ：高温水（高温水噴射ノズル５９ｂで噴射する超臨界温度水や低温水等）    ５ｃ：過熱蒸気    ６：蒸気管    ６ａ：水管    ７：蒸気加減弁    ７ａ：高温水加減弁    ７ｂ：燃焼ガス加減弁    ８：環状の圧縮空気溜    ９：環状の燃焼ガス溜    １０：燃焼ガス    １０Ａ：竪型全動翼ガスタービン    １０ａ：液化燃焼ガス    １０ｂ：不用冷却液化燃焼ガス    １１：燃料    １２：出力軸    １３：止め弁    １４：二重反転磁気摩擦動力伝達装置    １４ａ：送水ポンプ兼二重反転磁気摩擦動力伝達装置    １５：圧縮空気    １５Ａ：竪型全動翼圧縮機    １６：撥水鍍金外側圧縮機動翼群（撥水鍍金で摩擦低減）    １６Ａ：外側軸装置    １７：撥水鍍金内側圧縮機動翼群（撥水鍍金で摩擦低減）    １７Ａ：内側軸装置    １８Ａ：環状の外軸ガス穴    １８Ｂ：環状の内軸ガス穴    １９：撥水鍍金外側タービン動翼群（撥水鍍金で摩擦低減）    １９ａ：電磁加熱外側タービン動翼群（高温で気化膜を設けて摩擦損失を低減する）    １９Ａ：外側軸装置    （高温で気化膜を設けて摩擦損失を低減する）    ２０：撥水鍍金内側タービン動翼群（撥水鍍金で摩擦低減）    ２０Ａ：内側軸装置    ２０ａ：電磁加熱内側タービン動翼群（高温で気化膜を設けて摩擦損失を低減する）    ２１：環状の出口    ２２：環状の受け口    ２３：環状の受け口    ２４：環状の撥水鍍金噴口群（撥水鍍金で摩擦低減）    ２４ａ：環状の電磁加熱噴口群（高温で気化膜を設けて摩擦損失を低減する）    ２５：燃焼器外箱部    ２６：水冷外壁    ２７：燃料蒸気供給手段    ２８：バイパス    ３１：動力伝達面    ３２：過熱蒸気溜    ３２ａ：水溜    ３２ｂ：環状の水溜    ３２ｃ：環状の過熱蒸気溜    ３２ｄ：環状の液化燃焼ガス溜    ３２ｅ：燃焼ガス溜    ３３：棒磁石    ３４：電磁石    ３５：回転方向    ３６：磁極    ３７：着磁摩擦車    ３８：内着磁摩擦車    ３９：磁着摩擦車    ４０：低凹凸    ４１：平凹凸    ４２：ハスバ凹凸    ４３：ヤマバ凹凸    ４４：内磁着摩擦車    ４５：摩擦増大耐久手段    ４６：磁石部    ４７：ヨーク（着磁摩擦車用）    ４８：絶縁材料    ４８ａ：断熱材    ４９ａ：内着磁摩擦車装置    ４９ｂ：内着磁摩擦車装置    ５０：支軸    ５１ａ：着磁摩擦車装置    ５１ｂ：着磁摩擦車装置    ５１ｃ：着磁摩擦車装置    ５１ｄ：着磁摩擦車装置    ５２：水冷外壁単位    ５３：鍔    ５４：水冷内壁    ５５：冷却手段    ５６：水噴射手段    ５６ａ：水噴射手段    ５７：毛細管放出手段    ５８：排気熱交換器    ５９ａ：水噴射ノズル    ５９ｂ：高温水噴射ノズル（超臨界温度等複数温度水を霧吹きの原理で噴射）    ５９ｃ：過熱蒸気噴射ノズル（過熱蒸気爆発力と霧吹きの原理で水を混合噴射加速）    ５９ｄ：燃焼ガス噴射ノズル（燃焼ガス爆発力と霧吹きの原理で水を混合噴射加速）    ５９ｅ：燃焼ガス噴射ノズル（燃焼ガス爆発力と霧吹きの原理で不用冷却液化燃焼ガスを混合噴射加速）    ５９ｆ：過熱蒸気噴射ノズル（撥水鍍金で摩擦低減し過熱蒸気爆発力と霧吹きの原理で水を混合噴射加速）    ５９ｇ：過熱蒸気噴射ノズル（加熱高温気化膜で摩擦低減し過熱蒸気爆発力と霧吹き��原理で水を混合噴射加速）    ５９ｈ：過熱蒸気噴射ノズル（加熱高温気化膜で摩擦低減し過熱蒸気爆発力と霧吹きの原理で水と燃焼ガスを混合噴射加速）    ５９ｉ：過熱蒸気噴射ノズル（撥水鍍金で摩擦低減し過熱蒸気爆発力と霧吹きの原理で水と燃焼ガスを混合噴射加速）    ６０：燃料噴口    ６１：針弁    ６２：燃料小穴    ６３：燃料穴開閉器    ６４：空気穴開閉器    ６５：空気穴    ６６：凝縮水熱交換器    ６６ａ：気化潜熱回収器    ６６ｂ：気化熱空冷器    ６７：復水器    ６８：凝縮水    ６９：排気    ７０：水道水    ７１：温熱    ７２：冷熱    ７３：冷却水    ７４：推力    ８０：ヨーク    ８１：撥水鍍金タービン全動翼（撥水鍍金で摩擦低減）    ８１ａ：電磁加熱タービン全動翼（加熱高温として摩擦損失低減）８３：撥水鍍金噴口（撥水鍍金で摩擦低減）    ８４：環状に一体鋳造    ８５：外径組立環状部    ８６：内径組立環状部    ８７：撥水鍍金水冷却翼（撥水鍍金で摩擦低減）    ８８：燃焼ガス取出口    ８９：内磁着摩擦車装置    ９０：磁着摩擦車装置    ９１ａ：霧吹きの原理（高温水噴射で空気を噴射加速）    ９１ｂ：霧吹きの原理（燃焼ガス噴射で空気を噴射加速）    ９１ｃ：霧吹きの原理（高温水噴射で水を噴射加速）    ９１ｄ：霧吹きの原理（燃焼ガス複数段噴射で水を噴射加速）    ９１ｅ：霧吹きの原理（複数温度水噴射で空気を噴射加速）    ９１ｆ：霧吹きの原理（複数温度水複数段噴射で水を噴射加速）    ９１ｇ：霧吹きの原理（複数温度水噴射で水を噴射加速）    ９１ｈ：霧吹きの原理（燃焼ガス噴射で水を噴射加速）    ９１ｉ：霧吹きの原理（過熱蒸気爆発力で空気を噴射加速）    ９１ｊ：霧吹きの原理（燃焼ガス爆発力で空気を噴射加速）    ９１ｋ：霧吹きの原理（過熱蒸気爆発力で水を噴射加速）    ９１ｌ：霧吹きの原理（燃焼ガス爆発力で水を噴射加速）    ９１ｍ：霧吹きの原理（複数段過熱蒸気爆発力で水を噴射加速）    ９２ａ：特殊装置（高温水噴射で空気を噴射加速）    ９２ｂ：特殊装置（燃焼ガス噴射で空気を噴射加速）    ９２ｅ：特殊装置（複数温度水噴射で空気を噴射加速）    ９３ａ：水噴射装置（高温水複数段噴射で水を噴射加速）    ９３ｂ：水噴射装置（燃焼ガス噴射で水を噴射加速）    ９３ｄ：水噴射装置（燃焼ガス複数段噴射で水を噴射加速）    ９３ｆ：水噴射装置（複数温度水複数段噴射で水を噴射加速）    ９３ｇ：水噴射装置（複数温度水噴射で水を噴射加速）    ９４：外箱    ９４ａ：蒸気タービン外箱    ９４ｂ：ガスタービン外箱    ９５：吸水路    ９６：送水路    ９７：送水ポンプ    ９８：コイル    ９９：磁力線    １００：磁気摩擦動力伝達装置    １００ａ：送水ポンプ兼磁気摩擦動力伝達装置    １０１：加熱高温手段    １０２：冷熱回収器    １０３：全動翼送風圧縮機    １０４：液化二酸化炭素回収器    １０５：液体窒素回収器    １０６：燃焼ガス液化分離装置    １０７：外側軸装置溜    １０８：発電機
【図１】
2005002984.tif 000003
【図２】
2005002984.tif 000004
【図３】
2005002984.tif 000005
【図４】
2005002984.tif 000006
【図５】
2005002984.tif 000007
【図６】
2005002984.tif 000008
【図７】
2005002984.tif 000009
【図８】
2005002984.tif 000010
【図９】
2005002984.tif 000011
【図１０】
2005002984.tif 000012
【図１１】
2005002984.tif 000013
【図１２】
2005002984.tif 000014
【図１３】
2005002984.tif 000015